(57)【要約】【課題】撮像された複数の原画像を、記録媒体に記録する画像記録装置を提供する。【解決手段】撮像された複数の原画像を、記録媒体に記録する画像記録装置であって、記録媒体は、複数の原画像と、複数の原画像が表示される場合の表示順序を格納しているアルバムマニフェストファイルとを有し、記録媒体は、同一の領域に一度だけ情報を記録することができ、且つ、未だ情報が記録されていない領域に新たな情報を記録することのできるライトワンス型の記録媒体であり、当該画像記録装置は、新たな複数の原画像が入力された場合に、新たな複数の原画像を、記録媒体における、未だ情報が記録されていない領域に記録するアセット記録部と、既に記録媒体に記録されているアルバムマニフェストファイルに、新たな複数の原画像が表示される場合の表示順序を更に格納させた、新たなアルバムマニフェストファイルを生成するアルバムマニフェスト生成部と、既に記録媒体に記録されているアルバムマニフェストファイルを無効にすると共に、生成された新たなアルバムマニフェストファイルを、記録媒体における、未だ情報が記録されていない領域に記録するアルバムマニフェスト記録部とを備える画像記録装置を提供する。【選択図】図３
2008530717.tif 000002
【特許請求の範囲】
【請求項１】
複数のデジタルアセットを、第１の複数のデジタルアセットを有する記録媒体に記録する画像記録装置であって、
当該画像記録装置は、
第２の複数のデジタルアセットを、前記記録媒体における、情報が記録されていない領域に記録するアセット記録部と、
既に前記記録媒体に記録されている前記アルバムマニフェストファイルに、前記第２の複数のデジタルアセットが表示される場合の表示順序を更に格納させた、新たなアルバムマニフェストファイルを生成するアルバムマニフェスト生成部と、
既に前記記録媒体に記録されている前記アルバムマニフェストファイルを無効にすると共に、生成された前記新たなアルバムマニフェストファイルを、前記記録媒体における、未だ情報が記録されていない領域に記録するアルバムマニフェスト記録部と
を備え、
前記記録媒体は、
前記第１および第２の複数のデジタルアセットと、
前記第１および第２の複数のデジタルアセットが表示される場合の前記表示順序を格納している前記アルバムマニフェストファイルと
を有し、
前記記録媒体は、同一の領域に一度だけ情報を記録することができ、且つ、未だ情報が記録されていない領域に新たな情報を記録することのできるライトワンス型の記録媒体である
画像記録装置。
【請求項２】
複数のデジタルアセットを、記録媒体に記録する画像記録装置であって、
前記複数のデジタルアセットのそれぞれへのパスを格納するアセットマニフェストファイルを生成するアセットマニフェスト生成部と、
前記複数のデジタルアセット、及び前記アセットマニフェストファイルを前記記録媒体に記録するアセット記録部と、
記録される前記アセットマニフェストファイルへのパス、及び前記複数のデジタルアセットが表示される場合の表示順序を格納するアルバムマニフェストファイルを生成するアルバムマニフェスト生成部と、
前記アルバムマニフェストファイルを前記記録媒体に記録するアルバムマニフェスト記録部と、
記録される前記アルバムマニフェストファイルへのパスを格納するインデックスマニフェストファイルを生成するインデックス生成部と、
生成された前記インデックスマニフェストファイルを、前記記録媒体毎に異なることのない、予め定められたパスに記録するインデックス記録部と
を備える画像記録装置。
【請求項３】
前記複数のデジタルアセット、及び前記アセットマニフェストファイルを格納するアセットロールディレクトリを前記記録媒体中に作成するアセットロールディレクトリ作成部と、
前記アルバムマニフェストファイルを格納するアルバムディレクトリを、前記アセットロールディレクトリの下位でない位置に作成するアルバムディレクトリ作成部と
を更に備える請求項２に記載の画像記録装置。
【請求項４】
複数のデジタルアセットを、第１の複数のデジタルアセットを有する記録媒体に記録する画像記録方法であって、
当該画像記録方法は、
第２の複数のデジタルアセットを、前記記録媒体における、情報が記録されていない領域に記録するアセット記録段階と、
既に前記記録媒体に記録されている前記アルバムマニフェストファイルに、前記第２の複数のデジタルアセットが表示される場合の表示順序を更に格納させた、新たなアルバムマニフェストファイルを生成するアルバムマニフェスト生成段階と、
既に前記記録媒体に記録されている前記アルバムマニフェストファイルを無効にすると共に、生成された前記新たなアルバムマニフェストファイルを、前記記録媒体における、未だ情報が記録されていない領域に記録するアルバムマニフェスト記録段階と
を備え、
前記記録媒体は、
前記第１および第２の複数のデジタルアセットと、
前記第１および第２の複数のデジタルアセットが表示される場合の表示順序を格納している前記アルバムマニフェストファイルと
を有し、
前記記録媒体は、同一の領域に一度だけ情報を記録することができ、且つ、未だ情報が記録されていない領域に新たな情報を記録することのできるライトワンス型の記録媒体である
画像記録方法。
【請求項５】
複数のデジタルアセットを、記録媒体に記録する画像記録方法であって、
前記複数のデジタルアセットのそれぞれへのパスを格納するアセットマニフェストファイルを生成するアセットマニフェスト生成段階と、
前記複数のデジタルアセット、及び前記アセットマニフェストファイルを前記記録媒体に記録するアセット記録段階と、
記録される前記アセットマニフェストファイルへのパス、及び前記複数のデジタルアセットが表示される場合の表示順序を格納するアルバムマニフェストファイルを生成するアルバムマニフェスト生成段階と、
前記アルバムマニフェストファイルを前記記録媒体に記録するアルバムマニフェスト記録段階と、
記録される前記アルバムマニフェストファイルへのパスを格納するインデックスマニフェストファイルを生成するインデックス生成段階と、
生成された前記インデックスマニフェストファイルを、前記記録媒体毎に異なることのない、予め定められたパスに記録するインデックス記録段階と
を備える画像記録方法。
【請求項６】
前記複数のデジタルアセット、及び前記アセットマニフェストファイルを格納するアセットロールディレクトリを前記記録媒体中に作成するアセットロールディレクトリ作成段階と、
前記アルバムマニフェストファイルを格納するアルバムディレクトリを、前記アセットロールディレクトリの下位でない位置に作成するアルバムディレクトリ作成段階と
を更に備える請求項５に記載の画像記録方法。
【請求項７】
撮像された複数のデジタルアセットが記録されている記録媒体であって、
複数のデジタルアセットと、
前記複数のデジタルアセットのそれぞれへのパスを格納しているアセットマニフェストファイルと、
前記アセットマニフェストファイルへのパス、及び前記複数のデジタルアセットが表示される場合の表示順序を格納しているアルバムマニフェストファイルと、
前記アルバムマニフェストファイルへのパスを格納しているインデックスマニフェストファイルと
を備え、
前記インデックスマニフェストファイルは、当該記録媒体毎に異なることのない、予め定められたパスに記録されている
記録媒体。
【請求項８】
前記複数の原画像、及び前記アセットマニフェストファイルを格納しているアセットロールディレクトリと、
前記アセットロールディレクトリの下位でない位置に作成されている、前記アルバムマニフェストファイルを格納するアルバムディレクトリと
を更に備える請求項７に記載の記録媒体。
【請求項９】
複数のデジタルアセットを、第１の複数のデジタルアセットを有する記録媒体に記録する画像記録装置であって、
当該画像記録装置は、
第２の複数のデジタルアセットを、前記記録媒体における、未だ情報が記録されていない領域に記録するアセット記録部と、
既に前記記録媒体に記録されている前記アルバムマニフェストファイルに、前記第２の複数の原画像が表示される場合の表示順序を更に格納させた、新たなアルバムマニフェストファイルを生成するアルバムマニフェスト生成部と、
必要に応じて更新されたインデックスマニフェストファイルを生成するインデックスマニフェスト生成部と、
既に前記記録媒体に記録されている前記アルバムマニフェストファイルを必要に応じて修正し、生成された前記新たなアルバムマニフェストファイルを、前記記録媒体における、未だ情報が記録されていない領域に記録するアルバムマニフェスト記録部と
前記記録媒体は、
前記第１および第２の複数の画像と、
前記第１および第２の複数の画像が表示される場合の表示順序を格納しているアルバムマニフェストファイルと
を有し、前記インデックスマニフェストファイルへのパスが維持されている
画像記録装置。
【請求項１０】
前記第２の複数のデジタルアセットは、既存のアセットロールディレクトリに配置され、前記インデックスマニフェストファイルは変更されない
請求項１０に記載の画像記録装置。
【請求項１１】
前記第２の複数のデジタルアセットは、新たなアセットロールディレクトリに配置され、それに応じて新たなインデックスマニフェストファイルが作られる
請求項１０に記載の画像記録装置。
【請求項１２】
前記第２の複数のデジタルアセットは、新たなアセットロールディレクトリに配置され、それに応じて新たなアルバムマニフェストファイルが作られ、前記インデックスマニフェストファイルは変更されない
請求項１０に記載の画像記録装置。
【発明の詳細な説明】
【技術分野】
【０００１】
本明細書には、添付書類Ａ−１、Ａ−２、Ａ−３、Ａ−４、Ａ−５およびＡ−６が添付されている。当該添付書類の内容は参照により本願に組み込まれる。
【０００２】
本願は、米国特許出願第１１／０５９，６８１号（出願日：２００５年２月１７日）、米国特許出願第１１／１４９，３４７号（出願日：２００５年６月１０日）、および米国特許出願第１１／２８５，３１７号（出願日：２００５年１１月２３日）に基づき優先権を主張する。当該米国出願の内容もまた参照により本願に組み込まれる。
【０００３】
また、本願は米国特許出願第１１／１８６，８６８号（出願日：２００５年７月２２日、発明の名称：画像読み取り記録装置、画像読み取り記録方法および記録媒体）も参照する。当該米国出願の開示は参照により本願に組み込まれる。
【０００４】
本発明は、画像記録装置、画像記録方法、及び記録媒体に関する。特に本発明は、複数のデジタルアセットを、記録媒体に記録する画像記録装置、及び画像記録方法、並びに当該記録媒体に関する。
【背景技術】
【０００５】
従来、複数のデジタルアセットを、当該複数の原画像が所定の順序で表示されるビデオストリームとして記録媒体に記録する画像記録装置が知られている。
【０００６】
しかしながら、従来の画像記録装置において、既にビデオストリームが記録されている記録媒体に新たなデジタルアセットを追加して記録する場合には、既に記録されているビデオストリームに代えて、既に記録されている複数のデジタルアセットと新たなデジタルアセットとを含む新たなビデオストリームを作成し、記録媒体に記録する必要があった。このため、記録媒体の容量が、作成されるビデオストリームのデータサイズに比べて十分に大きくない場合、新たなデジタルアセットを追加することは、記録媒体における容量の利用効率の低下を招いていた。
【発明の開示】
【発明が解決しようとする課題】
【０００７】
本発明は、上記の課題を解決することができる画像記録装置、画像記録方法、及び記録媒体を提供することを目的とする。この目的は特許請求の範囲における独立項に記載の特徴の組み合わせにより達成される。また従属項は本発明の更なる有利な具体例を規定する。
【課題を解決するための手段】
【０００８】
本発明の第１の側面によると、複数のデジタルアセットを、第１の複数のデジタルアセットを有する記録媒体に記録する画像記録装置であって、当該画像記録装置は、第２の複数のデジタルアセットを、記録媒体における、情報が記録されていない領域に記録するアセット記録部と、既に記録媒体に記録されているアルバムマニフェストファイルに、第２の複数のデジタルアセットが表示される場合の表示順序を更に格納させた、新たなアルバムマニフェストファイルを生成するアルバムマニフェスト生成部と、既に記録媒体に記録されているアルバムマニフェストファイルを無効にすると共に、生成された新たなアルバムマニフェストファイルを、記録媒体における、未だ情報が記録されていない領域に記録するアルバムマニフェスト記録部とを備え、記録媒体は、第１および第２の複数のデジタルアセットと、複数のデジタルアセットが表示される場合の表示順序を格納しているアルバムマニフェストファイルとを有し、記録媒体は、同一の領域に一度だけ情報を記録することができ、且つ、未だ情報が記録されていない領域に新たな情報を記録することのできるライトワンス型の記録媒体である画像記録装置を提供する。
【０００９】
本発明の第２の側面によると、複数のデジタルアセットを、記録媒体に記録する画像記録装置であって、複数のデジタルアセットのそれぞれへのパスを格納するアセットマニフェストファイルを生成するアセットマニフェスト生成部と、複数のデジタルアセット、及びアセットマニフェストファイルを記録媒体に記録するアセット記録部と、記録されるアセットマニフェストファイルへのパス、及び複数のデジタルアセットが表示される場合の表示順序を格納するアルバムマニフェストファイルを生成するアルバムマニフェスト生成部と、アルバムマニフェストファイルを記録媒体に記録するアルバムマニフェスト記録部と、記録されるアルバムマニフェストファイルへのパスを格納するインデックスマニフェストファイルを生成するインデックス生成部と、生成されたインデックスマニフェストファイルを、記録媒体毎に異なることのない、予め定められたパスに記録するインデックス記録部とを備える画像記録装置を提供する。
【００１０】
当該画像記録装置は、複数のデジタルアセット、及びアセットマニフェストファイルを格納するアセットロールディレクトリを記録媒体中に作成するアセットロールディレクトリ作成部と、アルバムマニフェストファイルを格納するアルバムディレクトリを、アセットロールディレクトリの下位でない位置に作成するアルバムディレクトリ作成部とを更に備えるとしてもよい。
【００１１】
本発明の第３の側面によると、複数のデジタルアセットを、第１の複数のデジタルアセットを有する記録媒体に記録する画像記録方法であって、当該画像記録方法は、第２の複数のデジタルアセットを、記録媒体における、情報が記録されていない領域に記録するアセット記録段階と、既に記録媒体に記録されているアルバムマニフェストファイルに、第２の複数のデジタルアセットが表示される場合の表示順序を更に格納させた、新たなアルバムマニフェストファイルを生成するアルバムマニフェスト生成段階と、既に記録媒体に記録されているアルバムマニフェストファイルを無効にすると共に、生成された新たなアルバムマニフェストファイルを、記録媒体における、未だ情報が記録されていない領域に記録するアルバムマニフェスト記録段階とを備え、記録媒体は、第１および第２の複数のデジタルアセットと、第１および第２の複数のデジタルアセットが表示される場合の表示順序を格納しているアルバムマニフェストファイルとを有し、記録媒体は、同一の領域に一度だけ情報を記録することができ、且つ、未だ情報が記録されていない領域に新たな情報を記録することのできるライトワンス型の記録媒体である画像記録方法を提供する。
【００１２】
本発明の第４の側面によると、複数のデジタルアセットを、記録媒体に記録する画像記録方法であって、複数のデジタルアセットのそれぞれへのパスを格納するアセットマニフェストファイルを生成するアセットマニフェスト生成段階と、複数のデジタルアセット、及びアセットマニフェストファイルを記録媒体に記録するアセット記録段階と、記録されるアセットマニフェストファイルへのパス、及び複数のデジタルアセットが表示される場合の表示順序を格納するアルバムマニフェストファイルを生成するアルバムマニフェスト生成段階と、アルバムマニフェストファイルを記録媒体に記録するアルバムマニフェスト記録段階と、記録されるアルバムマニフェストファイルへのパスを格納するインデックスマニフェストファイルを生成するインデックス生成段階と、生成されたインデックスマニフェストファイルを、記録媒体毎に異なることのない、予め定められたパスに記録するインデックス記録段階とを備える画像記録方法を提供する。
【００１３】
当該画像記録方法は、複数のデジタルアセット、及びアセットマニフェストファイルを格納するアセットロールディレクトリを記録媒体中に作成するアセットロールディレクトリ作成段階と、アルバムマニフェストファイルを格納するアルバムディレクトリを、アセットロールディレクトリの下位でない位置に作成するアルバムディレクトリ作成段階とを更に備えるとしてもよい。
【００１４】
本発明の第５の側面によると、撮像された複数のデジタルアセットが記録されている記録媒体であって、複数のデジタルアセットと、複数のデジタルアセットのそれぞれへのパスを格納しているアセットマニフェストファイルと、アセットマニフェストファイルへのパス、及び複数のデジタルアセットが表示される場合の表示順序を格納しているアルバムマニフェストファイルと、アルバムマニフェストファイルへのパスを格納しているインデックスマニフェストファイルとを備え、インデックスマニフェストファイルは、記録媒体毎に異なることのない、予め定められたパスに記録されている記録媒体を提供する。
【００１５】
当該記録媒体は、複数のデジタルアセット、及びアセットマニフェストファイルを格納しているアセットロールディレクトリと、アセットロールディレクトリの下位でない位置に作成されている、アルバムマニフェストファイルを格納するアルバムディレクトリとを更に備えるとしてもよい。
【００１６】
なお上記の本発明の概要は、本発明の必要な特徴の全てを列挙したものではなく、これらの特徴群のサブコンビネーションもまた発明となりうる。上述およびそれ以外の本発明の特徴および効果は、添付した図面を参照しつつ以下に説明する実施形態に基づき理解されたい。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
図１は、本実施形態に係る画像利用システムの一例である画像利用システム１０の構成の一例を示す。本実施形態に係る画像利用システム１０は、画像記録装置２０によってデジタルアセットを記録媒体３０に記録したり、また、画像読み取り装置４０によって記録媒体３０に記録されているデジタルアセットを読み取り、読み取ったデジタルアセットを表示したり印刷したりする。そして、本実施形態に係る画像利用システム１０は、記録媒体３０において、複数のデジタルアセットが何れの領域に記録されているかに関わらず、当該複数のデジタルアセットを正確に読み取ることを目的とする。また、本実施形態に係る画像利用システム１０は、既にデジタルアセットが記録されている記録媒体３０に新たなデジタルアセットを追加して記録する場合に、既に記録されているデジタルアセットが意図せず消去されることを防止することを更なる目的とする。また、本実施形態に係る画像利用システム１０は、複数のデジタルアセット、及び当該複数のデジタルアセットに基づくスライドショーを示す情報が既に記録されている記録媒体３０に新たなデジタルアセットを追加する場合に、記録媒体３０の容量の利用効率を向上させることを更なる他の目的とする。
【００１９】
本実施形態に係る画像利用システム１０は、画像記録装置２０、記録媒体３０、及び画像読み取り装置４０を備える。画像記録装置２０は、例えばデジタルカメラ等によって撮像された複数のデジタルアセットを、記録媒体３０に記録する。ここで、デジタルアセットとは、静止画像であってよく、これに代えて、動画像であってもよい。また、画像記録装置２０は、例えば、デジタルカメラ等の撮像装置であってよく、これに代えて、パーソナルコンピュータ等の情報処理装置であってもよい。画像読み取り装置４０は、撮像された複数のデジタルアセットが記録されている記録媒体３０から、当該複数のデジタルアセットを読み取る。そして、画像読み取り装置４０は、読み取った画像を、表示または印刷することにより、利用者に提供する。なお、画像読み取り装置４０は、例えば、ＤＶＤ−Ｖｉｄｅｏプレイヤー等の映像再生装置であってよく、これに代えて、パーソナルコンピュータ等の情報処理装置、またはＤＰＥサービス店舗に設置されたキオスク端末等であってもよい。
【００２０】
また、本発明において、画像記録装置２０及び画像読み取り装置４０は、それぞれ独立した装置として示しているが、これに代えて、一方が他方の機能及び構成を有していてもよい。また、画像記録装置２０及び画像読み取り装置４０のそれぞれは、互いに異なる複数の装置を含んでいてもよく、当該複数の装置が、互いに連携することにより、画像記録装置２０または画像読み取り装置４０として動作してもよい。
【００２１】
図２は、本実施形態に係る記録媒体３０のディレクトリ構成及びファイル構成の一例を示す。本実施形態に係る記録媒体３０は、ルートディレクトリの直下に、アセットディレクトリ３００、アルバムディレクトリ３３０、インデックスマニフェストファイル３４０、及びビデオストリーム３５０を格納している。
【００２２】
アセットディレクトリ３００は、デジタルアセット等の画像利用システム１０によって用いられるデータを、複数のアセットロールディレクトリ（３１０ａ及び３１０ｂ。以降３１０として表記）、並びに共有ディレクトリ３２０を介して格納している。なお、本図において、アセットディレクトリ３００は、２つのアセットロールディレクトリ３１０を格納しているが、これに代えて、１つだけ、または３つ以上のアセットロールディレクトリ３１０を格納していてもよい。
【００２３】
アセットロールディレクトリ３１０ａは、複数のデジタルアセット３１２ａ、アセットマニフェストファイル３１４ａ、及び表示用画像ディレクトリ３１６ａを格納している。また、アセットロールディレクトリ３１０ａは、更に、録音された音声３１３ａを格納していてもよい。複数のデジタルアセット３１２ａは、例えば、デジタルカメラによって撮像された静止画像および／または動画像であってよい。アセットマニフェストファイル３１４ａは、アセットロールディレクトリ３１０ａに格納されている複数のデジタルアセット３１２ａのそれぞれへのパスを格納している。表示用画像ディレクトリ３１６ａは、アセットロールディレクトリ３１０ａの下位に位置すると共に、複数の表示用画像３１８ａを格納している。複数の表示用画像３１８ａは、複数のデジタルアセット３１２に代えて表示される画像であり、例えば、複数のデジタルアセットの解像度を下げることによって生成された画像であってよい。なお、アセットロールディレクトリ３１０ａは、表示用画像における解像度および縦横比等が異なる、複数の表示用画像ディレクトリを格納していてもよい。これにより、表示用画像を表示する場合に利用する表示装置および表示方法毎に解像度や縦横比が異なる場合であっても、当該表示装置および表示方法に適した、表示品質の高い画像を表示することができる。また、アセットマニフェストファイル３１４ａは、複数の表示用画像３１８ａのそれぞれへのパスを更に格納している。
【００２４】
アセットロールディレクトリ３１０ｂは、複数のデジタルアセット３１２ｂ、アセットマニフェストファイル３１４ｂ、及び複数の表示用画像３１８ｂが格納されている表示用画像ディレクトリ３１６ｂを格納している。本例に示すように、記録媒体３０は、複数のデジタルアセットを、複数のアセットロールディレクトリ３１０に分類して格納することができる。
【００２５】
共有ディレクトリ３２０は、複数の共有ファイル３２２、及び共有マニフェストファイル３２４を格納している。共有ファイル３２２は、例えばアセットロールディレクトリ３１０に格納されているデジタルアセット３１２及び表示用画像３１８の少なくとも一部をスライドショーとして表示する場合に、ＢＧＭ（バックグラウンドミュージック）として演奏される楽曲であってよい。共有マニフェストファイル３２４は、複数の共有ファイル３２２のそれぞれへのパスを格納している。
【００２６】
アルバムディレクトリ３３０は、複数のアルバムマニフェストファイル３３２を格納している。複数のアルバムマニフェストファイル３３２のそれぞれは、記録媒体３０に記録されている複数のデジタルアセット（３１２ａ及び３１２ｂ。以降３１２と表記）のうち、少なくとも一部のデジタルアセットの表示順序を定める。具体的には、アルバムマニフェストファイル３３２は、表示すべきデジタルアセットへのパスを格納しているアセットマニフェストファイル（３１４ａ及び３１４ｂ。以降３１４と表記）へのパス、及び当該表示すべきデジタルアセットのそれぞれを識別する画像識別子を、表示順序に従って格納していてよい。なお、この場合、アセットマニフェストファイル３１４は、複数のデジタルアセット３１２のそれぞれへのパスと、当該デジタルアセットを識別する画像識別子とを、対応付けて格納していてよい。
【００２７】
インデックスマニフェストファイル３４０は、複数のアセットマニフェストファイル３１４のそれぞれへのパス、及び複数のアルバムマニフェストファイル３３２へのパスを格納している。なお、インデックスマニフェストファイル３４０は、記録媒体３０毎に異なることのない、予め定められたパスに記録されている。具体的には、インデックスマニフェストファイル３４０は、記録媒体３０のルートディレクトリの直下に、"ＰＡＳＳＩＤＸ．ＰＶＭ"というファイル名で記録されていてよい。
【００２８】
ビデオストリーム３５０は、例えばＤＶＤ−Ｖｉｄｅｏ形式のビデオストリームを含むファイル群及びディレクトリ群であってよい。そして、ビデオストリーム３５０は、アルバムマニフェストファイル３３２が定める表示順序に基づくスライドショーを示すビデオストリームであってよい。これにより、アルバムマニフェストファイル３３２、及び表示用画像３１８を読み取ってスライドショーを表示することのできない表示機器であっても、記録媒体３０をＤＶＤ−Ｖｉｄｅｏディスクとして再生することにより、当該スライドショーを表示することができる。
【００２９】
なお、本図に示したアセットディレクトリ３００、アセットロールディレクトリ３１０、複数のデジタルアセット３１２、アセットマニフェストファイル３１４、表示用画像ディレクトリ（３１６ａ及び３１６ｂ。以降３１６と表記）、複数の表示用画像３１８、共有ディレクトリ３２０、複数の共有ファイル３２２、共有マニフェストファイル３２４、アルバムディレクトリ３３０、並びに複数のアルバムマニフェストファイル３３２の少なくとも一部は、例えば利用者等によって予め定められた記録媒体３０のフォーマットによって異なっていてよい。ここで、記録媒体３０のフォーマットとは、例えば、Ｆｕｊｉｃｏｌｏｒ（登録商標）ＣＤ、ＰｉｃｔｕｒｅＣＤ（登録商標）、及びＨｏｔＡｌｂｕｍ（登録商標）等であってよい。
【００３０】
アセットロールディレクトリ３１０は、各入力媒体に対応付けられたディレクトリ名を有する。また、同様にして、記録媒体３０に格納されている、複数のデジタルアセット３１２、アセットマニフェストファイル３１４、表示用画像ディレクトリ３１６、複数の表示用画像３１８、共有ディレクトリ３２０、複数の共有ファイル３２２、共有マニフェストファイル３２４、アルバムディレクトリ３３０、及び複数のアルバムマニフェストファイル３３２の少なくとも一部も、複数の入力媒体のそれぞれが備えるそれぞれのファイル及びディレクトリを識別可能な名称を有していてよい。
【００３１】
図３は、本実施形態に係る画像記録装置２０の機能構成の一例を示すブロック図である。本実施形態に係る画像記録装置２０は、画像入力部２００、装置識別子取得部２０５、日時取得部２１０、アセットロールディレクトリ作成部２１５、表示用画像生成部２２０、表示用画像ディレクトリ作成部２２５、アセットマニフェスト生成部２３０、アセット記録部２３５、表示用画像記録部２４０、アルバムディレクトリ作成部２４５、アルバムマニフェスト生成部２５０、アルバムマニフェスト記録部２５５、インデックス生成部２６０、及びインデックス記録部２６５を有する。
【００３２】
画像入力部２００は、撮像された複数のデジタルアセット３１２を入力する。例えば、画像入力部２００は、複数のデジタルアセットを撮像したデジタルカメラとデータ通信を行うことにより、複数のデジタルアセット３１２および／またはデジタルオーディオアセットを入力してよく、また、複数のデジタルアセットが記録されている他の記録媒体および記憶装置から、複数のデジタルアセット３１２を読み取ることにより、複数のデジタルアセット３１２を入力してもよい。そして、画像入力部２００は、入力した複数のデジタルアセット３１２を、表示用画像生成部２２０、アセットマニフェスト生成部２３０、及びアセット記録部２３５に出力する。
【００３３】
装置識別子取得部２０５は、画像記録装置２０を識別可能な装置識別子を取得する。ここで、装置識別子とは、例えば、画像記録装置２０が有するネットワークインターフェイスに割り当てられたＭＡＣ（Ｍｅｄｉａ  Ａｃｃｅｓｓ  Ｃｏｎｔｒｏｌ）アドレスであってよい。そして、装置識別子取得部２０５は、取得した装置識別子をアセットロールディレクトリ作成部２１５に出力する。日時取得部２１０は、例えば画像記録装置２０が有する時計機能及びカレンダー機能を用いて、現在時刻を取得する。そして、日時取得部２１０は、取得した現在時刻をアセットロールディレクトリ作成部２１５に出力する。
【００３４】
アセットロールディレクトリ作成部２１５は、画像入力部２００によって入力された複数のデジタルアセット３１２を格納するアセットロールディレクトリ３１０を、記録媒体３０中に作成する。ここで、アセットロールディレクトリ作成部２１５は、複数の記録媒体のそれぞれが有するアセットロールディレクトリ３１０のそれぞれを識別可能なディレクトリ名で、アセットロールディレクトリ３１０を作成してよい。具体的には、アセットロールディレクトリ作成部２１５は、装置識別子取得部２０５から受け取った装置識別子に基づいて、当該装置識別子毎に異なるディレクトリ名を決定してよい。また、アセットロールディレクトリ作成部２１５は、更に、日時取得部２１０から受け取った、アセットロールディレクトリ３１０を生成する日時に基づいて、当該日時毎に異なるディレクトリ名を決定してよい。なお、アセットロールディレクトリ作成部２１５は、予め定められた記録媒体３０のフォーマットにおいて、アセットロールディレクトリ３１０を格納するアセットディレクトリ３００が定められており、且つ、当該アセットディレクトリ３００が記録媒体３０に存在しない場合には、当該アセットディレクトリ３００を作成した後で、アセットロールディレクトリ３１０を作成してよい。そして、アセットロールディレクトリ作成部２１５は、記録媒体３０における、作成したアセットロールディレクトリ３１０へのパスを、表示用画像ディレクトリ作成部２２５、及びアセット記録部２３５に出力する。
【００３５】
表示用画像生成部２２０は、画像入力部２００によって入力された複数のデジタルアセット３１２の解像度を下げることによって、複数の表示用画像３１８を生成する。ここで、表示用画像生成部２２０は、生成した複数の表示用画像３１８のそれぞれについて、当該表示用画像３１８を生成する場合に用いたデジタルアセット３１２のファイル名を、逆変換可能な予め定められた規則で変換することにより、当該表示用画像３１８のファイル名を生成してよい。具体的には、表示用画像生成部２２０は、複数の表示用画像３１８のそれぞれについて、当該表示用画像３１８を生成する場合に用いたデジタルアセット３１２のファイル名の、先頭の予め定められた長さの文字列を、他の文字列に変更することにより、当該表示用画像３１８のファイル名を生成してよい。なお、ここで、それぞれのデジタルアセット３１２のファイル名とは、例えば、当該デジタルアセット３１２が入力される時に、画像入力部２００によって定められたファイル名であってよい。そして、表示用画像生成部２２０は、生成した複数の表示用画像３１８を表示用画像記録部２４０に出力する。また、表示用画像生成部２２０は、生成した複数の表示用画像３１８のそれぞれのファイル名を、アセットマニフェスト生成部２３０に出力する。
【００３６】
表示用画像ディレクトリ作成部２２５は、表示用画像生成部２２０によって生成される複数の表示用画像３１８を格納する表示用画像ディレクトリ３１６を、アセットロールディレクトリ作成部２１５によって作成されたアセットロールディレクトリ３１０の下位に作成する。そして、表示用画像ディレクトリ作成部２２５は、作成した表示用画像ディレクトリ３１６へのパスを表示用画像記録部２４０に出力する。また、表示用画像ディレクトリ作成部２２５は、作成した表示用画像ディレクトリ３１６へのパス、及びアセットロールディレクトリ３１０へのパスをアセットマニフェスト生成部２３０に出力する。
【００３７】
アセットマニフェスト生成部２３０は、画像入力部２００によって入力された複数のデジタルアセット３１２が記録媒体３０に記録された場合の、当該複数のデジタルアセット３１２のそれぞれへのパス、及び表示用画像生成部２２０によって生成された複数の表示用画像３１８が記録媒体３０に記録された場合の、当該複数の表示用画像３１８のそれぞれへのパスを格納するアセットマニフェストファイル３１４を生成する。ここで、アセットマニフェスト生成部２３０は、例えばアセットマニフェストファイル３１４がアセットロールディレクトリ３１０の直下に格納される等の、アセットマニフェストファイル３１４及びアセットロールディレクトリ３１０の予め定められた位置関係に基づいて、複数のデジタルアセット３１２のそれぞれへのパス、及び複数の表示用画像３１８のそれぞれへのパスを検出してよい。そして、アセットマニフェスト生成部２３０は、画像入力部２００から入力された複数のデジタルアセット３１２のそれぞれにおけるファイル名、及び、例えば複数のデジタルアセット３１２がアセットロールディレクトリ３１０の直下に格納される等の、複数のデジタルアセット３１２及びアセットロールディレクトリ３１０の予め定められた位置関係に基づいて、当該複数のデジタルアセット３１２のそれぞれへのパスを検出してよい。また、アセットマニフェスト生成部２３０は、表示用画像生成部２２０から受け取った複数の表示用画像３１８のそれぞれにおけるファイル名、及び表示用画像ディレクトリ作成部２２５から受け取った、表示用画像ディレクトリ３１６へのパス及びアセットロールディレクトリ３１０へのパスに基づいて、当該複数の表示用画像３１８のそれぞれへのパスを検出してよい。そして、アセットマニフェスト生成部２３０は、生成したアセットマニフェストファイル３１４を、アセット記録部２３５に出力する。
【００３８】
アセット記録部２３５は、画像入力部２００から受け取った複数のデジタルアセット３１２、及びアセットマニフェスト生成部２３０から受け取ったアセットマニフェストファイル３１４を、アセットロールディレクトリ作成部２１５が作成したアセットロールディレクトリ３１０に格納するべく、記録媒体３０に記録する。そして、アセット記録部２３５は、記録したアセットマニフェストファイル３１４へのパス、及び記録した複数のデジタルアセット３１２のそれぞれを識別する画像識別子を、アルバムマニフェスト生成部２５０に出力する。また、アセット記録部２３５は、記録したアセットマニフェストファイル３１４へのパスをインデックス生成部２６０に出力する。表示用画像記録部２４０は、表示用画像生成部２２０によって生成された複数の表示用画像３１８を、表示用画像ディレクトリ作成部２２５によって作成された表示用画像ディレクトリ３１６に格納するべく、記録媒体３０に記録する。
【００３９】
アルバムディレクトリ作成部２４５は、アルバムマニフェストファイル３３２を格納するアルバムディレクトリ３３０を、アセットロールディレクトリ作成部２１５が作成するアセットロールディレクトリ３１０の下位でない位置に作成する。例えば、アルバムディレクトリ作成部２４５は、記録媒体３０のルートディレクトリに格納するべく、アルバムディレクトリ３３０を作成してよい。そして、アルバムディレクトリ作成部２４５は、作成したアルバムディレクトリ３３０へのパスを、アルバムマニフェスト記録部２５５に出力する。
【００４０】
アルバムマニフェスト生成部２５０は、記録媒体３０に記録されるアセットマニフェストファイル３１４へのパス、及び記録媒体３０に記録されている複数のデジタルアセット３１２が表示される場合の表示順序を格納するアルバムマニフェストファイル３３２を生成する。具体的には、アルバムマニフェスト生成部２５０は、デジタルアセット３１２を識別する画像識別子を、表示順序に対応付けて、アルバムマニフェストファイル３３２に格納させてよい。そして、アルバムマニフェスト生成部２５０は、生成したアルバムマニフェストファイル３３２を、アルバムマニフェスト記録部２５５に出力する。アルバムマニフェスト記録部２５５は、アルバムマニフェスト生成部２５０によって生成されたアルバムマニフェストファイル３３２を、アルバムディレクトリ作成部２４５によって作成されたアルバムディレクトリ３３０に格納するべく、記録媒体３０に記録する。そして、アルバムマニフェスト記録部２５５は、記録したアルバムマニフェストファイル３３２へのパスを、インデックス生成部２６０に出力する。
【００４１】
インデックス生成部２６０は、アセット記録部２３５によって記録媒体３０に記録されたアセットマニフェストファイル３１４へのパス、及びアルバムマニフェスト記録部２５５によって記録媒体３０に記録されたアルバムマニフェストファイル３３２へのパスを格納するインデックスマニフェストファイル３４０を生成する。そして、インデックス生成部２６０は、生成したインデックスマニフェストファイル３４０を、インデックス記録部２６５に出力する。インデックス記録部２６５は、インデックス生成部２６０によって生成されたインデックスマニフェストファイル３４０を、記録媒体３０毎に異なることのない、予め定められたパスに記録する。
【００４２】
本実施形態に係る画像記録装置２０によれば、アセットロールディレクトリ３１０のディレクトリ名を、複数の記録媒体のそれぞれで異なるディレクトリ名とすることができる。これにより、記録媒体３０に記録されたアセットロールディレクトリ３１０を他の記録媒体および記憶装置に複製する場合に、既に当該他の記録媒体および記憶装置に格納されているアセットロールディレクトリ３１０が上書きされることを防止することができる。従って、当該他の記録媒体および記録装置において、アセットロールディレクトリ３１０に格納されているファイルが意図せず消去されてしまうことを防止することができる。
【００４３】
また、ＭＡＣアドレス等の装置識別子に基づいてアセットロールディレクトリ３１０のディレクトリ名を決定することにより、異なる画像記録装置２０によって記録された記録媒体３０における、アセットロールディレクトリ３１０のディレクトリ名の重複を、防止することができる。更に、アセットロールディレクトリ３１０を作成する日時に基づいてアセットロールディレクトリ３１０のディレクトリ名を決定することにより、同一の画像記録装置２０によって記録された複数の記録媒体３０における、アセットロールディレクトリ３１０のディレクトリ名の重複を、防止することができる。
【００４４】
また、表示用画像ディレクトリ３１６を、アセットロールディレクトリ３１０の下位に作成することにより、アセットロールディレクトリ３１０を他の記録媒体に複製することにより、当該アセットロールディレクトリ３１０に格納されているデジタルアセット３１２と、当該デジタルアセット３１２から生成された表示用画像３１８とを一括して複製することができる。これにより、記録媒体３０に記録されている画像データの管理を、容易に行うことができる。
【００４５】
また、表示用画像３１８のファイル名を、対応するデジタルアセット３１２のファイル名から逆変換可能に変換して生成することにより、例えばアセットマニフェストファイル３１４を消失した場合であっても、デジタルアセット３１２と表示用画像３１８との対応関係を検出することができる。そして、デジタルアセット３１２のファイル名における先頭の文字列を他の文字列に変更することによって、表示用画像３１８のファイル名を生成することにより、簡易な構成で、且つ短い時間でデジタルアセット３１２と表示用画像３１８との対応関係を検出することができる。
【００４６】
図４は、本実施形態に係る画像読み取り装置４０の機能構成の一例を示すブロック図である。本実施形態に係る画像読み取り装置４０は、インデックス読み取り部４００、アルバムマニフェスト読み取り部４１０、アセットマニフェスト読み取り部４２０、画像読み取り部４３０、及び画像表示部４４０を有する。本例における画像読み取り装置４０は、記録媒体３０に記録されているアルバムマニフェストファイル３３２に従って、記録媒体３０に記録されている複数のデジタルアセット３１２に基づくスライドショーを表示する。
【００４７】
インデックス読み取り部４００は、記録媒体３０からインデックスマニフェストファイル３４０を読み取る。ここで、インデックス読み取り部４００は、記録媒体３０毎に異なることのない、予め定められたパスを用いて、インデックスマニフェストファイル３４０を読み取ってよい。そして、インデックス読み取り部４００は、読み取ったインデックスマニフェストファイル３４０をアルバムマニフェスト読み取り部４１０に出力する。アルバムマニフェスト読み取り部４１０は、インデックス読み取り部４００によって読み取られたインデックスマニフェストファイル３４０に格納されているアルバムマニフェストファイル３３２へのパスを用いて、記録媒体３０からアルバムマニフェストファイル３３２を読み取る。そして、アルバムマニフェスト読み取り部４１０は、読み取ったアルバムマニフェストファイル３３２をアセットマニフェスト読み取り部４２０に出力する。アセットマニフェスト読み取り部４２０は、アルバムマニフェスト読み取り部４１０によって読み取られたアルバムマニフェストファイル３３２に格納されているアセットマニフェストファイル３１４へのパスを用いて、記録媒体３０からアセットマニフェストファイル３１４を読み取る。そして、アセットマニフェスト読み取り部４２０は、読み取ったアセットマニフェストファイル３１４を画像読み取り部４３０に出力する。
【００４８】
画像読み取り部４３０は、アセットマニフェスト読み取り部４２０によって読み取られたアセットマニフェストファイル３１４に格納されている複数のデジタルアセット３１２のそれぞれへのパスを用いて、記録媒体３０から複数のデジタルアセット３１２の少なくとも一部を読み取る。また、画像読み取り部４３０は、デジタルアセット３１２を読み取る代わりに、アセットマニフェストファイル３１４に格納されている複数の表示用画像３１８のそれぞれへのパスを用いて、記録媒体３０から複数の表示用画像３１８の少なくとも一部を読み取ってもよい。具体的には、画像読み取り部４３０は、アルバムマニフェスト読み取り部４１０によって読み取られたアルバムマニフェストファイル３３２が定める表示順序に従って、表示されるべきデジタルアセット３１２のそれぞれについて、順次、当該デジタルアセット３１２から生成された表示用画像３１８へのパスがアセットマニフェストファイル３１４に格納されている場合には、表示用画像３１８を読み取り、当該デジタルアセット３１２から生成された表示用画像３１８へのパスがアセットマニフェストファイル３１４に格納されていない場合には、当該デジタルアセット３１２を読み取る。そして、画像読み取り部４３０は、読み取ったデジタルアセット３１２または表示用画像３１８を、画像表示部４４０に出力する。出力部４４０は、画像読み取り部４３０によって読み取られたデジタルアセット３１２または表示用画像３１８を表示する。なお、出力部４４０はさらに音声および印刷物を出力するとしてもよい。
【００４９】
本実施形態に係る画像読み取り装置４０によれば、アセットマニフェストファイル３１４へのパスが格納されているインデックスマニフェストファイル３４０へのパスは記録媒体のフォーマットに依らず定まるので、アセットマニフェストファイル３１４へのパスが記録媒体のフォーマットによって異なる場合であっても、アセットマニフェストファイル３１４を正確に読み取ることができる。これにより、複数のデジタルアセット３１２が記録されている領域、即ち複数のデジタルアセットのそれぞれのパスが記録媒体３０毎に異なる場合であっても、読み取ったアセットマニフェストファイル３１４に基づいて、複数のデジタルアセット３１２のそれぞれを正確に読み取ることができる。
【００５０】
また、デジタルアセット３１２の解像度に比べて出力部４４０の解像度が低い場合、デジタルアセット３１２が有する情報の多くは表示されず、データの読み取りに要する時間および記憶領域の多くが無駄になってしまう。しかし、本実施形態に係る画像読み取り装置４０によれば、記録媒体３０に、デジタルアセット３１２より解像度の低い表示用画像３１８が予め記録されているので、デジタルアセット３１２の代わりに、当該デジタルアセット３１２に対応する表示用画像３１８を読み取って表示することにより、効率よく、且つ高速に画像の読み取り及び表示を行うことができる。また、表示用画像３１８へのパスがアセットマニフェストファイル３１４に記録されていることにより、表示用画像３１８へのパスが記録媒体３０のフォーマットによって異なる場合であっても、表示用画像３１８を正確に読み取ることができる。
【００５１】
また、アルバムマニフェストファイル３３２へのパスがインデックスマニフェストファイル３４０に格納されていることにより、アルバムマニフェストファイル３３２へのパスが記録媒体３０のフォーマットによって異なる場合であっても、デジタルアセット３１２及び表示用画像３１８を正確に読み取ることができる。
【００５２】
なお、画像読み取り装置４０は、アルバムマニフェストファイル３３２に関わらず、記録媒体３０に記録されているデジタルアセット３１２または表示用画像３１８を表示してもよい。この場合、画像読み取り装置４０は、アルバムマニフェスト読み取り部４１０を有していなくともよく、アセットマニフェスト読み取り部４２０は、アルバムマニフェストファイル３３２に代えて、インデックスマニフェストファイル３４０に格納されているアセットマニフェストファイル３１４へのパスを用いて、アセットマニフェストファイル３１４を読み取ってよい。
【００５３】
また、画像読み取り装置４０は、画像表示を備えていなくともよい。この場合、画像読み取り装置４０は、例えば、画像読み取り部４３０によって読み取られたデジタルアセット３１２を印刷して利用者に提供してもよい。また、画像読み取り装置４０は、画像読み取り部４３０によって読み取られたデジタルアセット３１２または表示用画像３１８を、ネットワーク接続を介して、画像読み取り部４３０から離れた表示装置に出力するとしてもよい。
【００５４】
図５は、本実施形態に係る画像記録装置２０を用いる画像記録方法における処理の流れの一例を示すフローチャートである。まず、画像入力部２００は、撮像された複数のデジタルアセット３１２を入力する（Ｓ１０００）。続いて、アセットロールディレクトリ作成部２１５は、入力された複数のデジタルアセット３１２を格納するアセットロールディレクトリ３１０を、複数の記録媒体のそれぞれが有するアセットロールディレクトリ３１０のそれぞれを識別可能なディレクトリ名で、記録媒体３０中に作成する（Ｓ１０１０）。続いて、表示用画像ディレクトリ作成部２２５は、複数の表示用画像３１８を格納する表示用画像ディレクトリ３１６を、作成されたアセットロールディレクトリ３１０の下位に作成する（Ｓ１０２０）。続いて、表示用画像生成部２２０は、入力された複数のデジタルアセット３１２の解像度を下げることによって、複数の表示用画像３１８を生成する（Ｓ１０３０）。
【００５５】
続いて、アセットマニフェスト生成部２３０は、入力された複数のデジタルアセット３１２が記録媒体３０に記録された場合の、当該複数のデジタルアセット３１２のそれぞれへのパス、及び生成された複数の表示用画像３１８が記録媒体３０に記録された場合の、当該複数の表示用画像３１８のそれぞれへのパスを格納するアセットマニフェストファイル３１４を生成する（Ｓ１０４０）。続いて、アセット記録部２３５は、入力された複数のデジタルアセット３１２、及び生成されたアセットマニフェストファイル３１４を、作成されたアセットロールディレクトリ３１０に格納するべく、記録媒体３０に記録する（Ｓ１０５０）。続いて、表示用画像記録部２４０は、生成された複数の表示用画像３１８を、作成された表示用画像ディレクトリ３１６に格納するべく、記録媒体３０に記録する（Ｓ１０６０）。
【００５６】
続いて、アルバムディレクトリ作成部２４５は、アルバムマニフェストファイル３３２を格納するアルバムディレクトリ３３０を、作成されたアセットロールディレクトリ３１０の下位でない位置に作成する（Ｓ１０７０）。続いて、アルバムマニフェスト生成部２５０は、記録媒体３０に記録されたアセットマニフェストファイル３１４へのパス、及び記録媒体３０に記録された複数のデジタルアセット３１２が表示される場合の表示順序を格納するアルバムマニフェストファイル３３２を生成する（Ｓ１０８０）。続いて、アルバムマニフェスト記録部２５５は、生成されたアルバムマニフェストファイル３３２を、作成されたアルバムディレクトリ３３０に格納するべく、記録媒体３０に記録する（Ｓ１０９０）。
【００５７】
続いて、インデックス生成部２６０は、記録媒体３０に記録されたアセットマニフェストファイル３１４へのパス、及び記録媒体３０に記録されたアルバムマニフェストファイル３３２へのパスを格納するインデックスマニフェストファイル３４０を生成する（Ｓ１１００）。続いて、インデックス記録部２６５は、生成されたインデックスマニフェストファイル３４０を、記録媒体３０毎に異なることのない、予め定められたパスに記録する（Ｓ１１１０）。
【００５８】
本実施形態に係る画像記録装置２０によれば、アルバムディレクトリ３３０をアセットロールディレクトリ３１０の下位ではない位置に作成することができる。これにより、複数のアセットロールディレクトリ３１０に跨った画像の表示順序を定めるアルバムマニフェストファイル３３２を用いる場合において、記録媒体３０からアセットロールディレクトリ３１０が削除された場合であっても、当該アルバムマニフェストファイル３３２を移動させる必要がない。
【００５９】
図６は、本実施形態に係る画像読み取り装置４０を用いる画像読み取り方法における処理の流れの一例を示すフローチャートである。まず、インデックス読み取り部４００は、記録媒体３０からインデックスマニフェストファイル３４０を読み取る（Ｓ１２００）。続いて、アルバムマニフェスト読み取り部４１０は、読み取られたインデックスマニフェストファイル３４０に格納されているアルバムマニフェストファイル３３２へのパスを用いて、記録媒体３０からアルバムマニフェストファイル３３２を読み取る（Ｓ１２１０）。続いて、アセットマニフェスト読み取り部４２０は、読み取られたアルバムマニフェストファイル３３２に格納されているアセットマニフェストファイル３１４へのパスを用いて、記録媒体３０からアセットマニフェストファイル３１４を読み取る（Ｓ１２２０）。
【００６０】
続いて、画像読み取り装置４０は、以降の処理を、アルバムマニフェストファイル３３２によって定められる、表示すべきすべてのデジタルアセット３１２について繰り返す（Ｓ１２３０）。まず、画像読み取り部４３０は、当該デジタルアセット３１２から生成された表示用画像３１８へのパスが、アセットマニフェストファイル３１４に格納されているか否かを判定する（Ｓ１２４０）。例えば、画像読み取り部４３０は、アルバムマニフェストファイル３３２に格納されている、当該デジタルアセット３１２を識別する画像識別子に対応する表示用画像３１８へのパスが、アセットマニフェストファイル３１４に格納されているか否かを判定してよい。そして、表示用画像３１８へのパスがアセットマニフェストファイル３１４に格納されていると判定した場合（Ｓ１２４０：Ｙｅｓ）、画像読み取り部４３０は、当該表示用画像３１８へのパスを用いて、当該表示用画像３１８を読み取る（Ｓ１２５０）。
【００６１】
一方、表示用画像３１８へのパスがアセットマニフェストファイル３１４に格納されていないと判定した場合（Ｓ１２４０：Ｎｏ）、画像読み取り部４３０は、アセットマニフェストファイル３１４に格納されている当該デジタルアセット３１２へのパスを用いて、当該デジタルアセット３１２を読み取る（Ｓ１２６０）。そして、画像読み取り部４３０は、画像表示部４４０における解像度に従って、読み取った当該デジタルアセット３１２の解像度を下げる（Ｓ１２７０）。
【００６２】
続いて、画像表示部４４０は、読み取られた表示用画像３１８、または読み取られて解像度が下げられたデジタルアセット３１２を表示する（Ｓ１２８０）。ここで、利用者が、表示された画像を印刷する旨を、画像読み取り装置４０に設けられた入力手段を用いて指示した場合、画像読み取り装置４０は、当該デジタルアセット３１２を記録媒体３０から読み取って、画像読み取り装置４０が有する印刷手段、あるいは外部の印刷装置に出力してよい。そして、画像読み取り装置４０は、以上の処理を、表示、提示および／または出力すべきすべてのデジタルアセットについて繰り返す（Ｓ１２９０）。
【００６３】
図７は、本実施形態に係る画像記録装置２０を用いる画像記録方法における処理の流れの他の例を示すフローチャートである。本例において、画像記録装置２０は、複数のデジタルアセット３１２及びアルバムマニフェストファイル３３２が既に記録されている記録媒体３０に、新たな複数のデジタルアセット３１２及び新たなアルバムマニフェストファイル３３２を記録する。また、本例において、記録媒体３０は、同一の領域に一度だけ情報を記録することができ、且つ、未だ情報が記録されていない領域に新たな情報を記録することのできるライトワンス型の記録媒体である。なお、本例における画像記録装置２０は、図４に示した画像読み取り装置４０を有しており、記録媒体３０に記録されているファイル等の情報を読み取ることができるとする。
【００６４】
まず、画像入力部２００は、新たな複数のデジタルアセット３１２を入力する（Ｓ１４００）。続いて、インデックス読み取り部４００は、記録媒体３０から、既に記録されているインデックスマニフェストファイル３４０を読み取る（Ｓ１４１０）。続いて、アルバムマニフェスト読み取り部４１０は、読み取られたインデックスマニフェストファイル３４０に格納されているアルバムマニフェストファイル３３２へのパスを用いて、記録媒体３０から、既に記録されているアルバムマニフェストファイル３３２を読み取る（Ｓ１４２０）。続いて、アセットロールディレクトリ作成部２１５は、入力された新たな複数のデジタルアセット３１２を格納する新たなアセットロールディレクトリ３１０を、複数の記録媒体のそれぞれが有するアセットロールディレクトリ３１０のそれぞれを識別可能なディレクトリ名で、記録媒体３０中に作成する（Ｓ１４３０）。続いて、表示用画像ディレクトリ作成部２２５は、新たな複数の表示用画像３１８を格納する新たな表示用画像ディレクトリ３１６を、新たなアセットロールディレクトリ３１０の下位に作成する（Ｓ１４４０）。続いて、表示用画像生成部２２０は、入力された新たな複数のデジタルアセット３１２の解像度を下げることによって、新たな複数の表示用画像３１８を生成する（Ｓ１４５０）。
【００６５】
続いて、アセットマニフェスト生成部２３０は、入力された新たな複数のデジタルアセット３１２が記録媒体３０に記録された場合の、当該新たな複数のデジタルアセット３１２のそれぞれへのパス、及び生成された新たな複数の表示用画像３１８が記録媒体３０に記録された場合の、当該新たな複数の表示用画像３１８のそれぞれへのパスを格納する新たなアセットマニフェストファイル３１４を生成する（Ｓ１４６０）。続いて、アセット記録部２３５は、入力された新たな複数のデジタルアセット３１２、及び生成された新たなアセットマニフェストファイル３１４を、作成された新たなアセットロールディレクトリ３１０に格納するべく、記録媒体３０における、未だ情報が記録されていない領域に記録する（Ｓ１４７０）。続いて、表示用画像記録部２４０は、生成された新たな複数の表示用画像３１８を、作成された新たな表示用画像ディレクトリ３１６に格納するべく、記録媒体３０における、未だ情報が記録されていない領域に記録する（Ｓ１４８０）。
【００６６】
続いて、アルバムマニフェスト生成部２５０は、既に記録媒体３０に記録されているアルバムマニフェストファイル３３２に、生成された新たなアセットマニフェストファイル３１４へのパス、及び入力された新たな複数のデジタルアセット３１２が表示される場合の表示順序を更に格納させた、新たなアルバムマニフェストファイル３３２を生成する（Ｓ１４９０）。続いて、アルバムマニフェスト記録部２５５は、既に記録媒体３０に記録されているアルバムマニフェストファイル３３２を無効にする（Ｓ１５００）。続いて、アルバムマニフェスト記録部２５５は、生成された新たなアルバムマニフェストファイル３３２を、記録媒体３０における、未だ情報が記録されていない領域に記録する（Ｓ１５１０）。例えば、アルバムマニフェスト記録部２５５は、新たなアルバムマニフェストファイル３３２を、既に記録されていたアルバムマニフェストファイル３３２と同じパスで記録媒体３０に記録すると共に、アルバムマニフェストファイル３３２のパスに対応する、記録媒体３０における物理領域を、既に記録されていたアルバムマニフェストファイル３３２の物理領域に代えて、新たに記録したアルバムマニフェストファイル３３２の物理領域に変更したファイル管理情報を、記録媒体３０に記録してよい。
【００６７】
既にデジタルアセット３１２が記録されているライトワンス型の記録媒体に、新たなデジタルアセット３１２を追加して記録する場合、スライドショーがビデオストリームとして記録されていると、ビデオストリームを再度生成して記録する必要がある。一般に、ビデオストリームのデータ量は静止画像に比べて大きいので、このようにして作成したビデオストリームは、既にビデオストリームが記録されている記録媒体３０には記録できず、新たな記録媒体３０に記録しなければならない場合がある。しかし、本実施形態に係る画像記録装置２０によれば、新たなデジタルアセット３１２を記録すると共に、新たなアルバムマニフェストファイル３３２を更新するだけで、当該新たなデジタルアセット３１２を加えたスライドショーを表示することのできる記録媒体３０を作成することができる。これにより、記録媒体３０の記憶領域を有効に利用することができる。また、複数のデジタルアセット３１２を記録すると共に、アルバムマニフェストファイル３３２を更新する処理は、ビデオストリームを生成して記録する処理に比べて、より短い時間で実行できるので、本実施形態に係る画像記録装置２０を用いることにより、新たな複数のデジタルアセット３１２を追加する場合の、利用者にとっての利便性を向上させることができる。
【００６８】
図８は、本実施形態に係る画像利用システムの他の例である画像利用システム５０の構成の一例を示す。本実施形態に係る画像利用システム５０は、第１の記録媒体６０に記録されている複数のデジタルアセット３１２を、第２の記録媒体８０に記録する。本実施形態に係る画像利用システム５０は、第１の記録媒体６０、画像記録装置７０、及び第２の記録媒体８０を備える。なお、第１の記録媒体６０及び第２の記録媒体８０のそれぞれは、図２に示した記録媒体３０と略同一のディレクトリ構造及びファイル構造を有していてよい。
【００６９】
本実施形態に係る画像記録装置７０は、第１インデックス読み取り部７００、第１アセットディレクトリ検出部７０５、アセットマニフェスト読み取り部７１０、画像読み取り部７１５、第２インデックス読み取り部７２０、第２アセットディレクトリ検出部７２５、アセットディレクトリ作成部７３０、アセットロールディレクトリ作成部７３５、アセット記録部７４０、インデックス生成部７４５、及びインデックス記録部７５０を有する。
【００７０】
第１インデックス読み取り部７００は、第１の記録媒体６０から、インデックスマニフェストファイル３４０を読み取る。ここで、第１インデックス読み取り部７００は、第１の記録媒体６０毎に異なることのない、予め定められたパスを用いて、インデックスマニフェストファイル３４０を読み取ってよい。そして、第１インデックス読み取り部７００は、読み取ったインデックスマニフェストファイル３４０を、第１アセットディレクトリ検出部７０５、及びアセットマニフェスト読み取り部７１０に出力する。
【００７１】
第１アセットディレクトリ検出部７０５は、第１インデックス読み取り部７００によって読み取られたインデックスマニフェストファイル３４０に格納されているアセットマニフェストファイル３１４へのパスに基づいて、第１の記録媒体６０に格納されているアセットロールディレクトリ３１０を有するアセットディレクトリ３００のディレクトリ名を検出する。ここで、第１アセットディレクトリ検出部７０５は、第１の記録媒体６０がアセットディレクトリ３００を有しておらず、ルートディレクトリの直下にアセットロールディレクトリ３１０を有している場合には、アセットディレクトリ３００が存在しない旨を検出してよい。そして、第１アセットディレクトリ検出部７０５は、第１の記録媒体６０におけるアセットマニフェストファイル３１４へのパス、及び検出したアセットディレクトリ３００のディレクトリ名を、アセットディレクトリ作成部７３０、アセットロールディレクトリ作成部７３５、及びアセット記録部７４０に出力する。
【００７２】
アセットマニフェスト読み取り部７１０は、第１インデックス読み取り部７００により読み取られたインデックスマニフェストファイル３４０に格納されているアセットマニフェストファイル３１４へのパスを用いて、第１の記録媒体６０からアセットマニフェストファイル３１４を読み取る。そして、アセットマニフェスト読み取り部７１０は、読み取ったアセットマニフェストファイル３１４を、画像読み取り部７１５及びアセット記録部７４０に出力する。画像読み取り部７１５は、アセットマニフェスト読み取り部７１０によって読み取られたアセットマニフェストファイル３１４に格納されている複数のデジタルアセット３１２のそれぞれへのパスを用いて、第１の記録媒体６０から複数のデジタルアセット３１２を読み取る。そして、画像読み取り部７１５は、読み取った複数のデジタルアセット３１２を、アセット記録部７４０に出力する。
【００７３】
第２インデックス読み取り部７２０は、第２の記録媒体８０から、インデックスマニフェストファイル３４０を読み取る。ここで、第２インデックス読み取り部７２０は、第２の記録媒体８０毎に異なることのない、予め定められたパスを用いて、インデックスマニフェストファイル３４０を読み取ってよい。そして、第２インデックス読み取り部７２０は、読み取ったインデックスマニフェストファイル３４０を、第２アセットディレクトリ検出部７２５及びインデックス生成部７４５に出力する。
【００７４】
第２アセットディレクトリ検出部７２５は、第２インデックス読み取り部７２０によって読み取られたインデックスマニフェストファイル３４０に格納されているアセットマニフェストファイル３１４へのパスに基づいて、第２の記録媒体８０に格納されているアセットロールディレクトリ３１０を有するアセットディレクトリ３００のディレクトリ名を検出する。ここで、第２アセットディレクトリ検出部７２５は、第２の記録媒体８０がアセットロールディレクトリ３００を有しておらず、ルートディレクトリの下位にアセットロールディレクトリ３１０を有している場合には、アセットディレクトリ３００が存在しない旨を検出してよい。そして、第２アセットディレクトリ検出部７２５は、検出したアセットディレクトリ３００のディレクトリ名を、アセットディレクトリ作成部７３０、アセットロールディレクトリ作成部７３５、及びアセット記録部７４０に出力する。
【００７５】
アセットディレクトリ作成部７３０は、第１アセットディレクトリ検出部７０５、及び第２アセットディレクトリ検出部７２５のそれぞれによって検出されたアセットディレクトリ３００のディレクトリ名が一致しない場合に、予め定められたディレクトリ名のアセットディレクトリ３００を、第２の記録媒体８０中に作成する。そして、アセットディレクトリ作成部７３０は、作成したアセットディレクトリ３００へのパスを、アセットロールディレクトリ作成部７３５に出力する。
【００７６】
アセットロールディレクトリ作成部７３５は、アセットマニフェスト読み取り部７１０によって読み取られたアセットマニフェストファイル３１４、及び画像読み取り部７１５によって読み取られた複数のデジタルアセット３１２を格納するべきアセットロールディレクトリ３１０を、第２の記録媒体８０中に作成する。具体的には、アセットロールディレクトリ作成部７３５は、第１アセットディレクトリ検出部７０５、及び第２アセットディレクトリ検出部７２５のそれぞれによって検出されたアセットディレクトリ３００のディレクトリ名が一致する場合、第２の記録媒体８０が有するアセットディレクトリ３００の下位に、アセットロールディレクトリ３１０を作成する。また、アセットロールディレクトリ作成部７３５は、第１アセットディレクトリ検出部７０５、及び第２アセットディレクトリ検出部７２５のそれぞれによって検出されたアセットディレクトリ３００のディレクトリ名が一致しない場合、アセットディレクトリ作成部７３０によって作成されたアセットディレクトリ３００の下位に作成する。なお、アセットロールディレクトリ作成部７３５は、作成するアセットロールディレクトリ３１０のディレクトリ名を、第１アセットディレクトリ検出部７０５から受け取った、第１の記録媒体６０におけるアセットマニフェストファイル３１４へのパスに基づいて、当該アセットマニフェストファイル３１４が第１の記録媒体６０において格納されているアセットロールディレクトリ３１０のディレクトリ名と同一のディレクトリ名となるべく定めてよい。そして、アセットロールディレクトリ作成部７３５は、作成したアセットロールディレクトリ３１０へのパスを、アセット記録部７４０に出力する。
【００７７】
アセット記録部７４０は、アセットマニフェスト読み取り部７１０によって読み取られた、第１の記録媒体６０に記録されているアセットマニフェストファイル３１４、及び画像読み取り部７１５によって読み取られた、第１の記録媒体６０に記録されている複数のデジタルアセット３１２を、アセットロールディレクトリ作成部７３５によって作成されたアセットロールディレクトリ３１０に格納するべく、第２の記録媒体８０に記録する。そして、アセット記録部７４０は、記録したアセットマニフェストファイル３１４へのパスを、インデックス生成部７４５に出力する。
【００７８】
インデックス生成部７４５は、第２インデックス読み取り部７２０により読み取られた、第２の記録媒体８０に既に記録されているインデックスマニフェストファイル３４０に、アセットマニフェスト読み取り部７１０により第１の記録媒体６０から読み取られて、アセット記録部７４０により第２の記録媒体８０に記録されたアセットマニフェストファイル３１４へのパスを更に格納させることにより、新たなインデックスマニフェストファイル３４０を生成する。そして、インデックス生成部７４５は、生成した新たなインデックスマニフェストファイル３４０をインデックス記録部７５０に出力する。
【００７９】
インデックス記録部７５０は、インデックス生成部７４５により生成された新たなインデックスマニフェストファイル３４０を用いて、第２の記録媒体８０に既に記録されているインデックスマニフェストファイル３４０を更新する。例えば、インデックス記録部７５０は、第２の記録媒体８０がライトワンス型の記録媒体である場合には、既に記録されているインデックスマニフェストファイル３４０を無効にすると共に、未だに情報が記録されていない領域に、新たなインデックスマニフェストファイル３４０を記録してよい。
【００８０】
本実施形態に係る画像記録装置７０によれば、既にデジタルアセット３１２が記録されている第２の記録媒体８０に、他の記録媒体である第１の記録媒体６０に記録されている複数のデジタルアセット３１２を追加して記録することができる。そして、画像記録装置７０によれば、それぞれの記録媒体が同一のフォーマットに基づく記録媒体である場合には、第１の記録媒体６０における当該複数のデジタルアセット３１２及びアセットマニフェストファイル３１４へのパスを変更することなく、当該複数のデジタルアセット３１２及びアセットマニフェストファイル３１４を第２の記録媒体８０に記録することができる。また、画像記録装置７０によれば、それぞれの記録媒体が異なるフォーマットに基づく記録媒体である場合には、予め定められたディレクトリ名のアセットディレクトリ３００を作成して、当該複数のデジタルアセット３１２及びアセットマニフェストファイル３１４を第２の記録媒体８０に記録することができる。従って、画像記録装置７０によれば、第１の記録媒体６０及び第２の記録媒体８０のそれぞれにおけるフォーマットに関わらず、それぞれの記録媒体間でデジタルアセット３１２の複製を行うことができる。
【００８１】
なお、本図に示した画像記録装置７０は、第１の記録媒体６０に記録されている複数のデジタルアセット３１２及びアセットマニフェストファイル３１４を第２の記録媒体８０に記録しているが、これに加えて、第１の記録媒体６０に記録されているアルバムマニフェストファイル３３２を、第２の記録媒体８０に更に記録してもよい。この場合、画像記録装置７０は、第２の記録媒体８０に既に記録されているアルバムマニフェストファイル３３２に、アセット記録部７４０により記録されたアセットマニフェストファイル３１４へのパス、及び複数のデジタルアセット３１２の表示順序を更に格納させるべく、当該アルバムマニフェストファイル３３２を更新してよい。また、画像記録装置７０は、これに代えて、第２の記録媒体８０に既に記録されているアルバムマニフェストファイル３３２とは別に、アセット記録部７４０により記録されたアセットマニフェストファイル３１４へのパス、及び複数のデジタルアセット３１２の表示順序を格納する新たなアルバムマニフェストファイル３３２を記録してもよい。
【００８２】
図９は、本実施形態に係る画像記録装置７０を用いる画像記録方法における処理の流れの一例を示すフローチャートである。まず、第１インデックス読み取り部７００は、第１の記録媒体６０から、インデックスマニフェストファイル３４０を読み取る（Ｓ１６００）。続いて、第１アセットディレクトリ検出部７０５は、第１インデックス読み取り部７００によって読み取られたインデックスマニフェストファイル３４０に格納されているアセットマニフェストファイル３１４へのパスに基づいて、第１の記録媒体６０に格納されているアセットロールディレクトリ３１０を有するアセットディレクトリ３００のディレクトリ名を検出する（Ｓ１６１０）。続いて、アセットマニフェスト読み取り部７１０は、第１インデックス読み取り部７００により読み取られたインデックスマニフェストファイル３４０に格納されているアセットマニフェストファイル３１４へのパスを用いて、第１の記録媒体６０からアセットマニフェストファイル３１４を読み取る（Ｓ１６２０）。続いて、画像読み取り部７１５は、アセットマニフェスト読み取り部７１０によって読み取られたアセットマニフェストファイル３１４に格納されている複数のデジタルアセット３１２のそれぞれへのパスを用いて、第１の記録媒体６０から複数のデジタルアセット３１２を読み取る（Ｓ１６３０）。
【００８３】
続いて、第２インデックス読み取り部７２０は、第２の記録媒体８０から、インデックスマニフェストファイル３４０を読み取る（Ｓ１６４０）。続いて、第２アセットディレクトリ検出部７２５は、第２インデックス読み取り部７２０によって読み取られたインデックスマニフェストファイル３４０に格納されているアセットマニフェストファイル３１４へのパスに基づいて、第２の記録媒体８０に格納されているアセットロールディレクトリ３１０を有するアセットディレクトリ３００のディレクトリ名を検出する（Ｓ１６５０）。
【００８４】
続いて、画像記録装置７０は、第１アセットディレクトリ検出部７０５、及び第２アセットディレクトリ検出部７２５のそれぞれによって検出されたアセットディレクトリ３００のディレクトリ名が一致するか否かを判定する（Ｓ１６６０）。そして、それぞれのアセットディレクトリ３００のディレクトリ名が一致しないと判定された場合に（Ｓ１６６０：Ｎｏ）、アセットディレクトリ作成部７３０は、予め定められたディレクトリ名のアセットディレクトリ３００を、第２の記録媒体８０中に作成する（Ｓ１６７０）。
【００８５】
続いて、アセットロールディレクトリ作成部７３５は、アセットマニフェスト読み取り部７１０によって読み取られたアセットマニフェストファイル３１４、及び画像読み取り部７１５によって読み取られた複数のデジタルアセット３１２を格納するべきアセットロールディレクトリ３１０を、第２の記録媒体８０中に作成する（Ｓ１６８０）。続いて、アセット記録部７４０は、アセットマニフェスト読み取り部７１０によって読み取られた、第１の記録媒体６０に記録されているアセットマニフェストファイル３１４、及び画像読み取り部７１５によって読み取られた、第１の記録媒体６０に記録されている複数のデジタルアセット３１２を、アセットロールディレクトリ作成部７３５によって作成されたアセットロールディレクトリ３１０に格納するべく、第２の記録媒体８０に記録する（Ｓ１６９０）。
【００８６】
続いて、インデックス生成部７４５は、第２インデックス読み取り部７２０により読み取られた、第２の記録媒体８０に既に記録されているインデックスマニフェストファイル３４０に、アセットマニフェスト読み取り部７１０により第１の記録媒体６０から読み取られて、アセット記録部７４０により第２の記録媒体８０に記録されたアセットマニフェストファイル３１４へのパスを更に格納させることにより、新たなインデックスマニフェストファイル３４０を生成する（Ｓ１７００）。続いて、インデックス記録部７５０は、インデックス生成部７４５により生成された新たなインデックスマニフェストファイル３４０を用いて、第２の記録媒体８０に既に記録されているインデックスマニフェストファイル３４０を更新する（Ｓ１７１０）。
【００８７】
本明細書に添付した添付書類Ａ−１、Ａ−２、Ａ−３、Ａ−４、Ａ−５およびＡ−６に基づき、本実施形態の更なる他の例を示す。
【００８８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【産業上の利用可能性】
【００８９】
上記説明から明らかなように、本発明によれば、記録媒体のフォーマットに関わらず、記録されているデジタルアセットを読み取ることができる。
【００９０】
ピクチャ・アーカイブ・アンド・シェアリング・スタンダード
ジョイント・イニシアティブ
Ｆｕｊｉ  Ｐｈｏｔｏ  Ｆｉｌｍ  Ｃｏ．，Ｌｔｄ．，
Ｋｏｎｉｃａ  Ｍｉｎｏｌｔａ  Ｐｈｏｔｏ  Ｉｍａｇｉｎｇ，  Ｉｎｃ．，
Ｅａｓｔｍａｎ  Ｋｏｄａｋ  Ｃｏｍｐａｎｙ
バージョン１．００
ディスクの論理的な仕様
２００５年３月１７日
（Ｃ）２００５年、富士写真フイルム株式会社、コニカミノルタフォトイメージング株式会社、イーストマンコダック社、著作権所有
目次
１．概略・・・・・・・・・・・・・・・・・・・・・・・・・・・・・・・・・・１
１．１  ＰＡＳＳの主要な特徴・・・・・・・・・・・・・・・・・・・・・・・・２
１．２  システム概略・・・・・・・・・・・・・・・・・・・・・・・・・・・・３
１．３  ＰＡＳＳディスクの論理的な仕様の概略・・・・・・・・・・・・・・・・７
２．用語定義・・・・・・・・・・・・・・・・・・・・・・・・・・・・・・・・７
３．論理ディスクコンポーネント・・・・・・・・・・・・・・・・・・・・・・・９
３．１ファイル・・・・・・・・・・・・・・・・・・・・・・・・・・・・・・１０
３．１．１  ＰＡＳＳアセットファイルフォーマット・・・・・・・・・・・・・１０
３．１．１．１  静止画像ＰＡＳＳアセットファイル用ファイルフォーマット
・・・・・・・・・・・・・・・・・・・・・・・・・・・・・・・・・・・・・１０
３．１．１．２  ビデオＰＡＳＳアセットファイル用ファイルフォーマット
・・・・・・・・・・・・・・・・・・・・・・・・・・・・・・・・・・・・・１０
３．１．１．３  音声ＰＡＳＳアセットファイル用ファイルフォーマット
・・・・・・・・・・・・・・・・・・・・・・・・・・・・・・・・・・・・・１０
３．１．２  システム生成ファイル・・・・・・・・・・・・・・・・・・・・・１０
３．１．２．１  概略・・・・・・・・・・・・・・・・・・・・・・・・・・・１０
３．１．２．２  ＰＡＳＳ特有ＸＭＬ要素・・・・・・・・・・・・・・・・・・１１
３．１．２．３  ＰＡＳＳ  ＸＭＬネームスペース・・・・・・・・・・・・・・１１
３．１．２．４  インデックス・マニフェスト・ファイル・・・・・・・・・・・１２
３．１．２．５  アルバム・マニフェスト・ファイル・・・・・・・・・・・・・１５
３．１．２．６  ＰＡＳＳアセット・リスト・マニフェスト・ファイル・・・・・２０
３．２  コンテナ種類・・・・・・・・・・・・・・・・・・・・・・・・・・・３３
３．２．１  アセットディレクトリ（Ａｓｓｅｔｓ  ｄｉｒｅｃｔｏｒｙ）
・・・・・・・・・・・・・・・・・・・・・３３
３．２．１．１  制限・・・・・・・・・・・・・・・・・・・・・・・・・・・３３
３．２．２  アセットロールディレクトリ・・・・・・・・・・・・・・・・・・３３
３．２．２．１  制限・・・・・・・・・・・・・・・・・・・・・・・・・・・３３
３．２．３  アルバムディレクトリ・・・・・・・・・・・・・・・・・・・・・３３
３．２．３．１  制限・・・・・・・・・・・・・・・・・・・・・・・・・・・３３
３．２．４  表示ディレクトリ・・・・・・・・・・・・・・・・・・・・・・・３４
３．２．４．１  制限・・・・・・・・・・・・・・・・・・・・・・・・・・・３４
３．２．５  共有アセットディレクトリ・・・・・・・・・・・・・・・・・・・３６
３．２．５．１  制限・・・・・・・・・・・・・・・・・・・・・・・・・・・３６
４  ディレクトリ及びファイル構造・・・・・・・・・・・・・・・・・・・・・３６
４．１  全体構造・・・・・・・・・・・・・・・・・・・・・・・・・・・・・３６
４．２  ファイルシステム・・・・・・・・・・・・・・・・・・・・・・・・・３７
４．３  推奨ディレクトリ構造の命名取り決め・・・・・・・・・・・・・・・・３７
４．３．１  例示推奨ディレクトリ構造・・・・・・・・・・・・・・・・・・・３７
４．３．２  推奨ディレクトリ構造の命名取り決め・・・・・・・・・・・・・・３８
４．３．２．１  ＰＡＳＳインデックス・マニフェスト・ファイル・・・・・・・３８
４．３．２．２  アセットディレクトリ・・・・・・・・・・・・・・・・・・・３９
４．３．２．３  生成ＩＤ（ＴＵＩＤ）・・・・・・・・・・・・・・・・・・・３９
４．３．２．４  生成日付情報・・・・・・・・・・・・・・・・・・・・・・・３９
４．３．２．５  アセットロールディレクトリ・・・・・・・・・・・・・・・・３９
４．３．２．６  ＰＡＳＳアセットファイル・・・・・・・・・・・・・・・・・３９
４．３．２．７  アセットロールディレクトリのアセット・リスト・マニフェスト
・・・・・・・・・・・・・・・・・・・・・・・・・・・・・・・・・・・・・４０
４．３．２．８  アルバムディレクトリ・・・・・・・・・・・・・・・・・・・４０
４．３．２．９  デフォルト・アルバム・マニフェスト・ファイル・・・・・・・４０
４．３．２．１０  カスタム・アルバム・マニフェスト・ファイル・・・・・・・４０
４．３．２．１１  共有アセットディレクトリ・・・・・・・・・・・・・・・・４０
４．３．２．１２  共有アセットファイル・・・・・・・・・・・・・・・・・・４０
４．３．２．１３  共有アセット・リスト・マニフェスト・・・・・・・・・・・４１
４．３．２．１４  表示ディレクトリ・・・・・・・・・・・・・・・・・・・・４１
４．３．２．１５  表示用画像ファイル・・・・・・・・・・・・・・・・・・・４１
４．３．３  ディレクトリ構造例・・・・・・・・・・・・・・・・・・・・・・４１
４．３．３．１  インデックス・マニフェスト・ファイル・・・・・・・・・・・４１
４．３．３．２  アルバム・マニフェスト・ファイル・・・・・・・・・・・・・４２
４．３．３．３  アセット・リスト・マニフェスト・ファイル・・・・・・・・・４４
４．３．３．４  共有アセット・リスト・マニフェスト・・・・・・・・・・・・４８
５  移行・・・・・・・・・・・・・・・・・・・・・・・・・・・・・・・・・４９
５．１  移行管理・・・・・・・・・・・・・・・・・・・・・・・・・・・・・４９
６  媒体種類特有制限・・・・・・・・・・・・・・・・・・・・・・・・・・・５０
付録Ａ―短縮普遍識別子（ｔｒｕｎｃａｔｅｄ  ｕｎｉｖｅｒｓａｌ  ｉｄｅｎｔｉｆｉｅｒ）生成のための推奨アルゴリズム（参考情報）・・・・・・・・・・・・・５１
付録Ｂ―レガシーディレクトリとファイル構造の相互参照（参考情報）・・・・・５３
付録Ｃ―Ｋｏｄａｋ  ＰｉｃｔｕｒｅＣＤディレクトリおよびファイル構造（参考情報）
・・・・・・・・・・・・・・・・・・・・・・・・・・・・・・・・・・・・・５４
付録Ｄ：ＤＣＦおよびＦｕｊｉｆｉｌｍ  Ｆｕｊｉｃｏｌｏｒ  ＣＤディレクトリおよびファイル構造（参考情報）・・・・・・・・・・・・・・・・・・・・・・・・５５
付録Ｅ：Ｋｏｎｉｃａ  Ｍｉｎｏｌｔａ  Ｈｏｔ  Ａｌｂｕｍディレクトリおよびファイル構造（参考情報）・・・・・・・・・・・・・・・・・・・・・・・・・・・５７
付録Ｆ：参考文献・・・・・・・・・・・・・・・・・・・・・・・・・・・・・５８
Ｆｉｇｕｒｅｓ
Ｆｉｇｕｒｅ１：ＰＡＳＳ特徴・・・・・・・・・・・・・・・・・・・・・・・・３
Ｆｉｇｕｒｅ２：ディスクの論理的な仕様の構造・・・・・・・・・・・・・・・・５
Ｆｉｇｕｒｅ３：ＰＡＳＳデジタルアルバム・オリジネイティング・システム（キオスク、ミニラボ）・・・・・・・・・・・・・・・・・・・・・・・・・・・・・・・５
Ｆｉｇｕｒｅ４：ＰＡＳＳデジタルアルバム・レシービング・システム・バリエーション１（ＤＶＤプレーヤ）・・・・・・・・・・・・・・・・・・・・・・・・・・・６
Ｆｉｇｕｒｅ５：ＰＡＳＳデジタルアルバム・レシービング・システム・バリエーション２（プリントキオスク、ミニラボ）・・・・・・・・・・・・・・・・・・・・・６
Ｆｉｇｕｒｅ６：ＰＡＳＳデジタルアルバム・レシービング・システム・バリエーション３（ＰＣアプリケーション）・・・・・・・・・・・・・・・・・・・・・・・・６
Ｆｉｇｕｒｅ７：三種類のＰＡＳＳデジタルアルバム・マニフェスト・ファイルの関係
・・・・・・・・・・・・・・・・・・・・・・・・・・・・・・・・・・・・・１１
Ｆｉｇｕｒｅ８：ＰＡＳＳインデックス・マニフェスト・ファイルのＸＭＬ要素組成
・・・・・・・・・・・・・・・・・・・・・・・・・・・・・・・・・・・・・１３
Ｆｉｇｕｒｅ９：ＰＡＳＳアルバム・マニフェスト・ファイルのＸＭＬ要素組成・１７
Ｆｉｇｕｒｅ１０：画像ＩＤ生成・・・・・・・・・・・・・・・・・・・・・・２５
Ｆｉｇｕｒｅ１１：アセット・リスト・マニフェスト・ファイルのＸＭＬ要素組成
・・・・・・・・・・・・・・・・・・・・・・・・・・・・・・・・・・・・・２６
Ｆｉｇｕｒｅ１２：表示ディレクトリの位置・・・・・・・・・・・・・・・・・３５
Ｆｉｇｕｒｅ１３：推奨ディレクトリ構造・・・・・・・・・・・・・・・・・・３８
ＦｉｇｕｒｅＣ：Ｋｏｄａｋ  ＰｉｃｔｕｒｅＣＤ（登録商標）に基づくＰＡＳＳファイル構造・・・・・・・・・・・・・・・・・・・・・・・・・・・・・・・・・５４
ＦｉｇｕｒｅＤ―１：ＤＣＦに基づくＰＡＳＳファイル構造・・・・・・・・・・５５
ＦｉｇｕｒｅＤ―２：ＦｕｊｉｃｏｌｏｒＣＤに基づくＰＡＳＳファイル構造・・５５
ＦｉｇｕｒｅＤ―２：ＦｕｊｉｃｏｌｏｒＣＤに基づくＰＡＳＳファイル構造・・５６
ＦｉｇｕｒｅＥ：Ｋｏｎｉｃａ  Ｍｉｎｏｌｔａ  Ｈｏｔ  Ａｌｂｕｍに基づくＰＡＳＳファイル構造・・・・・・・・・・・・・・・・・・・・・・・・・・・・・・５７
Ｔａｂｌｅｓ
Ｔａｂｌｅ１：ＰＡＳＳ  ＸＭＬネームスペース識別子・・・・・・・・・・・・１２
Ｔａｂｌｅ２：ＰＡＳＳデジタルアルバム一般情報メタデータ・・・・・・・・・１４
Ｔａｂｌｅ３：ＰＡＳＳアルバム・マニフェストで制限されるアセット参照・・・１８
Ｔａｂｌｅ４：アルバム一般メタデータ・・・・・・・・・・・・・・・・・・・１８
Ｔａｂｌｅ５：ＰＡＳＳアセットリスト・メタデータ・・・・・・・・・・・・・２０
Ｔａｂｌｅ６：ＰＡＳＳアセットリストで許可されるアセット・・・・・・・・・２８
Ｔａｂｌｅ７：ＰＡＳＳアセット・メタデータ・・・・・・・・・・・・・・・・２９
Ｔａｂｌｅ８：静止画像メタデータ・・・・・・・・・・・・・・・・・・・・・３０
ＴａｂｌｅＡ：ＤｉからＡＳＣＩＩへの変換・・・・・・・・・・・・・・・・・５２
ＴａｂｌｅＢ：ＰＡＳＳレガシーシステムとＲＤＳの記述・・・・・・・・・・・５３
１  概略
ピクチャ・アーカイブ・アンド・シェアリング・スタンダード（ＰＡＳＳ）は、デジタル撮像産業イニシアチブであり、以前には簡単にあるいは信頼性高く達成できなかったような形でデジタル画像の保存、プリント、再生、及び共有をコンシューマーに許す。
先進技術は、デジタルコンテンツが、例えば、静止画像、ビデオ、音声、あるいは音楽、及びグラフィクスなどの、多くの形式で存在することを意味する。技術はさらにこれら様々なデジタルフォーマットの編集、コピー、および融合を可能にした。加えて、デジタルスチルカメラ、ＤＶＤプレーヤ、デジタルビデオカメラ、および携帯電話（ｃｅｌｌ  ｐｈｏｎｅ）などの、様々なデジタルフォーマットを利用する様々な機器が存在する。しかし、技術は遅いペースで進化してきてはいるが、ＰＣと違ってこれら機器は多数フォーマットを処理・再生することができない。
仕様ＰＡＳＳ一式は、全ての実装会社からの製品が媒体上の情報を理解できるよう情報を物理媒体にエンコードする方法を定義する。ＰＡＳＳはこれを、アセットについてのエンコード・デコードプロセスを定義して、ＰＡＳＳシステムの共通ユーザインターフェース要件を記述することにより行っている。ＰＡＳＳアーキテクチャは言語およびプラットフォームから独立したオープンシステム規格に基づいており、異なるシステム間の機能を可能とする。
ＰＡＳＳはメンバー会社同士が共通の規格を提供・利用できることを保証するべく、ロゴ、商標、及びライセンスプログラムを持つ。このプログラムはメンバー会社に、彼等の事業の要請を提起し、機能性を保証する仕様に準拠する製品の確立を許し、ＰＡＳＳロゴの存在によりコンシューマーに認識される。
ＰＡＳＳの仕様は、伝統的なコンシューマー写真産業を可能とした規格に匹敵することができる（つまりプロセスＣ―４１、規格映写スライド及びカートリッジ構成、ペーパフォーマットなどである）。これら規格なしには、写真は写真愛好家の範疇に制限されただろう。これらがあったからこそ、写真は大きな、非常に成功した、主要なコンシューマー産業に成長した。ＰＡＳＳの仕様はデジタル写真に対してこれとほぼ同じことを約束する。
ＰＡＳＳイニシアチブは、コンシューマー画像・コンテンツを処理・管理して目下も将来的にもコンシューマーに簡単に自分のコンテンツを楽しむことを可能ならしめる約束を達成する全ての会社からの参加を呼びかける。
１．１ＰＡＳＳの主要な特徴
ＰＡＳＳはたくさんの特徴を定義する。下のＴａｂｌｅはＰＡＳＳシステムの主要な特徴を定義する。
スライドショーを見るための家庭用電化製品（ＣＥ）の利用が容易
今日のＤＶＤプレーヤ及び将来のＰＡＳＳサポートのＤＶＤプレーヤを利用してテレビ、パソコン、その他のＣＥ機器上で写真スライドショーを簡単に再生することができる。
ＣＥ機器でプレビューをして簡単にプリントを注文できる
スライドショーを見ている間にスライド番号をチェックして、それを写真注文書に加える。
ＰＡＳＳデジタルアルバム（ＰＡＳＳ  Ｄｉｇｉｔａｌ  Ａｌｂｕｍ）とともにプリント注文書を、近所の写真屋に持っていけば処理してもらえる。
任意のプリントキオスクを利用して簡単にプリントを注文できる
任意のＰＡＳＳサポートプリントキオスクにおいて、ＰＡＳＳデジタルアルバムを利用したプリント注文ができる。
写真読み取りが容易である
ＰＡＳＳデジタルアルバムは、お手元の画像が、ご自身が加えた日付及び任意のキーワードから迅速に簡便に読み取ることにより入手できることを意味する。
５）安全な写真の移行
様々な媒体フォーマット（ＣＤ、メモリカードなど）をより新たな、より小さい格納機器（ＤＶＤなど）に整理統合できる。
多くの他のＰＡＳＳデジタルアルバムを組み合わせることで、写真履歴をなくすことなく（メタデータの保持）単一のＰＡＳＳデジタルアルバムを作成する。
６）写真共有が容易
ご自身のＰＡＳＳデジタルアルバムを他の人と、ご自身が個々の写真に加えた日付、位置、イベント、人の名前などの情報をなくすことなく共有できる。
【表１】
2008530717.tif 000003
１．２システム概略
ＰＡＳＳシステムは以下の主要なシステムおよびコンポーネントから成る。
１）オリジネイティング・システム
オリジネイティング・システムは、ＰＡＳＳデジタルアルバムをＰＡＳＳディスク上に作成するのに利用されるが、典型的に以下の機能を持つ。
ａ）コンシューマーデータを様々な媒体から収集して、それらをＰＡＳＳデジタルアルバムのＰＡＳＳフォーマットに変換する。
ｂ）ＰＡＳＳディスク上のコンシューマー画像用にメタデータ（日付、キーワードなど）を収集あるいは生成する。
ｃ）ＣＥ機器上で再生可能なスライドショーとして、ＰＡＳＳディスク上にデジタルアルバムを作成する。
ｄ）多くの作成世代の多数のＰＡＳＳディスクから、コンシューマーデータを損失することなく新たなＰＡＳＳディスクを作成する。
ｅ）オプションとして、既存のＤＶＤプレーヤ上で生成することも可能な、短いビデオセグメントを作成する。
２）レシービング・システム
ＰＡＳＳレシービング・システムは最小限、以下の機能を実装する。
ａ）ＰＡＳＳアセットファイルフォーマットをチェックする。
ｂ）ＰＡＳＳデジタルアルバムを読み取り・適切に解釈する。
ｃ）再生コンポーネントあるいはプリント・コンポーネント（少なくともこれらコンポーネントのうちの一つがレシービング・システムに含まれていなければならない）
３）再生コンポーネント
レシービング・システム内の再生コンポーネントは以下の機能を持つ。
ａ）ＰＡＳＳデジタルアルバムを、アルバム・マニフェスト・ファイル及びアセット・リスト・マニフェスト・ファイルに従い表示する。
ｂ）ＰＡＳＳディスク上の多数のＰＡＳＳデジタルアルバム・マニフェスト・ファイルから特定のアルバムを選択する。
ｃ）オプションとして、日付及び／又はキーワードからＰＡＳＳアセットファイルを読み取り、その後そのアセットを表示する。
４）プリント・コンポーネント注文のための画像選択
このコンポーネントは以下の機能を有す。
ａ）プリント注文のために静止ＰＡＳＳアセットファイルを選択する。
以下に列挙するｆｉｇｕｒｅｓがこれらコンポーネントおよびそれらの相互関係を図示する。
【表２】
2008530717.tif 000004
【表３】
2008530717.tif 000005
【表４】
2008530717.tif 000006
【表５】
2008530717.tif 000007
【表６】
2008530717.tif 000008
１．３ＰＡＳＳディスクの論理的な仕様の概略
ディスクの論理的な仕様（ＬＤＳ）は、ファイル構造をサポートする任意の取り外し可能な媒体であることのできる、ＰＡＳＳデジタルアルバムディスクに記録されている論理データ構造を記述する。ＬＤＳは、ＰＡＳＳデジタルアルバムが利用するディレクトリ（コンテナ）を記述する。さらには、デジタルアルバムに記録することができ、ＰＡＳＳオリジネイティングあるいはレシービング・システムにより適切に理解されるファイルの種類を記述している。ユーザが提供するファイルはＰＡＳＳアセットファイルと称される。ＰＡＳＳは、Ｏｐｔｉｃａｌ  Ｓｔｏｒａｇｅ  Ｔｅｃｈｎｏｌｏｇｙ  Ａｓｓｏｃｉａｔｉｏｎ（ＯＳＴＡ）のＭｕｓｉｃＰｈｏｔｏＶｉｄｅｏ仕様（ＭＰＶ）が定義する特有な記述子ファイル（マニフェスト（ｍａｎｉｆｅｓｔｓ））を利用する。これらマニフェスト・ファイルはＸＭＬによりエンコードされている。各アセットファイルに関連付けられた特有のメタデータがマニフェスト内にエンコードされる。
ＬＤＳは特に以下を記述する
ａ）ＰＡＳＳマニフェスト・ファイル（インデックス、プレイリスト、およびアセットリスト）及び関連メタデータ
ｂ）ＰＡＳＳアセットファイルフォーマット
ｃ）ディレクトリ種別及びディレクトリ構造
２．用語定義
アルバム
顧客のアセット集合のこと。
アルバムディレクトリ
プレイリスト・マニフェスト（ｐｌａｙｌｉｓｔ  ｍａｎｉｆｅｓｔｓ）として知られている再生用のマニフェストを含むルートディレクトリの子のディレクトリのこと。
アセットディレクトリ
アセットロールディレクトリ及び共有アセットディレクトリを含むルートディレクトリの子であるディレクトリとして典型的に形成される種類のコンテナのこと。名前は任意である。
アセットＩＤ
ＰＡＳＳアセットファイルの識別子である。典型的に注文をプリントするのに利用される。アセットＩＤは、それを含むアセット・リスト・マニフェスト内の各アセットファイルのタグ＜ｐａｓｓ：ａｓｓｅｔＩＤ＞により与えられる要素の下位４文字で定義される。アセットリストＩＤと共にアセットＩＤが画像ＩＤを構築するために利用される。
アセットリストＩＤ
アセットリストのアセットの識別子であり、典型的にプリント注文の画像を識別する。アセットリストＩＤは、対応するアセット・リスト・マニフェスト内のタグ＜ｐａｓｓ：ａｓｓｅｔｌｉｓｔＩＤ＞により与えられる要素の下位３文字として定義される。アセットＩＤと共にアセットリストＩＤが個々の画像ＩＤを構築するために利用される。
アセット・リスト・マニフェスト・ファイル
含まれているアセットファイルと関連付けられた位置情報及びメタデータを含む特定のＭＰＶマニフェストである。アセット・リスト・マニフェストは、アセットロールディレクトリおよび共有アセットディレクトリ内に配置される。
アセットロールディレクトリ（ＡＲディレクトリ）
ＰＡＳＳアセットファイル（デジタル的に取得されても、フィルムからスキャンされてもよい）を含むディレクトリとして形成されるコンテナの種類である。ＡＲディレクトリのコンテンツは、通常の写真においてはフィルム１巻分の写真に相当する。ＡＲディレクトリはデジタルスチルカメラで媒体の一回の挿入・取り外しの間に取られた写真に対応していてもよい。これはしばしば、「デジタルロール」あるいはＤＣＦディレクトリと称される。
ＢＧＭ
スライドショー提示をするのに利用されるバックグラウンドミュージックのこと。アルバムプレイリストで定義される。
合成（Ｃｏｍｐｏｓｉｔｅ）媒体アセット
これは、一以上の個々のアセットを含む、特殊な種類のアセットのことである。各個々のアセットは、単一のアセット・マニフェスト・ファイルにより参照される。合成媒体アセットはさらに複合（Ｃｏｍｐｏｕｎｄ）媒体アセットと称されねばならない。
表示ディレクトリ
画像表示に適切なように修正された写真画像を含むディレクトリとして典型的に形成されたコンテナの種類である。典型的に各アセットロールディレクトリ内に配置される。
表示用画像ファイル
画像をＣＥ機器に表示する目的でオリジナル静止画像アセットファイルから変換された低解像度の画像ファイルである。表示用画像ファイルは表示ディレクトリ内に配置される。
画像ＩＤ
視聴あるいはプリント目的でユーザに画像選択を可能ならしめるレシービング・システムで構築される識別子のことである。画像ＩＤはアセットリストＩＤ及びアセットＩＤを連結することで生成される。
インデックス・マニフェスト・ファイル
ルートディレクトリ内の特定のＭＰＶマニフェストであり、ＰＡＳＳデジタルアルバム上のＰＡＳＳマニフェスト・ファイルを識別する。名称は「ＰＡＳＳＩＤＸ．ＰＶＭ」である。
マニフェストリンクス（ＭａｎｉｆｅｓｔＬｉｎｋｓ）
ＭａｎｉｆｅｓｔＬｉｎｋｓは、ＰＡＳＳデジタルアルバム内のアルバム・マニフェスト・ファイル及びアセット・リスト・マニフェスト・ファイルを定義するのに利用される。＜ｍｐｖ：ＭａｎｉｆｅｓｔＬｉｎｋ＞は＜ｍｐｖ：ＡｓｓｅｔＬｉｓｔ＞に含まれる。
媒体ＩＤ
ＰＡＳＳデジタルアルバム媒体の識別子であり、ＰＡＳＳインデックス・マニフェスト・ファイルに記述される。
媒体タイトル
ＰＡＳＳＩＤＸ．ＰＶＭファイル内に記述されるユーザフレンドリーな媒体名である。
移行
ＰＡＳＳ媒体一式から新たなＰＡＳＳ媒体に継承のためにアセットファイル全て及び関連メタデータ情報をコピーするプロセスである。生じる媒体は、ＰＡＳＳ仕様の同じあるいはより新しいバージョンで記載される。
オリジナルアセットファイル
ユーザがオリジナルとして作成するアセットファイルである。表示用画像ファイルはこのアセットから得られる。オリジナルアセットファイルは典型的に最も大きなファイルであり、ＣＥ機器上の再生利用には向かない。
オリジネイティング・システム
オリジネイティング・システムは、ＰＡＳＳデジタルアルバムを作成するのに利用される。これは典型的に写真処理ラボあるいはキオスクである。
ＰＡＳＳアセットファイル
コンシューマー提供ファイルである。認識されているアセットの種類は、静止写真、音声付静止写真、パノラマ画像、マルチショット連続画像、音声、及び映画クリップである。
ＰＡＳＳデジタルアルバム
規格に記載されるデータ構造を含むある種の取り外し可能な格納媒体の一般名である。
ＰＡＳＳディスク
ＰＡＳＳデジタルアルバムが記録される物理的媒体である。目下の技術を利用すると、ＰＡＳＳディスクはＣＤあるいはＤＶＤなどの光ディスクの可能性が高い。ＰＡＳＳディスクあるいはＰＡＳＳデジタルアルバムはこの規格に準拠することが保証されている。ＰＡＳＳ媒体も参照のこと。
ＰＡＳＳ媒体
ＰＡＳＳデジタルアルバムが記録されている物理的媒体である。ＰＡＳＳ媒体あるいはＰＡＳＳデジタルアルバムはこの規格に準拠することが保証されている。ＰＡＳＳディスクを参照。
再生コンポーネント
再生コンポーネントはレシービング・システムの一部である。再生コンポーネントはキオスク、ＰＣ、ＤＶＤプレーヤおよびその他のＣＥ機器にＰＡＳＳデジタルアルバムを再生させる。
アルバム・マニフェスト・ファイル
アルバム情報、アセット情報、及び提示情報を含むマニフェスト・ファイル。
プレイリスト（Ｐｌａｙｌｉｓｔ）
ＰＡＳＳデジタルアルバムの特定の再生を記述する命令一式である。このプレイリストはデジタルアルバムで利用される個々のアセットと共に、音楽及びビデオのタイミングを含むことができる。
レシービング・システム
レシービング・システムはＰＡＳＳデジタルアルバムを読むよう設計されている。これはキオスク、ＰＣ、ＤＶＤプレーヤ、及びその他のＣＥ機器であってよい。
推奨ディレクトリ構造（ＲＤＳ）
推奨ディレクトリ構造は、この仕様で文書化されている命名取り決めを含む。この推奨に従うことで、コピーおよび移行処理中の抵触が減らされる。
共有ディレクトリ
共有アセットディレクトリを参照。
共有ファイル
音楽あるいは画像などの、一以上のＰＡＳＳデジタルアルバム間で共有されるアセットのことである。共有ファイルは、特定のＰＡＳＳデジタルアルバムディスク上の共通ディレクトリ内に存在する。
共通アセットディレクトリ
ＰＡＳＳ共有ファイルを含むディレクトリとして形成されるコンテナの種類である。アセットディレクトリの配下に位置し、「ＳＨＡＲＥＤ」という名前でなくてはならない。
３．論理ディスクコンポーネント
このセクションでは、ＰＡＳＳディスクを構成する論理コンポーネントの説明をする。
３．１ファイル
３．１．１ＰＡＳＳアセットファイルフォーマット
このセクションでは、ＰＡＳＳディスクの論理的な仕様に対して互換性を持つＰＡＳＳアセットファイルフォーマットを定義する。
この文書内で定義されているＰＡＳＳアセットファイルフォーマット仕様の最も関連するバージョンが、全ての他のＰＡＳＳ仕様でも参照される（ＰＡＳＳオリジネイティング・記録及びＰＡＳＳレシービング・再生仕様参照のこと）。
ＰＡＳＳアセットファイルの例は、
・静止画像ファイル、動画像ファイル、ＤＳＣ、デジタルビデオカメラ・レコーダおよび音声レコーダでキャプチャされる音声ファイル。
・フィルムおよびプリントからスキャンあるいはデジタル化された静止画像ファイル
３．１．１．１静止画像ＰＡＳＳアセットファイル用ファイルフォーマット
静止画像ＰＡＳＳアセットファイルに必須のファイルフォーマットは：
・ＪＰＥＧ圧縮をともなうＥｘｉｆ・ＤＣＦ（Ｅｘｉｆ・ＪＰＥＧ）
３．１．１．２ビデオＰＡＳＳアセットファイル用ファイルフォーマット
ビデオＰＡＳＳアセットファイルに必須のファイルフォーマットは：
・ＡＶＩ
・ＭＯＶ
・ＭＰＥＧ
ビデオＰＡＳＳアセットファイルに利用できるエンコーディングは：
・Ｍｏｔｉｏｎ―ＪＰＥＧ
・ＭＰＥＧ１
・ＭＰＥＧ２
・ＭＰＥＧ４
３．１．１．３音声ＰＡＳＳアセットファイル用ファイルフォーマット
音声ＰＡＳＳアセットファイルに必須のファイルフォーマットは：
・ＭＰ３
・ＷＡＶ
３．１．２システム生成ファイル
ＰＡＳＳデジタルアルバムは幾らかのＭＰＶマニフェストを持つ。これらマニフェストは記述するディレクトリ（コンテナ）に応じて、様々な機能を持つ。
・ＰＡＳＳはＭＰＶ提示プロフィールおよびＭＰＶ基礎プロフィールのサブセットを必須として利用する。
・ＰＡＳＳは追加的な必須の制限を定義する。
・ＰＡＳＳは新たな必須のおよびオプションの要素を定義する。
３．１．２．１概略
ＸＭＬ文書の三つのカテゴリがＰＡＳＳで利用される。これら文書は、ＭＰＶ仕様に準拠しており、「マニフェスト」と呼ばれる。ＰＡＳＳが利用するＭＰＶマニフェストは以下の通りでる：
・インデックス・マニフェスト・ファイル
・アルバム・マニフェスト・ファイル
・アセット・リスト・マニフェスト・ファイル
【表７】
2008530717.tif 000009
３．１．２．２ＰＡＳＳ特有ＸＭＬ要素
ＰＡＳＳは、ＰＡＳＳシステムに固有の特有のＸＭＬ要素を定義する。これらＸＭＬ要素はＰＡＳＳデジタルアルバム（媒体）全体、ＰＡＳＳ媒体内の静止画像及びその他のＰＡＳＳアセット、及びＰＡＳＳデジタルアルバム上に記述されるアルバムに対して適用されるメタデータを記述する。ＰＡＳＳは、一般メタデータ用にＤｕｂｌｉｎ  Ｃｏｒｅ  Ｅｌｅｍｅｎｔ  Ｍｅｔａｄａｔａ  Ｓｅｔ（ＤＣＥＳ）を採用し、静止画像メタデータ用にＤＩＧ３５（あるいはＪＰＥＧ２０００パート２）を採用する。ＤＣＥＳあるいはＤＩＧ３５で定義されない追加的なメタデータはいずれも、ＰＡＳＳ仕様で定義される。このＰＡＳＳ仕様で説明されるのは以下の種類のメタデータである。
・ＰＡＳＳインデックス・マニフェスト・ファイルに記述される、ＰＡＳＳ媒体全体用メタデータ
・ＰＡＳＳアルバム・マニフェストに記述される、ＰＡＳＳデジタルアルバム用メタデータ
・ＰＡＳＳアセット・リスト・マニフェスト・ファイルに記述される、各ＰＡＳＳアセット用メタデータ
３．１．２．３ＰＡＳＳ  ＸＭＬネームスペース
ＰＡＳＳ特有ＸＭＬ要素は、「http://ns.pass-spec.org/PASS/1.0/」として指定される固有のＸＭＬネームスペースを持つ。ＰＡＳＳ特有ＸＭＬ要素に関連するＸＭＬスキーマが存在する。
以下のｔａｂｌｅがＰＡＳＳに関するＸＭｌネームスペース及び接頭辞を定義する。
【表８】
2008530717.tif 000010
３．１．２．４インデックス・マニフェスト・ファイル
３．１．２．４．１概略
ＰＡＳＳインデックス・マニフェスト・ファイルは、ＰＡＳＳシステムのエントリポイントである。ＰＡＳＳデジタルアルバムに関連する各ファイルへのパス情報を含む。ファイルはＰＡＳＳアセット・リスト・マニフェスト・ファイル及びアルバム・マニフェスト・ファイルを含む。インデックス・マニフェストは、ＰＡＳＳデジタルアルバム上の全ての他のＭＰＶマニフェストへの直接参照リンクを含む。
ＰＡＳＳインデックス・マニフェストはさらに、ＰＡＳＳ媒体ＩＤとＰＡＳＳ媒体に関する全てのほかのメタデータを含む。
ＰＡＳＳデジタルアルバム上にはＰＡＳＳインデックス・マニフェスト・ファイルが一つだけなくてはならず、それはＰＡＳＳＩＤＸ．ＰＶＭという固定ファイル名のルートディレクトリ内に配置されねばならない。ＰＡＳＳ媒体のルートディレクトリ中には追加的なファイル及び構造があってもよい。インデックス・マニフェスト・ファイルはＭＰＶマニフェスト・ファイルでなければならない。インデックス・マニフェスト・ファイルのトップの要素は＜ｆｉｌｅ：Ｍａｎｉｆｅｓｔ＞である。
３．１．２．４．２マニフェスト・ファイル命名制限
全てのＰＡＳＳデジタルアルバム中のＰＡＳＳインデックス・マニフェスト・ファイルの名称はＰＡＳＳＩＤＸ．ＰＶＭとして定義される。
３．１．２．４．３ファイルのＸＭＬ要素組成
以下に説明するように、ＰＡＳＳインデックス・マニフェスト・ファイルには三つのコンポーネントがある。
・ＰＡＳＳデジタルアルバム全体用の一般情報メタデータ
・マニフェストへの参照
・アルバム・マニフェスト・ファイル及びアセット・リスト・マニフェスト・ファイルへのＭａｎｉｆｅｓｔＬｉｎｋｓ
【表９】
2008530717.tif 000011
３．１．２．４．３．１ＰＡＳＳデジタルアルバム一般情報メタデータ
このセクションでは、ＰＡＳＳデジタルアルバム用のメタデータについて説明する。ＰＡＳＳデジタルアルバムは一般情報メタデータコンポーネントを一つだけ持たねばならない。
【表１０ａ】
2008530717.tif 000012
【表１０ｂ】
2008530717.tif 000013
３．１．２．４．３．２マニフェストへの参照
このコンポーネントは、ＰＡＳＳデジタルアルバムの各マニフェストへの参照（直接ポインタ）を提供する。
この部分は＜ｍｐｖｐ：Ａｌｂｕｍ＞として表される。インデックス・マニフェストは、一つの＜ｍｐｖｐ：Ｆｏｒｅｇｒｏｕｎｄ＞を持つ＜ｍｐｖｐ：Ａｌｂｕｍ＞を一つだけ含まねばならない。
＜ｍｐｖｐ：Ｆｏｒｅｇｒｏｕｎｄ＞は一以上の＜ｍｐｖｐ：ＡｌｂｕｍＲｅｆ＞および一以上の＜ｍｐｖ：ＭａｎｉｆｅｓｔＬｉｎｋＲｅｆ＞を持たねばならない。
ＰＡＳＳ  ＬＤＳでは、＜ｍｐｖｐ：ＡｌｂｕｍＲｅｆ＞がアルバム・マニフェストへの参照として利用され、＜ｍｐｖ：ＭａｎｉｆｅｓｔＬｉｎｋＲｅｆ＞はアセット・リスト・マニフェストへの参照として利用される。これら参照はさらに、同じインデックス・マニフェスト・ファイルに記述される＜ｍｐｖ：ＭａｎｉｆｅｓｔＬｉｎｋ＞を間接的に参照する。
更に、全てのこれら参照がＰＡＳＳデジタルアルバム内のアセット・リスト・マニフェスト及びアルバム・マニフェストを参照するとしてもよい。
＜ｍｐｖｐ：ＡｌｂｕｍＲｅｆ＞及び＜ｍｐｖ：ＭａｎｉｆｅｓｔＬｉｎｋＲｅｆ＞だけがマニフェストへのＰＡＳＳ参照に定義される。
３．１．２．４．３．３アルバム・マニフェスト及びアセット・リスト・マニフェスト・ファイルへのマニフェストリンク
このコンポーネントは、全てのＰＡＳＳデジタルアルバム・マニフェスト・ファイル及び全てのアセット・リスト・マニフェスト・ファイルのリンクを定義する。
ＰＡＳＳデジタルアルバム内のアルバム・マニフェスト・ファイル及びアセット・リスト・マニフェスト・ファイルは、＜ｍｐｖ：ＭａｎｉｆｅｓｔＬｉｎｋ＞で定義され、これは＜ｍｐｖ：ＡｓｓｅｔＬｉｓｔ＞に含まれる。これらはさらに＜ｍｐｖ：ＭａｎｉｆｅｓｔＬｉｎｋ＞に定義されており、これはマニフェスト・ファイルのパスを持つ。
＜ｍｐｖ：ＭａｎｉｆｅｓｔＬｉｎｋ＞だけがこのコンポーネントで定義される。
３．１．２．５アルバム・マニフェスト・ファイル
３．１．２．５．１概略
アルバム・マニフェスト・ファイルは、ＰＡＳＳデジタルアルバムに対応するアセット参照の集合体を記述する。さらに、アルバム・マニフェスト・ファイルは、ＭＰＶ提示プロフィールのＸＭＬ要素によりＰＡＳＳデジタルアルバムのための提示プログラムを記述している。ＰＡＳＳデジタルアルバムは一以上のアルバム・マニフェスト・ファイルを持つことができる。
３．１．２．５．２デフォルト・アルバム・マニフェスト及びカスタム・アルバム・マニフェスト
アルバム・マニフェストには二種類ある。
３．１．２．５．２．１デフォルト・アルバム・マニフェスト
各ＰＡＳＳアセットロールディレクトリは、一般的な意味においては、ＰＡＳＳアセットファイルを含む任意のディレクトリのことであるが、アルバムディレクトリ内で対応するデフォルト・アルバム・マニフェスト・ファイルをもつ。
３．１．２．５．２．２カスタム・アルバム・マニフェスト
カスタム・アルバム・マニフェストは、ＰＡＳＳアセットをＰＡＳＳデジタルアルバム内にある任意のアセット・リスト・マニフェスト・ファイルから自由に集めることで、作成することができる。
３．１．２．５．３アルバム・マニフェスト・ファイル命名制限
各アセットロールディレクトリに対して生成されるデフォルト・アルバム・マニフェスト・ファイルは、対応するアセットロールディレクトリの名称に等しい、文字列「ＰＬ」が接頭辞として付いたファイル名を持つ。この取り決めは、ＰＡＳＳデジタルアルバム全般において追従される。レガシーシステムが作成するＣＤを元とするＰＡＳＳデジタアルバムはこの取り決めに追従しない（付録Ｃ参照のこと）。
カスタム・アルバム・マニフェスト・ファイルは任意の名称を持つことができる。しかし、名称は、英数字及びアンダーバー文字しか含められない。ファイル名拡張子「．ＰＶＭ」を含めなければならない。
３．１．２．５．４アルバム・マニフェスト・ファイルのＸＭＬ要素組成
アルバム・マニフェスト・ファイルは最小限＜ｄｃ．ｔｉｔｌｅ＞及び＜ｄｃ．ｄａｔｅ＞要素を含む。ＰＡＳＳデジタルアルバムのスライドショー提示についての情報（例えば遷移あるいは期間）は、ＭＰＶ提示プロフィールに記述される情報と同一である。
アルバム・マニフェスト・ファイルは以下の二つのコンポーネントから成る。
・アルバム一般メタデータ
・提示情報
・アルバムに含まれるアセット・リスト・マニフェスト（一又は複数）へのＭａｎｉｆｅｓｔＬｉｎｋｓ
【表１１】
2008530717.tif 000014
３．１．２．５．４．１アルバム
このコンポーネントは、アセットの参照の集合体及び静止・ビデオ・及び音声（ＢＧＭとして）の再生プログラムを記述する。
＜ｍｐｖｐ：Ａｌｂｕｍ＞要素が、ＰＡＳＳデジタルアルバムを記述するのに利用される。このコンポーネント内には、Ｆｏｒｅｇｒｏｕｎｄ及びＢａｃｋｇｒｏｕｎｄ識別子がある。可視的なアセットの参照は、＜ｍｐｖｐ：Ｆｏｒｅｇｒｏｕｎｄ＞に記述される。
再生順序は、このコンポーネント内の記述のアセット順序と同じである。
アルバム・マニフェスト・ファイルの＜ｍｐｖｐ：Ｆｏｒｅｇｒｏｕｎｄ＞及び＜ｍｐｖｐ：Ｂａｃｋｇｒｏｕｎｄ＞で記述されうるアセット参照が以下のｔａｂｌｅに示される。アルバム・マニフェスト・ファイル内には＜ｍｐｖｐ：Ａｌｂｕｍ＞は一つあるべきである。
【表１２】
2008530717.tif 000015
３．１．２．５．４．２アルバム一般メタデータ
この部分は、ＰＡＳＳデジタルアルバムの一般情報のメタデータを記述する。
【表１３ａ】
2008530717.tif 000016
【表１３ｂ】
2008530717.tif 000017
３．１．２．５．４．３提示のための情報
ＰＡＳＳデジタルアルバムの提示は、＜ｍｐｖｐＣｔｒｌ：ＣｏｎｔｒｏｌＰｒｏｐｅｒｔｉｅｓ＞及び＜ｍｐｖｐＴｒａｎｓ：ＴｒａｎｓｉｔｉｏｎＦｉｌｔｅｒ＞を利用して定義することができる。ＭＰＶ提示プロフィール仕様を参照のこと。
３．１．２．５．４．４アセット・リスト・マニフェストへのＭａｎｉｆｅｓｔＬｉｎｋｓ
これは、アセット・リスト・マニフェスト・ファイルを定義する部分である。アセット・リスト・マニフェスト・ファイルは＜ｍｐｖ：ＭａｎｉｆｅｓｔＬｉｎｋ＞として定義され、これは＜ｍｐｖ：ＡｓｓｅｔＬｉｓｔ＞内に含まれる。＜ｍｐｖ：ＭａｎｉｆｅｓｔＬｉｎｋ＞はアセット・リスト・マニフェスト・ファイルのパスを持つ。
一以上のアセット・リスト・マニフェスト・ファイルがＰＡＳＳデジタルアルバムのために定義されてよい。この部分では、＜ｍｐｖ：ＭａｎｉｆｅｓｔＬｉｎｋ＞だけが定義される。
３．１．２．６ＰＡＳＳアセット・リスト・マニフェスト・ファイル
３．１．２．６．１概略
ＰＡＳＳアセット・リスト・マニフェスト・ファイルはアセットロールディレクトリ内にある。一以上のアセットロールディレクトリがＰＡＳＳデジタルアルバム上にあってよい。各アセットロールディレクトリがたった一つのアセット・リスト・マニフェスト・ファイルを持つ。
このマニフェスト・ファイル（アセットリスト）は、ＰＡＳＳ媒体内の全てのＰＡＳＳアセットファイルへのポインタの集合体であり、アセットコンテンツ及び位置を示すメタデータ情報を含む。つまり、アセット・リスト・マニフェストはデータベース内のアセット表として機能する。全てのＰＡＳＳアセット・リスト・マニフェスト・ファイルはＰＡＳＳインデックス・マニフェスト・ファイルからトレースされねばならない。ＰＡＳＳアセット・リスト・マニフェスト・ファイルの表記は、ＭＰＶ１．０１仕様を追従する。ＭＰＶ仕様ではマニフェスト・ファイルに一つだけアセットリストがあることが許される。アセットリストは以下を示すメタデータを持たねばならない。
【表１４ａ】
2008530717.tif 000018
【表１４ｂ】
2008530717.tif 000019
ＰＡＳＳアセット・リスト・マニフェスト・ファイルは、アセットロールディレクトリ配下に各ＰＡＳＳアセットファイルのメタデータを含む。これは、ユーザ入力メタデータ及びＥＸＩＦタグからの既存のメタデータなどを含むことができる。
３．１．２．６．２ＰＡＳＳアセット種類、単純及び複合
単純アセットは単一のアセットを有する（例えば、コンシューマー画像のＥＸＩＦアセットあるいはコンシューマー音声アセットのＷＡＶファイル）。
しかし、コンシューマー・アセットが最初にキャプチャされるときには、キャプチャ機器は一つのキャプチャ・イベントに関わる二つの異なるファイルを作成することがある。この例としては、画像および音声ファイル両方の同時作成が挙げられる。これらファイルは関連ファイル名を持つ共通のディレクトリ内に配置される。ＰＡＳＳシステムは、メタデータ内に記述される特別なアセット（この例では静止および音声）を作成することで、これらファイルの関連を保持する。このような関連はＰＡＳＳ環境においては合成媒体アセットと呼ばれる。
３．１．２．６．２．１単純媒体アセット
アセットは、ＰＡＳＳアセット・リスト・マニフェスト・ファイル内で特定されるアセットが単一のアセットファイルを参照しているとき、単純媒体アセットである。
ＰＡＳＳにおいては、＜ｍｐｖ：Ｓｔｉｌｌ＞＜ｍｐｖ：Ｖｉｄｅｏ＞及び＜ｍｐｖ：Ａｕｄｉｏ＞が単純媒体アセットとして許可されている。これらアセット種類についての詳細はＭＰＶ規格を参照のこと。
【表１５ａ】
2008530717.tif 000020
【表１５ｂ】
2008530717.tif 000021
３．１．２．６．２．２合成（Ｃｏｍｐｏｓｉｔｅ）媒体アセット
合成媒体アセットはＰＡＳＳアセット・リスト・マニフェスト・ファイルにおいて、二以上のファイルを参照することで特定できる。
ＰＡＳＳにおいては、＜ｍｐｖ：ＳｔｉｌｌＷｉｔｈＡｕｄｉｏ＞＜ｍｐｖ：ＳｔｉｌｌＭｕｌｔｉｓｈｏｔＳｅｑｕｅｎｃｅ＞及び＜ｍｐｖ：ＳｔｉｌｌＰａｎｏｒａｍａＳｅｑｕｅｎｃｅ＞が複合（ｃｏｍｐｏｕｎｄ）アセットとして許可されている。これらアセットの詳細についてはＭＰＶ規格を参照のこと。
合成媒体アセットが存在するとき、合成媒体アセット全体に関するメタデータは、合成媒体アセットを識別するＭＰＶ要素にすぐ続くように現れねばならない。
【表１６ａ】
2008530717.tif 000022
【表１６ｂ】
2008530717.tif 000023
３．１．２．６．３アセットのレンディション
アセットのレンディションは、画像ファイル表示に利用されるアセットの派生物である。ＭＰＶ仕様は、一つのアセットの様々な表現が、別のアセット（＜ｍｐｖ：Ｒｅｎｄｉｔｉｏｎ＞で表される「レンディション」と呼ばれる）を利用することで実現できると仮定している。詳細についてはＭＰＶ仕様を参照のこと。ＰＡＳＳはレンディションを、「マスタレンディション」及び「サブレン  ディション」の二種類に分類している。マスタレンディションは、通例オリジナルアセットファイルである。＜ｍｐｖ：Ｓｔｉｌｌ＞の場合、マスタレンディションはデジタルスチルカメラ（ＤＳＣ）が撮像する画像ファイルである。
サブレンディションはマスタレンディションの代替表現であるファイルである。例えば、サブレンディション・ファイルは、マスタレンディション・ファイルから、画面上の表示のために画像の解像度を減らすことで、作ることができる。このような画面レンディションは、通例ＤＳＣが撮像する画像からの低解像度の出力機器を仮定する。
ＰＡＳＳ実装のためには、画面レンディションは定義され利用が推奨される。画面レンディション画像は、アセットロールディレクトリの表示ディレクトリをポピュレートするのに利用される。更なる表示ディスプレイ及び表示用画像ファイル情報については５．２．４を参照のこと。
ＰＡＳＳデジタルアルバムは＜ｍｐｖ：Ｓｔｉｌｌ＞＜ｍｐｖ：ＳｔｉｌｌＷｉｔｈＡｕｄｉｏ＞＜ＳｔｉｌｌＭｕｌｔｉｓｈｏｔＳｅｑｕｅｎｃｅ＞及び＜ｍｐｖ：ＳｔｉｌｌＰａｎｏｒａｍａＳｅｑｕｅｎｃｅ＞が定義するレンディションを持つことができる。ＰＡＳＳに定義されるレンディションは、＜ｍｐｖ：ＳｔｉｌｌＲｅｆ＞だけによって参照されねばならない。「画面」レンディション種類だけがＰＡＳＳで許可される。
値がゼロでない場合、一つのメタデータ、オリエンテーションがレンディションと関連付けられることが必要となる（３．５．４．１参照）。
【表１７ａ】
2008530717.tif 000024
【表１７ｂ】
2008530717.tif 000025
３．１．２．６．４画像ＩＤ
画像ＩＤはＰＡＳＳ専用として利用されるアセット識別子である。これは、単一のＰＡＳＳデジタルアルバム内の特定のアセットを区別するのに利用される固有ＩＤであり、各アセットについて＜ｐａｓｓ：ａｓｓｅｔｌｉｓｔＩＤ＞＜ｐａｓｓ：ａｓｓｅｔＩＤ＞の属性値から成り、ハイフンでつながれる。アセット・リスト・マニフェストは、以下の規則により動的に生成されて再生コンポーネントに固有画像ＩＤの正確な再生を行わせるので、画像ＩＤを直接リストしない。
１）単一のＰＡＳＳデジタルアルバムに格納されるアセット・リスト・マニフェストの＜ｐａｓｓ：ａｓｓｅｔｌｉｓｔＩＤ＞の下位三桁は、ＰＡＳＳデジタルアルバムでは固有文字列を持つべきである。
２）単一のアセット・リスト・マニフェストに格納されるサブレンディション画像を除く各ＰＡＳＳアセット内の＜ｐａｓｓ：ａｓｓｅｔＩＤ＞の下位四桁は、アセット・リスト・マニフェスト内に固有の文字列を持つべきである。
ＰＡＳＳは、単純媒体アセット及び合成媒体アセット両方に識別子が割り当てられることを要求する。合成媒体アセットの場合、関連アセットのセット全体は、意味のある識別を持たねばならない。合成媒体アセットの一部である単純媒体アセットもまた、固有の識別を持たねばならない。
【表１８】
2008530717.tif 000026
３．１．２．６．５マニフェスト・ファイル命名制限
アセット・リスト・マニフェスト・ファイルの名称は、「．ＰＶＭ」という拡張子を持たねばならない。ＰＡＳＳアセット・リスト・マニフェスト・ファイルは、アセット・リスト・マニフェスト・ファイルがＳＨＡＲＥＤディレクトリ内にある場合以外は、対応するアセットロールディレクトリの名称と同一のファイル名を持たねばならない。この制限はレガシー及び目下の実装両方に適用される。
３．１．２．６．６ファイルのＸＭＬ要素複合
アセット・リスト・マニフェスト・ファイルは一つのコンポーネントを有する。それがアセットリストである。アセットリストは一以上のアセットへのポインタを含む。メタデータはアセット・リスト・マニフェスト・ファイルへ格納、及びそこからアクセスできる。
【表１９】
2008530717.tif 000027
３．１．２．６．６．１アセットリスト内の共通アセット・メタデータ
アセットリストは＜ｍｐｖ：ＡｓｓｅｔＬｉｓｔ＞で表される。アセットリストは多くのアセットへの参照を含むことができる。
しばしば、アセットリスト内のアセットは共通のメタデータ一式を持つ。例えば、カラースペースは、アセットリスト内で共通であってよい。その場合、そのようなメタデータを各アセットで記述するのは冗長である。アセット・リスト・マニフェストは、アセットリストで識別される各アセットに適用されるデフォルトメタデータを含むことができる。
・デフォルトメタデータは、＜ｍｐｖ：ａｓｓｅｔＬｉｓｔ＞に続くよう直接配置できる。
・そのようなメタデータは、アセットリスト内の合成媒体アセットを含む、各アセットに適用されるよう、解釈される。
・ＤＩＧ３５メタデータはアセットリスト内の静止画像アセットに適用される。
・Ｄｕｂｌｉｎ  Ｃｏｒｅメタデータはアセットリスト内の任意のアセットに適用される。
・アセットが、デフォルトと抵触する定義されたメタデータを持つ場合、アセット（ローカル）メタデータがデフォルト値に優先する。
【表２０ａ】
2008530717.tif 000028
【表２０ｂ】
2008530717.tif 000029
３．１．２．６．６．２アセット
様々な種類のアセットが存在する。定義はＭＰＶ仕様に提供される。アセットは単純媒体アセットと合成媒体アセットとに分類分けできる。単純媒体アセット及び合成媒体アセットの説明については３．１．２．８．２を参照されたい。＜ｍｐｖ：ＡｓｓｅｔＬｉｓｔ＞で記述されるアセットは以下のｔａｂｌｅに定義されている。追加的なアセット種類はＰＡＳＳデジタルアルバムでは正しくサポートされない場合がある。
【表２１】
2008530717.tif 000030
３．１．２．６．６．３アセット・メタデータ
以下のメタデータが各アセットに配置される。
【表２２ａ】
2008530717.tif 000031
【表２２ｂ】
2008530717.tif 000032
複合アセットが存在する場合、複合アセット全体に関連するメタデータは該複合アセットを識別するＭＰＶ要素にすぐ続くよう現れる。以下のｔａｂｌｅのメタデータは、静止画像の場合、各アセットに割り当てられる。ＥＸＩＦタグ内に含まれるメタデータは、ＤＩＧ３５マッピング定義（ＤＩＧ３５仕様付録ＶＩ）により静止画像メタデータにマッピングされてもよい。
【表２３ａ】
2008530717.tif 000033
【表２３ｂ】
2008530717.tif 000034
【表２３ｃ】
2008530717.tif 000035
【表２３ｄ】
2008530717.tif 000036
３．２コンテナ種類
一般的にコンテナは、ファイルシステム内のディレクトリに対応するファイル集合体を保持する。ＰＡＳＳディスクの論理的な仕様に準拠するディスクにおいては、コンテナは以下に記載するものと類似した種類のファイルを保持する。幾らかのコンテナはさらに、類似する種類のほかのコンテナを含むこともある。
３．２．１アセットディレクトリ
アセットディレクトリはルートディレクトリの子であり、ＰＡＳＳデジタルアルバムで固有でなければならない。これは、他のコンテナだけを含むか、あるいは同時にアセットロールディレクトリであってよい。このディレクトリが持つことのできる名称例としては、ＡＳＳＥＴＳ，ＤＣＩＭ，ＰＩＣＴＵＲＥＳが挙げられる。
３．２．１．１制限
このディレクトリはアセットロールディレクトリであること、あるいは複数のアセットロールディレクトリを含むことのいずれかが許されており、両方は許されない。
３．２．２アセットロールディレクトリ
アセットロールディレクトリはアセットロールディレクトリの子あるいはそれ自身であり、通例、主には単一巻の写真フィルムをスキャンすることでオリジネイトされるＰＡＳＳアセットファイルを含む。あるいは、このディレクトリは、主にはデジタルキャプチャ機器（ＤＣＤ）からオリジネイトされるＰＡＳＳアセットファイルを含んでもよい。この場合、各アセットロールディレクトリは特定のキャプチャ・セッション、キャプチャ機器の電源投入列、あるいはキャプチャ機器メモリカード取り外し・挿入列に対応している。
このディレクトリは、オリジネイティング・システムのプロフィールに応じて異なる名称をもつことができる。このディレクトリが持つことのできる名称例は、００１ＡＢＣＤＥ、ＡＲ２００４０９２５＿ＡＢＣＤＥＦＧＨ、あるいはＰＩＣＴＵＲＥＳなどである。
３．２．２．１制限
アセットロールディレクトリは、アセットを特定のアセットロールディレクトリに記述するたった一つのアセット・リスト・マニフェスト・ファイルをその内部に持つ。各アセットについてのアセット・リスト・マニフェスト・ファイルは、レンディションディレクトリ内（例えば、ＤＩＳＰＬＡＹディレクトリ）に含まれうる該アセットの派生ファイルを配置する一以上の要素を持つことができる。
３．２．３アルバムディレクトリ
アルバムディレクトリは、アルバムを記述するアルバム・マニフェスト・ファイルを含む、ルートディレクトリの固有の子である。このディレクトリが持つことのできる名称例は、ＡＬＢＵＭＳである。
３．２．３．１制限
アルバムディレクトリは、アルバムを構築するのに利用される一以上のアセット集合体を記述する一以上のプレイリスト・マニフェスト・ファイルを持つことができる。アルバムは、典型的にスライドショーである、関連する提示を持つことができる。
アルバムディレクトリはプレイリスト・マニフェスト・ファイルだけを持たねばならず、このディレクトリにコンシューマー・アセットが含まれるべきではない。
３．２．４表示ディレクトリ
表示ディレクトリは、ＰＡＳＳ再生コンポーネント上の画面表示用に静止画像アセットから得られたファイルを保持するオプションのコンテナである。この趣旨は、静止アセットファイル表示するために再生あるいは表示機器が必要とする処理を最小限にすることである。
３．２．４．１  制限
１）表示ディレクトリの位置
一つの表示ディレクトリは典型的に各アセットロールディレクトリの配下に位置する。表示ディレクトリの名称例は、「Ｄｉｓｐｌａｙ」である（以下のＦｉｇ．１２参照）。
２）表示用画像ファイルのファイルフォーマット
表示用画像ファイルのファイルフォーマットはＪＰＥＧあるいはＥｘｉｆ／ＪＰＥＧである。
３）表示用画像ファイルのカラースペース
表示用画像ファイルのカラースペースはｓＲＧＢである。
４）表示用画像ファイルの解像度
表示用画像ファイルの解像度は、６４０ｘ４８０ピクセル（ＶＧＡ）から１９２０ｘ１０８０ピクセル（ＨＤＴＶ１０８０）であるべきである。
５）表示用画像ファイルの回転情報
オリエンテーションがゼロでない値を持つ場合、アセット・リスト・マニフェスト・ファイルは各表示用画像について回転情報を含む。
【表２４】
2008530717.tif 000037
【表２５ａ】
2008530717.tif 000038
【表２５ｂ】
2008530717.tif 000039
３．２．５共有アセットディレクトリ
このディレクトリ（ＳＨＡＲＥＤ）は、ＡＳＳＥＴＳディレクトリの子である。普通、これは、一以上のアルバムに共通な非ユーザ作成アセットを含む。例えば、スライドショー中にバックグラウンド音楽として利用されるＷＡＶアセットであってよい。他の例としては、スライドショー中に写真フレームとして作用するテンプレート画像ファイルなどが含まれる。このディレクトリの名称例は「ＳＨＡＲＥＤ」を持っていてよい。
３．２．５．１制限
ＳＨＡＲＥＤディレクトリは、自身が含む全ての共有アセットファイルを記述するアセット・リスト・マニフェスト・ファイルを持たねばならない。
４．ディレクトリ及びファイル構造
４．１全体構造
ＰＡＳＳデジタルアルバムは、アセット配置、メタデータのキャプチャ、及びアルバム記述のためにＭＰＶマニフェストを利用する。ＰＡＳＳインデックス・マニフェストはＰＡＳＳデジタルアルバムのルートディレクトリ内に、ＰＡＳＳ媒体上のほかのマニフェスト・ファイルへのエントリポイントとして存在せねばならない。このインデックス・マニフェスト・ファイルはファイルシステムを通じて配置される。
任意のマニフェスト・ファイルがインデックス・マニフェスト・ファイルからトレースできる。全てのＰＡＳＳレシービング・システムは、ルートディレクトリ内のインデックス・マニフェスト・ファイルを参照することで、ＰＡＳＳデジタルアルバム内の全てのマニフェストへアクセスすることができる。同様に、ＰＡＳＳレシービング・システムはマニフェストが記述するコンテンツにアクセスできる。
さらに、ＰＡＳＳインデックス・マニフェスト・ファイルを除いて、媒体上のどの場所にマニフェスト・ファイル及びそれらが記述するコンテンツを配置するかについての必須の制限はない。しかし、この文書（ＰＡＳＳディスクの論理的な仕様）では、この仕様が記述する三つのＰＡＳＳマニフェスト種類が、ＰＡＳＳデジタルアルバムを利用する特定のアプリケーション中にどのように配置されるかを定義する幾らかのプロフィールを説明する。特定のＰＡＳＳオリジネイティング・システムがＰＡＳＳデジタルアルバム上のディレクトリ構造にある制限を持つ可能性はある。その結果、ＰＡＳＳデジタルアルバムの特定の実施形態があり、それらが付録Ｂ―Ｅで簡単に説明されている。
４．２ファイルシステム
ＰＡＳＳ準拠ＤＶＤアプリケーションはＵＤＦファイルシステムを利用する。ＣＤはＩＳＯ  ９６６０ファイルシステムを必要とする。
通例、ファイルシステムは媒体種類により制限を受ける。多くの場合、システム間の互換性を増す目的から任意の媒体上に重複するファイルシステムを持つことができる。
これは将来の家庭用電化製品（ＣＥ）に高い互換性を維持する目的から利用が見込まれる。しかし、目下の他のファイルシステム（ＩＳＯ９６６０、Ｊｕｌｉｅｔ、ＨＦＳなど）もまた特定の媒体種類が要求すればサポートができる。
４．３推奨ディレクトリ構造の命名取り決め
ＭＰＶマニフェストの利用により、ＰＡＳＳデジタルアルバムは多数のディレクトリ構造を持つことが許される。しかしこの仕様では、将来のＰＡＳＳアプリケーションについて推奨されるディレクトリ構造及び命名教程を記載する「推奨プロフィール」を定義する。
ＰＡＳＳ取り決めは、推奨ディレクトリ構造内のＡＳＣＩＩ及び大文字に命名を制限する。
４．３．１例示推奨ディレクトリ構造
ＰＡＳＳ仕様では、以下の図に図示するように推奨ディレクトリ構造を定義する。
【表２６】
2008530717.tif 000040
４．３．２推奨ディレクトリ構造の命名取り決め
推奨ディレクトリ構造は自身のコンポーネンツに対して幾らかの命名取り決めを持つ。
４．３．２．１ＰＡＳＳインデックス・マニフェスト・ファイル
インデックス・マニフェスト・ファイルの名称は、前に説明したようにＰＡＳＳＩＤＸ．ＰＶＭである。
４．３．２．２アセットディレクトリ
ＰＡＳＳデジタルアルバムが推奨ディレクトリ構造を利用する際、このディレクトリはＡＳＳＥＴＳという固定名を持つとする。
４．３．２．３生成ＩＤ（ＴＵＩＤ）
以下に説明するようにＰＡＳＳデジタルアルバムアセットの命名取り決めでは、Ｔｒｕｎｃａｔｅｄ  Ｕｎｉｖｅｒｓａｌ  Ｉｄｅｎｔｉｆｉｅｒ  ｃｏｍｐｏｎｅｎｔ（ＴＵＩＤ）が八文字ＧＵＩＤとして「０―９」及び「Ａ―Ｚ」を利用して生成される。ＴＵＩＤ生成の推奨アルゴリズムに関しては付録Ａを参照のこと。
４．３．２．４生成日付情報
ＰＡＳＳデジタルアルバムアセットの命名取り決めでは、以下に説明するように、日付は以下のように識別される：
ＹＹＹＹは「０―９」の文字を利用する「年」にあたり、
ＭＭが「月」を表す数であり、「０―９」の文字を利用しており、
ＤＤが日付を表す数であり、「０―９」の文字を利用する。
命名取り決めでは、日付の次には常に「＿」が続く。
４．３．２．５アセットロールディレクトリ
推奨ディレクトリ構造を利用する時には、アセットロールディレクトリは固定文字「ＡＲ」で始まり、ＹＹＹＹＭＭＤＤ＿ＸＸＸＸＸＸＸＸがそれに続く名称を持つとする（４．８．２．３及び４．８．２．４参照）。
日付コンポーネント、ＹＹＹＹＭＭＤＤ、は、アセットロールディレクトリの全てのアセットのうち最新の（最も新しい）ものに対応すべきである。アセットロールディレクトリが空の場合（これは稀である）、日付コンポーネントはアセットロールディレクトリの作成日に対応すべきである。ディレクトリ作成時にはＴＵＩＤを生成すべきである。
アセットロールディレクトリ作成時当初に、同じ日付コンポーネントを持つアセットロールディレクトリが存在する場合、同じ日付を持つアセットロールディレクトリ中で最も大きなＴＵＩＤ値（基（ｒａｄｉｘ）３６で）にインクリメントすることで新たなＴＵＩＤを生成すべきである。アセットロールディレクトリが移行されるとき、多数移行のせいで、二以上のアセットロールディレクトリが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
４．３．２．６ＰＡＳＳアセットファイル
推奨ディレクトリ構造を利用する時には、アセットロールディレクトリ内のＰＡＳＳアセットファイルは固定文字「ＯＲ」で始まり、ＹＹＹＹＭＭＤＤ＿ＸＸＸＸＸＸＸＸがそれに続く名称を持つとする（４．８．２．３及び４．８．２．４参照）。
日付コンポーネント、ＹＹＹＭＭＤＤ、は、ＥＸＩＦタグから抽出された日付に対応すべきであり、もしファイルフォーマットがタグを含まない場合には、ファイル作成日を利用すべきである。
ＴＵＩＤはオリジネイティング・システムがファイル作成時点に生成すべきである。
同じ日付コンポーネントを持つＰＡＳＳアセットファイル（「ＯＲ」接頭辞）が存在する場合、同じ日付を持つＰＡＳＳアセットファイル中で最も大きなＴＵＩＤにインクリメントすることで新たなＴＵＩＤを生成すべきである。ＰＡＳＳアセットファイルがコピーされるとき、二以上のＰＡＳＳアセットファイルが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
４．３．２．７アセットロールディレクトリのアセット・リスト・マニフェスト
推奨ディレクトリ構造を利用する際、アセット・リスト・マニフェスト・ファイルは文字「ＡＳ」で始まり、アセットロールディレクトリと同じ日付コンポーネント及びＴＵＩＤを持つ名称を持つとする。
４．３．２．８アルバムディレクトリ
推奨ディレクトリ構造では、このディレクトリはＡＬＢＵＭＳという唯一許可された名称を持つ。
４．３．２．９デフォルト・アルバム・マニフェスト・ファイル
推奨ディレクトリ構造では、各アセットロールディレクトリについて生成されるデフォルト・プレイリスト・マニフェスト・ファイルは文字「ＰＬ」で始まり、残りの文字がデフォルト・アルバム・マニフェストに対応するアセットロールディレクトリの名称に等しいファイル名を持つとする。
４．３．２．１０カスタム・アルバム・マニフェスト・ファイル
推奨ディレクトリ構造では、生成されるカスタム・プレイリスト・マニフェスト・ファイルは文字「ＰＬ」で始まり、残りの文字が、カスタム・アルバム・マニフェスト・ファイルの作成日に対応する、日付コンポーネントＹＹＹＹＭＭＤＤを持つファイル名を持つとする。日付コンポーネントの後には、文字「＿」と、その後にＴＵＩＤが続く。追加的なオプションの文字がＴＵＩＤの後に続いてもよい（４．８．２．３及び４．８．２．４参照）。
ＴＵＩＤはオリジネイティング・システムがファイル作成時に生成すべきである。同じ日付コンポーネントを持つ別のカスタム・プレイリスト・マニフェスト・ファイルがある場合、同じ日付を持つカスタム・アルバム・マニフェスト・ファイル中で最も大きなＴＵＩＤにインクリメントすることで新たなＴＵＩＤを生成すべきである。
移行するとき、多数移行のせいで、二以上のＰＡＳＳアセットファイルが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
４．３．２．１１共有アセットディレクトリ
ＰＡＳＳ推奨ディレクトリ構造では、このディレクトリはＳＨＡＲＥＤという唯一許可された名称を持つとする。
４．３．２．１２共有アセットファイル
ＰＡＳＳ推奨ディレクトリ構造を利用する際、ＳＨＡＲＥＤディレクトリ内のアセットファイルはこのパターンを追従するファイル名を持つ：
ＳＨＹＹＹＹＭＭＤＤ＿ＸＸＸＸＸＸＸＸ．ＺＺＺ
全てのファイルは固定文字「ＳＨ」で始まり、ＹＹＹＭＭＤＤ＿ＸＸＸＸＸＸＸＸがそれに続く（４．８．２．３及び４．８．２．４参照）。
「ＺＺＺ」はファイルのフォーマットに依存する。
日付コンポーネントＹＹＹＹＭＭＤＤは、ＥＸＩＦタグから抽出された日付に対応すべきであり、もしファイルフォーマットがタグを含まない場合には、ファイル作成日を利用すべきである。ＴＵＩＤはオリジネイティング・システムがファイル作成時点に生成すべきである。同じ日付コンポーネントを持つＰＡＳＳ共有アセットファイル（「ＳＨ」接頭辞）が存在する場合、同じ日付を持つＰＡＳＳ共有アセットファイル中で最も大きなＴＵＩＤにインクリメントすることで新たなＴＵＩＤを生成すべきである。ＳＨＡＲＥＤディレクトリが移行されるとき、多数移行のせいで、二以上のＰＡＳＳ共有アセットファイルが同じ日付コンポーネント及びＴＵＩＤを持つ可能性がある。この場合は、衝突がなくまるまで古いＴＵＩＤを一つずつ増やした後、それを利用すべきである。
４．３．２．１３共有アセット・リスト・マニフェスト
ＰＡＳＳ推奨ディレクトリ構造を利用する際、ＰＡＳＳ共有アセット・リスト・マニフェスト・ファイルは「ＳＨＡＲＥＤ．ＰＶＭ」となる。
４．３．２．１４表示ディレクトリ
推奨ディレクトリ構造では、このディレクトリはＤＩＳＰＬＡＹという唯一許可された名称を持つ。
４．３．２．１５表示用画像ファイル
推奨ディレクトリ構造を利用する際、表示用画像ファイルは文字「ＴＴ」で始まり、対応するオリジナルアセットファイルと同じ日付コンポーネント及びＴＵＩＤを持つ名称を持つ。
４．３．３ディレクトリ構造例
ディレクトリ構造は必要なＭＰＶマニフェスト・ファイルを含む。
４．３．３．１インデックス・マニフェスト・ファイル
【表２７ａ】
2008530717.tif 000041
【表２７ｂ】
2008530717.tif 000042
４．３．３．２アルバム・マニフェスト・ファイル
以下のアルバム・マニフェスト・ファイル例は、静止、ビデオ、及びＳｔｉｌｌＭｕｌｔｉｓｈｏｔＳｅｑｕｅｎｃｅアセットを持つ。さらに、ｍｐｖ：ｆｏｒｅｇｒｏｕｎｄを、ＭＰＶ再生制御メタデータを利用してスライドショー全体に効果が及ぶように設定する。
【表２８ａ】
2008530717.tif 000043
【表２８ｂ】
2008530717.tif 000044
【表２８ｃ】
2008530717.tif 000045
４．３．３．３アセット・リスト・マニフェスト・ファイル
以下の例は、「画面」というレンディションを持つ静止アセットを持つアセット・リスト・マニフェスト・ファイルを示す。アセット・レンディションはこの例では何らメタデータを持たない。この例はさらに、ＳｔｉｌｌＭｕｌｔｉｓｈｏｔＳｅｑｕｅｎｃｅという合成媒体アセットを持つ。
【表２９ａ】
2008530717.tif 000046
【表２９ｂ】
2008530717.tif 000047
【表２９ｃ】
2008530717.tif 000048
【表２９ｄ】
2008530717.tif 000049
【表２９ｅ】
2008530717.tif 000050
４．３．３．４共有アセット・リスト・マニフェスト
共有アセット・リスト・マニフェスト・ファイルの以下の例は、音声アセットを一つ含む。共有ディレクトリ・アセットリストのフォーマットはアセット・リスト・マニフェストと同じである。
【表３０ａ】
2008530717.tif 000051
【表３０ｂ】
2008530717.tif 000052
５．移行
このセクションでは、ＰＡＳＳ準拠システムの移行特徴を説明する。ＰＡＳＳシステムは一以上のＰＡＳＳデジタルアルバム全体の単一の新たなＰＡＳＳデジタルアルバムへの移行を許可する。これはお互い別個なＰＡＳＳデジタルアルバムの一つのＰＡＳＳデジタルアルバムへの効果的な融合である。ＰＡＳＳバージョン１．０システムにおいては、新たなＰＡＳＳデジタルアルバムは各移行に記録される。ＰＡＳＳバージョン１．０システムは既存のＰＡＳＳデジタルアルバムへの情報の付加を許さない。
ＰＡＳＳデジタルアルバム間で異なるディレクトリ構造を持たせることができる。Ｋｏｄａｋ  Ｐｉｃｔｕｒｅ  ＣＤ、ＦＵＪＩＣＯＬＯＲ  ＣＤ、Ｋｏｎｉｃａ  Ｍｉｎｏｌｔａ  Ｈｏｔ  ＡｌｂｕｍがこのようなＰＡＳＳデジタルアルバムの例である。
もしも取り外し可能な格納媒体がこの仕様に記述するように適切に構築されたマニフェストを持てば、準拠ＰＡＳＳデジタルアルバムとして利用できる。ＰＡＳＳ準拠システムが移行を実行する時には、システムは、この仕様で記述する推奨ディレクトリ構造を持つＰＡＳＳデジタルアルバムを作成可能でなければならない。この仕様は送信先媒体が推奨ディレクトリ構造に従っていない場合のコンテンツ移行法については説明していない。
この仕様で記述されるフォーマットを持つアセットファイルだけが移行される。あるＰＡＳＳデジタルアルバムがこの仕様で記述しているもの以外のフォーマットのアセットファイルを持つ場合、そのようなアセットファイルは移行されない場合がある。
ＰＡＳＳデジタルアルバム全体が移行される場合、全てのアルバム・マニフェスト・ファイルが新たなＰＡＳＳデジタルアルバムへ移行される。
５．１移行管理
移行については、送信元ディスクから送信先ディスクへ、四種類のオブジェクト（アセットロールディレクトリ、アルバム・マニフェスト・ファイル、インデックス・マニフェスト・ファイル、及び共有アセットファイル）が移動を考慮される。以下の手順が各オブジェクトに対して典型的である。
１．アセットロールディレクトリのコピー
ａ．送信元のコンテンツをもつ各アセットロールディレクトリを送信先のアセットディレクトリへコピーする。
ｂ．同じ名称を持つアセットが既にディレクトリ内に存在する場合、指定命名取り決めに従って名称を付け替える。
ｃ．送信元ディスクがレガシー製品であり送信先ディスクが推奨ディレクトリ構造を利用している場合、ディレクトリ及びファイル名を必要に応じて修正し、アセット・リスト・マニフェスト・ファイルを更新する。
ｄ．ａｓｓｅｔｌｉｓｔＩＤの下位３文字は送信先ディスク内で固有でなければならない。さもなくば、それらはそのように整えられる。
ｅ．（オプション）送信先で表示用画像ファイルを再度生成する、あるいはもし存在すれば送信元からコピーしてもよい。もし表示用画像ファイルが送信元に存在しない場合には、送信先で生成されねばならない。いずれの場合においても、アセット・マニフェスト・ファイルはチェックして必要に応じて更新せねばならない。
２．共有アセットファイルのコピー
ａ．送信元の全ての共有アセットファイルを送信先のアセットディレクトリへコピーする。
ｂ．同じ名称を持つアセットが既にディレクトリ内に存在する場合、指定命名取り決めにしたがって名称を付け替える。
ｃ．送信元ディスクがレガシー製品であり送信先ディスクが推奨ディレクトリ構造を利用している場合、ファイル名を修正しインデックス・マニフェスト・ファイルを更新する。
ｄ．共有アセット・マニフェスト・ファイルを更新する。
３．アルバム・マニフェスト・ファイルのコピー
ａ．送信元のアルバム・マニフェスト・ファイルを送信先のアルバムディレクトリにコピーする。
ｂ．同じ名称を持つアセットが既にディレクトリ内に存在する場合、指定命名取り決めにしたがって名称を付け替える。
ｃ．送信元ディスクがレガシー製品であり送信先ディスクが推奨ディレクトリ構造を利用している場合、ファイル名を必要に応じて修正しインデックス・マニフェスト・ファイルを更新する。
４．インデックス・マニフェスト・ファイルの更新
ａ．送信元のインデックス・マニフェスト・ファイルを送信先のインデックス・マニフェスト・ファイルへコピーおよび融合する。
ｂ．送信先のインデックス・マニフェスト・ファイルを更新する。
ｃ．送信先にインデックス・マニフェスト・ファイルがない場合、送信元ファイルをコピーして更新する。
６．媒体種類特有制限
リライタブルな媒体はＰＡＳＳデジタルアルバムのマルチインスタンスでサポートされない。オーサリング工程においては、ＰＡＳＳデジタルアルバムへの部分的変更は許可されてはならない。例えば、利用媒体がリライタブルでなくてはならなくても（ＣＤ―ＲＷ、ＤＶＤ―ＲＡＭなど）、ＰＡＳＳデジタルアルバムは完全にコピーされて、新たに消去されたリライタブルな媒体に書き込まれねばならない。
付録Ａ―短縮普遍識別子（ｔｒｕｎｃａｔｅｄ  ｕｎｉｖｅｒｓａｌ  ｉｄｅｎｔｉｆｉｅｒ）生成のための推奨アルゴリズム（参考情報）
推奨ディレクトリ構造において、ＴＵＩＤは以下のように生成されるべきである。
ステップ１：時間情報をオーサリング・システムから取得して、定義するように該時間情報をＨＨ：ＭＭ：ＳＳ．ＣＣで表す：
ＨＨ：時間（ｈｏｕｒ）（０―２３）
ＭＭ：分（０―５９）
ＳＳ：秒（０―５９）
ＣＣ：副秒（ｓｕｂ―ｓｅｃｏｎｄ）（０―９９）
ステップ２：時間コードを以下のように算出する：
Ｔ＝（（ＣＣ＊６０＋ＳＳ）＊６０＋ＭＭ）＊２４＋ＨＨ
ステップ３：ＭＡＣアドレス（あるいは任意の固有コード）から３バイトを取得する
Ｍ：０−（２５６６―１）［２５６］：［２５６］：［２５６］：［２５６］：［２５６］：［２５６］（Ｂ１―Ｂ６）
３番目、５番目、及び６番目のバイトを抽出して、以下のように組み合わせる：
Ｍ＝Ｂ３＊２５６＊２５６＋Ｂ５＊２５６＋Ｂ６
注１：固有コードの別の例には、「機器の製造番号」がある。
注２：Ｂ１−Ｂ３：製造者コード、Ｂ４−Ｂ６：機械コード
ステップ４：固有番号を取得する。
Ｎ＿ＴＵＩＤ＝ｍｏｄ（（Ｔ＋Ｍ＊Ｍｍａｘ），ＴＵＩＤｍａｘ）
ここで、Ｍｍａｘ＝２５６3、ＴＵＩＤｍａｘ＝３６８
ステップ５：ＡＳＣＩＩ文字へ変換する（０―９、Ａ―Ｚ）
（１）基（ｒａｄｉｘ）３６に基づく数字へ変換する。Ｄｉは以下のように算出できる：
Ｄｉ＝ｍｏｄ（ｉｎｔ（Ｎ＿ＴＵＩＤ／３６ｉ），３６）
ここで、Ｄｉ：基（ｒａｄｉｘ）３６でｉ番目の桁数（０−７．ここでＬＳＢ＝０）
（２）以下のｔａｂｌｅを利用してＤｉをＡＳＣＩＩに変換する：
【表３１】
2008530717.tif 000053
付録Ｂ―レガシーディレクトリとファイル構造の相互参照（参考情報）
【表３２】
2008530717.tif 000054
付録Ｃ―Ｋｏｄａｋ  ＰｉｃｔｕｒｅＣＤディレクトリおよびファイル構造（参考情報）
【表３３】
2008530717.tif 000055
付録Ｄ：ＤＣＦおよびＦｕｊｉｆｉｌｍ  Ｆｕｊｉｃｏｌｏｒ  ＣＤディレクトリおよびファイル構造（参考情報）
【表３４】
2008530717.tif 000056
【表３５】
2008530717.tif 000057
付録Ｅ：Ｋｏｎｉｃａ  Ｍｉｎｏｌｔａ  Ｈｏｔ  Ａｌｂｕｍディレクトリおよびファイル構造（参考情報）
可搬式格納プロフィールは、方式およびグローバル固有ＩＤ命名取り決めを持つファイルシステム構造を特定する。ルートディレクトリはＡＳＳＥＴＳ及びＡＬＢＵＭＳディレクトリから成るのが必須である。アセットディレクトリは任意の数のアセットロールディレクトリから成り、アルバムディレクトリは任意の数のアルバム・マニフェスト・ファイルから成る。
【表３６】
2008530717.tif 000058
付録Ｆ：参考文献
以下に二種類の参考文献をリストする。特定の文書（独立した文書あるいはシリーズ内の一文書）は「Ｆｉｘｅｄ」と記載されている。そのシリーズ内の文書のバージョン全てが有益そうなシリーズについては「Ｓｅｒｉｅｓ」と記載されている。以下のリストは、文書あるいはシリーズの、この出版物公開時における最新のバージョンである。
AVI, Microsoft AVI for Windows format is described at:
http://whidbey.msdn.microsoft.com/library/default.asp?url=/library/en-us/directx9_c/directx/htm/avirifffilereference.asp
An unofficial but very detailed description of AVI and CODECs can be found at:
http://www.jmcgowan.com/avi.html
CANON INC, EASTMAN KODAK COMPANY, FUJI PHOTO FILM CO., LTD., MATSUSHITA ELECTRIC INDUSTRIAL CO., LTD., "DPOF (Digital Print Order Format) Specification Version 1.1", (2000) [Fixed]
CUBE MICROSYSTEMS, "JPEG File Interchange Format, Version 1.02"; (1992) [Fixed].
INTERNATIONAL IMAGING INDUSTRY ASSOCIATION, "DIG35 Specification - Metadata for Digital Images, Version 1.1", (2001) [Fixed]
ISO 15836: 2003, Information and documentation - The Dublin Core metadata element set [Fixed]
ISO/IEC 9660:1988, "Information processing - Volume and file structure of CD-ROM for Information Interchange" [Series]
ISO/IEC 11172-2:1993 [MPEG-1] Information technology -- Coding of moving pictures and associated audio for digital storage media at up to about 1,5 Mbit/s -- Part 2: Video " [Series]
ISO/IEC 11172-3:1993 [MPEG-1] "Information technology -- Coding of moving pictures and associated audio for digital storage media at up to about 1,5 Mbit/s -- Part 3: Audio" [Series] 
ISO/IEC 13818-2:2000 [MPEG-2] " Information technology -- Generic coding of moving pictures and associated audio information: Video" [Series]
ISO/IEC 14496-2: 2004 " Information technology -- Coding of audio-visual objects -- Part 2: Visual " [Series]
JAPAN ELECTRONICS AND INFORMATION TECHNOLOGY INDUSTRIES ASSOCIATION CP-3461, "Design rule for Camera File System DCF, Version 2.0" (2003) [Series]
JAPAN ELECTRONICS AND INFORMATION TECHNOLOGY INDUSTRIES ASSOCIATION JEITA CP-3451, "Exchangeable image file format for digital still cameras: Exif Version 2.2", (2002) [Series]
JAPAN ELECTRONICS AND INFORMATION TECHNOLOGY INDUSTRIES ASSOCIATION JEITA CP-3451-1, "Exchangeable image file format for digital still cameras: Exif Version 2.21 (Amendment Ver2.2)", (2003) [Series]
MPEG, MOTION PICTURE EXPERTS GROUP OR ISO/IEC JTC1/SC29 WG11.  See references above. Additional useful links for information on the MPEG specification series can be found at:
http://en.wikipedia.org/wiki/MPEG
MOV, APPLE COMPUTER QUICKTIME MOVIE FORMAT described at:
http://developer.apple.com/documentation/QuickTime/FileFormatSpecification-date.html
OPTICAL STORAGE TECHNICAL ASSOCIATION, "MPV Dublin Core-Normalized Metadata Format Profile Specification rev. 1.01" (2003). [Fixed]
OPTICAL STORAGE TECHNICAL ASSOCIATION, "MPV XML Manifest Specification rev. 1.01", (2003). [Fixed]
OPTICAL STORAGE TECHNICAL ASSOCIATION, "MPV Basic Profile Specification rev. 1.01" (2002) [Fixed]
OPTICAL STORAGE TECHNICAL ASSOCIATION, "MPV Core Specification rev. 1.01"; (2003) [Fixed]
OPTICAL STORAGE TECHNICAL ASSOCIATION, "MPV Presentation Profile Specification rev. 1.01"; (2002) [Fixed]
OPTICAL STORAGE TECHNICAL ASSOCIATION, "MPV Normalized Metadata Format Specification rev. 1.01"; (2002) [Fixed]
OPTICAL STORAGE TECHNICAL ASSOCIATION, "Universal Disk Format Specification rev. 2.50"; (2003) [Series]
WAV, MICROSOFT WAVEFORM AUDIO FILE FORMAT FOR WINDOWS has a good description at this unofficial web site:
http://ccrma.stanford.edu/CCRMA/Courses/422/projects/WaveFormat/
WAV has several other reference documents and sites that may be useful:
"Waveform Audio File Format, Multimedia Programming Interface and Data Specification v1.0", Issued by IBM & Microsoft, 1991.
ftp://ftp.cwi.nl/pub/audio/RIFF-format,
http://keck.ucsf.edu/~jwright/RIFF-format.html,
http://www.seanet.com/HTML/Users/matts/riffmci/riffmci.html
【００９１】
ピクチャー・アーカイブ・アンド・シェアリング・スタンダード
共同イニシアチブ
富士写真フィルム株式会社、コニカミノルタフォトイメージング株式会社、イーストマンコダック社
バージョン１．００                                                            
オリジネイティング／オーサリング・システムの必要仕様
２００５年３月１７日
（Ｃ）２００５年、富士写真フイルム株式会社、コニカミノルタフォトイメージング株式会社、イーストマンコダック社、著作権所有
ピクチャ・アーカイブ・アンド・シェアリング・スタンダード
（Ｐｉｃｔｕｒｅ  Ａｒｃｈｉｖｅ  ａｎｄ  Ｓｈａｒｉｎｇ  Ｓｔａｎｄａｒｄ）
共同イニシアチブ
富士写真フイルム株式会社、コニカミノルタフォトイメージング株式会社、イーストマン・コダック・カンパニー
バージョン１．０
レシービング／再生システムの必要仕様
２００５年３月１７日
目次
１．  概要・・・・・・・・・・・・・・・・・・・・・・・・・・・・・・・・・・１
１．１．  目的・・・・・・・・・・・・・・・・・・・・・・・・・・・・・・・１
１．２．  対象読者・・・・・・・・・・・・・・・・・・・・・・・・・・・・・１
１．３．  用語の定義・・・・・・・・・・・・・・・・・・・・・・・・・・・・１
１．４．  参照文献・・・・・・・・・・・・・・・・・・・・・・・・・・・・・２
２．  システムの概要・・・・・・・・・・・・・・・・・・・・・・・・・・・・・２
２．１．  ＰＡＳＳの主な特徴・・・・・・・・・・・・・・・・・・・・・・・・２
２．２．  システムの概要・・・・・・・・・・・・・・・・・・・・・・・・・・３
３．  ＰＡＳＳレシービング／再生／プリント選択システムの概要・・・・・・・・・７
３．１．  レシービングシステム・・・・・・・・・・・・・・・・・・・・・・・７
３．２．  再生コンポーネント・・・・・・・・・・・・・・・・・・・・・・・・７
３．３．  画像を選択してプリントを注文するコンポーネント・・・・・・・・・・７
４．  ＰＡＳＳレシービングシステムの機能に関する必要仕様・・・・・・・・・・・８
４．１．  受け入れ可能なＰＡＳＳデジタルアルバム（Ｄｉｇｉｔａｌ  Ａｌｂｕｍ）かどうか確認・・・・・・・・・・・・・・・・・・・・・・・・・・・・・・・・・８
４．１．１．  メディアの種別を認識・・・・・・・・・・・・・・・・・・・・８
４．１．２．  ビデオセグメントが存在するかどうか確認（オプション）・・・・８
４．１．３．  ＰＡＳＳマニフェスト（ＭＡＮＩＦＥＳＴ）ファイルを確認・・・８
４．２．  ＰＡＳＳマニフェストファイルを読み込んで解釈・・・・・・・・・・１０
５．  ＰＡＳＳ再生コンポーネントの機能に関する必要仕様・・・・・・・・・・・１２
５．１．  ＰＡＳＳコンテンツかビデオセグメントを選択して表示・・・・・・・１２
５．１．  ビデオセグメントを再生・・・・・・・・・・・・・・・・・・・・・１３
５．２．  ＰＡＳＳアセット（ＡＳＳＥＴ）リストマニフェストファイルに従って、ロードするＰＡＳＳアセットファイルフォーマットを確認・・・・・・・・・・・・・１３
５．３．  ＰＡＳＳデジタルアルバム内のすべてのアルバム（Ａｌｂｕｍ）の画像を表示・・・・・・・・・・・・・・・・・・・・・・・・・・・・・・・・・・・・・１４
５．３．１．  アルバムリストを表示・・・・・・・・・・・・・・・・・・・１４
５．３．２．  アルバムを選択・・・・・・・・・・・・・・・・・・・・・・１５
５．３．３．  インデックス表示によって各アルバムのＰＡＳＳアセットファイルを表示・・・・・・・・・・・・・・・・・・・・・・・・・・・・・・・・・・・・１５
５．３．４．  スライドショーによって各アルバムのＰＡＳＳアセットファイルを表示・・・・・・・・・・・・・・・・・・・・・・・・・・・・・・・・・・・・・１８
５．３．５．  アルバムから選択されたＰＡＳＳアセットファイルを１枚ずつ表示・・・・・・・・・・・・・・・・・・・・・・・・・・・・・・・・・・・・・２１
５．３．６．  各アセットのメタデータを表示・・・・・・・・・・・・・・・２６
５．４．  画像を検索して表示（オプション機能）・・・・・・・・・・・・・・２６
５．４．１．  日付に基づいてＰＡＳＳアセットファイルを検索してインデックス表示画面に表示・・・・・・・・・・・・・・・・・・・・・・・・・・・・・・・・２６
５．４．２．  キーワードに基づいてＰＡＳＳアセットファイルを検索して表示（オプション）・・・・・・・・・・・・・・・・・・・・・・・・・・・・・・・・・３０
５．４．３．  レベルに応じてＰＡＳＳアセットファイルを表示（オプション）・・・・・・・・・・・・・・・・・・・・・・・・・・・・・・・・・・・・３５
６．  画像を選択してプリントを注文するコンポーネントの機能に関する必要仕様・３６
６．１．  ＰＡＳＳデジタルアルバムのアルバムのＰＡＳＳアセットファイルを表示・・・・・・・・・・・・・・・・・・・・・・・・・・・・・・・・・・・・・３６
６．２．  ＰＡＳＳアセットファイルを検索して表示（オプション機能）・・・・３６
６．３．  プリントするＰＡＳＳアセットファイルを選択してプリント枚数を入力・・・・・・・・・・・・・・・・・・・・・・・・・・・・・・・・・・・・・３６
６．４．  高解像度アセットと選択方法を対応付ける・・・・・・・・・・・・・３８
Ｆｉｇｕｒｅｓ
Ｆｉｇｕｒｅ１  ＰＡＳＳの特徴・・・・・・・・・・・・・・・・・・・・・・・・３
Ｆｉｇｕｒｅ２  ディスクの論理的な仕様（ＬＤＳ）の構成・・・・・・・・・・・・５
Ｆｉｇｕｒｅ３  ＰＡＳＳデジタルアルバムオリジネイティング（Ｄｉｇｉｔａｌ  Ａｌｂｕｍ  Ｏｒｉｇｉｎａｔｉｎｇ）システム（ショップ、写真現像店）・・・・・・・５
Ｆｉｇｕｒｅ４  ＰＡＳＳデジタルアルバムレシービングシステム  タイプ１  （ＤＶＤプレーヤー）・・・・・・・・・・・・・・・・・・・・・・・・・・・・・・・・・６
Ｆｉｇｕｒｅ５  ＰＡＳＳデジタルアルバムレシービングシステム  タイプ２  （プリントショップ、写真現像店）・・・・・・・・・・・・・・・・・・・・・・・・・・・６
Ｆｉｇｕｒｅ６  ＰＡＳＳデジタルアルバムレシービングシステム  タイプ３  （ＰＣアプリケーション）・・・・・・・・・・・・・・・・・・・・・・・・・・・・・・・６
Ｆｉｇｕｒｅ７  ＰＡＳＳデジタルアルバムが再生コンポーネントを有するＰＡＳＳレシービングシステムに挿入された場合の処理フローの一例・・・・・・・・・・・・・・９
Ｆｉｇｕｒｅ８  ＰＡＳＳデジタルアルバムがプリントコンポーネントを有するＰＡＳＳレシービングシステムに挿入された場合の処理フローの一例・・・・・・・・・・・１０
Ｆｉｇｕｒｅ９  ＰＡＳＳマニフェストファイル間の順序および関係・・・・・・・１１
Ｆｉｇｕｒｅ１０  メニュー画面の一例・・・・・・・・・・・・・・・・・・・・１３
Ｆｉｇｕｒｅ１１  アルバムボタンの表示の一例・・・・・・・・・・・・・・・・１５
Ｆｉｇｕｒｅ１２  インデックス表示画面の一例・・・・・・・・・・・・・・・・１８
Ｆｉｇｕｒｅ１３  スライドショー再生画面の一例・・・・・・・・・・・・・・・２１
Ｆｉｇｕｒｅ１４  静止画用の個別アセット画面の表示例・・・・・・・・・・・・２４
Ｆｉｇｕｒｅ１５  動画／ビデオ画面を有する静止画用の個別アセット画面の表示例２５
Ｆｉｇｕｒｅ１６  マルチショット用の個別のアセット画面の表示例・・・・・・・２６
Ｆｉｇｕｒｅ１７  月毎にアセットを検索した場合のインデックス画面の一例・・・２９
Ｆｉｇｕｒｅ１８  日付毎にアセットを検索した場合のインデックス画面の一例・・３０
Ｆｉｇｕｒｅ１９  キーワードに基づいて検索した場合の表示画面の一例・・・・・３５
Ｆｉｇｕｒｅ２０  レベルを選択する場合の画面表示例・・・・・・・・・・・・・３６
Ｆｉｇｕｒｅ２１  プリントすべきアセットファイルを選択する場合の画面の一例・３７
Ｆｉｇｕｒｅ２２  日付毎に検索されたアセットからプリントすべきものを選択する一例・・・・・・・・・・・・・・・・・・・・・・・・・・・・・・・・・・・・・３８
Ｆｉｇｕｒｅ２３  高解像度アセットファイルの位置を示すＰＡＳＳ推奨ファイル構造・・・・・・・・・・・・・・・・・・・・・・・・・・・・・・・・・・・・・３９
Ｔａｂｌｅｓ
Ｔａｂｌｅ  １  メニュー画面上の機能・・・・・・・・・・・・・・・・・・・・１２
Ｔａｂｌｅ  ２  ＰＡＳＳ推奨アセットタイプ・・・・・・・・・・・・・・・・・１３
Ｔａｂｌｅ  ３  アルバムボタン上に表示される項目・・・・・・・・・・・・・・１４
Ｔａｂｌｅ  ４  インデックス表示画面に表示される項目・・・・・・・・・・・・１６
Ｔａｂｌｅ  ５  インデックス表示画面上の機能・・・・・・・・・・・・・・・・１６
Ｔａｂｌｅ  ６  スライドショー再生画面上に表示される項目・・・・・・・・・・１９
Ｔａｂｌｅ  ７  スライドショー再生画面上の機能・・・・・・・・・・・・・・・１９
Ｔａｂｌｅ  ８  アセット個別表示画面上に表示される項目・・・・・・・・・・・２２
Ｔａｂｌｅ  ９  個別にアセットを表示する場合の機能・・・・・・・・・・・・・２３
Ｔａｂｌｅ  １０  インデックスリスト表示・・・・・・・・・・・・・・・・・・２７
Ｔａｂｌｅ  １１  日付毎に検索する場合に表示される項目・・・・・・・・・・・２７
Ｔａｂｌｅ  １２  インデックス表示画面上の機能・・・・・・・・・・・・・・・２８
Ｔａｂｌｅ  １３  検索機能用に定義されたキーワード用メタデータ・・・・・・・３０
Ｔａｂｌｅ  １４  キーワード検索用のアセットのファイル位置・・・・・・・・・３２
Ｔａｂｌｅ  １５  キーワードに基づいて検索する場合インデックス画面上に表示される項目・・・・・・・・・・・・・・・・・・・・・・・・・・・・・・・・・・・・３２
Ｔａｂｌｅ  １６  キーワードに基づいて検索する場合のインデックス表示画面上の機能・・・・・・・・・・・・・・・・・・・・・・・・・・・・・・・・・・・・・３４
Ｔａｂｌｅ  １７  選択画面上でプリント注文を入力するための機能・・・・・・・３７
１．  概要
ピクチャ・アーカイブ・アンド・シェアリング・スタンダード（ＰＡＳＳ）は、デジタルイメージング産業が率いるイニシアチブで、以前は容易または確実に実施できなかった方法で、消費者がデジタル画像を簡単に保存、プリント、再生および共有できるための規格である。
技術の進歩に従い、デジタルコンテンツの形態が、静止画像、動画、音声または音楽、およびグラフィック等多様化している。また技術革新により、こういった多様なフォーマットのデジタルデータの編集、複製および統合が可能となっている。また、デジタル静止画撮像カメラ、ＤＶＤプレーヤー、デジタルビデオカメラ、および携帯電話などデバイス毎に利用するデジタルフォーマットが異なる。しかし、パソコンとは違って、こういったデバイスは複数の異なるフォーマットに対する対応／再生ができない。そのような技術の発展はゆっくりとしか進んでいない。
ＰＡＳＳ仕様書では、物理メディア上で情報をエンコードする方法を定義し、すべての参加企業の製品を、当該メディア上の情報を理解できるように構成する。具体的にＰＡＳＳでは、アセットのエンコード処理およびデコード処理を定義し、ＰＡＳＳシステムに共通したユーザインタフェースの必要仕様を記述している。ＰＡＳＳアーキテクチャは、言語およびプラットフォームでは限定されないオープンシステム規格に基づいて構成され、異種システムでも機能することができる。
ＰＡＳＳに関しては、参加企業による共通規格の売却および利用を可能とするべく、ロゴ、商標およびライセンスプログラムを設ける。このようなプログラムに基づき、参加企業はそれぞれの事業に関連する需要に応じ、機能性が保証された仕様に従った、ＰＡＳＳのロゴがあることによって消費者がそれと認識できる製品を生産できるようになる。
ＰＡＳＳの仕様を、従来の家庭用写真産業を支えてきた規格（プロセスＣ−４１（ＰｒｏｃｅｓｓＣ−４１）、フィルムストリップおよびカートリッジから成る標準的な構造、紙のフォーマット等）と比較することもできる。こういった規格が生まれなければ、写真は愛好家のものだけにとどまっていたであろう。これらの規格があってこそ、写真産業は大きな市場を持つ非常に成功した主要な消費者産業へと成長してきたのである。ＰＡＳＳの仕様は、デジタル写真産業に対して上記の規格と同様の効果を持つ。
ＰＡＳＳイニシアチブでは、現在そして将来にわたって消費者が簡単にコンテンツを楽しむことができるように、一般向け画像／コンテンツを扱ったり管理している企業すべてからの参加を歓迎する。
１．１  目的
この文献では、ピクチャ・アーカイブ・アンド・シェアリング・システム（Ｐｉｃｔｕｒｅ  Ａｒｃｈｉｖｅ  ＆  Ｓｈａｒｉｎｇ  Ｓｙｓｔｅｍ）に対応しておりＰＡＳＳデジタルアルバム（Ｄｉｇｉｔａｌ  Ａｌｂｕｍ）を受信および再生する、ＰＡＳＳレシービング／再生システムの必要仕様を詳細に説明する。
１．２  対象読者
以下の分野で開発に従事しているソフトウェア開発者を対象としている：
ＰＡＳＳデジタルアルバムを受信および再生する、ＤＶＤプレーヤー等の家庭用電化製品（ＣＥ）デバイス
ＰＡＳＳデジタルアルバムを受信することができて、プリントする画像をその中から選択できる写真現像店およびショップ等の写真産業用のアプリケーションソフトウェア
家庭用アプリケーションソフトウェア、例えばビューワアプリケーション
１．３  用語の定義
ＰＡＳＳの完全な用語集については、ＰＡＳＳディスクの論理的な仕様（Ｌｏｇｉｃａｌ  Ｄｉｓｃ  Ｓｐｅｃｉｆｉｃａｔｉｏｎ：ＬＤＳ）のセクション２を参照されたい。
１．４  参照文献
ＰＡＳＳディスクの論理的な仕様（ＬＤＳ）
ＰＡＳＳオリジネイティング／オーサリングシステムの必要仕様
ＰＡＳＳオーサリングシステムソフトウェア開発キット開発者用マニュアル
ＰＡＳＳホワイトペーパー（２００５年３月）
参照文献を網羅したリストに関しては、ＰＡＳＳディスクの論理的な仕様（ＬＤＳ）の添付書類Ｆを参照されたい。
２．  システムの概要
２．１  ＰＡＳＳの主な特徴
ＰＡＳＳでは数多くの特徴が定義されている。ＰＡＳＳシステムの主な特徴を以下に示す。
簡単に家庭用電化製品（ＣＥ）デバイスを利用してスライドショーを見る
簡単に現在のＤＶＤプレーヤーおよびＰＡＳＳ対応のＤＶＤプレーヤーを用いて、テレビ、パソコン等のＣＥデバイスで写真のスライドショーを再生
ＣＥデバイスでプレビューしてプリントを簡単に注文
スライドショーを見ている間に注文したいスライド番号をチェック。そのスライド番号を写真注文シートに追加する。
対象のＰＡＳＳデジタルアルバムと一緒に、プリント注文を近くの写真ショップに持っていく。
どのプリントショップでも簡単にプリントを注文
ＰＡＳＳデジタルアルバムを利用して、ＰＡＳＳ対応のプリントショップであればどこでもプリントを注文できる。
簡単に写真を検索
ＰＡＳＳデジタルアルバムを利用することによって、日付および自分で選んだキーワードに基づいて画像を短時間で簡単に検索できる。
写真を安全に移行
様々なメディアのフォーマット（例えば、ＣＤ、メモリカード等）を、新型で容量のより大きいストレージデバイス（例えばＤＶＤ）にまとめる。
写真の履歴を失うことなく（メタデータを維持しつつ）多くの別のメディアをまとめて１つのＰＡＳＳデジタルアルバムを作成する。
写真を容易に共有
それぞれの写真に書き加えた日付および場所、イベント、人物の名前等の情報を失うことなく、ＰＡＳＳデジタルアルバムを他者と共有する。
【表３７】
2008530717.tif 000059
２．２  システムの概要
ＰＡＳＳシステムは主に、以下に挙げるシステムおよびコンポーネントから構成されている。
（１）オリジネイティングシステム
ＰＡＳＳデジタルアルバムをＰＡＳＳディスクに作成するオリジネイティングシステムは通常以下の機能を有する：
（ａ）  様々なメディアから消費者のデータを取得して、ＰＡＳＳデジタルアルバムでＰＡＳＳフォーマットに変換する。
（ｂ）  ＰＡＳＳディスク上の消費者の画像についてメタデータ（日付、キーワード等）を取得／生成する。
（ｃ）  ＰＡＳＳディスクに、ＣＥデバイスで再生可能なスライドショーとして、デジタルアルバムを作成する。
（ｄ）  複数のＰＡＳＳディスクから新たな１枚のＰＡＳＳディスクを作成する。これを消費者のデータを失うことなく何世代にもわたって繰り返す。
（ｅ）  オプションで、既存のＤＶＤプレーヤーで再生可能な短いビデオセグメントを作成する。
（２）  レシービングシステム
ＰＡＳＳレシービングシステムは少なくとも以下の機能を実現する：
（ａ）  ＰＡＳＳアセットファイルフォーマットを確認する。
（ｂ）  ＰＡＳＳデジタルアルバムを読み込んで正しく解釈する。
（ｃ）  再生コンポーネントまたはプリントコンポーネント（レシービングシステムは、この２つのコンポーネントのうち少なくとも片方を備えている必要がある）。
（３）  再生コンポーネント
レシービングシステムに含まれる再生コンポーネントは、以下の機能を有する。
（ａ）  アルバムマニフェストファイルおよびアセットリストマニフェストファイルに従ってＰＡＳＳデジタルアルバムを表示する。
（ｂ）  ＰＡＳＳディスクの複数のＰＡＳＳデジタルアルバムマニフェストファイルからあるアルバムを選択する。
（ｃ）  オプションで、日付および／またはキーワードで検索したＰＡＳＳアセットファイルを表示する。
（４）  画像を選択してプリントを注文するコンポーネント
このコンポーネントは以下の機能を有する。
（ａ）  プリントを注文するべく静止ＰＡＳＳアセットファイルを選択する。
以下の図は上述した各構成要素および構成要素間の関係を示す。
【表３８】
2008530717.tif 000060
【表３９】
2008530717.tif 000061
【表４０】
2008530717.tif 000062
【表４１】
2008530717.tif 000063
【表４２】
2008530717.tif 000064
３．  ＰＡＳＳレシービング／再生／プリント選択システムの概要
ＰＡＳＳレシービング／再生／プリント選択システム（レシービングシステムまたはＲ／Ｐシステムと呼ぶ）は、ＰＡＳＳデジタルアルバムを読み込む家庭用デバイスを意味する。Ｒ／Ｐシステムは様々な形態で実現することができる。例えば、ショップ、パソコン、ＤＶＤプレーヤー等が挙げられる。
３．１  レシービングシステム
レシービングシステムはＰＡＳＳデジタルアルバムを読み込む。レシービングシステムの主要な役割は、メディアの書き込みがどのように行われたのか判断するべくＰＡＳＳインデックスマニフェストファイルを読み込むことである。Ｒ／Ｐは、当該メディア上のアセットおよび表示に関する情報が保存されたＰＡＳＳアルバムマニフェストファイルおよびＰＡＳＳアセットリストマニフェストファイルへのアクセスを有する。この情報は、再生コンポーネント、プリントコンポーネントによって利用されるか、またはコンテンツ・ストレージシステムとインターフェースするために利用される。レシービングシステムは以下の機能を担当する：
（ａ）  メディア上のＰＡＳＳアセットファイルを確認
（ｂ）  ＰＡＳＳインデックスマニフェストファイルの位置を特定して解釈
（ｃ）  ＰＡＳＳアルバムマニフェストファイルの位置を特定して解釈
（ｄ）  ＰＡＳＳアセットリストマニフェストファイルの位置を特定して解釈
３．２  再生コンポーネント
Ｒ／Ｐシステムの再生コンポーネントは、ＰＡＳＳデジタルアルバム表示を行うように設定されたシステムの必要仕様に対応する。ＤＶＤプレーヤーまたはＰＣ上のソフトウェアＤＶＤプレーヤーが含まれる。再生コンポーネントは以下の機能を担当する：
（ａ）  ＰＡＳＳデジタルアルバムの表示層を読み込んで再生（例えば、ＤＶＤ−ビデオ、ビデオ−ＣＤ等）
（ｂ）ＰＡＳＳデジタルアルバムマニフェストとビデオセグメントの再生順序を決定するべく優先順位を確認（オプション）
（ｃ）  ＰＡＳＳデジタルアルバムを選択して表示
（ｄ）  インデックスによって各アルバムのＰＡＳＳアセットファイルを表示
（ｅ）  スライドショーによって各アルバムのＰＡＳＳアセットファイルを表示
（ｆ）  ＰＡＳＳアセットファイルを個別に表示
（ｇ）  各ＰＡＳＳアセットファイルのメタデータを表示
（ｈ）  スライドショーを再生している間ＢＧＭを再生（オプション）
（ｉ）  オプション機能として、日付に基づいてＰＡＳＳアセットファイルを検索して表示
（ｊ）  オプション機能として、キーワードに基づいてＰＡＳＳアセットファイルを検索して表示
３．３  画像を選択してプリントを注文するコンポーネント
このコンポーネントの機能によりユーザは、静止ＰＡＳＳアセットファイルを選択してプリントの注文を出すことができる。
４．  ＰＡＳＳレシービングシステムの機能に関する必要仕様
４．１  受け入れ可能なＰＡＳＳデジタルアルバムかどうか確認
４．１．１．  メディアの種別を認識
ＰＡＳＳレシービングシステムは、挿入されたディスクのメディアタイプを認識し、挿入されたディスクを読み込むことができなければならない。受け入れ可能なメディアのタイプはＣＤ−ＲとＤＶＤ−Ｒである。
４．１．２．  ビデオセグメントが存在するかどうか確認（オプション）
再生コンポーネントを有するＰＡＳＳレシービングシステムは、ＰＡＳＳデジタルアルバムのＰＡＳＳマニフェストファイルを確認する前に、挿入されたＰＡＳＳデジタルアルバムにＤＶＤ−ビデオまたはビデオ−ＣＤといったビデオセグメントがあるかどうか確認することができるとしてもよい。この処理フローの一例をＦｉｇｕｒｅ７に示す。
４．１．３  ＰＡＳＳマニフェストファイルを確認
ＰＡＳＳレシービングシステムは、ＰＡＳＳデジタルアルバムのルート位置にある「ＰＡＳＳＩＤＸ．ＰＶＭ」であるＰＡＳＳインデックスマニフェストファイルを読み込んで解釈する必要がある。インデックスマニフェストファイルを見つけると、Ｒ／Ｐシステムはオリジネータ情報（＜ｐａｓｓ：ｏｒｉｇｉｎａｔｏｒ＞）および／またはＰＡＳＳバージョン情報（＜ｐａｓｓ：ｓｐｅｃｉｆｉｃａｔｉｏｎＶｅｒｓｉｏｎ＞）を確認する。
この情報に基づきＰＡＳＳレシービングシステムは、挿入されたＰＡＳＳデジタルアルバムがメディアで利用可能かどうか認定する。Ｒ／ＰシステムがＰＡＳＳデジタルアルバムが存在すると認識する場合、レシービングシステムは別の２種類のＰＡＳＳマニフェストファイルの解釈を試みる。その２種類のファイルとは、アルバムマニフェストファイルおよびアセットリストマニフェストファイルである。
この処理フローを以下のＦｉｇｕｒｅ７およびＦｉｇｕｒｅ８に例示する：
【表４３】
2008530717.tif 000065
【表４４】
2008530717.tif 000066
４．２  ＰＡＳＳマニフェストファイルを読み込んで解釈
ＰＡＳＳインデックスマニフェストファイル（１）「ＰＡＳＳＩＤＸ．ＰＶＭ」を見つけて特定すると、レシービングシステムは、ＰＡＳＳアルバムマニフェストファイル（２）への参照を有するＰＡＳＳＩＤＸ．ＰＶＭの処理を開始する。各ＰＡＳＳアルバムマニフェストファイルは、アセットロール（ＡＳＳＥＴ  ＲＯＬＬ）ディレクトリ（３Ａ）もしくは共有（ＳＨＡＲＥＤ）ディレクトリ（３Ｂ）のＰＡＳＳアセットリストマニフェストファイルへの参照を有する。ＰＡＳＳアセットリストマニフェストファイルは、オリジナルＰＡＳＳアセットファイル（４Ａ）またはその特定のアセットロールディレクトリの表示ディレクトリ（４Ｂ）からレンディションファイルを表示するために必要な情報を有する。
ＰＡＳＳマニフェストファイル間の処理順序および関係を以下のＦｉｇｕｒｅ９に示す。
【表４５】
2008530717.tif 000067
ＰＡＳＳレシービングシステムは、ＰＡＳＳディスクの論理的な仕様（ＬＤＳ）で定義された３種類のＰＡＳＳマニフェストファイル、つまりＰＡＳＳインデックスマニフェストファイル、ＰＡＳＳアルバムマニフェストファイルおよびＰＡＳＳアセットリストマニフェストファイルに記述されたメタデータを全て読み込んで解釈する。
ＰＡＳＳデジタルアルバムが有するＰＡＳＳインデックスマニフェストファイルはただ１つでなければならない。
これら３種類のマニフェストファイルの詳細に関しては、ＰＡＳＳディスクの論理的な仕様（ＬＤＳ）のセクション３．４．２を参照されたい。
５．  ＰＡＳＳ再生コンポーネントの機能に関する必要仕様
５．１  ＰＡＳＳコンテンツかビデオセグメントを選択して表示
ＰＡＳＳコンテンツ（ＰＡＳＳアセットファイルおよびＰＡＳＳマニフェストファイル）とＤＶＤ−ビデオまたはビデオ−ＣＤのようなビデオセグメントが共に存在する場合、ＰＡＳＳ再生コンポーネントは以下のいずれかを選択する。
（ａ）ＰＡＳＳコンテンツだけを表示する
（ｂ）ＰＡＳＳコンテンツをデフォルトで表示し、オプションでＰＡＳＳコンテンツかビデオセグメントのいずれを表示するかを選択する。
（ｃ）デフォルト設定なしで、ＰＡＳＳコンテンツまたはビデオセグメントのいずれを表示するか選択する機能を有する。
上述したように、ＰＡＳＳ再生コンポーネントは、オプション機能としてメニュー画面を提示することによって、メディアのＰＡＳＳコンテンツかビデオセグメントのうちどちらを表示するかを選択することができるとしてもよい。
【表４６】
2008530717.tif 000068
【表４７】
2008530717.tif 000069
５．１  ビデオセグメントを再生
再生コンポーネントは、挿入されたメディアにビデオコンテンツも存在するとＰＡＳＳレシービングシステムが認識した場合に、ＤＶＤ−ビデオまたはビデオ−ＣＤ等のビデオセグメントを再生するという機能をオプションで有するとしてもよい。
５．２  ＰＡＳＳアセットリストマニフェストファイルに従って、ロードするＰＡＳＳアセットファイルフォーマットを確認
再生コンポーネントは、アセットリストマニフェストファイルに挙げられているＰＡＳＳアセットファイルフォーマットをそれぞれ確認する。
認識され得るＰＡＳＳデジタルアルバムメディアが挿入された場合にＲ／Ｐシステムがデコードおよび表示しなければならないＰＡＳＳアセットファイルのフォーマットを以下に示す：
【表４８ａ】
2008530717.tif 000070
【表４８ｂ】
2008530717.tif 000071
５．３  ＰＡＳＳデジタルアルバム内のすべてのアルバムの画像を表示
５．３．１  アルバムリストを表示
再生コンポーネントは、ＰＡＳＳアルバムマニフェストファイルを解釈して、アルバムリスト領域に各「アルバムボタン」を表示する。この際、以下に示す情報を表示する。
【表４９】
2008530717.tif 000072
【表５０】
2008530717.tif 000073
５．３．２  アルバムを選択
再生コンポーネントは、ＰＡＳＳデジタルアルバムに基づいて表示されたアルバムリストの中からアルバムを選択する機能を有していなければならない。
５．３．３  インデックス表示によって各アルバムのＰＡＳＳアセットファイルを表示
再生コンポーネントは、インデックス表示にて、ＰＡＳＳデジタルアルバムの各アルバムのすべてのＰＡＳＳアセットファイルを表示しなければならない。
５．３．３．１  インデックス表示画面上にＰＡＳＳアセットファイルを表示
再生コンポーネントは、ＰＡＳＳアセットリストマニフェストファイルを読み込み、各ＰＡＳＳアセットファイルへのパスを認識する。
レンディションファイル利用  ＰＡＳＳアセットが静止画、音声付静止画、もしくはマルチショット静止画の場合、表示ディレクトリにおける表示用画像ファイル（オリジナル静止ＰＡＳＳアセットファイルのレンディション）またはオリジナルＰＡＳＳアセットファイルのＥｘｉｆサムネイルを用いてインデックス表示を実現する。
オリジナルファイル利用  ＰＡＳＳアセットが動画の場合、アセットロールディレクトリにおけるオリジナル・モーション・ファイルを用いてインデックス表示を実現する。
アイコンまたは記号利用  ＰＡＳＳアセットが動画、音声付静止画もしくはマルチショット静止画の場合、正しいアセット種別を示す何らかの情報（例えばテキストでの注釈、記号もしくはアイコン）が利用できる（オプション）。
配向  再生コンポーネントは、オリジナル静止アセットの配向情報を解釈して、レンディションファイル、Ｅｘｉｆサムネイルまたはオリジナルアセットを必要に応じて正しく表示する。
ＰＡＳＳアセットリストマニフェストファイルにオリジナルＰＡＳＳアセットファイルに関する何らかのメタデータが記述されているが、オリジナルＰＡＳＳアセットファイルがアセットロールディレクトリに存在しない場合、再生コンポーネントは、紛失したアセットへの参照はインデックス表示に含まない。
【表５１】
2008530717.tif 000074
【表５２ａ】
2008530717.tif 000075
【表５２ｂ】
2008530717.tif 000076
【表５３】
2008530717.tif 000077
５．３．４  スライドショーによって各アルバムのＰＡＳＳアセットファイルを表示
再生コンポーネントは、選択されたアルバムについてスライドショーの再生を開始するための機能ボタンを提供する。
５．３．４．１  スライドショー再生画面でＰＡＳＳアセットファイルを表示
再生コンポーネントは、インデックス表示画面（上記の例を参照のこと）に「スライドショー再生」ボタンを提示するとしてもよい。
スライドショーに関して、表示するアルバムおよびアセットの順序および選択はＰＡＳＳアルバムマニフェストファイルに従う。
時間間隔  提示される中にマルチショット静止アセットが含まれている場合、各アセット間の時間間隔はＰＡＳＳアルバムマニフェストファイルで定義される。
配向  各アセットの情報はＰＡＳＳアセットリストマニフェストファイルに記されている。アセットは、オリジナル、レンディションもしくはサムネイルのいずれの場合でも、アセットリストマニフェストファイルで定義された配向に従って提示される。
オリジナルＰＡＳＳアセットファイルに関するメタデータがＰＡＳＳアセットリストマニフェストファイルに記述されているがアセットロールディレクトリにオリジナルＰＡＳＳアセットファイルがない場合、再生コンポーネントはスライドショーを表示する場合にそのアセットは表示しない。
【表５４】
2008530717.tif 000078
５．３．４．２  スライドショーの再生
再生コンポーネントは、選択されたアルバムのＰＡＳＳアルバムマニフェストファイルを解釈して、ＰＡＳＳアセットファイル表示順序の情報に従ってスライドショーを再生する。その情報には、各ＰＡＳＳアセットファイルの再生時間、移行エフェクトおよびＢＧＭなどが含まれる。これらの属性の定義については、ＭＰＶ仕様書を参照されたい。
【表５５】
2008530717.tif 000079
【表５６ａ】
2008530717.tif 000080
【表５６ｂ】
2008530717.tif 000081
【表５７】
2008530717.tif 000082
５．３．５  アルバムから選択されたＰＡＳＳアセットファイルを１枚ずつ表示
再生コンポーネントは、選択されたＰＡＳＳアセットファイルを１枚ずつ順番に表示する機能を有する。
５．３．５．１  個別にＰＡＳＳアセットファイルを表示
インデックス表示画面でＰＡＳＳアセットファイルを選択することによってユーザは、個別表示モードを開始することができる。
ＰＡＳＳアセットファイルが動画の場合、モーションファイルの代表画像を表示する。または、アイコンもしくはテキストで提示するとしてもよい。
再生コンポーネントは、所定の配向でオリジナル、レンディションもしくはサムネイルを表示するべく、ＰＡＳＳアセットリストマニフェストファイルに記述された配向情報を解釈する。
【表５８ａ】
2008530717.tif 000083
【表５８ｂ】
2008530717.tif 000084
【表５９ａ】
2008530717.tif 000085
【表５９ｂ】
2008530717.tif 000086
【表６０ａ】
2008530717.tif 000087
【表６０ｂ】
2008530717.tif 000088
【表６１】
2008530717.tif 000089
【表６２】
2008530717.tif 000090
【表６３】
2008530717.tif 000091
５．３．６  各アセットのメタデータを表示
再生コンポーネントは、インデックス表示画面、スライドショー画面（再生中もしくは停止中）、アセット個別表示画面等において、メタデータを表示するとしてもよい。表示されるメタデータは、ＰＡＳＳデジタルアルバムのＰＡＳＳアセットリストマニフェストファイルに記述されている。
５．４  画像を検索して表示（オプション機能）
再生コンポーネントは、各ＰＡＳＳアセットファイルの撮像された日付、キーワードもしくはレベルに基づいて検索されたＰＡＳＳアセットファイルを表示するとしてもよい。アセットの検索においてこれらの検索キーを組み合わせて使用するとしてもよい。
５．４．１  日付に基づいてＰＡＳＳアセットファイルを検索してインデックス表示画面に表示
再生コンポーネントは、日付情報に基づいてＰＡＳＳアセットファイルを分類し、表示する機能を有するとしてもよい。
再生コンポーネントは、ＰＡＳＳアセットリストマニフェストファイルを読み込んで、各ＰＡＳＳアセットファイルの日付情報を認識する。
日付情報の取得は、Ｅｘｉｆのオリジナルデータ作成日時（３６８６７）、ＰＡＳＳデジタルアルバム作成中の直接入力、もしくは移行時にアセットと共に複製されることによって実現するとしてもよい。
オプショナル表示機能を以下に示す。
年
月
週（例えば、８月第４週）
日（例えば２００４／０８／２５）
再生コンポーネントは、各アセットを選択して表示できるよう、インデックス表示画面にリストアップされている各アセットへのファイルパスを知っている必要がある。
【表６４】
2008530717.tif 000092
再生コンポーネントは、オリジナル静止ＰＡＳＳアセットの配向情報を解釈して、当該アセット用の正しい配向で代表インデックス（サムネイル等）を表示する。
配向情報はＰＡＳＳアセットリストにある。
【表６５ａ】
2008530717.tif 000093
【表６５ｂ】
2008530717.tif 000094
【表６６】
2008530717.tif 000095
アルバムリスト領域の各日付ボタンを選択することによって、ＰＡＳＳアセットリストマニフェストファイル内の日付情報またはＥｘｉｆオリジナルデータ作成日時（３６８６７）に従って、ＰＡＳＳアセットファイルをすべて表示することができる。
【表６７】
2008530717.tif 000096
【表６８】
2008530717.tif 000097
５．４．２  キーワードに基づいてＰＡＳＳアセットファイルを検索して表示（オプション）
再生コンポーネントは、ＰＡＳＳアセットファイルを検索するためのキーワード用のメタデータを認識するとしてもよい。
５．４．２．１  キーワードに基づいてＰＡＳＳアセットファイルを検索
ＰＡＳＳアセットファイルを検索するためのキーワードとして利用することができるメタデータを以下に示す：
【表６９ａ】
2008530717.tif 000098
【表６９ｂ】
2008530717.tif 000099
再生コンポーネントは、上述したキーワードの一部を入力する機能、もしくはキーワード辞書から上述したキーワードの一部を選択する機能を有することができる。
再生コンポーネントは、キーワードとなるメタデータをＰＡＳＳアセットリストマニフェストファイルのメタデータと比較して、基準を満たすアセットを検索する。
【表７０】
2008530717.tif 000100
アセットの表示  ＰＡＳＳアセットファイルが動画、音声付静止画、もしくはマルチショット静止画の場合、再生コンポーネントは、アセット種別を示す注釈または記号のアイコンなど代替情報を表示するとしてもよい。
配向  再生コンポーネントは、オリジナル静止ＰＡＳＳアセットの配向情報を解釈して、当該アセット用の正しい配向で代表インデックス（サムネイル等）を表示する。配向情報はＰＡＳＳアセットリストにある。
【表７１ａ】
2008530717.tif 000101
【表７１ｂ】
2008530717.tif 000102
【表７１ｃ】
2008530717.tif 000103
【表７２ａ】
2008530717.tif 000104
【表７２ｂ】
2008530717.tif 000105
【表７３】
2008530717.tif 000106
５．４．３  レベルに応じてＰＡＳＳアセットファイルを表示（オプション）
再生コンポーネントは、ＰＡＳＳアセットリストマニフェストファイルに記述されたレベルに従ってＰＡＳＳアセットファイルを表示するとしてもよい。
再生コンポーネントは、選択されたレベルのＰＡＳＳアセットファイルを選択して表示することができる。
レベルは、「１」から「５」の数字で記述され、「５」が最優先順位を示す（最も望まれている）。
【表７４】
2008530717.tif 000107
６．  画像を選択してプリントを注文するコンポーネントの機能に関する必要仕様
６．１  ＰＡＳＳデジタルアルバムのアルバムのＰＡＳＳアセットファイルを表示
画像を選択してプリントを注文するコンポーネントは、「ＰＡＳＳ再生コンポーネントの機能に関する必要仕様のセクション５．４．３」で説明された表示機能と同一の表示機能を有していなければならない。このような機能を有することで、当該コンポーネントは、プリントするファイルを選択する目的で、インデックス表示としてＰＡＳＳデジタルアルバムの各アルバムからのＰＡＳＳアセットファイルを表示することができる。
画像を選択してプリントを注文するコンポーネントはまた、「５．４．５  選択されたＰＡＳＳアセットファイルを個別に表示する」で説明された機能を有していなければならない。
６．２  ＰＡＳＳアセットファイルを検索して表示（オプション機能）
画像を選択してプリントを注文するコンポーネントは、「５．５．１  日付に基づいてアセットファイルを検索して表示する」で説明された機能と同一の機能を有するとしてもよい。
キーワードに基づいてプリント用に検索および表示を行うことも可能である。この機能の実施に関してはセクション５．５．２を参照されたい。
６．３  プリントするＰＡＳＳアセットファイルを選択してプリント枚数を入力
画像を選択してプリントを注文するコンポーネントは、プリントするＰＡＳＳアセットファイルを選択して、選択された静止ＰＡＳＳアセットファイルについてプリント枚数を入力する機能を提供する。
【表７５】
2008530717.tif 000108
【表７６】
2008530717.tif 000109
【表７７】
2008530717.tif 000110
６．４  高解像度アセットと選択方法を対応付ける
プリントコンポーネントは、プリントするよう選択されたＰＡＳＳアセットに対してＰＡＳＳアセットリストマニフェストファイルの適切な高解像度ファイルを対応付ける必要がある。ＰＡＳＳデジタルアルバムのファイルの記憶位置を示すファイル構造を以下に示す。
【表７８】
2008530717.tif 000111
【００９２】
ピクチャ・アーカイブ・アンド・シェアリング・スタンダード
（Ｐｉｃｔｕｒｅ  Ａｒｃｈｉｖｅ  ａｎｄ  Ｓｈａｒｉｎｇ  Ｓｔａｎｄａｒｄ）
共同イニシアチブ
富士写真フイルム株式会社、コニカミノルタフォトイメージング株式会社、イーストマン・コダック・カンパニー
バージョン１．０
レシービング／再生システムの必要仕様
２００５年３月１７日
（Ｃ）２００５年、富士写真フイルム株式会社、コニカミノルタフォトイメージング株式会社、イーストマンコダック社、著作権所有
目次
１．  概要・・・・・・・・・・・・・・・・・・・・・・・・・・・・・・・・・・１
１．１．  目的・・・・・・・・・・・・・・・・・・・・・・・・・・・・・・・１
１．２．  対象読者・・・・・・・・・・・・・・・・・・・・・・・・・・・・・１
１．３．  用語の定義・・・・・・・・・・・・・・・・・・・・・・・・・・・・１
１．４．  参照文献・・・・・・・・・・・・・・・・・・・・・・・・・・・・・２
２．  システムの概要・・・・・・・・・・・・・・・・・・・・・・・・・・・・・２
２．１．  ＰＡＳＳの主な特徴・・・・・・・・・・・・・・・・・・・・・・・・２
２．２．  システムの概要・・・・・・・・・・・・・・・・・・・・・・・・・・３
３．  ＰＡＳＳレシービング／再生／プリント選択システムの概要・・・・・・・・・７
３．１．  レシービングシステム・・・・・・・・・・・・・・・・・・・・・・・７
３．２．  再生コンポーネント・・・・・・・・・・・・・・・・・・・・・・・・７
３．３．  画像を選択してプリントを注文するコンポーネント・・・・・・・・・・７
４．  ＰＡＳＳレシービングシステムの機能に関する必要仕様・・・・・・・・・・・８
４．１．  受け入れ可能なＰＡＳＳデジタルアルバム（Ｄｉｇｉｔａｌ  Ａｌｂｕｍ）かどうか確認・・・・・・・・・・・・・・・・・・・・・・・・・・・・・・・・・８
４．１．１．  メディアの種別を認識・・・・・・・・・・・・・・・・・・・・８
４．１．２．  ビデオセグメントが存在するかどうか確認（オプション）・・・・８
４．１．３．  ＰＡＳＳマニフェスト（ＭＡＮＩＦＥＳＴ）ファイルを確認・・・８
４．２．  ＰＡＳＳマニフェストファイルを読み込んで解釈・・・・・・・・・・１０
５．  ＰＡＳＳ再生コンポーネントの機能に関する必要仕様・・・・・・・・・・・１２
５．１．  ＰＡＳＳコンテンツかビデオセグメントを選択して表示・・・・・・・１２
５．１．  ビデオセグメントを再生・・・・・・・・・・・・・・・・・・・・・１３
５．２．  ＰＡＳＳアセット（ＡＳＳＥＴ）リストマニフェストファイルに従って、ロードするＰＡＳＳアセットファイルフォーマットを確認・・・・・・・・・・・・・１３
５．３．  ＰＡＳＳデジタルアルバム内のすべてのアルバム（Ａｌｂｕｍ）の画像を表示・・・・・・・・・・・・・・・・・・・・・・・・・・・・・・・・・・・・・１４
５．３．１．  アルバムリストを表示・・・・・・・・・・・・・・・・・・・１４
５．３．２．  アルバムを選択・・・・・・・・・・・・・・・・・・・・・・１５
５．３．３．  インデックス表示によって各アルバムのＰＡＳＳアセットファイルを表示・・・・・・・・・・・・・・・・・・・・・・・・・・・・・・・・・・・・１５
５．３．４．  スライドショーによって各アルバムのＰＡＳＳアセットファイルを表示・・・・・・・・・・・・・・・・・・・・・・・・・・・・・・・・・・・・・１８
５．３．５．  アルバムから選択されたＰＡＳＳアセットファイルを１枚ずつ表示・・・・・・・・・・・・・・・・・・・・・・・・・・・・・・・・・・・・・２１
５．３．６．  各アセットのメタデータを表示・・・・・・・・・・・・・・・２６
５．４．  画像を検索して表示（オプション機能）・・・・・・・・・・・・・・２６
５．４．１．  日付に基づいてＰＡＳＳアセットファイルを検索してインデックス表示画面に表示・・・・・・・・・・・・・・・・・・・・・・・・・・・・・・・・２６
５．４．２．  キーワードに基づいてＰＡＳＳアセットファイルを検索して表示（オプション）・・・・・・・・・・・・・・・・・・・・・・・・・・・・・・・・・３０
５．４．３．  レベルに応じてＰＡＳＳアセットファイルを表示（オプション）・・・・・・・・・・・・・・・・・・・・・・・・・・・・・・・・・・・・３５
６．  画像を選択してプリントを注文するコンポーネントの機能に関する必要仕様・３６
６．１．  ＰＡＳＳデジタルアルバムのアルバムのＰＡＳＳアセットファイルを表示・・・・・・・・・・・・・・・・・・・・・・・・・・・・・・・・・・・・・３６
６．２．  ＰＡＳＳアセットファイルを検索して表示（オプション機能）・・・・３６
６．３．  プリントするＰＡＳＳアセットファイルを選択してプリント枚数を入力・・・・・・・・・・・・・・・・・・・・・・・・・・・・・・・・・・・・・３６
６．４．  高解像度アセットと選択方法を対応付ける・・・・・・・・・・・・・３８
Ｆｉｇｕｒｅｓ
Ｆｉｇｕｒｅ１  ＰＡＳＳの特徴・・・・・・・・・・・・・・・・・・・・・・・・３
Ｆｉｇｕｒｅ２  ディスクの論理的な仕様（ＬＤＳ）の構成・・・・・・・・・・・・５
Ｆｉｇｕｒｅ３  ＰＡＳＳデジタルアルバムオリジネイティング（Ｄｉｇｉｔａｌ  Ａｌｂｕｍ  Ｏｒｉｇｉｎａｔｉｎｇ）システム（ショップ、写真現像店）・・・・・・・５
Ｆｉｇｕｒｅ４  ＰＡＳＳデジタルアルバムレシービングシステム  タイプ１  （ＤＶＤプレーヤー）・・・・・・・・・・・・・・・・・・・・・・・・・・・・・・・・・６
Ｆｉｇｕｒｅ５  ＰＡＳＳデジタルアルバムレシービングシステム  タイプ２  （プリントショップ、写真現像店）・・・・・・・・・・・・・・・・・・・・・・・・・・・６
Ｆｉｇｕｒｅ６  ＰＡＳＳデジタルアルバムレシービングシステム  タイプ３  （ＰＣアプリケーション）・・・・・・・・・・・・・・・・・・・・・・・・・・・・・・・６
Ｆｉｇｕｒｅ７  ＰＡＳＳデジタルアルバムが再生コンポーネントを有するＰＡＳＳレシービングシステムに挿入された場合の処理フローの一例・・・・・・・・・・・・・・９
Ｆｉｇｕｒｅ８  ＰＡＳＳデジタルアルバムがプリントコンポーネントを有するＰＡＳＳレシービングシステムに挿入された場合の処理フローの一例・・・・・・・・・・・１０
Ｆｉｇｕｒｅ９  ＰＡＳＳマニフェストファイル間の順序および関係・・・・・・・１１
Ｆｉｇｕｒｅ１０  メニュー画面の一例・・・・・・・・・・・・・・・・・・・・１３
Ｆｉｇｕｒｅ１１  アルバムボタンの表示の一例・・・・・・・・・・・・・・・・１５
Ｆｉｇｕｒｅ１２  インデックス表示画面の一例・・・・・・・・・・・・・・・・１８
Ｆｉｇｕｒｅ１３  スライドショー再生画面の一例・・・・・・・・・・・・・・・２１
Ｆｉｇｕｒｅ１４  静止画用の個別アセット画面の表示例・・・・・・・・・・・・２４
Ｆｉｇｕｒｅ１５  動画／ビデオ画面を有する静止画用の個別アセット画面の表示例２５
Ｆｉｇｕｒｅ１６  マルチショット用の個別のアセット画面の表示例・・・・・・・２６
Ｆｉｇｕｒｅ１７  月毎にアセットを検索した場合のインデックス画面の一例・・・２９
Ｆｉｇｕｒｅ１８  日付毎にアセットを検索した場合のインデックス画面の一例・・３０
Ｆｉｇｕｒｅ１９  キーワードに基づいて検索した場合の表示画面の一例・・・・・３５
Ｆｉｇｕｒｅ２０  レベルを選択する場合の画面表示例・・・・・・・・・・・・・３６
Ｆｉｇｕｒｅ２１  プリントすべきアセットファイルを選択する場合の画面の一例・３７
Ｆｉｇｕｒｅ２２  日付毎に検索されたアセットからプリントすべきものを選択する一例・・・・・・・・・・・・・・・・・・・・・・・・・・・・・・・・・・・・・３８
Ｆｉｇｕｒｅ２３  高解像度アセットファイルの位置を示すＰＡＳＳ推奨ファイル構造・・・・・・・・・・・・・・・・・・・・・・・・・・・・・・・・・・・・・３９
Ｔａｂｌｅｓ
Ｔａｂｌｅ  １  メニュー画面上の機能・・・・・・・・・・・・・・・・・・・・１２
Ｔａｂｌｅ  ２  ＰＡＳＳ推奨アセットタイプ・・・・・・・・・・・・・・・・・１３
Ｔａｂｌｅ  ３  アルバムボタン上に表示される項目・・・・・・・・・・・・・・１４
Ｔａｂｌｅ  ４  インデックス表示画面に表示される項目・・・・・・・・・・・・１６
Ｔａｂｌｅ  ５  インデックス表示画面上の機能・・・・・・・・・・・・・・・・１６
Ｔａｂｌｅ  ６  スライドショー再生画面上に表示される項目・・・・・・・・・・１９
Ｔａｂｌｅ  ７  スライドショー再生画面上の機能・・・・・・・・・・・・・・・１９
Ｔａｂｌｅ  ８  アセット個別表示画面上に表示される項目・・・・・・・・・・・２２
Ｔａｂｌｅ  ９  個別にアセットを表示する場合の機能・・・・・・・・・・・・・２３
Ｔａｂｌｅ  １０  インデックスリスト表示・・・・・・・・・・・・・・・・・・２７
Ｔａｂｌｅ  １１  日付毎に検索する場合に表示される項目・・・・・・・・・・・２７
Ｔａｂｌｅ  １２  インデックス表示画面上の機能・・・・・・・・・・・・・・・２８
Ｔａｂｌｅ  １３  検索機能用に定義されたキーワード用メタデータ・・・・・・・３０
Ｔａｂｌｅ  １４  キーワード検索用のアセットのファイル位置・・・・・・・・・３２
Ｔａｂｌｅ  １５  キーワードに基づいて検索する場合インデックス画面上に表示される項目・・・・・・・・・・・・・・・・・・・・・・・・・・・・・・・・・・・・３２
Ｔａｂｌｅ  １６  キーワードに基づいて検索する場合のインデックス表示画面上の機能・・・・・・・・・・・・・・・・・・・・・・・・・・・・・・・・・・・・・３４
Ｔａｂｌｅ  １７  選択画面上でプリント注文を入力するための機能・・・・・・・３７
１．  概要
ピクチャ・アーカイブ・アンド・シェアリング・スタンダード（ＰＡＳＳ）は、デジタルイメージング産業が率いるイニシアチブで、以前は容易または確実に実施できなかった方法で、消費者がデジタル画像を簡単に保存、プリント、再生および共有できるための規格である。
技術の進歩に従い、デジタルコンテンツの形態が、静止画像、動画、音声または音楽、およびグラフィック等多様化している。また技術革新により、こういった多様なフォーマットのデジタルデータの編集、複製および統合が可能となっている。また、デジタル静止画撮像カメラ、ＤＶＤプレーヤー、デジタルビデオカメラ、および携帯電話などデバイス毎に利用するデジタルフォーマットが異なる。しかし、パソコンとは違って、こういったデバイスは複数の異なるフォーマットに対する対応／再生ができない。そのような技術の発展はゆっくりとしか進んでいない。
ＰＡＳＳ仕様書では、物理メディア上で情報をエンコードする方法を定義し、すべての参加企業の製品を、当該メディア上の情報を理解できるように構成する。具体的にＰＡＳＳでは、アセットのエンコード処理およびデコード処理を定義し、ＰＡＳＳシステムに共通したユーザインタフェースの必要仕様を記述している。ＰＡＳＳアーキテクチャは、言語およびプラットフォームでは限定されないオープンシステム規格に基づいて構成され、異種システムでも機能することができる。
ＰＡＳＳに関しては、参加企業による共通規格の売却および利用を可能とするべく、ロゴ、商標およびライセンスプログラムを設ける。このようなプログラムに基づき、参加企業はそれぞれの事業に関連する需要に応じ、機能性が保証された仕様に従った、ＰＡＳＳのロゴがあることによって消費者がそれと認識できる製品を生産できるようになる。
ＰＡＳＳの仕様を、従来の家庭用写真産業を支えてきた規格（プロセスＣ−４１（ＰｒｏｃｅｓｓＣ−４１）、フィルムストリップおよびカートリッジから成る標準的な構造、紙のフォーマット等）と比較することもできる。こういった規格が生まれなければ、写真は愛好家のものだけにとどまっていたであろう。これらの規格があってこそ、写真産業は大きな市場を持つ非常に成功した主要な消費者産業へと成長してきたのである。ＰＡＳＳの仕様は、デジタル写真産業に対して上記の規格と同様の効果を持つ。
ＰＡＳＳイニシアチブでは、現在そして将来にわたって消費者が簡単にコンテンツを楽しむことができるように、一般向け画像／コンテンツを扱ったり管理している企業すべてからの参加を歓迎する。
１．１  目的
この文献では、ピクチャ・アーカイブ・アンド・シェアリング・システム（Ｐｉｃｔｕｒｅ  Ａｒｃｈｉｖｅ  ＆  Ｓｈａｒｉｎｇ  Ｓｙｓｔｅｍ）に対応しておりＰＡＳＳデジタルアルバム（Ｄｉｇｉｔａｌ  Ａｌｂｕｍ）を受信および再生する、ＰＡＳＳレシービング／再生システムの必要仕様を詳細に説明する。
１．２  対象読者
以下の分野で開発に従事しているソフトウェア開発者を対象としている：
ＰＡＳＳデジタルアルバムを受信および再生する、ＤＶＤプレーヤー等の家庭用電化製品（ＣＥ）デバイス
ＰＡＳＳデジタルアルバムを受信することができて、プリントする画像をその中から選択できる写真現像店およびショップ等の写真産業用のアプリケーションソフトウェア
家庭用アプリケーションソフトウェア、例えばビューワアプリケーション
１．３  用語の定義
ＰＡＳＳの完全な用語集については、ＰＡＳＳディスクの論理的な仕様（Ｌｏｇｉｃａｌ  Ｄｉｓｃ  Ｓｐｅｃｉｆｉｃａｔｉｏｎ：ＬＤＳ）のセクション２を参照されたい。
１．４  参照文献
ＰＡＳＳディスクの論理的な仕様（ＬＤＳ）
ＰＡＳＳオリジネイティング／オーサリングシステムの必要仕様
ＰＡＳＳオーサリングシステムソフトウェア開発キット開発者用マニュアル
ＰＡＳＳホワイトペーパー（２００５年３月）
参照文献を網羅したリストに関しては、ＰＡＳＳディスクの論理的な仕様（ＬＤＳ）の添付書類Ｆを参照されたい。
２．  システムの概要
２．１  ＰＡＳＳの主な特徴
ＰＡＳＳでは数多くの特徴が定義されている。ＰＡＳＳシステムの主な特徴を以下に示す。
簡単に家庭用電化製品（ＣＥ）デバイスを利用してスライドショーを見る
簡単に現在のＤＶＤプレーヤーおよびＰＡＳＳ対応のＤＶＤプレーヤーを用いて、テレビ、パソコン等のＣＥデバイスで写真のスライドショーを再生
ＣＥデバイスでプレビューしてプリントを簡単に注文
スライドショーを見ている間に注文したいスライド番号をチェック。そのスライド番号を写真注文シートに追加する。
対象のＰＡＳＳデジタルアルバムと一緒に、プリント注文を近くの写真ショップに持っていく。
どのプリントショップでも簡単にプリントを注文
ＰＡＳＳデジタルアルバムを利用して、ＰＡＳＳ対応のプリントショップであればどこでもプリントを注文できる。
簡単に写真を検索
ＰＡＳＳデジタルアルバムを利用することによって、日付および自分で選んだキーワードに基づいて画像を短時間で簡単に検索できる。
写真を安全に移行
様々なメディアのフォーマット（例えば、ＣＤ、メモリカード等）を、新型で容量のより大きいストレージデバイス（例えばＤＶＤ）にまとめる。
写真の履歴を失うことなく（メタデータを維持しつつ）多くの別のメディアをまとめて１つのＰＡＳＳデジタルアルバムを作成する。
写真を容易に共有
それぞれの写真に書き加えた日付および場所、イベント、人物の名前等の情報を失うことなく、ＰＡＳＳデジタルアルバムを他者と共有する。
【表７９】
2008530717.tif 000112
２．２  システムの概要
ＰＡＳＳシステムは主に、以下に挙げるシステムおよびコンポーネントから構成されている。
（１）オリジネイティングシステム
ＰＡＳＳデジタルアルバムをＰＡＳＳディスクに作成するオリジネイティングシステムは通常以下の機能を有する：
（ａ）  様々なメディアから消費者のデータを取得して、ＰＡＳＳデジタルアルバムでＰＡＳＳフォーマットに変換する。
（ｂ）  ＰＡＳＳディスク上の消費者の画像についてメタデータ（日付、キーワード等）を取得／生成する。
（ｃ）  ＰＡＳＳディスクに、ＣＥデバイスで再生可能なスライドショーとして、デジタルアルバムを作成する。
（ｄ）  複数のＰＡＳＳディスクから新たな１枚のＰＡＳＳディスクを作成する。これを消費者のデータを失うことなく何世代にもわたって繰り返す。
（ｅ）  オプションで、既存のＤＶＤプレーヤーで再生可能な短いビデオセグメントを作成する。
（２）  レシービングシステム
ＰＡＳＳレシービングシステムは少なくとも以下の機能を実現する：
（ａ）  ＰＡＳＳアセットファイルフォーマットを確認する。
（ｂ）  ＰＡＳＳデジタルアルバムを読み込んで正しく解釈する。
（ｃ）  再生コンポーネントまたはプリントコンポーネント（レシービングシステムは、この２つのコンポーネントのうち少なくとも片方を備えている必要がある）。
（３）  再生コンポーネント
レシービングシステムに含まれる再生コンポーネントは、以下の機能を有する。
（ａ）  アルバムマニフェストファイルおよびアセットリストマニフェストファイルに従ってＰＡＳＳデジタルアルバムを表示する。
（ｂ）  ＰＡＳＳディスクの複数のＰＡＳＳデジタルアルバムマニフェストファイルからあるアルバムを選択する。
（ｃ）  オプションで、日付および／またはキーワードで検索したＰＡＳＳアセットファイルを表示する。
（４）  画像を選択してプリントを注文するコンポーネント
このコンポーネントは以下の機能を有する。
（ａ）  プリントを注文するべく静止ＰＡＳＳアセットファイルを選択する。
以下の図は上述した各構成要素および構成要素間の関係を示す。
【表８０】
2008530717.tif 000113
【表８１】
2008530717.tif 000114
【表８２】
2008530717.tif 000115
【表８３】
2008530717.tif 000116
【表８４】
2008530717.tif 000117
３．  ＰＡＳＳレシービング／再生／プリント選択システムの概要
ＰＡＳＳレシービング／再生／プリント選択システム（レシービングシステムまたはＲ／Ｐシステムと呼ぶ）は、ＰＡＳＳデジタルアルバムを読み込む家庭用デバイスを意味する。Ｒ／Ｐシステムは様々な形態で実現することができる。例えば、ショップ、パソコン、ＤＶＤプレーヤー等が挙げられる。
３．１  レシービングシステム
レシービングシステムはＰＡＳＳデジタルアルバムを読み込む。レシービングシステムの主要な役割は、メディアの書き込みがどのように行われたのか判断するべくＰＡＳＳインデックスマニフェストファイルを読み込むことである。Ｒ／Ｐは、当該メディア上のアセットおよび表示に関する情報が保存されたＰＡＳＳアルバムマニフェストファイルおよびＰＡＳＳアセットリストマニフェストファイルへのアクセスを有する。この情報は、再生コンポーネント、プリントコンポーネントによって利用されるか、またはコンテンツ・ストレージシステムとインターフェースするために利用される。レシービングシステムは以下の機能を担当する：
（ａ）  メディア上のＰＡＳＳアセットファイルを確認
（ｂ）  ＰＡＳＳインデックスマニフェストファイルの位置を特定して解釈
（ｃ）  ＰＡＳＳアルバムマニフェストファイルの位置を特定して解釈
（ｄ）  ＰＡＳＳアセットリストマニフェストファイルの位置を特定して解釈
３．２  再生コンポーネント
Ｒ／Ｐシステムの再生コンポーネントは、ＰＡＳＳデジタルアルバム表示を行うように設定されたシステムの必要仕様に対応する。ＤＶＤプレーヤーまたはＰＣ上のソフトウェアＤＶＤプレーヤーが含まれる。再生コンポーネントは以下の機能を担当する：
（ａ）  ＰＡＳＳデジタルアルバムの表示層を読み込んで再生（例えば、ＤＶＤ−ビデオ、ビデオ−ＣＤ等）
（ｂ）ＰＡＳＳデジタルアルバムマニフェストとビデオセグメントの再生順序を決定するべく優先順位を確認（オプション）
（ｃ）  ＰＡＳＳデジタルアルバムを選択して表示
（ｄ）  インデックスによって各アルバムのＰＡＳＳアセットファイルを表示
（ｅ）  スライドショーによって各アルバムのＰＡＳＳアセットファイルを表示
（ｆ）  ＰＡＳＳアセットファイルを個別に表示
（ｇ）  各ＰＡＳＳアセットファイルのメタデータを表示
（ｈ）  スライドショーを再生している間ＢＧＭを再生（オプション）
（ｉ）  オプション機能として、日付に基づいてＰＡＳＳアセットファイルを検索して表示
（ｊ）  オプション機能として、キーワードに基づいてＰＡＳＳアセットファイルを検索して表示
３．３  画像を選択してプリントを注文するコンポーネント
このコンポーネントの機能によりユーザは、静止ＰＡＳＳアセットファイルを選択してプリントの注文を出すことができる。
４．  ＰＡＳＳレシービングシステムの機能に関する必要仕様
４．１  受け入れ可能なＰＡＳＳデジタルアルバムかどうか確認
４．１．１．  メディアの種別を認識
ＰＡＳＳレシービングシステムは、挿入されたディスクのメディアタイプを認識し、挿入されたディスクを読み込むことができなければならない。受け入れ可能なメディアのタイプはＣＤ−ＲとＤＶＤ−Ｒである。
４．１．２．  ビデオセグメントが存在するかどうか確認（オプション）
再生コンポーネントを有するＰＡＳＳレシービングシステムは、ＰＡＳＳデジタルアルバムのＰＡＳＳマニフェストファイルを確認する前に、挿入されたＰＡＳＳデジタルアルバムにＤＶＤ−ビデオまたはビデオ−ＣＤといったビデオセグメントがあるかどうか確認することができるとしてもよい。この処理フローの一例をＦｉｇｕｒｅ７に示す。
４．１．３  ＰＡＳＳマニフェストファイルを確認
ＰＡＳＳレシービングシステムは、ＰＡＳＳデジタルアルバムのルート位置にある「ＰＡＳＳＩＤＸ．ＰＶＭ」であるＰＡＳＳインデックスマニフェストファイルを読み込んで解釈する必要がある。インデックスマニフェストファイルを見つけると、Ｒ／Ｐシステムはオリジネータ情報（＜ｐａｓｓ：ｏｒｉｇｉｎａｔｏｒ＞）および／またはＰＡＳＳバージョン情報（＜ｐａｓｓ：ｓｐｅｃｉｆｉｃａｔｉｏｎＶｅｒｓｉｏｎ＞）を確認する。
この情報に基づきＰＡＳＳレシービングシステムは、挿入されたＰＡＳＳデジタルアルバムがメディアで利用可能かどうか認定する。Ｒ／ＰシステムがＰＡＳＳデジタルアルバムが存在すると認識する場合、レシービングシステムは別の２種類のＰＡＳＳマニフェストファイルの解釈を試みる。その２種類のファイルとは、アルバムマニフェストファイルおよびアセットリストマニフェストファイルである。
この処理フローを以下のＦｉｇｕｒｅ７およびＦｉｇｕｒｅ８に例示する：
【表８５】
2008530717.tif 000118
【表８６】
2008530717.tif 000119
４．２  ＰＡＳＳマニフェストファイルを読み込んで解釈
ＰＡＳＳインデックスマニフェストファイル（１）「ＰＡＳＳＩＤＸ．ＰＶＭ」を見つけて特定すると、レシービングシステムは、ＰＡＳＳアルバムマニフェストファイル（２）への参照を有するＰＡＳＳＩＤＸ．ＰＶＭの処理を開始する。各ＰＡＳＳアルバムマニフェストファイルは、アセットロール（ＡＳＳＥＴ  ＲＯＬＬ）ディレクトリ（３Ａ）もしくは共有（ＳＨＡＲＥＤ）ディレクトリ（３Ｂ）のＰＡＳＳアセットリストマニフェストファイルへの参照を有する。ＰＡＳＳアセットリストマニフェストファイルは、オリジナルＰＡＳＳアセットファイル（４Ａ）またはその特定のアセットロールディレクトリの表示ディレクトリ（４Ｂ）からレンディションファイルを表示するために必要な情報を有する。
ＰＡＳＳマニフェストファイル間の処理順序および関係を以下のＦｉｇｕｒｅ９に示す。
【表８７】
2008530717.tif 000120
ＰＡＳＳレシービングシステムは、ＰＡＳＳディスクの論理的な仕様（ＬＤＳ）で定義された３種類のＰＡＳＳマニフェストファイル、つまりＰＡＳＳインデックスマニフェストファイル、ＰＡＳＳアルバムマニフェストファイルおよびＰＡＳＳアセットリストマニフェストファイルに記述されたメタデータを全て読み込んで解釈する。
ＰＡＳＳデジタルアルバムが有するＰＡＳＳインデックスマニフェストファイルはただ１つでなければならない。
これら３種類のマニフェストファイルの詳細に関しては、ＰＡＳＳディスクの論理的な仕様（ＬＤＳ）のセクション３．４．２を参照されたい。
５．  ＰＡＳＳ再生コンポーネントの機能に関する必要仕様
５．１  ＰＡＳＳコンテンツかビデオセグメントを選択して表示
ＰＡＳＳコンテンツ（ＰＡＳＳアセットファイルおよびＰＡＳＳマニフェストファイル）とＤＶＤ−ビデオまたはビデオ−ＣＤのようなビデオセグメントが共に存在する場合、ＰＡＳＳ再生コンポーネントは以下のいずれかを選択する。
（ａ）ＰＡＳＳコンテンツだけを表示する
（ｂ）ＰＡＳＳコンテンツをデフォルトで表示し、オプションでＰＡＳＳコンテンツかビデオセグメントのいずれを表示するかを選択する。
（ｃ）デフォルト設定なしで、ＰＡＳＳコンテンツまたはビデオセグメントのいずれを表示するか選択する機能を有する。
上述したように、ＰＡＳＳ再生コンポーネントは、オプション機能としてメニュー画面を提示することによって、メディアのＰＡＳＳコンテンツかビデオセグメントのうちどちらを表示するかを選択することができるとしてもよい。
【表８８】
2008530717.tif 000121
【表８９】
2008530717.tif 000122
５．１  ビデオセグメントを再生
再生コンポーネントは、挿入されたメディアにビデオコンテンツも存在するとＰＡＳＳレシービングシステムが認識した場合に、ＤＶＤ−ビデオまたはビデオ−ＣＤ等のビデオセグメントを再生するという機能をオプションで有するとしてもよい。
５．２  ＰＡＳＳアセットリストマニフェストファイルに従って、ロードするＰＡＳＳアセットファイルフォーマットを確認
再生コンポーネントは、アセットリストマニフェストファイルに挙げられているＰＡＳＳアセットファイルフォーマットをそれぞれ確認する。
認識され得るＰＡＳＳデジタルアルバムメディアが挿入された場合にＲ／Ｐシステムがデコードおよび表示しなければならないＰＡＳＳアセットファイルのフォーマットを以下に示す：
【表９０ａ】
2008530717.tif 000123
【表９０ｂ】
2008530717.tif 000124
５．３  ＰＡＳＳデジタルアルバム内のすべてのアルバムの画像を表示
５．３．１  アルバムリストを表示
再生コンポーネントは、ＰＡＳＳアルバムマニフェストファイルを解釈して、アルバムリスト領域に各「アルバムボタン」を表示する。この際、以下に示す情報を表示する。
【表９１】
2008530717.tif 000125
【表９２】
2008530717.tif 000126
５．３．２  アルバムを選択
再生コンポーネントは、ＰＡＳＳデジタルアルバムに基づいて表示されたアルバムリストの中からアルバムを選択する機能を有していなければならない。
５．３．３  インデックス表示によって各アルバムのＰＡＳＳアセットファイルを表示
再生コンポーネントは、インデックス表示にて、ＰＡＳＳデジタルアルバムの各アルバムのすべてのＰＡＳＳアセットファイルを表示しなければならない。
５．３．３．１  インデックス表示画面上にＰＡＳＳアセットファイルを表示
再生コンポーネントは、ＰＡＳＳアセットリストマニフェストファイルを読み込み、各ＰＡＳＳアセットファイルへのパスを認識する。
レンディションファイル利用  ＰＡＳＳアセットが静止画、音声付静止画、もしくはマルチショット静止画の場合、表示ディレクトリにおける表示用画像ファイル（オリジナル静止ＰＡＳＳアセットファイルのレンディション）またはオリジナルＰＡＳＳアセットファイルのＥｘｉｆサムネイルを用いてインデックス表示を実現する。
オリジナルファイル利用  ＰＡＳＳアセットが動画の場合、アセットロールディレクトリにおけるオリジナル・モーション・ファイルを用いてインデックス表示を実現する。
アイコンまたは記号利用  ＰＡＳＳアセットが動画、音声付静止画もしくはマルチショット静止画の場合、正しいアセット種別を示す何らかの情報（例えばテキストでの注釈、記号もしくはアイコン）が利用できる（オプション）。
配向  再生コンポーネントは、オリジナル静止アセットの配向情報を解釈して、レンディションファイル、Ｅｘｉｆサムネイルまたはオリジナルアセットを必要に応じて正しく表示する。
ＰＡＳＳアセットリストマニフェストファイルにオリジナルＰＡＳＳアセットファイルに関する何らかのメタデータが記述されているが、オリジナルＰＡＳＳアセットファイルがアセットロールディレクトリに存在しない場合、再生コンポーネントは、紛失したアセットへの参照はインデックス表示に含まない。
【表９３】
2008530717.tif 000127
【表９４ａ】
2008530717.tif 000128
【表９４ｂ】
2008530717.tif 000129
【表９５】
2008530717.tif 000130
５．３．４  スライドショーによって各アルバムのＰＡＳＳアセットファイルを表示
再生コンポーネントは、選択されたアルバムについてスライドショーの再生を開始するための機能ボタンを提供する。
５．３．４．１  スライドショー再生画面でＰＡＳＳアセットファイルを表示
再生コンポーネントは、インデックス表示画面（上記の例を参照のこと）に「スライドショー再生」ボタンを提示するとしてもよい。
スライドショーに関して、表示するアルバムおよびアセットの順序、および選択はＰＡＳＳアルバムマニフェストファイルに従う。
時間間隔  提示される中にマルチショット静止アセットが含まれている場合、各アセット間の時間間隔はＰＡＳＳアルバムマニフェストファイルで定義される。
配向  各アセットの情報はＰＡＳＳアセットリストマニフェストファイルに記されている。アセットは、オリジナル、レンディションもしくはサムネイルのいずれの場合でも、アセットリストマニフェストファイルで定義された配向に従って提示される。
オリジナルＰＡＳＳアセットファイルに関するメタデータがＰＡＳＳアセットリストマニフェストファイルに記述されているがアセットロールディレクトリにオリジナルＰＡＳＳアセットファイルがない場合、再生コンポーネントはスライドショーを表示する場合にそのアセットは表示しない。
【表９６】
2008530717.tif 000131
５．３．４．２  スライドショーの再生
再生コンポーネントは、選択されたアルバムのＰＡＳＳアルバムマニフェストファイルを解釈して、ＰＡＳＳアセットファイル表示順序の情報に従ってスライドショーを再生する。その情報には、各ＰＡＳＳアセットファイルの再生時間、移行エフェクトおよびＢＧＭなどが含まれる。これらの属性の定義については、ＭＰＶ仕様書を参照されたい。
【表９７】
2008530717.tif 000132
【表９８ａ】
2008530717.tif 000133
【表９８ｂ】
2008530717.tif 000134
【表９９】
2008530717.tif 000135
５．３．５  アルバムから選択されたＰＡＳＳアセットファイルを１枚ずつ表示
再生コンポーネントは、選択されたＰＡＳＳアセットファイルを１枚ずつ順番に表示する機能を有する。
５．３．５．１  個別にＰＡＳＳアセットファイルを表示
インデックス表示画面でＰＡＳＳアセットファイルを選択することによってユーザは、個別表示モードを開始することができる。
ＰＡＳＳアセットファイルが動画の場合、モーションファイルの代表画像を表示する。または、アイコンもしくはテキストで提示するとしてもよい。
再生コンポーネントは、所定の配向でオリジナル、レンディションもしくはサムネイルを表示するべく、ＰＡＳＳアセットリストマニフェストファイルに記述された配向情報を解釈する。
【表１００ａ】
2008530717.tif 000136
【表１００ｂ】
2008530717.tif 000137
【表１０１ａ】
2008530717.tif 000138
【表１０１ｂ】
2008530717.tif 000139
【表１０２ａ】
2008530717.tif 000140
【表１０２ｂ】
2008530717.tif 000141
【表１０３】
2008530717.tif 000142
【表１０４】
2008530717.tif 000143
【表１０５】
2008530717.tif 000144
５．３．６  各アセットのメタデータを表示
再生コンポーネントは、インデックス表示画面、スライドショー画面（再生中もしくは停止中）、アセット個別表示画面等において、メタデータを表示するとしてもよい。表示されるメタデータは、ＰＡＳＳデジタルアルバムのＰＡＳＳアセットリストマニフェストファイルに記述されている。
５．４  画像を検索して表示（オプション機能）
再生コンポーネントは、各ＰＡＳＳアセットファイルの撮像された日付、キーワードもしくはレベルに基づいて検索されたＰＡＳＳアセットファイルを表示するとしてもよい。アセットの検索においてこれらの検索キーを組み合わせて使用するとしてもよい。
５．４．１  日付に基づいてＰＡＳＳアセットファイルを検索してインデックス表示画面に表示
再生コンポーネントは、日付情報に基づいてＰＡＳＳアセットファイルを分類し、表示する機能を有するとしてもよい。
再生コンポーネントは、ＰＡＳＳアセットリストマニフェストファイルを読み込んで、各ＰＡＳＳアセットファイルの日付情報を認識する。
日付情報の取得は、Ｅｘｉｆのオリジナルデータ作成日時（３６８６７）、ＰＡＳＳデジタルアルバム作成中の直接入力、もしくは移行時にアセットと共に複製されることによって実現するとしてもよい。
オプショナル表示機能を以下に示す。
年
月
週（例えば、８月第４週）
日（例えば２００４／０８／２５）
再生コンポーネントは、各アセットを選択して表示できるよう、インデックス表示画面にリストアップされている各アセットへのファイルパスを知っている必要がある。
【表１０６】
2008530717.tif 000145
再生コンポーネントは、オリジナル静止ＰＡＳＳアセットの配向情報を解釈して、当該アセット用の正しい配向で代表インデックス（サムネイル等）を表示する。
配向情報はＰＡＳＳアセットリストにある。
【表１０７ａ】
2008530717.tif 000146
【表１０７ｂ】
2008530717.tif 000147
【表１０８】
2008530717.tif 000148
アルバムリスト領域の各日付ボタンを選択することによって、ＰＡＳＳアセットリストマニフェストファイル内の日付情報またはＥｘｉｆオリジナルデータ作成日時（３６８６７）に従って、ＰＡＳＳアセットファイルをすべて表示することができる。
【表１０９】
2008530717.tif 000149
【表１１０】
2008530717.tif 000150
５．４．２  キーワードに基づいてＰＡＳＳアセットファイルを検索して表示（オプション）
再生コンポーネントは、ＰＡＳＳアセットファイルを検索するためのキーワード用のメタデータを認識するとしてもよい。
５．４．２．１  キーワードに基づいてＰＡＳＳアセットファイルを検索
ＰＡＳＳアセットファイルを検索するためのキーワードとして利用することができるメタデータを以下に示す：
【表１１１ａ】
2008530717.tif 000151
【表１１１ｂ】
2008530717.tif 000152
再生コンポーネントは、上述したキーワードの一部を入力する機能、もしくはキーワード辞書から上述したキーワードの一部を選択する機能を有することができる。
再生コンポーネントは、キーワードとなるメタデータをＰＡＳＳアセットリストマニフェストファイルのメタデータと比較して、基準を満たすアセットを検索する。
【表１１２】
2008530717.tif 000153
アセットの表示  ＰＡＳＳアセットファイルが動画、音声付静止画、もしくはマルチショット静止画の場合、再生コンポーネントは、アセット種別を示す注釈または記号のアイコンなど代替情報を表示するとしてもよい。
配向  再生コンポーネントは、オリジナル静止ＰＡＳＳアセットの配向情報を解釈して、当該アセット用の正しい配向で代表インデックス（サムネイル等）を表示する。配向情報はＰＡＳＳアセットリストにある。
【表１１３ａ】
2008530717.tif 000154
【表１１３ｂ】
2008530717.tif 000155
【表１１３ｃ】
2008530717.tif 000156
【表１１４ａ】
2008530717.tif 000157
【表１１４ｂ】
2008530717.tif 000158
【表１１５】
2008530717.tif 000159
５．４．３  レベルに応じてＰＡＳＳアセットファイルを表示（オプション）
再生コンポーネントは、ＰＡＳＳアセットリストマニフェストファイルに記述されたレベルに従ってＰＡＳＳアセットファイルを表示するとしてもよい。
再生コンポーネントは、選択されたレベルのＰＡＳＳアセットファイルを選択して表示することができる。
レベルは、「１」から「５」の数字で記述され、「５」が最優先順位を示す（最も望まれている）。
【表１１６】
2008530717.tif 000160
６．  画像を選択してプリントを注文するコンポーネントの機能に関する必要仕様
６．１  ＰＡＳＳデジタルアルバムのアルバムのＰＡＳＳアセットファイルを表示
画像を選択してプリントを注文するコンポーネントは、「ＰＡＳＳ再生コンポーネントの機能に関する必要仕様のセクション５．４．３」で説明された表示機能と同一の表示機能を有していなければならない。このような機能を有することで、当該コンポーネントは、プリントするファイルを選択する目的で、インデックス表示としてＰＡＳＳデジタルアルバムの各アルバムからのＰＡＳＳアセットファイルを表示することができる。
画像を選択してプリントを注文するコンポーネントはまた、「５．４．５  選択されたＰＡＳＳアセットファイルを個別に表示する」で説明された機能を有していなければならない。
６．２  ＰＡＳＳアセットファイルを検索して表示（オプション機能）
画像を選択してプリントを注文するコンポーネントは、「５．５．１  日付に基づいてアセットファイルを検索して表示する」で説明された機能と同一の機能を有するとしてもよい。
キーワードに基づいてプリント用に検索および表示を行うこともできる。この機能の実施に関してはセクション５．５．２を参照されたい。
６．３  プリントするＰＡＳＳアセットファイルを選択してプリント枚数を入力
画像を選択してプリントを注文するコンポーネントは、プリントするＰＡＳＳアセットファイルを選択して、選択された静止ＰＡＳＳアセットファイルについてプリント枚数を入力する機能を提供する。
【表１１７】
2008530717.tif 000161
【表１１８】
2008530717.tif 000162
【表１１９】
2008530717.tif 000163
６．４  高解像度アセットと選択方法を対応付ける
プリントコンポーネントは、プリントするよう選択されたＰＡＳＳアセットに対してＰＡＳＳアセットリストマニフェストファイルの適切な高解像度ファイルを対応付ける必要がある。ＰＡＳＳデジタルアルバムのファイルの記憶位置を示すファイル構造を以下に示す。
【表１２０】
2008530717.tif 000164
【００９３】
ピクチャ・アーカイビング・アンド・シェアリング・スタンダード
ジョイント・イニシアティブ
ディスクの論理的な仕様
バージョン１．１０
２００５年１１月１８日
Ｆｕｊｉ  Ｐｈｏｔｏ  Ｆｉｌｍ  Ｃｏ．，Ｌｔｄ．，
Ｋｏｎｉｃａ  Ｍｉｎｏｌｔａ  Ｐｈｏｔｏ  Ｉｍａｇｉｎｇ，  Ｉｎｃ．，
Ｅａｓｔｍａｎ  Ｋｏｄａｋ  Ｃｏｍｐａｎｙ
著作権、２００５年、富士写真フイルム株式会社、コニカミノルタフォトイメージング株式会社、イーストマンコダック社
本仕様書またはそのいかなる部分をもいかなる形態においても複製又は修正する権利を含む著作権を所有。
目次
１．  ＰＡＳＳ概略・・・・・・・・・・・・・・・・・・・・・・・・・・・・１
１．１  ＰＡＳＳの主要な特徴・・・・・・・・・・・・・・・・・・・・・・・・２
１．２  システム概略・・・・・・・・・・・・・・・・・・・・・・・・・・・・３
２．０  ＰＡＳＳディスクの論理的な仕様へのイントロダクション・・・・・・・・８
２．１  ディスクの論理的な仕様の組成・・・・・・・・・・・・・・・・・・・・８
２．２  用語定義・・・・・・・・・・・・・・・・・・・・・・・・・・・・・・８
３．０  ＰＡＳＳでのＸＭＬの利用・・・・・・・・・・・・・・・・・・・・・１４
３．１  ＰＡＳＳ定義ＸＭＬ要素・・・・・・・・・・・・・・・・・・・・・・１４
３．２  ＰＡＳＳマニフェスト概略・・・・・・・・・・・・・・・・・・・・・２５
３．２．１  ＭＰＶ適合・・・・・・・・・・・・・・・・・・・・・・・・・・２５
３．２．２  ＰＡＳＳマニフェストファイル内のＸＭＬ要素同士の関係・・・・・２５
３．２．３  共通メタデータ・・・・・・・・・・・・・・・・・・・・・・・・２６
３．２．４  アルバムメタデータ・・・・・・・・・・・・・・・・・・・・・・２６
３．３  ＰＡＳＳマニフェストカテゴリ・・・・・・・・・・・・・・・・・・・２６
３．３．１  インデックス・マニフェスト・・・・・・・・・・・・・・・・・・２６
３．３．２  デフォルト・アルバム・マニフェスト・・・・・・・・・・・・・・２９
３．３．３  カスタム・アルバム・マニフェスト・・・・・・・・・・・・・・・３１
３．３  アセット・メタデータ・・・・・・・・・・・・・・・・・・・・・・・３３
４．０  ＰＡＳＳアセットファイルのフォーマット・・・・・・・・・・・・・・３５
４．１  静止・・・・・・・・・・・・・・・・・・・・・・・・・・・・・・・３５
４．２  ビデオ・・・・・・・・・・・・・・・・・・・・・・・・・・・・・・３５
４．３  音声・・・・・・・・・・・・・・・・・・・・・・・・・・・・・・・３６
４．４  データエンコーディング制限・・・・・・・・・・・・・・・・・・・・３６
４．４．１  最小限ビデオ属性・・・・・・・・・・・・・・・・・・・・・・・３６
４．４．２  サポート最小限ビデオ圧縮方法・・・・・・・・・・・・・・・・・３７
４．４．３  最小限音声属性・・・・・・・・・・・・・・・・・・・・・・・・３８
４．４．４  サポート音声圧縮方法・・・・・・・・・・・・・・・・・・・・・３８
５．０  ＰＡＳＳ単純及び複合アセット種類・・・・・・・・・・・・・・・・・３９
５．１  単純アセット・・・・・・・・・・・・・・・・・・・・・・・・・・・３９
５．２  複合アセット・・・・・・・・・・・・・・・・・・・・・・・・・・・３９
５．３  アセット派生物（レンディション）・・・・・・・・・・・・・・・・・３９
５．３．１  画面ファイル派生物・・・・・・・・・・・・・・・・・・・・・・４０
５．３．２  サムネールファイル派生物・・・・・・・・・・・・・・・・・・・４０
６．０  ＰＡＳＳディレクトリ構造・・・・・・・・・・・・・・・・・・・・・４１
６．１  オープンディレクトリ構造・・・・・・・・・・・・・・・・・・・・・４１
６．１．１  構造制限・・・・・・・・・・・・・・・・・・・・・・・・・・・４２
６．１．２  命名マニフェスト・ファイル制限・・・・・・・・・・・・・・・・４２
６．２  推奨ディレクトリ構造・・・・・・・・・・・・・・・・・・・・・・・４２
６．２．１  生成日付情報・・・・・・・・・・・・・・・・・・・・・・・・・４３
６．２．２  コンテナ種類・・・・・・・・・・・・・・・・・・・・・・・・・４３
６．２．３  構造制限・・・・・・・・・・・・・・・・・・・・・・・・・・・４４
６．２．３．１  ファイル制限・・・・・・・・・・・・・・・・・・・・・・・４４
６．２．３．２  ディレクトリ制限・・・・・・・・・・・・・・・・・・・・・４４
６．２．４  命名制限・・・・・・・・・・・・・・・・・・・・・・・・・・・４５
６．２．４．１  ファイル名・・・・・・・・・・・・・・・・・・・・・・・・４６
６．２．４．２  ディレクトリ名・・・・・・・・・・・・・・・・・・・・・・４７
７．０  移行・・・・・・・・・・・・・・・・・・・・・・・・・・・・・・・４９
付録Ａ．追加的ＸＭＬ利用―参考情報・・・・・・・・・・・・・・・・・・・・５０
付録Ｂ．ＴＵＩＤ・・・・・・・・・・・・・・・・・・・・・・・・・・・・・５３
付録Ｃ．例―参考情報・・・・・・・・・・・・・・・・・・・・・・・・・・・５５
付録Ｄ．参照―参考情報・・・・・・・・・・・・・・・・・・・・・・・・・・７４
Ｆｉｇｕｒｅｓ
Ｆｉｇｕｒｅ１：ＰＡＳＳデジタルボリューム特徴・・・・・・・・・・・・・・・３
Ｆｉｇｕｒｅ２：ＰＡＳＳデジタルボリューム論理ディスク・・・・・・・・・・・６
Ｆｉｇｕｒｅ３：ＰＡＳＳデジタルボリューム・オリジネイティング・システム（キオスク、ミニラボ）・・・・・・・・・・・・・・・・・・・・・・・・・・・・・・６
Ｆｉｇｕｒｅ４：ＰＡＳＳデジタルボリューム・レシービング・システム・バリエーション１（ＤＶＤプレーヤ）・・・・・・・・・・・・・・・・・・・・・・・・・・７
Ｆｉｇｕｒｅ５：ＰＡＳＳデジタルボリューム・レシービング・システム・バリエ―ション２（プリントキオスク、ミニラボ）・・・・・・・・・・・・・・・・・・・・７
Ｆｉｇｕｒｅ６：ＰＡＳＳデジタルボリューム・レシービング・システム・バリエ―ション３（ＰＣアプリケーション）・・・・・・・・・・・・・・・・・・・・・・・７
Ｆｉｇｕｒｅ７：推奨ディレクトリ構造・・・・・・・・・・・・・・・・・・・４８
Ｔａｂｌｅｓ
Ｔａｂｌｅ１：ＰＡＳＳデジタルボリュームの特徴・・・・・・・・・・・・・・・２
Ｔａｂｌｅ２：ＰＡＳＳ  ＸＭＬネームスペース識別子・・・・・・・・・・・・１４
Ｔａｂｌｅ３：ＰＡＳＳデジタルボリュームについてＰＡＳＳ  ＬＤＳが定義するボリュームメタデータ・・・・・・・・・・・・・・・・・・・・・・・・・・・・・１６
Ｔａｂｌｅ４：デフォルト及びカスタム・アルバム・マニフェストについてＰＡＳＳ  ＬＤＳが定義するアルバムメタデータ・・・・・・・・・・・・・・・・・・・・・１７
Ｔａｂｌｅ５：デフォルト及びカスタム・アルバム・マニフェスト・ファイルについて定義されるアセット・メタデータ・・・・・・・・・・・・・・・・・・・・・１８
Ｔａｂｌｅ６：ＰＡＳＳデジタルボリュームに定義された利用と制限を持つＤｕｂｌｉｎ  Ｃｏｒｅメタデータ要素・・・・・・・・・・・・・・・・・・・・・・・・１９
Ｔａｂｌｅ７：ＰＡＳＳデジタルボリュームに定義された利用及び制限を持つＤＩＧ３５メタデータ要素・・・・・・・・・・・・・・・・・・・・・・・・・・・・・２０
Ｔａｂｌｅ８：ＰＡＳＳデジタルボリュームに定義された利用及び制限を持つＭＰＶ基礎プロフィールネームスペースメタデータ要素・・・・・・・・・・・・・・・・２０
Ｔａｂｌｅ９：ＰＡＳＳデジタルボリュームに定義された利用及び制限を持つＭＰＶネームスペース要素・・・・・・・・・・・・・・・・・・・・・・・・・・・・・２１
Ｔａｂｌｅ１０：ＰＡＳＳデジタルボリュームに定義された利用及び制限を持つｍｐｖｐネームスペース要素・・・・・・・・・・・・・・・・・・・・・・・・・・・２２
Ｔａｂｌｅ１１：ＰＡＳＳデジタルボリュームに定義された利用及び制限を持つｍｐｖｐＣｔｒｌネームスペース要素・・・・・・・・・・・・・・・・・・・・・・・２３
Ｔａｂｌｅ１２：ＰＡＳＳデジタルボリュームに定義された利用及び制限を持つｍｐｖｐＴｒａｎｓネームスペース要素・・・・・・・・・・・・・・・・・・・・・・２４
Ｔａｂｌｅ１３：インデックス・マニフェスト構造・・・・・・・・・・・・・・２７
Ｔａｂｌｅ１４：インデックス・マニフェスト・ファイルで禁止されたＭＰＶ  ＸＭＬ要素
・・・・・・・・・・・・・・・・・・・・・・・・・・・・・・・・・・・・・２９
Ｔａｂｌｅ１５：デフォルト・アルバム・マニフェスト構造・・・・・・・・・・２９
Ｔａｂｌｅ１６：デフォルト・アルバム・マニフェスト・ファイルで禁止されたＭＰＶ  ＸＭＬ要素・・・・・・・・・・・・・・・・・・・・・・・・・・・・・・・・３１
Ｔａｂｌｅ１７：カスタム・アルバム・マニフェスト構造・・・・・・・・・・・３１
Ｔａｂｌｅ１８：カスタム・アルバム・マニフェスト・ファイルで禁止されたＭＰＶ  ＸＭＬ要素・・・・・・・・・・・・・・・・・・・・・・・・・・・・・・・・・３３
Ｔａｂｌｅ１９：画面ファイル要件・・・・・・・・・・・・・・・・・・・・・４０
Ｔａｂｌｅ２０：サムネールファイル要件・・・・・・・・・・・・・・・・・・４０
ＴａｂｌｅＡ１：Ｄｕｂｌｉｎ  Ｃｏｒｅ仕様に定義された利用Ｄｕｂｌｉｎ  Ｃｏｒｅメタデータ・・・・・・・・・・・・・・・・・・・・・・・・・・・・・・・５０
ＴａｂｌｅＡ２：ＤＩＧ３５仕様に定義された利用ＤＩＧ３５静止画像メタデータ
・・・・・・・・・・・・・・・・・・・・・・・・・・・・・・・・・・・・・５０
ＴａｂｌｅＡ３：ＭＰＶ仕様に定義された利用ｍｐｖネームスペース要素・・・・５１
ＴａｂｌｅＡ４：ｍｐｖｐＣｔｒｌネームスペース・・・・・・・・・・・・・・５２
ＴａｂｌｅＡ５：ｍｐｖｐＴｒａｎｓネームスペース・・・・・・・・・・・・・５２
ＴａｂｌｅＢ：ＤｉからＡＳＣＩＩへの変換・・・・・・・・・・・・・・・・・５４
１．０  ＰＡＳＳ概略
ピクチャ・ア―カイブ・アンド・シェアリング・スタンダード（ＰＡＳＳ）は、デジタル撮像産業イニシアチブであり、以前には簡単にあるいは信頼性高く達成できなかったような形でデジタル画像の保存、プリント、再生、及び共有をコンシューマーに許す。
先進技術は、デジタルコンテンツが、例えば、静止画像、ビデオ、音声、あるいは音楽、及びグラフィクスなどの、多くの形式で存在することを意味する。技術はさらにこれら様々なデジタルフォ―マットの編集、コピー、および融合を可能にした。加えて、デジタルスチルカメラ、ＤＶＤプレーヤ、デジタルビデオカメラ、および携帯電話（ｃｅｌｌ  ｐｈｏｎｅ）などの、異なるデジタルフォ―マットを利用する異なる機器が存在する。しかし、技術は遅いペ―スで進化してきてはいるが、ＰＣと違ってこれら機器は多数フォ―マットを処理・再生することができない。
仕様ＰＡＳＳ一式は、全ての実装会社からの製品が媒体上の情報を理解できるよう情報を物理媒体にエンコードする方法を定義する。ＰＡＳＳはこれを、アセットについてのエンコード、デコ―ドプロセスの定義、及びＰＡＳＳシステムの共通ユーザインターフェース要件を記述することにより行っている。ＰＡＳＳアーキテクチャは言語およびプラットフォームから独立したオープンシステム規格に基づいており、異なるシステム間の機能を可能とする。
目下のバージョンのＰＡＳＳ仕様一式は以下を含む：
ＰＡＳＳディスクの論理的な仕様１．１０（ＬＤＳ）
ＰＡＳＳオリジネイティング及びオーサリング・システム要件１．１０（Ｏ／Ａ）
ＰＡＳＳレシービング及び再生システム要件１．１０（Ｒ／Ｐ）
ＰＡＳＳはメンバー会社同士が共通の規格を提供・利用できることを保証するべく、ロゴ、商標、及びライセンスプログラムを持つ。このプログラムはメンバー会社に、彼等の事業の要請を提起し、機能性を保証する仕様に準拠する製品の確立を許し、ＰＡＳＳロゴの存在によりコンシューマーに認識される。
ＰＡＳＳの仕様は、伝統的なコンシューマー写真産業を可能とした規格に匹敵することができる（つまりプロセスＣ―４１、規格映写スライド及びカートリッジ構成、ペーパフォーマットなどである）。これら規格なしには、写真は写真愛好家の範疇に制限されただろう。これらがあったからこそ、写真は大きな、非常に成功した、主要なコンシューマー産業に成長した。ＰＡＳＳの仕様はデジタル写真に対してこれとほぼ同じことを約束する。
ＰＡＳＳイニシアチブは、コンシューマー画像・コンテンツを処理・管理して目下も将来的にもコンシューマーに簡単に自分のコンテンツを楽しむことを可能ならしめる約束を達成する全ての会社からの参加を呼びかける。
１．１ＰＡＳＳの主要な特徴
ＰＡＳＳはたくさんの特徴を定義する。下のＴａｂｌｅはＰＡＳＳシステムの主要な特徴を定義する。
Ｔａｂｌｅ１．ＰＡＳＳデジタルボリュームの特徴
スライドショ―を見るための家庭用電化製品（ＣＥ）の利用が容易
今日のＤＶＤプレーヤ及び将来のＰＡＳＳサポートのＤＶＤプレーヤを利用してテレビ、パソコン、その他のＣＥ機器上で写真スライドショーを簡単に再生することができる。
ＣＥ機器でプレビューをして簡単にプリントを注文できる
スライドショーを見ている間にスライド番号をチェックして、それを写真注文書に加える。
ＰＡＳＳデジタルボリューム（ＰＡＳＳ  Ｄｉｇｉｔａｌ  Ｖｏｌｕｍｅ）とともにプリント注文書を、近所の写真屋に持っていけば処理してもらえる。
任意のプリントキオスクにおいて簡単にプリントを注文できる
任意のＰＡＳＳサポ―トプリントキオスクにおいて、ＰＡＳＳデジタルボリュームを利用したプリント注文ができる。
写真読み取りが容易である
ＰＡＳＳデジタルボリュームは、お手元の画像が、ご自身が加えた日付及び任意のキーワードから迅速に簡便に読み取ることにより入手できることを意味する。
５）安全な写真の移行
様々な媒体フォーマット（ＣＤ、メモリカードなど）をより新たな、より小さい格納機器（ＤＶＤなど）に整理統合できる。
多くの他のＰＡＳＳデジタルボリュームを組み合わせることで、写真履歴をなくすことなく（メタデータの保持）単一のＰＡＳＳデジタルボリュームを作成する。
６）写真共有が容易
ご自身のＰＡＳＳデジタルボリュームを他の人と、ご自身が個々の写真に加えた日付、位置、イベント、人の名前などの情報をなくすことなく共有できる。
【表１２１】
2008530717.tif 000165
１．２システム概略
ＰＡＳＳシステムは以下の主要なシステムおよびコンポーネントから成る。
１）オリジネイティング・システム
オリジネイティング・システムは、ＰＡＳＳデジタルボリュームをＰＡＳＳ媒体上に作成するのに利用されるが、典型的に以下の機能を持つ。
ａ）コンシューマーデータを様々な媒体から収集して、それらをＰＡＳＳデジタルボリュームのＰＡＳＳフォ―マットに変換する。
ｂ）ＰＡＳＳ媒体上のコンシューマー画像用にメタデータ（日付、キーワードなど）を収集あるいは生成する。
ｃ）ＣＥ機器上でスライドショーとして再生可能なカスタムデジタルアルバムをＰＡＳＳ媒体上に作成する。
ｄ）多くの作成世代の多数のＰＡＳＳ媒体から、コンシューマーデータを損失することなく新たなＰＡＳＳデジタルボリュームを作成する。
ｅ）オプションとして、既存のＤＶＤプレーヤ上で生成することも可能な、短いビデオセグメントを作成する。
２）レシービング・システム
ＰＡＳＳレシービング・システムは最小限、以下の機能を実装する。
ａ）ＰＡＳＳアセットファイルフォ―マットをチェックする。
ｂ）ＰＡＳＳデジタルボリュームを読み取り、ＰＡＳＳマニフェスト・ファイルを適切に解釈する。
ｃ）再生コンポーネントあるいはプリント・コンポーネント（少なくともこれらコンポーネントのうちの一つがレシービング・システムに含まれていなければならない）
３）再生コンポ―ネント
レシービング・システム内のＰＡＳＳ再生コンポーネントは以下の機能を持つ。
ａ）ＰＡＳＳデジタルボリュームを、インデックス・マニフェスト・ファイル、デフォルト・アルバム・マニフェスト・ファイル（一あるいは複数）あるいは任意のカスタム・アルバム・マニフェスト・ファイル（一あるいは複数）に従い表示する。
ｂ）ＰＡＳＳ媒体上の多数のＰＡＳＳデジタルボリュームから特定のアルバムを選択する。
ｃ）オプションとして、日付及び／又はキ―ワ―ドからＰＡＳＳアセットファイルを読み取り、その後そのアセットを表示する。
４）プリント画像選択コンポーネント
このコンポ―ネントは以下の機能を有す。
ａ）プリント注文のために静止ＰＡＳＳアセットファイルを選択する。
以下に列挙するｆｉｇｕｒｅｓがこれらコンポ―ネントおよびそれらの相互関係を図示する。
【表１２２】
2008530717.tif 000166
【表１２３】
2008530717.tif 000167
【表１２４】
2008530717.tif 000168
【表１２５】
2008530717.tif 000169
【表１２６】
2008530717.tif 000170
２．０  ＰＡＳＳディスクの論理的な仕様へのイントロダクション
ディスクの論理的な仕様（ＬＤＳ）は、ファイル構造をサポートする任意の取り外し可能な媒体であることのできる、ＰＡＳＳデジタルボリュームに記録されている論理デ―タ構造を記述する。ＬＤＳは、ＰＡＳＳデジタルボリュームが利用するディレクトリ（コンテナ）を記述する。さらには、ＰＡＳＳデジタルボリュームに記録することができ、ＰＡＳＳオリジネイティングあるいはレシービング・システムにより適切に理解されるファイルの種類を記述している。
目下のバージョンのＰＡＳＳ仕様一式は以下を含む：
ＰＡＳＳディスクの論理的な仕様１．１０（ＬＤＳ）
ＰＡＳＳオリジネイティング及びオーサリング・システム要件１．１０（Ｏ／Ａ）
ＰＡＳＳレシービング及び再生システム要件１．１０（Ｒ／Ｐ）
２．１  ディスクの論理的な仕様の組成
ＰＡＳＳは、Ｏｐｔｉｃａｌ  Ｓｔｏｒａｇｅ  Ｔｅｃｈｎｏｌｏｇｙ  Ａｓｓｏｃｉａｔｉｏｎ（ＯＳＴＡ）のＭｕｓｉｃＰｈｏｔｏＶｉｄｅｏ仕様（ＭＰＶ）が定義する特有な記述子ファイル（マニフェスト（ｍａｎｉｆｅｓｔｓ））を利用する。これらマニフェスト・ファイルはＸＭＬによりエンコードされている。各アセットファイルに関連付けられた特有なメタデータがマニフェスト内にエンコードされる。
ユーザ提供ファイルはＰＡＳＳアセットファイルと称される。
ＬＤＳは特に以下を記述する
ａ）ＰＡＳＳマニフェスト・ファイル（インデックス、デフォルト・アルバム、およびカスタム・アルバム）及び関連メタデータ
ｂ）ＰＡＳＳアセットファイルフォーマット
ｃ）ファイル及びディレクトリ構造
２．２用語定義
以下の用語がこの文書にわたり広く使用される。これら用語のいくらかはＰＡＳＳ推奨ディレクトリ構造（ＲＤＳ）に言及する時だけに利用され、「ＲＤＳに必要」
と記される（セクション６．２参照）。ＲＤＳ実装に利用される用語はさらにオープンディレクトリ構造（ＯＤＳ）が利用することもあるが、必ず必要というものではない（セクション６．１参照）。
アルバム
アセット集合体であり、普通はファイル形式であり、アセットファイルは以下に定義するとおりである。
アセットファイル
アセットファイルはコンシューマーが生成する、あるいはＰＡＳＳデジタルボリュームオリジネイティング及びオーサリング・システムが提供することができる。コンシューマー・アセットファイルは典型的にオリジナルアセット（スキャン、あるいはデジタルカメラなどにより）である。［以下のオリジナルアセットファイルの定義を参照。］認識されているアセットの種類は、静止写真、音声付静止写真、パノラマ画像、マルチショット連続画像、音声、及び映画クリップである。
アセットディレクトリ（Ａｓｓｅｔｓ  ｄｉｒｅｃｔｏｒｙ）
アセットロールディレクトリ及び共有ディレクトリを保持するコンテナの種類である。名称はＡＳＳＥＴＳであり、ＲＤＳ実装の時にルートディレクトリの子であるディレクトリとして形成される。
アセットＩＤ
ＰＡＳＳアセットファイル用の識別子であり、ＰＡＳＳデジタルボリューム内の任意のアセットを識別する。アセットＩＤはデフォルトでカスタム・アルバム・マニフェスト・ファイルに書き込むことができる。アセットＩＤは、それを含むデフォルトあるいはカスタム・アルバムの各アセットファイルの要素＜ｐａｓｓ：ａｓｓｅｔＩＤ＞の下位４文字で定義される。アセットＩＤはアセットリストＩＤと共に利用されて画像ＩＤを構築する。
アセットリストＩＤ
任意のマニフェスト・ファイル内のアセットリストの識別子であり、ＰＡＳＳデジタルボリューム内の特定のアセットリストを示す。アセットリストＩＤは対応するデフォルトあるいはカスタム・アルバム・マニフェスト・ファイル内の要素＜ｐａｓｓ：ａｓｓｅｔｌｉｓｔＩＤ＞の下位３文字として定義される。アセットリストＩＤはアセットＩＤとともに利用されて個々の画像ＩＤを構築する。
アセットロールディレクトリ（ＡＲディレクトリ）
ＰＡＳＳアセットファイルを有するデフォルト・アルバムを含むディレクトリとして形成されるコンテナの種類である。ＰＡＳＳオリジネイティング及びオーサリング・システムはＡＲディレクトリをポピュレートする方法を判断する。例えば、デジタル的に取得されるかフィルムからスキャンされるかである。ＡＲディレクトリのコンテンツは、通常の写真においてはフィルム１巻分の写真に類似したもの、あるいはデジタルスチルカメラで媒体の一回の挿入・取り外しの間に取られた写真に対応する。アセットロールディレクトリはＲＤＳ実装についてＡＳＳＥＴＳディレクトリ内にあることが必要とされる。
ＢＧＭ
バックグラウンドミュージック。カスタムバックグラウンドミュージック（しばしばＳＨＡＲＥＤアセットコンテナに格納される）は、デフォルト・アルバムあるいはカスタム・アルバムのバックグラウンドミュージックとして利用することができる。
共通メタデータ
特定のアセットリストに含まれる全てのアセットに関するメタデータであり、アセットリストに共通である。
共通制御メタデータ（ＣＣＭ）
特定のアルバムに含まれる全てのアセットに関するメタデータであり、アルバムに共通である。この共通制御メタデータはアルバム内の全てのアセットの提示を決定するが、例外は特定のアセットが自身の特有の制御メタデータを持つ場合であり、このときにはこれが優先する。
複合（ｃｏｍｐｏｕｎｄ）アセット
これは一以上の個々の単純アセットを含む特別な種類のアセットである。デフォルト・アルバムでは、複合アセットは同じアセットロールディレクトリ内のアセットから及び共有ファイルだけから構成されねばならない。カスタム・アルバムにおいては、複合アセットは多くの異なるアセットロールディレクトリからの個々のアセットから及び共有ファイルから構成されてよい。
ＣＥ機器
ＣＥ機器は、テレビ、パソコン、ＤＶＤ、及びＣＤレコーダ及び／またはプレーヤ、携帯電話（ｃｅｌｌｕｌａｒ  ｔｅｌｅｐｈｏｎｅ）などの家庭用電化製品である。
カスタム・アルバムディレクトリ
カスタム再生用にカスタム・アルバム・マニフェスト・ファイルを含むディレクトリとして形成される種類のコンテナである。ＲＤＳだけにおいては、全てのオリジナルアセットがＡＲディレクトリの一部あるいは共有アセットとして格納される。カスタム・アルバムディレクトリはルートディレクトリの子であり、ＲＤＳ実装の場合にＡＬＢＵＭＳと命名されねばならない。
カスタム・アルバム・マニフェスト・ファイル
カスタム・アルバム・マニフェスト・ファイルは、参照アセットファイルに関する位置情報及びメタデータを含むＭＰＶマニフェスト・ファイルであり、ＰＡＳＳデジタルボリュームにおいて識別されるファイルを利用して構成されねばならない。カスタムアルバムで利用できるアセットのリストはデフォルト・アルバム・マニフェスト・ファイルにリストされている。カスタム・アルバム・マニフェスト・ファイルはＲＤＳ実装の場合に所定の命名要件を追従せねばならない。
デフォルト・アルバム・マニフェスト・ファイル
デフォルト・アルバム・マニフェスト・ファイルは、それの存在するＡＲディレクトリに含まれるアセットファイルに関する位置情報及びメタデータを含むＭＰＶマニフェスト・ファイルである。デフォルト・アルバム・マニフェスト・ファイルが識別するアセットは固有でなければならない。ＲＤＳ実装の際、各アセットロールディレクトリ内にはデフォルト・アルバム・マニフェスト・ファイルが一つだけなくてはならない。デフォルト・アルバム・マニフェスト・ファイルはＲＤＳ追従の場合に所定の命名要件を追従せねばならない。ＡＰＳＳデジタルボリュームは少なくとも一つのデフォルト・アルバム・マニフェスト・ファイルを持つべきである。
派生物（アセット）
オリジナルアセットの派生物あるいはレンディションは、特定の用途に利用することができる。これら派生物はしばしば提示を促すために利用される。
表示画面ディレクトリ
ディレクトリとして特徴的に形成される種類のコンテナであり、画面表示に適した写真画像を含む。ＲＤＳ実装については、このディレクトリがアセットロールディレクトリ内に配置されねばならず、ＤＩＳＰ＿ＳＣＲという名称を持たねばならない。ＯＤＳは、類似した機能を持つ画面ディレクトリがＰＡＳＳデジタルボリューム内の任意の場所に配置されるのを許可する。
表示サムネールディレクトリ
ディレクトリとして特徴的に形成される種類のコンテナであり、サムネール表示に適した画像を含む。ＲＤＳ実装については、このディレクトリがアセットロールディレクトリ内に配置されねばならず、ＤＩＳＰ＿ＴＨＢという名称を持たねばならない。ＯＤＳは、類似した機能を持つサムネールディレクトリがＰＡＳＳデジタルボリューム内の任意の場所に配置されるのを許可する。
画像ＩＤ
ＰＡＳＳレシービングにより構築される識別子であり、視聴あるいはプリント用の画像を識別する。画像ＩＤはアセットリストＩＤの下位４文字及びアセットＩＤの下位３文字を連結することで生成される。上記アセットリストＩＤ及びアセットＩＤを参照。
インデックス・マニフェスト・ファイル
ルートディレクトリ内に配置されねばならない特定のＭＰＶマニフェスト・ファイルであり、ＰＡＳＳデジタルボリューム上の全ての他のＰＡＳＳマニフェスト・ファイルを識別するのに利用される。名称は「ＰＡＳＳＩＤＸ．ＰＶＭ」でなくてはならない。
媒体ＩＤ
ＰＡＳＳインデックス・マニフェスト・ファイル（ＰＡＳＳＩＤＸ．ＰＶＭ）内で宣言されるＰＡＳＳデジタルボリュームの識別子である。
媒体タイトル
ＰＡＳＳＩＤＸ．ＰＶＭファイル内に記述されるユーザフレンドリーな媒体名である。
移行
推奨ディレクトリ構造（ＲＤＳ）使用中に、一以上のＰＡＳＳデジタルボリュームあるいは一以上のアセットロールディレクトリを、継承のために新たなＰＡＳＳデジタルボリュームへコピーするプロセスのことである。移行ＰＡＳＳデジタルボリューム（一または複数）からの全てのアセットファイルは、関連メタデータ情報とともに、新たなＰＡＳＳデジタルボリュームへ継承される。生じるＰＡＳＳデジタルボリュームはＰＡＳＳ仕様の同じあるいは新たなバージョンで書かれる。ＲＤＳだけである。
オープンディレクトリ構造（ＯＤＳ）
ＯＤＳはＰＡＳＳディスクの論理的な仕様に文書化されるオープンディレクトリ構造である。ＯＤＳは制限されたディレクトリ構造及びファイル命名取り決めを課す。ＯＤＳ実装により、ＰＡＳＳはレガシーシステムを収容することができるようになる。
オリジナルアセットファイル
ユーザがオリジナルとして作成するアセットファイルである。画面あるいはサムネールはこのアセットから得ることができる。オリジナルアセットファイルは典型的に最も大きなファイルであり、ＣＥ機器上の再生利用には向かないかもしれない。
オリジネイティング・システム
オリジネイティング・システムは、ＰＡＳＳデジタルアルバムを作成するのに利用される。これは典型的に写真処理ラボ、キオスク、あるいはＰＣである。さらなる情報に関してはＰＡＳＳオリジネイティング／オーサリング・システム要件文書を参照のこと。
ＰＡＳＳアセットファイル
＜ｍｐｖ：ＬａｓｔＵＲＬ＞によりＰＡＳＳのマニフェスト・ファイルが参照することを許される特定のファイルである。許されるアセットファイルの種類には、ＪＰＥＧ、動画ＪＰＥＧ、ＭＰＥＧ１、ＭＰＥＧ２、ＭＰＥＧ４、ＭＰ３、Ｗａｖ、ＡＶＩ、およびＭＯＶが含まれる。完全な参照リストについては付録Ｄを、フォーマット詳細についてはセクション４「ＰＡＳＳディスクの論理的な仕様」を参照のこと。追加的なファイル種類がＰＡＳＳデジタルボリューム上に存在してもよいが、ＰＡＳＳ＜ｍｐｖ：ＬａｓｔＵＲＬ＞要素が参照することはできない。
ＰＡＳＳデジタルボリューム
論理データ構造の一般名であり、ＰＡＳＳ仕様一式に説明されるように、格納媒体上に書き込まれる。
ＰＡＳＳ媒体
ファイルシステムをサポートせねばならない物理媒体であり、ＰＡＳＳデジタルボリュームが記録されている。目下の技術を利用すると、ＰＡＳＳディスクはＣＤあるいはＤＶＤなどの光ディスクの可能性が高い。ＰＡＳＳ媒体あるいはＰＡＳＳデジタルボリュームはＰＡＳＳ仕様に準拠することが保証されている。
再生コンポーネント
ＰＡＳＳ再生コンポーネントはレシービング・システムの一部である。再生コンポーネントは、キオスク、ＰＣ、ＤＶＤプレーヤその他のＣＥ機器にＰＡＳＳデジタルボリュームを再生させる。さらなる情報についてはＰＡＳＳレシービング／再生システム要件文書を参照のこと。
プリント画像選択コンポーネント
プリントする画像を選択するオプションを提供するＰＡＳＳレシービング・システムのコンポーネントである。さらなる情報についてはＰＡＳＳレシービング／再生システム要件文書を参照のこと。
レシービング・システム
レシービング・システムはＰＡＳＳデジタルボリュームを読むよう設計されている。これはキオスク、ＰＣ、ＤＶＤプレーヤ、及びその他のＣＥ機器であってよい。さらなる情報についてはＰＡＳＳレシービング／再生システム要件文書を参照のこと。
推奨ディレクトリ構造（ＲＤＳ）
推奨ディレクトリ構造はＰＡＳＳディスクの論理的な仕様に文書化される。ＲＤＳは特定のディレクトリ構造及びファイル命名取り決めを定義する。この推奨に従うと、コピー及び移行手順中の抵触が低減される。
レンディション
特定の用途向けに利用されるオリジナルアセットの派生物がレンディションである。これら派生物はしばしば提示を促すために利用される。
画面ファイル
画面ファイルは典型的に、アセットをＣＥ機器提示の一部として表示する目的から、オリジナルアセットから得られる。画面ファイルはオプションである。ＲＤＳ実装については、画面ファイルは、許可されるそのアセットロールディレクトリ内の各オリジナルについて一つだけ派生物を持つアセットロールディレクトリ内のＤＩＳＰ＿ＳＣＲディレクトリ内に配置される。派生ファイルはオリジナルと同じＰＡＳＳアセットファイル種類であるべきである。
共有ディレクトリ
ＰＡＳＳ共有ファイルを含むディレクトリとして形成される種類のコンテナである。共有ファイルは一以上のカスタム・アルバム・マニフェスト・ファイル（通例コンシューマー作成のもの）及び／又は一以上のデフォルト・アルバム・マニフェスト・ファイル（通例小売店作成のもの）により参照される。共有コンテナはＡＳＳＥＴＳディレクトリ内に配置されねばならず、ＲＤＳ準拠の目的上ＳＨＡＲＥＤと命名されねばならない。
共有ファイル
共有ファイルは、音楽あるいは画像などの任意のファイルであり、一以上のＰＡＳＳアルバム間で共有できる。これらはしばしば、デフォルト・アルバムを感じのよい形式で表示するテンプレートあるいはバックグラウンド音楽などの非コンシューマーファイルである場合がある。ＲＤＳ実装については、共有ファイルは、ＳＨＡＲＥＤと命名されＡＳＳＥＴＳディレクトリ内に存在せねばならない共通ディレクトリ内に存在せねばならない。
単純アセット
ＰＡＳＳ所定ファイル種類の一つに合致するアセットが単純アセットである。上記ＰＡＳＳアセットファイルを参照のこと。
サムネールファイル
サムネールファイルは小さなサイズのファイルであり、アセットをＣＥ機器にリストの一部として表示する目的から、オリジナルアセットファイルから典型的に得られる。ＲＤＳ実装については、サムネールファイルは、許可されるそのアセットロールディレクトリ内の各オリジナルについて派生物を一つだけ持つアセットロールディレクトリ内のＤＩＳＰ＿ＴＨＢディレクトリ内に配置される。
３．０  ＰＡＳＳでのＸＭＬの利用
ＰＡＳＳはＰＡＳＳシステムに固有の特有のＸＭＬ要素を定義する。これらＸＭＬ要素は、ＰＡＳＳデジタルボリューム全体、静止画像、その他のアセット、及びＰＡＳＳデジタルボリューム上に記述されるアルバムに対して適用されるメタデータを記述する。ＰＡＳＳは一般メタデータ用にＤｕｂｌｉｎ  Ｃｏｒｅ  Ｅｌｅｍｅｎｔ  Ｍｅｔａｄａｔａ  Ｓｅｔ（ＤＣＥＳ）を採用し、静止画像メタデータ用にＤＩＧ３５を採用する。ＤＣＥＳあるいはＤＩＧ３５で定義されない追加的要求されるメタデータはいずれも、ＰＡＳＳ仕様で定義される。
このＰＡＳＳ仕様で説明されるのは以下の種類のメタデータである。
・ＰＡＳＳインデックス・マニフェスト・ファイルに記述される、ＰＡＳＳデジタルボリューム全体用メタデータ
・ＰＡＳＳデフォルト・アルバム・マニフェスト・ファイル（一又は複数）に記述される、各ＰＡＳＳアセットファイル用メタデータ
・ＰＡＳＳカスタム・アルバム・マニフェスト・ファイル（一又は複数）に記述される、ＰＡＳＳデジタルボリューム用メタデータ
【表１２７】
2008530717.tif 000171
３．１  ＰＡＳＳ定義ＸＭＬ要素
マニフェスト・ファイルがアセットリストを含む場合、アセットリスト内に含まれるＰＡＳＳアセット種類はＰＡＳＳ保証ファイルフォーマットだけを参照せねばならない（許可されるフォーマットについてはセクション４を参照のこと）。ＭＰＶ、ＤＩＧ３５、及びＤＣが定義するＸＭＬ要素をＰＡＳＳマニフェスト・ファイル内で利用することができるが、幾らかの要素についてはＰＡＳＳに制限される。
ＸＭＬ要素の利用には３レベルある：必須、オプション、及び禁止である。必須あるいはオプションの要素が「許可される」要素であり、定義、あるいは非定義セマンティックスを持つことができる。
定義：これは特にＰＡＳＳ仕様が定義するデータを持つ、許可されるＸＭＬ要素、属性、あるいは動作である。
非定義：これはＰＡＳＳ仕様が定義しないデータを持つ、許可されるＸＭＬ要素、属性、あるいは動作である。このＸＭＬ要素は、Ｏ／Ａシステムがそれを作成する場合に利用することができる。これによるＯ／Ａシステムの保証への影響はない。
禁止：これがＯ／Ａシステムが供給するデータによらず如何なる状況下においてもＰＡＳＳマニフェストで許可されない要素、属性、動作である。これが存在する場合、Ｏ／Ａシステムは保証されない。
以下の図はこれらの利用レベルを図示する。
【表１２８】
2008530717.tif 000172
ＰＡＳＳマニフェストに供給元特有要素あるいは拡張子を追加することもできる。これら拡張子は供給元特有ネームスペースに含められねばならない。
以下のｔａｂｌｅはＰＡＳＳ定義ＸＭＬ要素の詳細を提供する。ＰＡＳＳ要素は、「http://ns.pass-spec.org/ＰＡＳＳ/1.1/」という自身のＸＭＬネームスペースを持つ。
【表１２９ａ】
2008530717.tif 000173
【表１２９ｂ】
2008530717.tif 000174
【表１３０】
2008530717.tif 000175
【表１３１】
2008530717.tif 000176
【表１３２】
2008530717.tif 000177
【表１３３】
2008530717.tif 000178
【表１３４】
2008530717.tif 000179
【表１３５】
2008530717.tif 000180
【表１３６】
2008530717.tif 000181
【表１３７】
2008530717.tif 000182
３．２  ＰＡＳＳマニフェスト概略
ＰＡＳＳでは三つのＸＭＬ記述子カテゴリが利用される。これら記述子は、ＭＰＶ仕様に準拠しており、「マニフェスト（ｍａｎｉｆｅｓｔｓ）」と呼ばれる。
ＰＡＳＳが利用するＭＰＶマニフェストは以下の通りである：
・インデックス・マニフェスト・ファイル（ＰＡＳＳＩＤＸ．ＰＶＭ）
・デフォルト・アルバム・マニフェスト・ファイル
・カスタム・アルバム・マニフェスト・ファイル
３．２．１  ＭＰＶ適合
ＰＡＳＳデジタルボリュームはＭＰＶ仕様に準拠する。ＰＡＳＳデジタルボリュームは以下の規則に従う：
・全てのマニフェスト・ファイルは「http://ns.osta.org/mpv/basic/1.0/」の値を持つ一つの＜ｆｉｌｅ：Ｐｒｏｆｉｌｅ＞要素を含まねばならない。
・ＰＡＳＳマニフェスト・ファイル内の全てのアセット定義は定義されたｍｐｖ：ｉｄ属性を持たねばならない。
・全てのＰＡＳＳマニフェスト・ファイルは定義された一つの＜ｆｉｌｅ：Ｐｒｏｆｉｌｅ＞要素の最小値を持たねばならない（上述参照）。
・ＰＡＳＳは一オブジェクト内に重複するＤｕｂｌｉｎ  Ｃｏｒｅ要素があることを禁止する。
・ＰＡＳＳはｄｃＰｒｏｐｅｒｔｉｅｓ要素内に分割されたＤｕｂｌｉｎ  Ｃｏｒｅ要素が利用されることを禁止する。
・＜ｍｐｖ：ＬａｓｔＵＲＬ＞要素はＵＴＦ８に記述されねばならず、「ＵＲＬエンコーディング」を利用して処理されねばならない。
・ローカルパス（Ｌｏｃａｌ  Ｐａｔｈ）である場合、＜ＬａｓｔＵＲＬ＞は相対パスでなければならない。
・デフォルト・アルバム及びカスタム・アルバム・マニフェスト・ファイルは、「http://ns.osta.org/mpv/presentation/1.0/」と定義される値を持つ＜ｆｉｌｅ：Ｐｒｏｆｉｌｅ＞を持たねばならない。
・ＵＲＬコンポーネントデリミタは「／」でなければならない。
３．２．２  ＰＡＳＳマニフェストファイル内のＸＭＬ要素同士の関係
ＸＭＬ要素は類似しているがそれぞれ固有の値を持つマニフェスト・ファイル種類のそれぞれに在ってよい。
例えば、日付のＤｕｂｌｉｎ  Ｃｏｒｅ要素が媒体の日付を記述するインデックス・マニフェスト・ファイル内に在ってよいが、デフォルトマニフェスト・ファイル内では、それはアセットロールの日付を記述しており、カスタムマニフェスト・ファイル内では、それはカスタム・アルバムの作成日を記述している。
親のコンテナの作成日時は、その子たちの作成日時より後かあるいは等しくなければならない。
同様に、幾らかのＸＭＬ要素が、同じデータを持つ二以上のマニフェスト・ファイル内に在ってよい。＜ｆｉｌｅ：Ｐｒｏｆｉｌｅ＞要素が全てのマニフェスト・ファイル内に在り、「http://ns.osta.org/mpv/basic/1.0」の値を持たねばならない。
３．２．３  共通メタデータ
高い頻度でアセットリスト内のアセットは共通のメタデータ一式を持つ。例えば、カラースペースはアセットリスト内で共通である。この場合、このようなメタデータを各アセットについて記述するのは冗長である。デフォルト及びカスタム・アルバム・マニフェスト・ファイルは、アセットリスト内で識別される各アセットに対して適用される共通メタデータを含むことができる。
・共通メタデータは＜ｍｐｖ：ＡｓｓｅｔＬｉｓｔ＞要素にすぐ続くよう配置されることができる。
・このようなメタデータは、それらがアセットリスト内の各アセットに（任意の複合アセットを含む）適用されるように解釈される。
３．２．４  アルバムメタデータ
高い頻度で、アルバム内のアセットは共通の効果・遷移セットを持つ。その場合、アルバム内の各アセット参照について制御メタデータを記述するのは冗長である。デフォルト及びカスタム・アルバム・マニフェスト・ファイルは、アルバム内の各アセット参照に適用される共通制御メタデータ（ＣＣＭ）を含んでよい。この制御メタデータはＭＰＶ提示プロフィール内に記述され、＜ｍｐｖＣｔｒｌ：ＣｏｎｔｒｏｌＰｒｏｐｅｒｔｉｅｓ＞要素に関連付けられる。
・共通制御メタデータは、共通制御メタデータがアルバムの前景に適用される場合＜ｍｐｖｐ：ｆｏｒｅｇｒｏｕｎｄ＞要素にすぐ続くよう配置されることができ、共通制御メタデータがアルバムの背景に適用される場合＜ｍｐｖｐ：ｂａｃｋｇｒｏｕｎｄ＞要素にすぐ続くように配置することができる。全ての場合において、共通制御メタデータはＭＰＶ仕様書に説明されるように＜ｎｍｆ：Ｍｅｔａｄａｔａ＞要素で囲われる。
・このような制御メタデータは、それらが、アルバムのアセットリスト内の各アセットに（複合アセットを含む）適用されるように解釈される。
・アルバム内の特定のアセット参照が、そのアルバムの共通制御メタデータと抵触する制御メタデータを定義した場合、その特定のアセット参照の制御メタデータは共通値に優先する。
３．３  ＰＡＳＳマニフェストカテゴリ
このセクションでは、ＰＡＳＳ定義マニフェスト・ファイル、その利用法、及び構造を説明する。
３．３．１  インデックス・マニフェスト
ＰＡＳＳインデックス・マニフェスト（ＰＡＳＳＩＤＸ．ＰＶＭ）はＰＡＳＳシステムのエントリポイントである。ＰＡＳＳデジタルボリュームへのエントリポイントとして、インデックス・マニフェスト・ファイルはコンシューマーに対して「第一再生」を提供することができる。この場合、全システム内の全てのデフォルト及びカスタム・アルバムのリストを提供することができねばならない。このリストはタイトルおよび代表画像サムネール両方を含む。
インデックス・マニフェスト・ファイルはＰＡＳＳデジタルボリュームに関する全てのマニフェスト・ファイルへのパス情報を含む。これらマニフェスト・ファイルは、アルバムロール（一又は複数）内のＰＡＳＳデフォルト・アルバム（一又は複数）マニフェスト・ファイル及び任意のカスタム・アルバム・マニフェスト・ファイルを含む。インデックス・マニフェスト・ファイルは、ＰＡＳＳデジタルボリューム上の全てのほかのＰＡＳＳマニフェスト・ファイルへの直接参照リンクを含む。
インデックス・マニフェストはさらに、デフォルト及びカスタム・アルバム両方に利用する特定のサムネールファイルを識別する。ＲＤＳについて、デフォルト及びカスタム・アルバムアイコンはＳＨＡＲＥＤディレクトリ内のサムネールファイルとして定義される。さらなる構造情報についてはセクション６．０を参照のこと。
ＰＡＳＳインデックス・マニフェストはさらにＰＡＳＳ媒体ＩＤ及びＰＡＳＳ媒体に関するその他の全てのメタデータを含む。
ＰＡＳＳデジタルボリューム上にはＰＡＳＳインデックス・マニフェスト・ファイルが一つだけなければならず、それはＰＡＳＳＩＤＸ．ＰＤＭとうい固定ファイル名を持つルートディレクトリ内に配置されねばならない。インデックス・マニフェスト・ファイルはＭＰＶマニフェストでなければならない。インデックス・マニフェスト・ファイルのトップの要素は＜ｆｉｌｅ：Ｍａｎｉｆｅｓｔ＞である。
【表１３８ａ】
2008530717.tif 000183
【表１３８ｂ】
2008530717.tif 000184
【表１３９】
2008530717.tif 000185
３．３．２  デフォルト・アルバム・マニフェスト
デフォルト・アルバム・マニフェストはＰＡＳＳアセットファイルへの参照を記述する。ＯＰＥＮディレクトリ構造では（セクション６．１参照）、デフォルト・アルバム・マニフェストはＰＡＳＳデジタルボリューム上の任意の位置のアセットファイルへの参照を記述する。ＲＤＳディレクトリ構造では（セクション６．２参照）、デフォルト・アルバム・マニフェスト・ファイルは特定のアセットロールディレクトリに含まれるアセットファイルへの参照を記述する。各アセットロールディレクトリはＰＡＳＳデフォルト・アルバム・マニフェスト・ファイルを一つだけ持ち、６．２に概略を示す命名取り決めを追従せねばならない。全てのＰＡＳＳマニフェスト・ファイルについて言えることであるが、デフォルト・アルバム・マニフェスト・ファイルはＰＡＳＳインデックス・マニフェスト・ファイル（ＰＡＳＳＩＤＸ．ＰＶＭ）により参照される。
ＰＡＳＳデフォルト・アルバム・マニフェスト・ファイルは、記述される各ＰＡＳＳアセットファイルのメタデータを定義するＸＭＬ要素を含む。これはユーザ入力メタデータ及びＥＸＩＦタグからの既存のメタデータなどを含むことができる。デフォルト・アルバムは互いに排他的である、つまり、一つのデフォルト・アルバム・マニフェストが記述するアセットは、他のいずれのデフォルト・アルバム・マニフェストであっても重複して記述することができない。特定のアセットファイルは、アセットファイルが共有ファイルでＳＨＡＲＥＤディレクトリに存在するということでさえなければ、一つのデフォルト・アルバムに含めることができる。しかし、単一のアセットを多くのカスタム・アルバム・マニフェスト・ファイルにより参照することができる。
【表１４０ａ】
2008530717.tif 000186
【表１４０ｂ】
2008530717.tif 000187
【表１４０ｃ】
2008530717.tif 000188
【表１４１】
2008530717.tif 000189
３．３．３  カスタム・アルバム・マニフェスト
カスタム・アルバム・マニフェスト・ファイルは、ＰＡＳＳデジタルボリュームカスタム・アルバムに対応するアセット参照集合体を記述する。さらに、カスタム・アルバム・マニフェスト・ファイルはそのカスタム・アルバム用の提示プログラムを、ＭＰＶ提示プロフィールが定義するＸＭＬ要素を用いて記述する。
カスタム・アルバムは、一つの例外を除いて、デフォルト・アルバムの用途及び機能をミラーする。カスタム・アルバムは互いに排他的ではない。つまり、一つのカスタム・アルバム・マニフェストが記述する任意のアセットは、他のいずれのカスタム・アルバム・マニフェストにより重複して記述されることができる。特定のアセットファイルが複数のカスタム・アルバムに含まれてよい。
【表１４２ａ】
2008530717.tif 000190
【表１４２ｂ】
2008530717.tif 000191
【表１４２ｃ】
2008530717.tif 000192
【表１４３】
2008530717.tif 000193
３．３  アセット・メタデータ
ＰＡＳＳアセットファイルは主にはユーザ供給である。セクション４に定義するように、アセットリストは様々な種類の多くのアセットファイルへの参照を含むことができる。
・ＤＩＧ３５メタデータはアセットリストの静止画像アセットに適用される。
・Ｄｕｂｌｉｎ  Ｃｏｒｅメタデータはアセットリストの任意のアセットに適用される。
・アセットが、共通メタデータと抵触する定義されたメタデータを持つ場合、アセット（ローカル）メタデータがデフォルト値に優先する。
４．０  ＰＡＳＳアセットファイルのフォーマット
このセクションでは、ＰＡＳＳディスクの論理的な仕様に互換性を持つアセットファイルフォーマットを定義する。
４．１  静止
静止画像ＰＡＳＳアセットファイルに必須ファイルフォーマットは以下の通りである。
ＪＰＥＧエンコーディングのＥｘｉｆあるいはＪＦＩＦ
静止画像ファイルは、以下の条項で定義される非プログレッシブＪＰＥＧファイルでなければならない。
・Ｃｏｄｅｃは、拡張ＤＣＴを基にする、損失のないおよび階層的プロセスを除いて、ＪＰＥＧ基線プロセス（ＪＰＥＧ  ｂａｓｅｌｉｎｅ  ｐｒｏｃｅｓｓ）を扱わねばならない（ＩＳＯ  １０９１８―１参照）。
・利用されるファイル拡張子は．ＪＰＧ、ｊｐｇ、あるいはｊｐｅｇである。
・解像度の最小値は３２ｘ３２である。
・解像度の最大値はない。
・画像アスペクト比は１：４から４：１の間でなくてはならない。
・ピクセル組成及びサンプリングはＹＣｂＣｒ４：２：２およびＹＣｂＣｒ４：２：０でなければならない。
・ピクセルアスペクト比はスクエア（１：１）でなければならない。
・サムネールファイルは、同じＣｏｄｅｃ及びピクセル組成を持ち、ＤＣＦ仕様に定義されるオリジナル画像ファイルとしてのサンプリング特性を持つＪＰＥＧファイルとする。サムネールファイルは大きさが１６０ｘ１２０とする。画像がマージンを持つ場合、マージンはＤＣＦ同様ＢＬＡＣＫ（ＲＧＢ０：０：０）で満たされねばならない。
４．２  ビデオ
このセクションでは、それらがＰＡＳＳデジタルボリュームに含まれた際の、ＰＡＳＳビデオアセットファイル（一又は複数）についての許可されるファイルフォーマットを特定する。
・ＡＶＩ−「音声ビデオインターリーブ」。ビデオと同期音声のコンテナフォーマットである。ＡＶＩファイルは異なる圧縮ビデオ及び音声ストリームを含むことができる。
許される拡張子：．ａｖｉ
・ＭＯＶ−ビデオと同期音声のコンテナフォーマットである。ＭＯＶフォーマットは音声、ビデオ、マクロメディアフラッシュ、テキスト、画像、スプライトなどの様々な媒体種類を保持することができる。これら媒体種類の各々は、別個のトラックに格納される。ＭＯＶファイルは異なる圧縮ビデオ及び音声ストリームを含むことができる。
許される拡張子：．ｍｏｖ
・ＭＰＥＧ１
許される拡張子：．ｍｐｇ，．ｍｐｅｇ
・ＭＰＥＧ２
許される拡張子：．ｍｐｇ，．ｍｐｅｇ
・ＭＰＥＧ４
許される拡張子：．ｍｐ４
４．３  音声
このセクションでは、ＰＡＳＳデジタルボリュームに含まれる際の、ＰＡＳＳ音声アセットファイル（一又は複数）の許可されるファイルフォーマットを特定する。
・Ｗａｖｅ
許される拡張子：．ｗａｖ
・ＭＰ３
許される拡張子：．ｍｐ３
４．４データエンコーディング制限
このセクションでは、ＰＡＳＳデジタルボリュームアセットファイルのデータエンコーディング属性を特定する。
４．４．１  最小限ビデオ属性
・最小限フレームレート：１０ｆｐｓ
・最小限画像サイズ：６４ｘ６４ピクセル
・サンプルあたりの最小限ビット：チャネルにつき８ビット
・最小限ビットレート：３２Ｋｂｐｓ
・フレームスキャン（ＦｒａｍｅＳｃａｎ）：インターレース（４８０ライン及び５７６ラインビデオ上だけ）及び／又はプログレッシブ
・アスペクト比：非スクエアピクセルをサポート
・レート制御サポート：一定ビットレート（ＣＢＲ）、可変ビットレート（ＶＢＲ）
・多重サポート：プログラムストリーム（音声及びビデオトラックが一緒に一つのトラックにインターリーブされる）
４．４．２  サポート最小限ビデオ圧縮方法
・動画ＪＰＥＧ
・ＭＰＥＧ−１ビデオ
ＰＡＳＳ保証オリジネイティング／オーサリング・システムは最小限、以下にリストするプロフィールをエンコードできねばならない。さらに、ＰＡＳＳ保証レシービング／再生システムは最小限、以下のプロフィールをデコードできねばならない。
・ＣＩＦ：３００Ｋｂｐｓ―４Ｍｂｐｓ、水平解像。１６０―３５２、音声３２―１９２Ｋｂｐｓ。
・「共通中間フォーマット、（ＰＡＬ）で３５２ｘ２８８、（ＮＴＳＣ）で３５２ｘ２４０」
・ＱＣＩＦ：２００Ｋｂｐｓ−４Ｍｂｐｓ、水平解像。１６０―３５２、音声３２―１９２Ｋｂｐｓ。
・「四分の一共通中間フォーマット、１７６ｘ１４４（ＰＡＬ）、１７６ｘ１２０（ＮＴＳＣ）」
各々、以下のビデオフレームレートをサポートする。
・ＰＡＬ用に２５ｆｐｓ
・ＮＴＳＣ用に２９．９７ｆｐｓ
・ＭＰＥＧ―２ビデオ
・単純プロフィール
イントラコード化された（Ｉ）フレーム及び予想（Ｐ）フレームの利用を許可する。このビットストリームの適合ポイントは、放送ストリームピクチャサイズが７２０ｘ５７６ピクセル（非スクエアピクセル）で、カラーサンプリングが４：２：０で、最大データレートが１５Ｍｂ／ｓのＭａｉｎ  ｌｅｖｅｌに在る（ＩＳＯ／ＩＥＣ１３８１８）に在る。
・主要プロフィール
イントラコード化された（Ｉ）フレーム、予想（Ｐ）フレーム、双方向予想（Ｂ）フレームの利用を許可する。このビットストリームの適合ポイントは、以下のレベルに存在する：Ｌｏｗ、Ｍａｉｎ，Ｈｉｇｈ−１４４０、Ｈｉｇｈ。Ｍａｉｎ  ｌｅｖｅｌにおいては、放送ストリームピクチャサイズは７２０ｘ５７６ピクセル（非スクエアピクセル）であり、カラーサンプリングが４：２：０であり、最大データレートが１５Ｍｂ／ｓである。
・４：２：２プロフィール
イントラコード化された（Ｉ）フレーム、予想（Ｐ）フレーム、双方向予想（Ｂ）フレームの利用を許可する。ＩＳＯ／ＩＥＣ仕様は、このビットストリームの適合ポイントを、放送ストリームピクチャサイズが７２０ｘ５７６ピクセル（非スクエアピクセル）で、カラーサンプリングが４：２：２で、最大データレートが５０Ｍｂ／ｓのＭａｉｎ  ｌｅｖｅｌに定めている。別個のＳＭＰＴＥ仕様は、最大ピクチャサイズが１９２０ｘ１０８０、カラーサンプリングが４：２：２、及び最大データレートが３００Ｍｂ／ｓのＨｉｇｈ  ｌｅｖｅｌ適合を定めている。
・ＭＰＥＧ―４ビデオ
・多数ビットレート／ストリームを除いて、サンプルプロフィールレベル０。
４．３．３  最小限音声属性
・最小チャネル：モノ
・最小サンプルレート：８ｋＨｚ
・サンプルあたりの最小ビット：８
・最小ビットレート：８Ｋｂｐｓ
・レート制御サポート：一定ビットレート（ＣＢＲ）及び可変ビットレート（ＶＢＲ）
４．４．４．サポート音声圧縮方法
・ＭＰＥＧ層１
・ＭＰＥＧ層２
・ＭＰＥＧ層３
・ＬＰＣＭ
・Ｄｏｌｂｙ  ＡＣ−３
・ＡＡＣ  Ｌｏｗ  Ｃｏｍｐｌｅｘｉｔｙ  ａｕｄｉｏ（ＭＰＥＧ４  ａｕｄｉｏ）
・ＵＬａｗ２：１
・ＡＬａｗ２：１
５．０  ＰＡＳＳ単純及び複合アセット種類
複数の単純アセットは単一のアセットを有する（例えば、コンシューマーの画像のＥＸＩＦアセットあるいはコンシューマーの音声アセットのＷＡＶファイル）。
しかし、コンシューマー・アセットが最初にキャプチャされるときには、キャプチャ機器は一つのキャプチャ・イベントに関わる二つの異なるファイルを作成することがある。この例としては、画像および音声ファイルの同時作成が挙げられる。これらファイルは関連ファイル名を持つ共通のディレクトリ内に配置される。ＰＡＳＳデジタルボリュームは、メタデータ内に記述される特別なアセット（この例では静止および音声）を作成することで、これらファイルの関連を保持する。このような関連はＰＡＳＳデジタルボリュームにおいては複合アセットと呼ばれる。
５．１  単純アセット
アセットは、ＰＡＳＳマニフェスト・ファイルが特定するアセットが単一のアセットファイルを参照しているとき、単純アセットである。
ＰＡＳＳにおいては、＜ｍｐｖ：Ｓｔｉｌｌ＞＜ｍｐｖ：Ｖｉｄｅｏ＞及び＜ｍｐｖ：Ａｕｄｉｏ＞が単純アセットとして許可されている。これらアセット種類についての詳細はＭＰＶ規格を参照のこと。
５．２  複合アセット
複合アセットはＰＡＳＳマニフェスト・ファイルにおいて、二以上のアセットファイルを参照することで特定できる。
ＰＡＳＳにおいては、＜ｍｐｖ：ＳｔｉｌｌＷｉｔｈＡｕｄｉｏ＞＜ｍｐｖ：ＳｔｉｌｌＭｕｌｔｉｓｈｏｔＳｅｑｕｅｎｃｅ＞及び＜ｍｐｖ：ＳｔｉｌｌＰａｎｏｒａｍａＳｅｑｕｅｎｃｅ＞が複合アセットとして許可されている。これらアセット種類の詳細についてはＭＰＶ規格を参照のこと。
複合アセットが存在するとき、複合アセット全体に関するメタデータは、複合アセットを識別するＭＰＶ要素にすぐ続くように現れねばならない。
５．３  アセット派生物（レンディション）
レンディション、あるいは派生物は、画像ファイルの表示など特別な用途に利用されるオリジナルアセットの代替的な表現を作成した結果である。例えば、派生物は、画面上の表示のためにその画像解像度を減らすことでオリジナル画像ファイルから作られてもよい。このような画像ファイルは、低い解像度の出力機器上での視聴のために必要となることがある。
単純アセットは派生物を持つことがある。派生物は＜ｍｐｖ：ＳｔｉｌｌＲｅｆ＞＜ｍｐｖ：ＡｕｄｉｏＲｅｆ＞＜ｍｐｖ：ＶｉｄｅｏＲｅｆ＞及び単純アセットを含む任意の複合アセットにより参照される。しかし複合アセットは、選択画面上への表示のためにそれと関連するサムネールを持ってもよい。そのサムネールはＭＰＶレンディションとして複合アセット自身にエンコードされる。
ＰＡＳＳ実装については、二つのカテゴリのアセット派生物がある：画面ファイル及びサムネールファイルである。
５．３．１  画面ファイル派生物
画面ファイルはカスタム・アルバムあるいは提示の作成のための利用目的で定義される。画面ファイルは、以下のｔａｂｌｅに概略を示される要件により、アセットロールディレクトリ内のＤＩＳＰ＿ＳＣＲディレクトリにポピュレートされる。さらなる情報についてはセクション６．２．４を参照のこと。
【表１４４】
2008530717.tif 000194
５．３．２  サムネールファイル派生物
サムネールファイルは、しばしば、より解像度が低くサイズがより小さい。これらは典型的にコンシューマー選択オプションのためにリストあるいはプレビューの一部として使用される。サムネールファイルは、以下のｔａｂｌｅに概略を示される要件により、アセットロールディレクトリ内のＤＩＳＰ＿ＴＨＢにポピュレートされる。さらなる情報についてはセクション６．２．４を参照のこと。
【表１４５】
2008530717.tif 000195
６．０  ＰＡＳＳディレクトリ構造
ＰＡＳＳデジタルボリュームはＭＰＶマニフェストを利用してローカルアセットの配置、メタデータのキャプチャ、及びアルバム記述を行う。
ＰＡＳＳインデックス・マニフェスト・ファイルはＰＡＳＳデジタルボリュームのルートディレクトリに、ＰＡＳＳ媒体上の他のマニフェスト・ファイルへのエントリポイントとして存在せねばならない。このインデックス・マニフェスト・ファイルはファイルシステムを通じて配置される。したがって任意のマニフェスト・ファイルがインデックス・マニフェスト・ファイルからトレースされる。
全てのＰＡＳＳレシービング・システムは、ルートディレクトリ内のインデックス・マニフェスト・ファイルを参照することで、ＰＡＳＳデジタルボリューム内の全てのマニフェストにアクセスすることができる。同様に、ＰＡＳＳレシービング・システムはマニフェスト・ファイルが記述するコンテンツにアクセスすることができる。
ＰＡＳＳインデックスファイルは常にＰＡＳＳルートディレクトリ内になければならない。全てのほかのＰＡＳＳマニフェスト・ファイル、アセットファイル、及びサブディレクトリは、ディレクトリ構造の二つの構成のうちのいずれをＰＡＳＳデジタルボリュームが利用するかに応じて、制限を持ってもよいし持たなくてもよい。
６．１  オープンディレクトリ構造
ＰＡＳＳオープンディレクトリ構造（ＯＤＳ）は、コンシューマーの再生経験を保証しながらも、ディレクトリ構造実装に最大限の柔軟性を提供するように定義される。ＯＤＳはレガシーシステムをＰＡＳＳデジタルボリュームへ変換するパスである。
ＰＡＳＳシステムの全ての特徴が、移行を例外として、ＯＤＳについて利用できる。最初にＯＤＳをＰＡＳＳ推奨ディレクトリ構造（ＲＤＳ）へ変換することなしにはＯＤＳを新たなＰＡＳＳデジタルボリュームへ移行することはできない。
６．１．１  構造制限
インデックス・マニフェスト・ファイル
ＰＡＳＳデジタルボリュームにはインデックス・マニフェスト・ファイルが一つだけなければならない。ファイルはＰＡＳＳルートディレクトリ内に存在せねばならない。
デフォルト・アルバム・マニフェスト・ファイル
一以上のファイルがＰＡＳＳデジタルボリューム内に存在せねばならない。
カスタム・アルバム・マニフェスト・ファイル
ゼロあるいはそれ以上のファイルがＰＡＳＳデジタルボリューム内に存在することができる。
アセットファイル
一以上のファイルがＰＡＳＳデジタルボリューム内に存在せねばならない。
画面ファイル
ゼロあるいは一つのファイルがＰＡＳＳデジタルボリューム内の各アセットファイルに存在することができる。
サムネールファイル
ゼロあるいは一つのファイルがＰＡＳＳデジタルボリューム内の各アセットファイルに存在することができる。
６．１．２  命名マニフェスト・ファイル制限
インデックス・マニフェスト・ファイル
ファイルはＰＡＳＳＩＤＸ．ＰＶＭと命名されねばならない。
デフォルト・アルバム・マニフェスト・ファイル
ファイル名は、「．ＰＶＭ」というファイル拡張子を持たねばならない。
カスタム・アルバム・マニフェスト・ファイル
カスタム・アルバム・マニフェスト・ファイルが存在する場合には、ファイル名は、「．ＰＶＭ」というファイル拡張子を持たねばならない。
アセットファイル
アセットファイル名には制限はない。
画面ファイル
画面ファイル名には制限はない。
サムネールファイル
サムネールファイル名には制限はない。
６．２推奨ディレクトリ構造
ＰＡＳＳ推奨ディレクトリ構造は、メタデータあるいはアセットの損失なしにデータを移行する最善のオプションを提供する。
６．２．１生成日付情報
ＰＡＳＳデジタルボリュームコンテナ及びアセットの命名取り決めにおいては、以下に説明するように、日付は以下のように特定される：
ＹＹＹＹは「０―９」の文字を利用する「年」にあたり、
ＭＭが「月」を表す数であり、「０―９」の文字を利用しており、
ＤＤが日付を表す数であり、「０―９」の文字を利用する。
命名取り決めでは、日付の次には常に「＿」が続く。
６．２．２  コンテナ種類
ＰＡＳＳ推奨ディレクトリ構造はコンテナを利用する。通例、コンテナはファイルシステム内のディレクトリに対応するファイル集合体を保持する。ＰＡＳＳディスクの論理的な仕様に準拠するディスクでは、コンテナは以下に記載する類似した種類のファイルを保持する。幾らかのコンテナはさらに、類似する種類のほかのコンテナを含むこともある。
６．２．３  構造制限
６．２．３．１  ファイル制限
インデックス・マニフェスト・ファイル
ＰＡＳＳデジタルボリュームルートディレクトリにはインデックス・マニフェスト・ファイルが一つだけ存在せねばならない。
デフォルト・アルバム・マニフェスト・ファイル
アセットロールコンテナ（一又は複数）内のＰＡＳＳデジタルボリュームには一以上のデフォルト・アルバム・マニフェスト・ファイルが存在せねばならない。
任意のアセットロールコンテナ内にはデフォルト・アルバム・マニフェスト・ファイルが一つだけ存在せねばならない。
カスタム・アルバム・マニフェスト・ファイル
ゼロあるいはそれ以上のカスタム・アルバム・マニフェスト・ファイル（一又は複数）がＰＡＳＳデジタルボリューム内には存在せねばならない。
全てのカスタム・アルバムファイル（一又は複数）がＡＬＢＵＭＳディレクトリ内に存在せねばならない。
アセットファイル
ＰＡＳＳデジタルボリュームは一以上のアセットファイルを含まねばならない。アセットファイルはＡＳＳＥＴＳディレクトリ内に存在することができ、各既存のアセットロールディレクトリ内に存在せねばならず、ＳＨＡＲＥＤディレクトリ内に存在することもできる。
６．２．３．２  ディレクトリ制限
Ａｓｓｅｔｓディレクトリ
一つのディレクトリはＡＳＳＥＴＳと命名されねばならず、ＰＡＳＳデジタルボリュームルートに配置されねばならない。
アセットロールディレクトリ
一以上のアセットロールディレクトリがＡＳＳＥＴＳディレクトリ内に存在せねばならない。各アセットロールディレクトリはデフォルト・アルバム・マニフェスト・ファイルを一つだけ含まねばならない。このディレクトリ内のアセットはこのディレクトリ内のデフォルト・アルバム・マニフェスト・ファイルに記述されねばならない。
カスタム・アルバムディレクトリ
ゼロあるいは一つのＡＬＢＵＭＳディレクトリが存在することができる。
このディレクトリは、存在する場合には、ＰＡＳＳデジタルボリュームルートディレクトリだけに配置されねばならない。
表示画面ディレクトリ
ゼロあるいはそれ以上の表示画面ディレクトリがＰＡＳＳデジタルボリューム内に存在することができる。
ディレクトリ名はＤＩＳＰ＿ＳＣＲでなければならない。
既存の各アセットロールディレクトリはゼロあるいは一つのＤＩＳＰ＿ＳＣＲディレクトリを含まねばならない。
表示サムネールディレクトリ
ゼロあるいはそれ以上の表示サムネールディレクトリがＰＡＳＳデジタルボリューム内に存在することができる。
ディレクトリ名はＤＩＳＰ＿ＴＨＢでなくてはならない。
既存の各アセットロールディレクトリはゼロあるいは一つのＤＩＳＰ＿ＴＨＢディレクトリを含まねばならない。
各アルバムを表すサムネールファイルが共有ディレクトリ内に存在せねばならない。
アセットロールサムネールディレクトリ内のサムネールファイルは、親ディレクトリ内のデフォルト・アルバム・マニフェスト・ファイル内に記述されねばならない。
共有ディレクトリ
ゼロあるいは一つの共有ディレクトリがＰＡＳＳデジタルボリューム内に存在することができる。このディレクトリはＳＨＡＲＥＤと命名されねばならず、ＡＳＳＥＴＳディレクトリ内に配置されねばならない。このディレクトリはカスタム・アルバム用に共有ファイル及びサムネールファイルを含む。
６．２．４  命名制限
ＰＡＳＳ取り決めは、推奨ディレクトリ構造内で命名をＡＳＣＩＩ及び大文字の利用に制限する。さらなる命名取り決めを以下にリストとして示す。
６．２．４．１  ファイル名
インデックス・マニフェスト・ファイル
インデックス・マニフェスト・ファイルの名称はＰＡＳＳＩＤＸ．ＰＶＭでなればならない。
デフォルト・アルバム・マニフェスト・ファイル
デフォルト・アルバム・マニフェスト・ファイル（各アセットロールディレクトリについて生成される）は、文字「ＡＳ」で始まり、残りの文字が該デフォルト・アルバム・マニフェスト・ファイルに対応するアセットロールディレクトリの名称に等しいファイル名を持つとする。
カスタム・アルバム・マニフェスト・ファイル
カスタム・アルバム・マニフェスト・ファイルの名称は、文字「ＰＬ」で始まり、残りの文字がカスタム・アルバム・マニフェスト・ファイルの作成日付に対応する日付コンポーネント、ＹＹＹＹＭＭＤＤを持つ。
日付コンポーネント、ＹＹＹＭＭＤＤは、ＰＡＳＳデジタルボリュームの作成日であるべきである。
ＴＵＩＤは、オリジネイティング・システムによりファイル作成時点で生成されるべきである。同じ日付コンポーネントを持つカスタム・アルバム・マニフェスト・ファイル（「ＰＬ」接頭辞）が存在する場合、同じ日付を持つカスタム・アルバム・マニフェスト・ファイル中で最も大きなＴＵＩＤ値にインクリメントすることで新たなＴＵＩＤを生成すべきである。カスタム・アルバム・マニフェスト・ファイルがコピーされるとき、二以上のカスタム・アルバム・マニフェスト・ファイルが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
ＰＡＳＳアセットファイル
推奨ディレクトリ構造を利用する際、ＡＲディレクトリ内のＰＡＳＳアセットファイルは固定文字「ＯＲ」で始まり、それに「ＹＹＹＹＭＭＤＤ＿ＸＸＸＸＸＸＸＸ」が続く名称を持つ。
日付コンポーネント、ＹＹＹＭＭＤＤは、ＰＡＳＳデジタルボリュームの作成日であるべきである。
ＴＵＩDは、オリジネイティング・システムによりファイル作成時点で生成されるべきである。同じ日付コンポーネントを持つＰＡＳＳアセットファイル（「ＯＲ」接頭辞）が存在する場合、同じ日付を持つＰＡＳＳアセットファイル中で最も大きなＴＵＩＤ値にインクリメントすることで新たなＴＵＩＤを生成すべきである。ＰＡＳＳアセットファイルがコピーされるとき、二以上のＰＡＳＳアセットファイルが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
共有ファイル
ＳＨＡＲＥＤディレクトリ内のアセットファイルは以下のパターンを追従するファイル名を持つ：
ＳＨＹＹＹＹＭＭＤＤ＿ＸＸＸＸＸＸＸＸ．ＺＺＺ
日付コンポーネントＹＹＹＭＭＤＤはアセットファイルの作成日であるべきである。
画面ファイル
画面ファイルは、文字「ＴＴ」で始まり、対応するオリジナルアセットファイルと同じ日付コンポーネント及びＴＵＩＤを持つ名称で生成される。
サムネールファイル
サムネールファイルは、文字「ＴＴ」で始まり、対応するオリジナルアセットファイルと同じ日付コンポーネント及びＴＵＩＤを持つ名称で生成される。
６．２．４．２  ディレクトリ名
Ａｓｓｅｔｓディレクトリ
ＡＳＳＥＴＳと命名されねばならない。
アセットロールディレクトリ
アセットロールディレクトリは、固定文字「ＡＲ」で始まり、それにＹＹＹＹＭＭＤＤ＿ＸＸＸＸＸＸＸＸが続く名称を持つとする。
日付コンポーネント、ＹＹＹＭＭＤＤはアセットファイルの一番古い作成日であるべきである。
ＴＵＩＤはディレクトリ作成時点で生成されるべきである。
アセットロールディレクトリ作成時当初に、同じ日付コンポーネントを持つアセットロールディレクトリが存在する場合、同じ日付を持つアセットロールディレクトリ中で最も大きなＴＵＩＤ値（基（ｒａｄｉｘ）３６で）にインクリメントすることで新たなＴＵＩＤを生成すべきである。
アセットロールディレクトリが移行されるとき、多数移行のせいで、二以上のアセットロールディレクトリが同じ日付コンポーネント及びＴＵＩＤを持つ可能性がある。この場合は、衝突がなくまるまで古いＴＵＩＤを一つずつ増やして、新たな固有ＴＵＩＤを利用すべきである。
カスタム・アルバムディレクトリ
このディレクトリはＡＬＢＵＭＳという一つの許可された名称を持つ。
表示画面ディレクトリ
このディレクトリはＤＩＳＰ＿ＳＣＲという一つの許可された名称を持つ。
表示サムネールディレクトリ
このディレクトリはＤＩＳＰ＿ＴＨＢという唯一許可された名称を持つ。
共有ディレクトリ
このディレクトリはＳＨＡＲＥＤという唯一許可された名称を持つ。
【表１４６】
2008530717.tif 000196
７．０  移行
ＰＡＳＳシステムは一以上のＰＡＳＳデジタルボリューム全体あるいは特定のＰＡＳＳアルバムの、単一の新たなＰＡＳＳデジタルボリュームへの移行を許可する。これはお互い別個なＰＡＳＳデジタルボリュームの一つのＰＡＳＳデジタルボリュームへの効果的な融合である。ＰＡＳＳシステムにおいては、新たなＰＡＳＳデジタルボリュームは各移行に記録される。ＰＡＳＳシステムは既存のＰＡＳＳデジタルボリュームへの情報の付加を許さない。
ＰＡＳＳデジタルボリュームの移行のさらなる情報については、ＰＡＳＳオリジネイティング及びオーサリング・システムを参照のこと。
付録Ａ．追加的ＸＭＬ利用―参考情報
【表１４７】
2008530717.tif 000197
【表１４８】
2008530717.tif 000198
【表１４９】
2008530717.tif 000199
【表１５０】
2008530717.tif 000200
【表１５１】
2008530717.tif 000201
付録Ｂ．ＴＵＩＤ
以下に説明するようにＰＡＳＳデジタルボリュームアセットの命名取り決めでは、Ｔｒｕｎｃａｔｅｄ  Ｕｎｉｖｅｒｓａｌ  Ｉｄｅｎｔｉｆｉｅｒ  ｃｏｍｐｏｎｅｎｔ（ＴＵＩＤ）が八文字ＧＵＩＤとして「０―９」及び「Ａ―Ｚ」を利用して生成される。
ＴＵＩＤは以下のように生成される。
ステップ１：時間情報をオーサリング・システムから取得して、定義するように該時間情報をＨＨ：ＭＭ：ＳＳ．ＣＣで表す：
ＨＨ：時間（ｈｏｕｒ）（０―２３）
ＭＭ：分（０―５９）
ＳＳ：秒（０―５９）
ＣＣ：副秒（ｓｕｂ−ｓｅｃｏｎｄ）（０―９９）
ステップ２：時間コードを以下のように算出する：
Ｔ＝（（ＣＣ＊６０＋ＳＳ）＊６０＋ＭＭ）＊２４＋ＨＨ
ステップ３：ＭＡＣアドレス（あるいは任意の固有コード）から３バイトを取得する
Ｍ：０−（２５６６―１）［２５６］：［２５６］：［２５６］：［２５６］：［２５６］：［２５６］（Ｂ１―Ｂ６）
３番目、５番目、及び６番目のバイトを抽出して、以下のように組み合わせる：
Ｍ＝Ｂ３＊２５６＊２５６＋Ｂ５＊２５６＋Ｂ６
注１：固有コードの別の例には、「機器の製造番号」がある。
注２：Ｂ１−Ｂ３：製造者コード、Ｂ４−Ｂ６：機械コード
ステップ４：固有番号を取得する。
Ｎ＿ＴＵＩＤ＝ｍｏｄ（（Ｔ＋Ｍ＊Ｍｍａｘ），ＴＵＩＤｍａｘ）
ここで、Ｍｍａｘ＝２５６3、ＴＵＩＤｍａｘ＝３６８
ステップ５：ＡＳＣＩＩ文字へ変換する（０―９、Ａ―Ｚ）
（１）基（ｒａｄｉｘ）３６に基づく数字へ変換する。Ｄｉは以下のように算出できる：
Ｄｉ＝ｍｏｄ（ｉｎｔ（Ｎ＿ＴＵＩＤ／３６ｉ），３６）
ここで、Ｄｉ：基（ｒａｄｉｘ）３６でｉ番目の桁数（０−７．ここでＬＳＢ＝０）
（２）以下のｔａｂｌｅを利用してＤｉをＡＳＣＩＩに変換する：
【表１５２】
2008530717.tif 000202
付録Ｃ．例―参考情報
実装者がＰＡＳＳデジタルボリュームのＸＭＬコーディングを理解する際の助けとして以下の例を提供する。
【表１５３ａ】
2008530717.tif 000203
【表１５３ｂ】
2008530717.tif 000204
【表１５４ａ】
2008530717.tif 000205
【表１５４ｂ】
2008530717.tif 000206
【表１５４ｃ】
2008530717.tif 000207
【表１５４ｄ】
2008530717.tif 000208
【表１５４ｅ】
2008530717.tif 000209
【表１５５ａ】
2008530717.tif 000210
【表１５５ｂ】
2008530717.tif 000211
【表１５５ｃ】
2008530717.tif 000212
【表１５５ｄ】
2008530717.tif 000213
【表１５５ｅ】
2008530717.tif 000214
【表１５５ｆ】
2008530717.tif 000215
【表１５５ｇ】
2008530717.tif 000216
【表１５５ｈ】
2008530717.tif 000217
例：デフォルト・アルバム・マニフェスト・ファイル
以下のデフォルト・アルバム・マニフェスト・ファイルの例では、アルバム全体の各アセット参照に適応される遷移と期間（共通制御メタデータあるいはＣＣＭ）が赤文字で示される。
同じアルバム内の特定のアセット参照についての遷移と期間は、ＣＣＭ値に優先するが、これは青文字で示される。
【表１５６ａ】
2008530717.tif 000218
【表１５６ｂ】
2008530717.tif 000219
【表１５６ｃ】
2008530717.tif 000220
【表１５６ｄ】
2008530717.tif 000221
【表１５６ｅ】
2008530717.tif 000222
【表１５６ｆ】
2008530717.tif 000223
付録Ｄ．参照―参考情報
以下に二種類の参照文献をリストする。特定の文書（独立した文書あるいはシリーズ内の一文書）は「Ｆｉｘｅｄ」と記載されている。そのシリーズ内の文書のバージョン全てが有益そうなシリーズについては「Ｓｅｒｉｅｓ」と記載されている。以下のリストは、文書あるいはシリーズの、この出版物公開時における最新のバージョンである。
AVI, MICROSOFT AVI FOR WINDOWS format is described at:
http://whidbey.msdn.microsoft.com/library/default.asp?url=/library/en-us/directx9_c/directx/htm/avirifffilereference.asp
An unofficial but very detailed description of AVI and CODECS can be found at:
http://www.jmcgowan.com/avi.html
CANON INC, EASTMAN KODAK COMPANY, FUJI PHOTO FILM CO., LTD., MATSUSHITA ELECTRIC INDUSTRIAL CO., LTD., "DPOF (Digital Print Order Format) Specification Version 1.1" (2000) [Fixed]
CUBE MICROSYSTEMS, "JPEG File Interchange Format, Version 1.02"; (1992) [Fixed]
INTERNATIONAL IMAGING INDUSTRY ASSOCIATION, "DIG35 Specification-Metadata for Digital Images, Version 1.1" (2001).  See http://www.i3a.org/for more information.[Fixed]
INTERNATIONAL STANDARDS ORGANIZATION (ISO)
For information, see http://www.iso.org/.
15836:2003, "Information and documentation-The Dublin Core metadata element set" [Fixed]
9660:1998, "Information processing - Volume and file structure of CD-ROM for Information Interchange" [Series]
11172-2:1993 [MPEG-1] "Information technology - Coding of moving pictures and associated audio for digital storage media at up to about 1,5 Mbit/s - part 2: Video" [Series]
11172-3:1993 [MPEG-1] "Information technology - Coding of moving pictures and associated audio for digital storage media at up to about 1,5 Mbit/s - part 3: Audio" [Series]
13818-2:2000 [MPEG-2] "Information technology - Generic coding of moving pictures and associated audio information: Video" [Series]
14496-2:2004 "Information technology - Coding of audio-visual objects - Part 2: Visual" [Series]
JAPAN ELECTRONICS AND INFORMATION TECHNOLOGY INDUSTRIES ASSOCIATION
For information, see http://www.jeita.or.jp/.
CP-3461, "Design rule for Camera File System DCF, Version 2.0" (2003) [Series]
CP-3451, "Exchangeable image file format for digital still cameras: Exif Version 2.2", (2002) [Series]
CP-3451-1, "Exchangeable image file format for digital still cameras: Exif Version 2.21 (Amendment Ver2.2)", (2003) [Series]
MPEG, MOTION PICTURE EXPERTS GROUP OR ISO/IEC JTC1/SC29 WG11. See references above.  Additional useful links for information on the MPEG specification series can be found at:
http://en.wikipedia.org/wiki/MPEG
MOV, APPLE COMPUTER QUICKTIME MOVIE FORMAT described at:
http://developer.apple.com/documentation/QuickTime/FileFormatSpecification-date.html
OPTICAL STORAGE TECHNICAL ASSOCIATION.
For information, see http://www.osta.org/.
"MPV Dublin Core-Normalized Metadata Format Profile Specification rev. 1.01" (2003). [Fixed]
"MPV XML Manifest Specification rev. 1.01", (2003).[Fixed]
"MPV Basic Profile Specification rev. 1.01" (2002) [Fixed]
"MPV Core Specification rev. 1.01"; (2003) [Fixed]
"MPV Presentation Profile Specification rev. 1.01"; (2002) [Fixed]
"MPV Normalized Metadata Format Specification rev. 1.01"; (2002) [Fixed]
"Universal Disk Format Specification rev. 2.50"; (2003) [Series]
WAV, MICROSOFT WAVEFORM AUDIO FILE FORMAT FOR WINDOWS has a good description at this unofficial web site:
http://ccrma.stanford.edu/CCRMA/Courses/422/projects/WaveFOrmat/
WAV has several other reference documents and sites that may be useful:
"Waveform Audio File Format, Multimedia Programming Interface and Data Specification v1.0", Issued by IBM & Microsoft, 1991.
ftp://ftp.cwi.nl/pub/audio/RIFF-format,
http://keck.ucsf.edu/〜jwright/RIFF-format.html,
http://www.seanet.com/HTML/Users/matts/riffmci/riffmci.html
【００９４】
ピクチャー・アーカイブ・アンド・シェアリング・スタンダード
共同イニシアチブ
オリジネイティング／オーサリング・システムの必要仕様
バージョン１．１０
２００５年１１月１８日
富士写真フィルム株式会社、コニカミノルタフォトイメージング株式会社、イーストマンコダック社
著作権、２００５年、富士写真フイルム株式会社、コニカミノルタフォトイメージング株式会社、イーストマンコダック社
本仕様書またはそのいかなる部分をもいかなる形態においても複製又は修正する権利を含む著作権を所有。
目次
１．０．  ＰＡＳＳ概要・・・・・・・・・・・・・・・・・・・・・・・・・・・・１
２．０．  ＰＡＳＳオリジネイティング／オーサリング・システムの必要仕様への導入・
・・・・・・・・・・・・・・・・・・・・・・・・・・・・・・・・・・・・・・・２
２．１．  オリジネイティング／オーサリング・システムの必要仕様の構成・・・・２
３．０．  ＰＡＳＳディレクトリ構造・・・・・・・・・・・・・・・・・・・・・・３
４．０．  ＰＡＳＳデジタルアセットの入力・・・・・・・・・・・・・・・・・・・４
４．１．  多様な媒体からの入力アセット・・・・・・・・・・・・・・・・・・・４
４．２．  入力アセットのファイルタイプ・・・・・・・・・・・・・・・・・・・４
４．３．  入力アセットのメタデータ・・・・・・・・・・・・・・・・・・・・・５
４．４．  単一アセットファイルのタイプ・・・・・・・・・・・・・・・・・・・５
４．５．  複合アセット・・・・・・・・・・・・・・・・・・・・・・・・・・・６
５．０．  アセットの派生（レンディション）ファイルの作成・・・・・・・・・・・７
６．０．  ＰＡＳＳマニフェストファイルの作成・・・・・・・・・・・・・・・・・８
６．１．  ＰＡＳＳ推奨ディレクトリ構造（ＲＤＳ）に従ったマニフェストファイル作成・・・・・・・・・・・・・・・・・・・・・・・・・・・・・・・・・・・・・・８
６．１．１．  インデックスマニフェスト・・・・・・・・・・・・・・・・・・８
６．１．２．  デフォルトアルバムマニフェスト・・・・・・・・・・・・・・・８
６．１．３．  カスタムアルバムマニフェスト・・・・・・・・・・・・・・・１１
６．２．  ＰＡＳＳオープンディレクトリ構造（ＯＤＳ）に従ったマニフェストファイル作成・・・・・・・・・・・・・・・・・・・・・・・・・・・・・・・・・・・１２
６．２．１．  インデックスマニフェスト・・・・・・・・・・・・・・・・・１２
６．２．２．  デフォルトアルバムマニフェスト・・・・・・・・・・・・・・１２
６．２．３．  カスタムアルバムマニフェスト・・・・・・・・・・・・・・・１２
７．０．  ＰＡＳＳデジタルボリュームを作成する・・・・・・・・・・・・・・・１３
８．０．  ビデオアルバム（ビデオＣＤ（Ｖｉｄｅｏ  ＣＤ）又はＤＶＤビデオ（ＤＶＤ−Ｖｉｄｅｏ）・・・・・・・・・・・・・・・・・・・・・・・・・・・・・・・・１４
９．０．  マイグレーション・・・・・・・・・・・・・・・・・・・・・・・・・１５
付属書Ａ．・・・・・・・・・・・・・・・・ＰＡＳＳディスクのマイグレーション  １８
Ａ．１．  マイグレーションの概要・・・・・・・・・・・・・・・・・・・・・１８
Ａ．２．  マイグレーションプロセス・・・・・・・・・・・・・・・・・・・・２１
Ａ．２．１．  マイグレーション・シーケンス・・・・・・・・・・・・・・・２１
付属書Ｂ．・・・・・・・ＰＡＳＳデジタルボリューム及び各アセットのメタデータ  ２８
Ｂ．１．  ＰＡＳＳデジタルボリュームのメタデータ・・・・・・・・・・・・・２８
Ｂ．２．  各アセットのメタデータ・・・・・・・・・・・・・・・・・・・・・２９
Ｂ．２．１．  静止画アセットのメタデータ・・・・・・・・・・・・・・・・２９
Ｂ．２．１．１．  Ｅｘｉｆタグ情報からのメタデータ・・・・・・・・・・２９
Ｂ．２．１．２  非Ｅｘｉｆタグのメタデータ・・・・・・・・・・・・・・３２
Ｂ．２．２．  ビデオと音声アセットのメタデータ・・・・・・・・・・・・・３５
Ｂ．２．３．  複合アセットのメタデータ・・・・・・・・・・・・・・・・・３６
Ｆｉｇｕｒｅｓ
ＦｉｇｕｒｅＡ１．  マイグレーション・メタデータ・スキーマ・フラグメント・・１８
ＦｉｇｕｒｅＡ２．  マイグレーション段階１・・・・・・・・・・・・・・・・・２１
ＦｉｇｕｒｅＡ３．  マイグレーション段階１―サンプルＸＭＬ・・・・・・・・・２１
ＦｉｇｕｒｅＡ４．  マイグレーション段階２・・・・・・・・・・・・・・・・・２２
ＦｉｇｕｒｅＡ５．  マイグレーション段階２―サンプルＸＭＬ・・・・・・・・・２３
ＦｉｇｕｒｅＡ６．  マイグレーション段階３・・・・・・・・・・・・・・・・・２４
ＦｉｇｕｒｅＡ７．  マイグレーション段階３―サンプルＸＭＬ・・・・・・・・・２４
１．０．  ＰＡＳＳ概要
ピクチャー・アーカイブ・アンド・シェアリング・スタンダード（Ｐｉｃｕｔｒｅ  Ａｒｃｈｉｖｅ  ａｎｄ  Ｓｈａｒｉｎｇ  Ｓｔａｎｄａｒｄ）（ＰＡＳＳ）は、以前は容易には又は信頼性を保証できる程度には確立できなかった方法にて、家庭においてデジタル画像を簡単に保存、印刷、再生、及び共有することを可能とするデジタルイメージング産業におけるイニシアチブである。
ＰＡＳＳ仕様書群の現在のバージョンは、
ＰＡＳＳディスクの論理的な仕様（Ｌｏｇｉｃａｌ  Ｄｉｓｃ  ｓｐｅｃｉｆｉｃａｔｉｏｎ）１．１０（ＬＤＳ）、
ＰＡＳＳオリジネイティング／オーサリング・システムの必要仕様（Ｏｒｉｇｉｎａｔｉｎｇ  ａｎｄ  Ａｕｔｈｏｒｉｎｇ  Ｓｙｓｔｅｍ  Ｒｅｑｕｉｒｅｍｅｎｔｓ）１．１０（Ｏ／Ａ）、
ＰＡＳＳレシービング／再生システムの必要仕様（Ｒｅｃｅｉｖｉｎｇ  ａｎｄ  Ｐｌａｙｂａｃｋ  Ｓｙｓｔｅｍ  Ｒｅｑｕｉｒｅｍｅｎｔｓ）１．１０（Ｒ／Ｐ）
を含む。
ＬＤＳは、仕様書群の全文書の完全概覧、定義、及び参照文献リストを含む。ＬＤＳは、他の文書を理解するのに必要となるＸＭＬの参照先をも含む。読者には、本文書を読むに先立ってＬＤＳを読みこなしておくことを勧める。
２．０．  ＰＡＳＳオリジネイティング／オーサリング・システムの必要仕様への導入
オリジネイティング／オーサリング・システムの必要仕様（Ｏ／Ａ）においては、ＰＡＳＳ媒体を作成するための要件を機能性の観点から定義する。Ｏ／Ａにおいては、格別なユーザインターフェースを定義しない。しかし、機能的要件を説明する目的で、いくつかの例を提示することもある。また、Ｏ／Ａにおいて、１つ又はそれより多いＰＡＳＳデジタルボリューム(ＰＡＳＳ  Ｄｉｇｉｔａｌ  Ｖｏｌｕｍｅ)の全体を１つの新たなＰＡＳＳデジタルボリュームへとマイグレーションする方法も詳細に記載する。
２．１．  オリジネイティング／オーサリング・システムの必要仕様の構成
ＰＡＳＳは、Ｏｐｔｉｃａｌ  Ｓｔｏｒａｇｅ  Ｔｅｃｈｎｏｌｏｇｙ  Ａｓｓｏｃｉａｔｉｏｎ（ＯＳＴＡ）のＭｕｓｉｃＰｈｏｔｏＶｉｄｅｏ仕様（ＭＰＶ）において定義する特別な記述子ファイル（'マニフェスト'）を使用する。これらのマニフェストファイルは、ＰＡＳＳディスクの論理的な仕様において詳細に定義されている。
Ｏ／Ａにおいては、
ａ）デジタルアセットの入力及び取り扱い方法、
ｂ）マニフェストファイルの作成、
ｃ）ＰＡＳＳデジタルボリュームの作成、及び
ｄ）古い素材の新しいＰＡＳＳデジタルボリュームへのマイグレーション
を具体的に述べる。
３．０．  ＰＡＳＳディレクトリ構造
ＬＤＳにおいては、ディレクトリ構造の構成を二つ記述している。ＰＡＳＳ推奨ディレクトリ構造（ＲＤＳ）、又はＰＡＳＳオープンディレクトリ構造（ＯＤＳ）である。ＲＤＳ及びＯＤＳに関する詳細情報については、ＰＡＳＳ  ＬＤＳの第６項を参照。
Ｏ／Ａシステムが両構成をともにサポートする場合、システム操作者は作成するＰＡＳＳデジタルボリュームに最適な構造を選択することができる。
マイグレーション機能がサポートされている場合、ＲＤＳフォーマットを使用しなければならない。マイグレーションは、本仕様書の第９項において定義する。
４．０．  ＰＡＳＳデジタルアセットの入力
４．１．  多様な媒体からの入力アセット
ＰＡＳＳ  Ｏ／Ａシステムは、多様な種類のカードリーダおよびアダプタを用いて、可能な限り多く種類のストレージ媒体をサポートしてよい。
ＤＳＣメモリカードが最も一般的な入力媒体であると想定される。ＤＳＣ用のメモリカードは多種あり、スマートメディア（ＳｍａｒｔＭｅｄｉａ）、ｘＤピクチャーカード（ｘＤ−Ｐｉｃｔｕｒｅ  Ｃａｒｄ）、コンパクトフラッシュ（ＣｏｍｐａｃｔＦｌａｓｈ）、ＳＤメモリカード、及びメモリスティック（ＭｅｍｏｒｙＳｔｉｃｋ）がある。ミニＳＤ（ｍｉｎｉＳＤ）及びメモリスティックデュオ（ＭｅｍｏｒｙＳｔｉｃｋ  Ｄｕｏ）はカメラ付き携帯電話にて使用される。
多くの場合、入力媒体として光ディスクも使用される。光ディスクは、レガシー小売サービス業者および、ＰＣを所持するユーザにより書き込まれる。ＣＤ−Ｒ、ＤＶＤ−Ｒ／ＲＷ、ＤＶＤ＋Ｒ／ＲＷ、ＤＶＤ−ＲＡＭ等、多様な光ディスクのフォーマットが存在する。
ユーザが写真のネガおよびプリントを持ち込んだ場合には、スキャナを用いてＰＡＳＳデジタルアルバム（Ｄｉｇｉｔａｌ  Ａｌｂｕｍ）へと変換してもよい。
スキャンによるＰＡＳＳデジタルボリュームの作成はオプションである。
また、特定のＰＡＳＳ  Ｏ／Ａシステムが受け付ける取り外し可能な媒体には、Ｏ／Ａシステムへの入力ともなり得るＰＡＳＳデジタルボリュームを含めてよい。
・ＰＡＳＳ  Ｏ／Ａシステムは、一般的にユーザが提示するであろう媒体の中のアセットファイルを読み出すための入力装置を少なくとも１つは備えていなければならない。
４．２．  入力アセットのファイルタイプ
ＰＡＳＳマニフェストがＰＡＳＳアセットファイルとして参照するファイルは、ＬＤＳバージョン１．１の第４項にリストするファイルタイプのものでなければならない。他のあらゆるファイルタイプのファイルをＰＡＳＳデジタルボリューム媒体に記録してもよいが、ＰＡＳＳデジタルボリュームの一部とはみなされない。
・Ｏ／Ａシステムは必要に応じてアセットをＬＤＳの第４項に記載のファイルフォーマットへと変換し、アセットファイルをＰＡＳＳにより許容される単一アセットタイプ及び複合アセットタイプとして記述しなければならない。
・ＰＡＳＳ推奨ディレクトリ構造に準拠する場合、Ｏ／Ａシステムは単一アセットをＬＤＳの第６項に記載する通りに作成および命名しなければならない。マイグレーション機能が動作している場合には、Ｏ／Ａシステムは、マイグレーションされているＰＡＳＳデジタルボリュームに現在存在している単一アセットを見つけ、読み出し、処理しなければならない。
４．３．  入力アセットのメタデータ
入力ファイルは、たとえばＤＳＣ（Ｅｘｉｆフォーマット）からのもの等のメタデータを含んでよい。このメタデータは保存されるべきである。また、特定のメタデータは、ＰＡＳＳシステムにより使用される。また、Ｏ／Ａシステムによって定義又は設置（ｌｏｃａｔｅ）されねばならない。
・Ｏ／Ａシステムは、メタデータを入力することが可能であってよい。
・Ｏ／Ａシステムは、入力したファイル内にメタデータが存在する場合、それを設置（ｌｏｃａｔｅ）することが可能でなければならない。
・アセットが値が０、９０、[−９０]、１８０、又は２７０以外である＜ｄｉｇ３５：ＲＯＬＬ＞のメタデータを有している場合、Ｏ／Ａシステムは、その値をｍｐｖｐＣｔｒｌ：ＳｈｏｗＲｏｔａｔｅｄＣｏｎｔｒｏｌＰｒｏｐｅｒｔｉｅｓ用に、最も近い９０度のインクリメント（ｉｎｃｒｅｍｅｎｔ）へと四捨五入すべきである。
４．４．  単一アセットファイルのタイプ
ＰＡＳＳにおいて、＜ｍｐｖ：Ｓｔｉｌｌ＞、＜ｍｐｖ：Ｖｉｄｅｏ＞、及び＜ｍｐｖ：Ａｕｄｉｏ＞が単一アセットのタイプとして認められている。これら３種のアセットタイプのアセットファイルを取り扱うためのファイルフォーマットについては、ＬＤＳの第４．０項において述べられている。
・Ｏ／Ａシステムは、１つ又はそれより多くの別個の単一アセットから複合アセットを作成することが可能であってよい。
４．５．  複合アセット
ＰＡＳＳ仕様は、ＯＳＴＡ  ＭＰＶに複合アセットとして定義される以下の３種の画像データを含んでいる。
音声付き静止画
静止画ファイル１つ、及び１つ（又はそれより多い）の音声ファイル
静止画連続撮影シーケンス（Ｓｔｉｌｌ  Ｍｕｌｔｉｓｈｏｔ  Ｓｅｑｕｅｎｃｅ）
バーストショット画像（Ｂｕｒｓｔ  Ｓｈｏｔ  Ｉｍａｇｅ）のように、短時間に連続的に撮影された多数（２枚又はそれより多い）の静止画
静止画パノラマシーケンス（Ｓｔｉｌｌ  Ｐａｎｏｒａｍａ  Ｓｅｑｕｅｎｃｅ）
パノラマを作成する意図で撮影された複数（２枚又はそれより多い）の静止画
５．０．  アセットの派生（レンディション）ファイルの作成
ＰＡＳＳデジタルボリュームの静止画アセットは、典型的にはデジタルスチールカメラ（ＤＳＣ）や高解像度スキャナからの画像である。これらは通常、今日一般的に使用されているテレビやその他の家庭用装置で見るには大きすぎる。ＰＡＳＳ仕様においては、原ファイルに加えて、派生ファイルを保存してよい。ＰＡＳＳにおいては、スクリーン及びサムネイルファイルが許可されている。
・Ｏ／Ａシステムは、ＬＤＳ１．１０の第４  ５．３．項に記載の要件に従って派生ファイルを作成してよい。
・Ｏ／Ａシステムは、ＲＤＳに書き込む場合には、ＬＤＳの第６項に記載するように派生及び原ファイルを作成及び命名しなければならない。
・Ｏ／Ａシステムは、派生ファイルを、原アセットと同じ＜ｄｉｇ３５：ＲＯＬＬ＞の回転により作成しなければならない。
・マイグレーション機能が動作している場合に、Ｏ／Ａシステムは、マイグレーションされているＰＡＳＳデジタルボリュームに現在存在するアセットを見つけ、コピーしなければならない。また、Ｏ／Ａシステムは、マイグレーションされたマニフェストファイルを見つけ、更新し、記録しなければならない。
６．０．  ＰＡＳＳマニフェストファイルの作成
３種類のＸＭＬ文書がＰＡＳＳにおいて用いられている。
ＭＰＶ仕様に準拠するこれらの文書は、「マニフェスト」と呼ばれる。ＬＤＳの第３項を参照。
ＰＡＳＳにおいて使用するために定義されるＭＰＶマニフェストは、
・インデックスマニフェストファイル（ＰＡＳＳＩＤＸ．ＰＶＭ）
・デフォルトアルバムマニフェストファイル
・カスタムアルバムマニフェストファイル
である。
６．１．  ＰＡＳＳ推奨ディレクトリ構造（ＲＤＳ）に従ったマニフェストファイルの作成
６．１．１．  インデックスマニフェスト
・Ｏ／Ａシステムは、ＰＡＳＳデジタルボリューム上のそれ自体以外の全てのＰＡＳＳマニフェストファイルを識別するインデックスマニフェストファイルを作成することが可能でなければならない。
・Ｏ／Ａシステムは、「ＰＡＳＳＩＤＸ．ＰＶＭ」と命名されるインデックスマニフェストを１つだけ作成しなければならず、それは、ＰＡＳＳデジタルボリュームのルートディレクトリ内に置かれなければならない。
・Ｏ／Ａシステムは、必須のＭＰＶ及びＰＡＳＳ  ＸＭＬ要素、及びＰＡＳＳにおいて許可されているメタデータ値を、インデックスマニフェストファイルにおいて、ＬＤＳ、ＭＰＶコア仕様（ＭＰＶ  Ｃｏｒｅ  Ｓｐｅｃｉｆｉｃａｔｉｏｎ）、及びＭＰＶベーシックプロファイル（ＭＰＶ  Ｂａｓｉｃ  Ｐｒｏｆｉｌｅ）に記載する通りに実施しなければならない。
６．１．２．  デフォルトアルバムマニフェスト
・Ｏ／Ａシステムは、デフォルトアルバムマニフェストファイルを作成することが可能でなければならない。
・Ｏ／Ａシステムは、ＬＤＳの第６項に概説する命名慣例に従って命名されるデフォルトアルバムマニフェストファイルを１つ又はそれより多く作成しなければならない。
・Ｏ／Ａシステムは、ＲＤＳ構造に従って実施する場合は、各アセットロールディレクトリに１つのデフォルトアルバムマニフェストファイルを作成しなければならない。
・Ｏ／Ａシステムは、デフォルトアルバムマニフェスト内に、特定のアセットロールディレクトリに含まれる全てのアセットファイルへの参照を記述しなければならない。
・Ｏ／Ａシステムは、必須のＭＰＶ及びＰＡＳＳ  ＸＭＬ要素、及びＰＡＳＳにおいて許可されているメタデータ値を、デフォルトアルバムマニフェストファイルにおいて、ＬＤＳ、ＭＰＶコア仕様、及びＭＰＶベーシックプロファイルに記載する通りに実施しなければならない。
ＲＤＳ用のデフォルトアルバムマニフェストの作成手順の例を以下に概説する。
１）アセットリストを定義する
Ｏ／Ａシステムは、特定のアセットロールディレクトリに含まれるアセットファイルへの参照を、デフォルトアルバムマニフェスト内に記述する。作成されると、これはアルバムのアセットリストとなる。
アセットリストは、システムにより生成されるアセットリストＩＤ（＜ｐａｓｓ：ａｓｓｅｔｌｉｓｔＩＤ＞）により識別される。
２）アセットメタデータを編集する
Ｏ／Ａシステムは、デフォルトアルバムマニフェストファイルにおいて参照される各アセットへメタデータを加える。アセットメタデータの作成について述べている付属書Ｂの情報を参照。
３）アルバムメタデータを編集する
システムは、デジタルアルバムのタイトル及び日付のメタデータを生成する。
システムは、これらを各アルバムについて自動的に生成する。
この情報を入力するにあたっては、手入力を用いてもよい。
ユーザによりタイトルと日付の情報が提供されない場合、システムは日付情報により新しいタイトルを生成してもよい。この場合、タイトルを「ＹＹＹＹ．ＭＭ．ＤＤ−ＹＹＹＹ．ＭＭ．ＤＤ」のようにフォーマットしてよい。第１の日付は、アルバムマニフェストに含まれるアセットのうち最も初期に、第２の日付は直近に撮影されたものの撮影日である。
アセットの日付情報がない場合（たとえばフィルムをスキャンした画像に起こるように）、システムは、「Ａｌｂｕｍ」及び数（「００１」、「００２」）を組み合わせて一意に決まるタイトルを作成してよく、これにより、「Ａｌｂｕｍ００１」、「Ａｌｂｕｍ００２」のように順に並ぶ一連のタイトルが作成される。
４）バックグラウンドミュージックを定義する
＜ｍｐｖ：Ａｕｄｉｏ＞アセットファイルを、デフォルト又はカスタムアルバムのバックグラウンドミュージックとして定義してよい。
Ｏ／Ａシステムは、音声ファイルを識別し、アルバムのバックグラウンドミュージックとして定義してよい。同一の音声ファイルを多数のカスタム又はデフォルトアルバムに使用してよい。デフォルトアルバムは多数の音声ファイルを有してよい。
５）トランジション及びデュレーションを定義する
Ｏ／Ａシステムは、アルバム全体の中の各アセットにトランジションを定義してもよい。ＰＡＳＳにおいて用いられるトランジションの推奨タイプは、ｂａｒＷｉｐｅ、ｉｒｉｓＷｉｐｅ、ｃｌｏｃｋＷｉｐｅ、及びｓｎａｋｅＷｉｐｅである（ＬＤＳの第３項を参照）。
また、Ｏ／Ａシステムは、アルバム内での間隔を指定してトランジションを変化させてよい。再生時間のデュレーションも、ＰＡＳＳ  Ｏ／Ａシステムにより自動決定、又はユーザの入力により決定してよい。
Ｏ／Ａシステムは、アルバムの各アセットリファレンスに適用するトランジション及びデュレーション情報を共通制御メタデータ（ｃｏｍｍｏｎ  ｃｏｎｔｒｏｌ  ｍｅｔａｄａｔａ）（ＣＣＭ）として定義してよい。
また、Ｏ／Ａシステムは、アルバム内の特定のアセットリファレンスに、定義した共通制御メタデータ値に優先するトランジション及びデュレーションを定義してもよい。
（ＬＤＳの第３．２．４．項を参照）
６．１．３．  カスタムアルバムマニフェスト
・Ｏ／Ａシステムは、操作者の判断又はユーザの要望に基づいてＰＡＳＳデジタルボリュームからアセットを選択することによりカスタムアルバムマニフェストファイルを作成してよい。
・Ｏ／Ａシステムは、ＬＤＳ１．１０の第６項に概説する命名慣例に従って命名される０個又はそれより多くのカスタムアルバムマニフェストファイルを作成しなければならない。
・カスタムアルバムファイルマニフェストファイルは、ＲＤＳに限っては、「ＡＬＢＵＭＳ」ディレクトリ内に置かれなければならない。
・Ｏ／Ａシステムは、必須のＭＰＶ及びＰＡＳＳ  ＸＭＬ要素、及びメタデータ値を全て、カスタムアルバムマニフェスト用に定義された通りにサポートしなければならない。（ＬＤＳの第３項を参照。）
・マイグレーション機能が動作している場合、Ｏ／Ａシステムは、マイグレーションされているＰＡＳＳデジタルボリュームに現在存在するあらゆるカスタムアルバムマニフェストファイルを見つけ、読み出し、処理しなければならない。カスタムアルバムがアセットロール（Ａｓｓｅｔ  Ｒｏｌｌ）ディレクトリ内のアセットを参照している場合、たとえカスタムアルバムがアセットロールディレクトリ内の全てのコンテンツを参照していなくとも、全てのコンテンツを含むアセットロールディレクトリ全体をマイグレーションしなければならない。アセットロールディレクトリの一部だけをマイグレーションすることは許可されない。カスタムアルバムがＲＤＳの「共有（ＳＨＡＲＥＤ）」ディレクトリ内のファイルを参照している場合、アセット単体を移動先のボリュームの「共有」ディレクトリにコピーしてもよい。
６．２．  ＰＡＳＳオープンディレクトリ構造（ＯＤＳ）に従ったマニフェストファイルの作成
６．２．１．  インデックスマニフェスト
・Ｏ／Ａシステムは、ＰＡＳＳデジタルボリューム上の、それ自体以外の全てのＰＡＳＳマニフェストファイルを識別するインデックスマニフェストファイルを作成することが可能でなければならない。
・Ｏ／Ａシステムは、ＰＡＳＳデジタルボリュームのルートディレクトリに「ＰＡＳＳＩＤＸ．ＰＶＭ」と命名されるただ１つのインデックスマニフェストを作成しなければならない。
６．２．２．  デフォルトアルバムマニフェスト
・Ｏ／Ａシステムは、少なくとも１つのデフォルトアルバムマニフェストファイルを作成することが可能でなければならない。デフォルトアルバムマニフェストを多数作成してもよい。
・デフォルトアルバムマニフェストファイルを作成した場合には、ファイルはｇ．ＰＶＭ"のファイル拡張子を有していなければならない。
・Ｏ／Ａシステムは、互いに排他的であるデフォルトアルバムマニフェストファイルを作成しなければならない。あるデフォルトアルバムマニフェストが記述するＰＡＳＳアセットを、その他のいかなるデフォルトアルバムマニフェストであっても重複して記述してはならない。特定のアセットは、ただ１つのデフォルトアルバムにだけ含められなければならない。
６．２．３．  カスタムアルバムマニフェスト
・Ｏ／Ａシステムは、操作者の判断又はユーザの要望に基づいてＰＡＳＳデジタルボリュームからアセットを特定することによりカスタムアルバムマニフェストを作成してもよい。
・Ｏ／Ａシステムは、ｇ．ＰＶＭ"のファイル拡張子を有する０個またはそれより多くのカスタムアルバムマニフェストファイルを作成することが可能でなければならない。
７．０．  ＰＡＳＳデジタルボリュームを作成する
・Ｏ／Ａシステムは、ＰＡＳＳ  ＬＤＳにおいて、「この[ＬＤＳ]規格にて記述されるデータ構造を含んだ特定のストレージ媒体の一般名」であると記載されているＰＡＳＳデジタルボリュームを作成することが可能でなければならない。
・Ｏ／Ａシステムは、ファイル構造をサポートするあらゆるタイプの取り外し可能な媒体へとＰＡＳＳデジタルボリュームを書き込んでよい。
・Ｏ／Ａシステムは、書き込みの後、媒体を認証してもよい。
８．０．  ビデオアルバム（ビデオＣＤ（Ｖｉｄｅｏ  ＣＤ）又はＤＶＤビデオ（ＤＶＤ−Ｖｉｄｅｏ）
オプションとして、Ｏ／Ａシステムは、アルバムマニフェスト内に定義される各アルバムをビデオに変換して、媒体のビデオセグメント内にビデオＣＤ(ＶＣＤ)又はＤＶＤビデオデータとして書き込んでよい。
ビデオアルバムを作成するにあたっては、Ｏ／Ａの操作者は以下の条件を理解してそれらに備えなければならない。
・画像品質パラメータ、ユーザインターフェース、及びＤＶＤビデオ又はビデオＣＤのバージョンはＰＡＳＳ仕様においては定義されない。
・各デフォルト及びカスタムアルバムマニフェストに対応するビデオが存在してもよい。
・アセットを見ている間、ＰＡＳＳ画像ＩＤが画面に重畳されてもよい。画像ＩＤは、ＰＡＳＳ  ＬＤＳに定義するように、アセットリストＩＤ及びアセットＩＤを連結することにより生成される。
・バックグラウンドミュージック、トランジション、及びデュレーション等のその他のエフェクトを、各アルバムマニフェストのＭＰＶアルバムプレゼンテーションに定義する通りに利用することができる。
９．０．  マイグレーション
本項においては、ＰＡＳＳ準拠システムのマイグレーション機能について述べる。ＰＡＳＳシステムにおいては、１つ又はそれより多くのＰＡＳＳデジタルボリュームの全体（又は個々のＰＡＳＳアルバム）を１つの新しいＰＡＳＳデジタルボリュームへとマイグレーションすることができる。これは、実質的に、異なるＰＡＳＳデジタルボリューム[又はそれらの部分]を１つの[新しい]ＰＡＳＳデジタルボリュームへと合併することである。
特定のＰＡＳＳアルバムを選択して新しいＰＡＳＳデジタルボリュームを作成すると、情報が重複することもある。たとえば、デジタルボリュームＡの全内容及びデジタルボリュームＢ内の１つのアルバム[Ｂ−１]を新たなデジタルボリュームＣへとマイグレーションする。その後、デジタルボリュームＣをデジタルボリュームＢ全体とマイグレーションする。その結果のデジタルボリュームＤは、デジタルアルバムＢ内のアルバムＢ−１を重複して含む。これを下に示す。
【表１５７】
2008530717.tif 000224
このような重複を回避、又は是正するために適切な方策を採ることがＯ／Ａシステムの役割である。
ＰＡＳＳシステムにおいては、マイグレーションの度に新しいＰＡＳＳデジタルボリュームが記録される。ＰＡＳＳシステムにおいては、既存のＰＡＳＳデジタルボリュームに情報を付加することは許されない。
いかなるマイグレーションシステムにおいても、以下の点が考慮されねばならない。
・Ｏ／Ａシステムは、ＰＡＳＳ推奨ディレクトリ構造に従って形成された１つ又はそれより多くのＰＡＳＳデジタルボリュームを、ＲＤＳに従って１つの新たなＰＡＳＳデジタルボリュームへとマイグレーションしてよい。
・マイグレーションされたデジタルボリュームは、マイグレーション・メタデータを含む。また、＜ｐａｓｓ：ｍｅｄｉｕｍＩＤ＞の値は、マイグレーション元のボリュームに固有であるべきであり、＜ｄｃ：ｔｉｔｌｅ＞はマイグレーション元のボリュームとは異なるべきである。
・マイグレーションの結果、新たなＰＡＳＳデジタルボリュームを、マイグレーションされたボリュームのバージョンに関わらず、最新のＰＡＳＳ仕様に準拠させてよい。
・元媒体上のアセット及びアルバムの全メタデータを移動先のＰＡＳＳデジタルボリュームへとマイグレーションせねばならず、またメタデータ間の一貫性も保たれねばならない。
・ＬＤＳの第３項に記載するように、マイグレーションの場合に、ＰＡＳＳＩＤＸ．ＰＶＭファイルへと付加しなければならない特定のメタデータがある。マイグレーション・メタデータのスキーマの概要図を下に示す。
【表１５８】
2008530717.tif 000225
・全てのアセットファイルの質をマイグレーション過程において保たねばならない。
・将来のＰＡＳＳのバージョンにおいて、新たなファイルフォーマットが定義されれば、Ｏ／Ａシステムは新しいＰＡＳＳのバージョンに基づいてアセットファイルを新たなフォーマットへと変換してよい。
・将来のＰＡＳＳのバージョンにおいて新たな機能が定義された場合、オリジネイティング・システムはそれらを、新たなＰＡＳＳのバージョンに基づき、マイグレーションされたＰＡＳＳデジタルボリュームへと適用してもよい。
付属書Ａ．  ＰＡＳＳディスクのマイグレーション
Ａ．１．  マイグレーションの概要
ＰＡＳＳは、マイグレーションと呼ばれる、Ｏ／ＡシステムがＰＡＳＳの「元デジタルボリューム」の内容のいくつか又は全てをＰＡＳＳの「移動先デジタルボリューム」へと結合するプロセスを定義した。マイグレーションプロセスにおいて、１つ又はそれより多くの元デジタルボリュームの中の１つ又はそれより多くのアセットロールディレクトリを、移動先デジタルボリュームへとコピーする。マイグレーションプロセスは、ＲＤＳのデジタルボリュームだけに定義される。アセットロールディレクトリ全体をマイグレーションしなければならない。その結果得られるＰＡＳＳデジタルボリュームを、アセットロールディレクトリおよび共有（ＳＨＡＲＥＤ）ディレクトリファイル名の不一致があればそれを修正することにより、整合性がとれているかチェックする。また、＜ｍｐｖ：ＬａｓｔＵＲＬ＞の要素全てを正確かについてチェックし、＜ｐａｓｓ：ａｓｓｅｔＬｉｓｔＩＤ＞の要素の全例が全てのマニフェストに対して一意とする。
ＬＤＳ仕様は、どのコンポーネントが元のＰＡＳＳデジタルボリュームから移動先のＰＡＳＳデジタルボリュームへとマイグレーションされたかを識別する機能を果たす特定のＸＭＬ要素をＰＡＳＳネームスペースに定義した。
マイグレーション・メタデータ要素の使用を示すスキーマ・フラグメントを下に示す。
【表１５９ａ】
2008530717.tif 000226
【表１５９ｂ】
2008530717.tif 000227
【表１５９ｃ】
2008530717.tif 000228
Ａ．２．  マイグレーションプロセス
本付属書における例は、３段階マイグレーションプロセスである。各段階において、Ｏ／Ａはマイグレーションを行う。段階１において、元デジタルボリュームＢを移動先デジタルボリュームＡへとマイグレーションする。その結果はデジタルボリュームＡＢである。段階２において、元デジタルボリュームＣを移動先デジタルボリュームＡＢへとマイグレーションし、デジタルボリュームＡＢＣとなる。最後に段階３において、元デジタルボリュームＤ、Ｅ、及びＦを移動先デジタルボリュームＡＢＣへとマイグレーションし、デジタルボリュームＡＢＣＤＥＦとなる。ＦｉｇｕｒｅＡ．２．１．、ＦｉｇｕｒｅＡ２．２．、及びＦｉｇｕｒｅＡ２．３．は、得られた各デジタルアルバムに対応したＰＡＳＳＩＤＸ．ＰＶＭインデックスマニフェストファイルのフラグメントを描いている。
Ａ．２．１．  マイグレーション・シーケンス
以下の図及びＸＭＬコードは、一般的なマイグレーションタスクのセットを示している。
【表１６０】
2008530717.tif 000229
ＰＡＳＳデジタルボリュームＢから２つのアセットロールディレクトリが新しいＰＡＳＳデジタルボリュームへとマイグレーションされる。
【表１６１】
2008530717.tif 000230
【表１６２】
2008530717.tif 000231
２つのアセットロールディレクトリ及び１つのカスタムアルバムがＰＡＳＳデジタルボリュームＣからマイグレーションされる。
【表１６３ａ】
2008530717.tif 000232
【表１６３ｂ】
2008530717.tif 000233
【表１６４】
2008530717.tif 000234
２つのアセットロールディレクトリ及び１つのカスタムアルバムがＰＡＳＳデジタルボリュームＤ、Ｅ、及びＦのそれぞれからマイグレーションされる。
【表１６５ａ】
2008530717.tif 000235
【表１６５ｂ】
2008530717.tif 000236
【表１６５ｃ】
2008530717.tif 000237
【表１６５ｄ】
2008530717.tif 000238
付属書Ｂ．  ＰＡＳＳデジタルボリューム及び各アセットのメタデータ
Ｂ．１．  ＰＡＳＳデジタルボリュームのメタデータ
ＰＡＳＳ仕様においては、媒体ＩＤ、作成者（ｏｒｉｇｉｎａｔｏｒ）、タイトル、日付、及び説明に関する情報をＰＡＳＳデジタルボリュームのメタデータとして定義している。ＬＤＳの第３項を参照。
Ｏ／Ａシステムは、以下の方法（自動又は手動）によって、これらの各メタデータ要素の内容を生成してよい。
これらのメタデータ要素は、インデックスマニフェストファイル（ＰＡＳＳＩＤＸ．ＰＶＭ）内の＜ｍｐｖ：Ｍｅｔａｄａｔａ＞又は＜ｎｍｆ：Ｍｅｔａｄａｔａ＞に格納される。
媒体ＩＤ（＜ｐａｓｓ：ｍｅｄｉｕｍＩＤ＞）
Ｏ／Ａシステムは、ＰＡＳＳディスクの論理的な仕様に定義するフォーマットに従って＜ｐａｓｓ：ｍｅｄｉｕｍＩＤ＞を自動生成する。
オリジネイティング・システムについての情報（＜ｐａｓｓ：ｏｒｉｇｉｎａｔｏｒ＞）
Ｏ／Ａシステムは、その名称、製造者、及びバージョンを記載した文字列を生成する。これらの値は、各オリジネイティング・システムに固有かつ固定されている。
ＰＡＳＳ仕様のバージョン（＜ｐａｓｓ：ｓｐｅｃｉｆｉｃａｔｉｏｎＶｅｒｓｉｏｎ＞）
Ｏ／Ａシステムは、そのＰＡＳＳ仕様の現在のバージョンについての情報を、ＰＡＳＳディスクの論理的な仕様に定義するフォーマットに従って書き込む。
ＰＡＳＳデジタルボリュームのタイトル（＜ｄｃ：ｔｉｔｌｅ＞）
これは、ＰＡＳＳデジタルボリュームに必須のラベルであり、説明的なタイトルを表す。典型的には、ユーザがこのメタデータの文字列を選択する。Ｏ／Ａシステムは、操作者がタイトルを手入力できるようにしてもよい。情報が入力されない場合は、媒体の作成日を代わりに用いることができる。この場合、ＹＹ−ＭＭ−ＤＤフォーマットを使用する。
作成日＜ｄｃ：ｄａｔｅ＞
Ｏ／Ａシステムは、ＰＡＳＳデジタルボリュームの作成日を書き込む。＜ｄｃ：ｄａｔｅ＞の型はストリングであるが、＜ｘｓｄ：ｄａｔｅＴｉｍｅ＞の型に従った表記法によって書き込まれる。
説明＜ｄｃ：ｄｅｓｃｒｉｐｔｉｏｎ＞
これは、ＰＡＳＳデジタルボリュームのオプションとしての説明である。通常、入力する文字列はユーザにより定義される。Ｏ／Ａシステムは、操作者がデータを手入力できるようにしてもよい。説明としての情報が入力されない場合は、省略してよい。
Ｂ．２．  各アセットのメタデータ
本項においては、Ｏ／Ａシステムが作成する各アセットについて入力するメタデータについて述べる。これらのメタデータは、デフォルト及びカスタムアルバムマニフェストファイルの要素である。それゆえ、Ｏ／Ａシステムを実施する場合に、メタデータの入力・編集、及びデフォルトアルバムマニフェストの構成・編集は必ずしも異なるプロセスではない。
Ｂ．２．１．  静止画アセットのメタデータ
Ｂ．２．１．１．  Ｅｘｉｆタグ情報からのメタデータ
入力した静止画がＥｘｉｆファイルなら、ＰＡＳＳデジタルボリュームにとり重要なメタデータを含んでいる。このメタデータをＥｘｉｆタグから抽出し、適切なＰＡＳＳメタデータへと変換する。
Ｏ／Ａシステムは、Ｅｘｉｆタグが欠如している場合にいくつかのメタデータの情報を自動生成する機能を備えてよい。生成されたメタデータは、ＰＡＳＳデジタルボリュームマニフェストにおいて、各静止画アセットの＜ｍｐｖ：Ｍｅｔａｄａｔａ＞（ＤＩＧ３５について）、又は＜ｎｍｆ：Ｍｅｔａｄａｔａ＞（ダブリン・コア（Ｄｕｂｌｉｎ  Ｃｏｒｅ）について）に格納される。
Ｏ／Ａシステムは、メタデータを正確にポピュレートするべく、操作者がメタデータを手入力及び／又は編集できるようにしてもよい。それにより操作者はメタデータを認証及び修正したり、又はユーザの要望に基づいてメタデータを入力したりできる。
１）タイトル（画像説明（ＩｍａｇｅＤｅｓｃｒｉｐｔｉｏｎ）、＜ｄｃ：ｔｉｔｌｅ＞）
Ｅｘｉｆ画像について、画像説明タグ（２７０）が欠如していなければ、Ｏ／Ａシステムはタグをマニフェストにおける静止画アセットの＜ｄｃ：ｔｉｔｌｅ＞へとコピーする。
Ｏ／Ａシステムは、アセットの＜ｄｃ：ｔｉｔｌｅ＞を手入力・編集する方法を有してもよい。
画像説明タグ（２７０）が欠如しており、また手入力するアセットタイトルが不明である場合、Ｏ／Ａシステムは、日付（ＹＹＹ−ＭＭ−ＤＤ）で代替することにより＜ｄｃ：ｔｉｔｌｅ＞への入力を作成する。
Ｏ／Ａシステムは、スクリーン及びサムネイルファイル以外のアセットについては＜ｄｃ：ｔｉｔｌｅ＞を記入しなければならない。
２）クリエーター（アーティスト、＜ｄｃ：ｃｒｅａｔｏｒ＞）
Ｅｘｉｆ画像について、アーティストタグ（３１５）が欠如していなければ、Ｏ／Ａシステムはタグを静止画アセットの＜ｄｃ：ｃｒｅａｔｏｒ＞へとコピーする。
Ｏ／Ａシステムは、アセットの＜ｄｃ：ｃｒｅａｔｏｒ＞を手入力・編集する方法を有してもよい。
クリエーター名が不明である場合、Ｏ／Ａシステムは、この項目に関してはメタデータを空欄にしてよい。
３）説明（ユーザコメント、＜ｄｃ：ｄｅｓｃｒｉｐｔｉｏｎ＞）
Ｅｘｉｆ画像について、ユーザコメントタグ（３７５１０）が欠如していなければ、Ｏ／Ａシステムはタグを静止画アセットの＜ｄｃ：ｄｅｓｃｒｉｐｔｉｏｎ＞へとコピーする。
Ｏ／Ａシステムは、アセットの＜ｄｃ：ｄｅｓｃｒｉｐｔｉｏｎ＞を手入力・編集する方法を有してもよい。
内容が不明である場合、Ｏ／Ａシステムは、＜ｄｃ：ｄｅｓｃｒｉｐｔｉｏｎ＞を空欄にしてよい。 
４）日付（日付時間原（ＤａｔｅＴｉｍｅＯｒｉｇｉｎａｌ）、＜ｄｃ：ｄａｔｅ＞）
Ｏ／Ａシステムは、全てのアセットについて＜ｄｃ：ｄａｔｅ＞を記入しなければならない。
Ｅｘｉｆ画像について、Ｏ／ＡシステムはＥｘｉｆでの原データの生成日時（３６８６７）を変換し、静止画アセットの＜ｄｃ：ｄａｔｅ＞へと当該情報をコピーする。
Ｅｘｉｆの日付情報がない場合、Ｏ／Ａシステムはファイル作成日又はその他の適切の日付で代替してもよい。
Ｏ／Ａシステムは、アセットの＜ｄｃ：ｄａｔｅ＞を手入力・編集する方法を許容してよい。
＜ｄｃ：ｄａｔｅ＞の型はストリングであるが、＜ｘｓｄ：ｄａｔｅＴｉｍｅ＞の型に従った表記法により書き込まれる。
５）幅及び高さ（画素Ｘ寸法（ＰｉｘｅｌＸＤｉｍｅｎｓｉｏｎ）、画素Ｙ寸法（ＰｉｘｅｌＹＤｉｍｅｎｓｉｏｎ）、＜ｄｉｇ３５：ＷＩＤＴＨ／ＨＥＩＧＨＴ＞）
Ｅｘｉｆ画像について、Ｏ／Ａシステムは、Ｅｘｉｆの画素Ｘ／Ｙ寸法タグ（４０９６２／４０９６３）を静止画アセットの＜ｄｉｇ３５：ＷＩＤＴＨ＞及び＜ｄｉｇ３５：ＨＥＩＧＨＴ＞へと転写してよい。
６）色空間（色空間、＜ｄｉｇ３５：ＰＲＯＦＩＬＥ＿ＮＡＭＥ＞）
Ｅｘｉｆ画像について、Ｏ／Ａシステムは、Ｅｘｉｆの色空間タグ（４０９６１）を静止画アセットの＜ｄｉｇ３５：ＰＲＯＦＩＬＥ＿ＮＡＭＥ＞へと転写する。
７）被写体位置（被写体位置、＜ｄｉｇ３５：ＳＵＢＪＥＣＴ＿ＰＯＳＩＴＩＯＮ＞）
Ｅｘｉｆ画像について、被写体位置タグ（４１４９２）が欠如していなければ、Ｏ／Ａシステムはタグを静止画アセットの＜ｄｉｇ３５：ＳＵＢＪＥＣＴ＿ＰＯＳＩＴＩＯＮ＞へと転写する。
８）カメラの位置（ＧＰＳＩｎｆｏＩＦＤ、＜ｄｉｇ３５：ＣＡＭＥＲＡ＿ＬＯＣＡＴＩＯＮ＞）
ＥｘｉｆのＧＰＳＩＦＤは、カメラの位置情報であり、それゆえ厳密な意味での被写体の位置とはやや異なる。しかし、Ｅｘｉｆタグに含まれているのであれば使用することができる。Ｅｘｉｆ画像について、ＧＰＳＩｎｆｏＩＦＤが存在するのであれば、Ｏ／Ａシステムはそれを静止画アセットの＜ｄｉｇ３５：ＣＡＭＥＲＡ＿ＬＯＣＡＴＩＯＮ＞へと転写する。
９）方位（方位（Ｏｒｉｅｎｔａｔｉｏｎ）、＜ｄｉｇ３５：ＲＯＬＬ＞）
方位は画像を再生する場合に重要な情報である。
Ｅｘｉｆ画像について、方位タグ（２７４）が欠如していなければ、Ｏ／Ａシステムはタグを静止画アセットの＜ｄｉｇ３５：ＯＲＩＥＮＴＡＴＩＯＮ＞の＜ｄｉｇ３５：ＲＯＬＬ＞へと転写する。Ｅｘｉｆの方位タグが欠如しており、かつ入力画像が非ゼロ値を有しているならば、Ｏ／Ａシステムは情報を手動により作成しなければならない。Ｏ／Ａシステムは、方位として０、９０、１８０、又は−９０の値を選択してよい。一旦方位が＜ｄｉｇ３５：ＲＯＬＬ＞に設定されると、Ｏ／Ａシステムは値をｍｐｖｐＣｔｒｌ：ＳｈｏｗＲｏｔａｔｅｄ  ＣｏｎｔｒｏｌＰｒｏｐｅｒｔｉｅｓへと変換するべきである。
また、Ｏ／Ａシステムは、画像のサムネイル図を作成し表示することにより、ユーザが画像及びその方位を認識するのを支援してもよい。
Ｂ．２．１．２  非Ｅｘｉｆタグのメタデータ
Ｏ／Ａシステムは、上述のＥｘｉｆタグからのメタデータに加え、以下のメタデータを入力及び編集する方法を有してよい。これは、情報を自動生成する機能であってもよく、又は手動のプロセスであってもよい。これらのメタデータは、ＰＡＳＳディスクの論理的な仕様における定義に従って、ＰＡＳＳマニフェストの各静止画アセットの＜ｍｐｖ：Ｍｅｔａｄａｔａ＞（ＰＡＳＳ及びＤＩＧ３５について）、又は＜ｎｍｆ：Ｍｅｔａｄａｔａ＞（ダブリン・コアについて）に格納される。
１）アセットＩＤ（＜ｐａｓｓ：ａｓｓｅｔＩＤ＞）
Ｏ／Ａシステムは、右側４文字のサブストリングが一アセットリスト内で一意である８文字のストリングを＜ｐａｓｓ：ａｓｓｅｔＩＤ＞に割り当てねばならない。
２）お気に入りアセット（＜ｐａｓｓ：ａｓｓｅｔＦａｖｏｒｉｔｅ＞）
Ｏ／Ａシステムは、＜ｐａｓｓ：ａｓｓｅｔＦａｖｏｒｉｔｅ＞を用いて、各アセットに優先度（又は「お気に入り度」表記）を割り当ててよい。ユーザがお気に入り度を定義する。
３）ロケーション（＜ｄｉｇ３５：ＬＯＣＡＴＩＯＮ＞）
これは、撮影場所における個々の被写体の位置に関する情報である。ＤＩＧ３５においては、ロケーションは、画像全体に加えて、人物とイベントの子タグとして埋め込むことができるが、ＰＡＳＳにおいては、画像全体についてだけ埋め込まれる。
Ｏ／Ａシステムは、経度・緯度・高度、住所、コメントの３種の指定方法の全てをサポートしてよい。また、Ｏ／Ａシステムは、ロケーションを自動的に判断するその他の方法を有していてよい。
４）人物説明（＜ｄｉｇ３５：ＰＥＲＳＯＮ＞）
これは、画像内の被写体に関する情報である。写真は、一般的に１人より多い被写体を含んでおり、それゆえＯ／Ａシステムは多数の人物の説明を許容してよい。以下の３種のＤＩＧ３５における人物説明がＰＡＳＳ仕様において用いられる。
Ｅ人物名（＜ｄｉｇ３５：ＰＥＲＳＯＮ＿ＮＡＭＥ＞）
Ｅポジション（＜ｄｉｇ３５：ＰＯＳＩＴＩＯＮ＞）
画像内での被写体の位置である。ＤＩＧ３５に記載のいくつかの指定方法のうち、長方形領域を用いる方法だけがＰＡＳＳ仕様において使用される。Ｏ／Ａシステムは何らかの方法にて画像上の長方形ポインターのある領域を特定してよい。Ｏ／Ａが使用する位置自動認識のその他の方法があってよい。
Ｅコメント（＜ｄｉｇ３５：ＣＯＭＭＥＮＴ＞）
５）物体説明（＜ｄｉｇ３５：ＴＨＩＮＧ＞）
これは、画像内の物体に関する情報である。物体とは、写真の中の自動車、木、山、その他の人物でない要素であってよい。一般的に、写真は１つより多い物体を含んでおり、それゆえＯ／Ａシステムは多くの物体の説明値を入力してよい。以下の３種のＤＩＧ３５における説明がＰＡＳＳ仕様において使用される。
Ｅ物体名（＜ｄｉｇ３５：ＮＡＭＥ＞）
Ｅポジション（＜ｄｉｇ３５：ＰＯＳＩＴＩＯＮ＞）
これは、画像内の物体の位置である。ＤＩＧ３５に記載されたいくつかの指定方法のうち、長方形領域を用いる方法のみがＰＡＳＳ仕様において用いられる。Ｏ／Ａシステムはなんらかの方法にて画像上の長方形ポインターのある領域を特定してよい。Ｏ／Ａシステムに用いられるその他の領域自動認識方法があってもよい。
Ｅコメント（＜ｄｉｇ３５：ＣＯＭＭＥＮＴ＞）
６）イベント説明（＜ｄｉｇ３５：ＥＶＥＮＴ＞）
これは、撮影された画像のイベントについての情報である。Ｏ／Ａシステムは、一画像について一イベント説明を入力してよい。以下の３種のＤＩＧ３５における説明がＰＡＳＳ仕様において用いられる。
Ｅイベント種別（＜ｄｉｇ３５：ＥＶＥＮＴ＿ＴＹＰＥ＞）
これは、遠足、旅行、卒業式、結婚式等の、イベントの種類の情報である。Ｏ／Ａシステムは、＜ｄｉｇ３５：ＥＶＥＮＴ  ＴＹＰＥ＞を手入力してもよいし、前もって定義されているイベントリストより選択してもよい。何らかの方法にて＜ｄｉｇ３５：ＥＶＥＮＴ  ＴＹＰＥ＞を自動認識してもよい。
Ｅ説明（＜ｄｉｇ３５：ＤＥＳＣＲＩＰＴＩＯＮ＞）
Ｅコメント（＜ｄｉｇ３５：ＣＯＭＭＥＮＴ＞）
Ｂ．２．２．  ビデオと音声アセットのメタデータ
Ｏ／Ａシステムは、静止画以外のアセットについて以下のメタデータを作成しなければならない。これらは、ＰＡＳＳディスクの論理的な仕様の定義に従って、ＰＡＳＳマニフェストの各静止画アセットの、＜ｍｐｖ：Ｍｅｔａｄａｔａ＞（ＤＩＧ３５について）に、又は＜ｎｍｆ：Ｍｅｔａｄａｔａ＞（ダブリン・コアについて）に格納される。
１）アセットＩＤ（＜ｐａｓｓ：ａｓｓｅｔＩＤ＞）
Ｏ／Ａシステムは、右側４文字のサブストリングが一アセットリスト内で一意である、８文字のストリングを＜ｐａｓｓ：ａｓｓｅｔＩＤ＞に割り当てなければならない。
２）タイトル（＜ｄｃ：ｔｉｔｌｅ＞）
Ｏ／Ａシステムは、スクリーンファイル以外のアセットについては、＜ｄｃ：ｔｉｔｌｅ＞を記入する。
Ｏ／Ａシステムは、アセットの＜ｄｃ：ｔｉｔｌｅ＞を手入力・編集する方法を有してよい。
入力すべき情報が不明である場合、Ｏ／Ａシステムは日付（ＹＹＹＹ−ＭＭ−ＤＤ）で代替してよい。
３）日付（＜ｄｃ：ｄａｔｅ＞）
Ｏ／Ａシステムは、スクリーンファイル以外の全てのアセットについて＜ｄｃ：ｄａｔｅ＞を記入する。＜ｄｃ：ｄａｔｅ＞の型はストリングであるが、＜ｘｓｄ：ｄａｔｅＴｉｍｅ＞の型に従った表記法にて書き込まれる。
日付情報がない場合は、Ｏ／Ａシステムは、ファイル作成日で代替することができる。
Ｏ／Ａシステムは、手入力・編集方法を有してもよい。
４）説明＜ｄｃ：ｄｅｓｃｒｉｐｔｉｏｎ＞
Ｏ／Ａシステムは、各静止画アセットの＜ｄｃ：ｄｅｓｃｒｉｐｔｉｏｎ＞を手入力・編集する方法を有してよい。
５）クリエーター＜ｄｃ：ｃｒｅａｔｏｒ＞
オリジネイティング・システムは、各アセットのクリエーター名を設定してよい。
６）アセットのお気に入り＜ｐａｓｓ：ａｓｓｅｔＦａｖｏｒｉｔｅ＞
Ｏ／Ａシステムは、＜ｐａｓｓ：ａｓｓｅｔＦａｖｏｒｉｔｅ＞を用いて、各アセットに優先度（又は「お気に入り度」表記）を割り当ててよい。ユーザがお気に入り度を定義する。
Ｂ．２．３．  複合アセットのメタデータ
複合アセットの記述は、＜ＳｔｉｌｌＷｉｔｈＡｕｄｉｏ（音声付き静止画）＞、＜ＳｔｉｌｌＭｕｌｔｉｓｈｏｔＳｅｑｕｅｎｃｅ（静止画連続撮影シーケンス）＞、及び＜ＳｔｉｌｌＰａｎｏｒａｍａＳｅｑｕｅｎｃｅ（静止画パノラマシーケンス）＞のような全体記述、及び＜Ｓｔｉｌｌ（静止画）＞および＜Ａｕｄｉｏ（音声）＞等の、全体記述が指し示す各アセットの記述を有する。全体記述のメタデータは以下の通りである。
１）アセットＩＤ（＜ｐａｓｓ：ａｓｓｅｔＩＤ＞）
Ｏ／Ａシステムは、右側４文字のサブストリングが一アセットリスト内で一意である、８文字のストリングを＜ｐａｓｓ：ａｓｓｅｔＩＤ＞に割り当てなければならない。
２）タイトル（＜ｄｃ：ｔｉｔｌｅ＞）
Ｏ／Ａシステムは、複合アセットについて、＜ｄｃ：ｔｉｔｌｅ＞を記入する。
Ｏ／Ａシステムは、アセットの＜ｄｃ：ｔｉｔｌｅ＞を手入力・編集する方法を有してよい。
入力すべき情報が不明である場合、日付（ＹＹＹＹ−ＭＭ−ＤＤ）又は＜ｐａｓｓ：ａｓｓｅｔＩＤ＞の右側４文字で代替してよい。
３）日付（＜ｄｃ：ｄａｔｅ＞）
Ｏ／Ａシステムは、複合アセットの＜ｄｃ：ｄａｔｅ＞を記入してもよい。＜ｄｃ：ｄａｔｅ＞の型はストリングであるが、＜ｘｓｄ：ｄａｔｅＴｉｍｅ＞の型に従った表記法にて書き込まれる。
日付情報がない場合は、Ｏ／Ａは、ファイル作成日で代替することができる。
Ｏ／Ａシステムは、手入力・編集方法を有してよい。
４）説明（＜ｄｃ：ｄｅｓｃｒｉｐｔｉｏｎ＞）
Ｏ／Ａシステムは、各複合アセットの＜ｄｃ：ｄｅｓｃｒｉｐｔｉｏｎ＞を手入力・編集する方法を有してよい。
５）クリエーター（＜ｄｃ：ｃｒｅａｔｏｒ＞）
Ｏ／Ａシステムは、各複合アセットのクリエーター名を＜ｄｃ：ｃｒｅａｔｏｒ＞に設定してよい。
６）アセットのお気に入り（＜ｐａｓｓ：ａｓｓｅｔＦａｖｏｒｉｔｅ＞）
Ｏ／Ａシステムは、＜ｐａｓｓ：ａｓｓｅｔＦａｖｏｒｉｔｅ＞を用いて、各複合アセットに優先度（又は「お気に入り度」表記）を割り当ててよい。ユーザがお気に入り度を定義する。
複合アセットについて、各構成アセットのメタデータは、マニフェストの中の個々のアセットの記述に入力されているものを使用してもよい。
【００９５】
ピクチャ・アーカイビング・アンド・シェアリング・スタンダード
（Ｐｉｃｔｕｒｅ  Ａｒｃｈｉｖｉｎｇ  ａｎｄ  Ｓｈａｒｉｎｇ  Ｓｔａｎｄａｒｄ）
共同イニシアチブ
レシービング／再生システムの必要仕様
バージョン１．１０
２００５年１１月１８日
富士写真フイルム株式会社、コニカミノルタフォトイメージング株式会社、イーストマン・コダック・カンパニー
著作権、２００５年、富士写真フイルム株式会社、コニカミノルタフォトイメージング株式会社、イーストマンコダック社
本仕様書またはそのいかなる部分をもいかなる形態においても複製又は修正する権利を含む著作権を所有。
目次
１．０．  ＰＡＳＳの概要・・・・・・・・・・・・・・・・・・・・・・・・・・・１
２．０．  ＰＡＳＳレシービング／再生システムの必要仕様の概略・・・・・・・・・２
２．１．  レシービング／再生システムの必要仕様の構成・・・・・・・・・・・・・２
３．０．  Ｒ／Ｐシステムを構成するコンポーネント・・・・・・・・・・・・・・・３
３．１．  レシービングコンポーネント・・・・・・・・・・・・・・・・・・・・・３
３．２．  再生コンポーネント・・・・・・・・・・・・・・・・・・・・・・・・・３
３．３．  プリント画像選択コンポーネント・・・・・・・・・・・・・・・・・・・３
４．０．  ＰＡＳＳレシービングコンポーネントの機能に関する必要仕様・・・・・・４
４．１．  インデックスマニフェストファイル（Ｉｎｄｅｘ  Ｍａｎｉｆｅｓｔ  Ｆｉｌｅ）の位置の特定と解釈・・・・・・・・・・・・・・・・・・・・・・・・・・・・４
４．２．  全てのデフォルト／カスタムマニフェストファイル（Ｄｅｆａｕｌｔ／Ｃｕｓｔｏｍ  Ｍａｎｉｆｅｓｔ  Ｆｉｌｅ）の位置を特定して解釈・・・・・・・・・・・４
５．０．  ＰＡＳＳ再生コンポーネントの機能に関する必要仕様・・・・・・・・・・７
５．１．  ＰＡＳＳアセット（Ａｓｓｅｔ）ファイルフォーマットを確認・・・・・・７
５．２．  最初のユーザ選択表示・・・・・・・・・・・・・・・・・・・・・・・・８
５．３．  デフォルト／カスタムアルバム（Ａｌｂｕｍ）の選択ディスプレイ・・・・８
５．４．  ＰＡＳＳアセットファイルを個別に表示・・・・・・・・・・・・・・・１０
５．５．  各アルバムのＰＡＳＳアセットファイルをスライドショーで表示・・・・１１
６．０．  プリント画像選択コンポーネントの機能に関する必要仕様・・・・・・・１３
６．１．  ＰＡＳＳデジタルボリューム（Ｄｉｇｉｔａｌ  Ｖｏｌｕｍｅ）のアルバムのＰＡＳＳアセットファイルを表示・・・・・・・・・・・・・・・・・・・・・・・１３
６．２．  プリントするＰＡＳＳアセットファイルを選択してプリント枚数を入力・１３
添付書類Ａ  画面レイアウトの一例・・・・・・・・・・・・・・・・・・・・・・１４
添付書類Ｂ  再生シナリオ・・・・・・・・・・・・・・・・・・・・・・・・・・２１
Ｆｉｇｕｒｅｓ
Ｆｉｇｕｒｅ１  ＰＡＳＳデジタルボリュームが挿入された場合のＲ／Ｐの動作・・・４
Ｆｉｇｕｒｅ２  ＰＡＳＳマニフェストファイル間の順序および関係・・・・・・・・６
Ｆｉｇｕｒｅ３  ＰＡＳＳ再生コンポーネントのユーザ選択表示フローの一例・・・・７
Ｆｉｇｕｒｅ４  プリントするアセットファイルを選択する場合の表示の一例・・・１３
ＦｉｇｕｒｅＡ．１．  最初のユーザ選択表示の一例・・・・・・・・・・・・・・１４
ＦｉｇｕｒｅＡ．２．  デフォルト／カスタムアルバムのユーザ選択表示の一例・・１５
ＦｉｇｕｒｅＡ．３．  スライドショー再生画面の一例・・・・・・・・・・・・・１６
ＦｉｇｕｒｅＡ．４．  静止アセット表示画面の一例・・・・・・・・・・・・・・１６
ＦｉｇｕｒｅＡ．５．  回転を要する静止アセット表示画面の一例・・・・・・・・１７
ＦｉｇｕｒｅＡ．６．  ビデオアセット表示画面の一例・・・・・・・・・・・・・１８
ＦｉｇｕｒｅＡ．７．  音声付静止画表示画面の一例・・・・・・・・・・・・・・１９
ＦｉｇｕｒｅＡ．８．  静止マルチショット表示画面の一例・・・・・・・・・・・２０
ＦｉｇｕｒｅＢ．１．  アセットファイル再生のシナリオ１・・・・・・・・・・・２１
ＦｉｇｕｒｅＢ．２．  アセットファイル再生のシナリオ２・・・・・・・・・・・２１
ＦｉｇｕｒｅＢ．３．  アセットファイル再生のシナリオ３・・・・・・・・・・・２２
ＦｉｇｕｒｅＢ．４．  アセットファイル再生のシナリオ４・・・・・・・・・・・２３
ＦｉｇｕｒｅＢ．５．  アセットファイル再生のシナリオ５・・・・・・・・・・・２３
ＦｉｇｕｒｅＢ．６．  アセットファイル再生のシナリオ６・・・・・・・・・・・２４
ＦｉｇｕｒｅＢ．７．  アセットファイル再生のシナリオ７・・・・・・・・・・・２４
ＦｉｇｕｒｅＢ．８．  アセットファイル再生のシナリオ８・・・・・・・・・・・２５
ＦｉｇｕｒｅＢ．９．  アセットファイル再生のシナリオ９・・・・・・・・・・・２５
Ｔａｂｌｅｓ
Ｔａｂｌｅ１  最初のユーザ選択表示に表示される項目・・・・・・・・・・・・・・８
Ｔａｂｌｅ２  デフォルト／カスタムアルバムのアルバム選択表示の項目・・・・・・９
Ｔａｂｌｅ３  スライドショー再生選択表示の項目・・・・・・・・・・・・・・・１２
１．０．  ＰＡＳＳの概要
ピクチャ・アーカイブ・アンド・シェアリング・スタンダード（ＰＡＳＳ）は、デジタルイメージング産業が率いるイニシアチブで、以前は容易または確実に実施できなかった方法で、消費者がデジタル画像を簡単に保存、プリント、再生および共有できるための規格である。
ＰＡＳＳ仕様書の現在のバージョンには以下の仕様書が含まれる：
ＰＡＳＳディスクの論理的な仕様  １．１０（ＬＤＳ）
ＰＡＳＳオリジネイティング／オーサリングシステムの必要仕様  １．１０（Ｏ／Ａ）
ＰＡＳＳレシービング／再生システムの必要仕様  １．１０（Ｒ／Ｐ）
ＬＤＳは、ＰＡＳＳ仕様書に含まれるすべての文献に関する概要、定義および参照リストを網羅している。ＬＤＳにはさらに、ほかの文献を理解する上で必要なＸＭＬによる参照が記載されている。本文献を検討する前にＬＤＳに目を通して精通しておくことを薦める。
２．０．  ＰＡＳＳレシービング／再生システムの必要仕様の概略
レシービング／再生システムの必要仕様（Ｒ／Ｐ）では、レシービング／再生機能に関するＰＡＳＳデジタルボリュームディスク利用の必要仕様を定義する。Ｒ／Ｐでは特にユーザインタフェースを限定して定義していないが、機能要件を説明する上で例をいくつか挙げることはある。
２．１．  レシービング／再生システムの必要仕様の構成
ＰＡＳＳでは、ＯＳＴＡ（Ｏｐｔｉｃａｌ  Ｓｔｏｒａｇｅ  Ｔｅｃｈｎｏｌｏｇｙ  Ａｓｓｏｃｉａｔｉｏｎ）が定めたＭＰＶ（ＭｕｓｉｃＰｈｏｔｏＶｉｄｅｏ  Ｓｐｅｃｉｆｉｃａｔｉｏｎ）で定義された特殊な記述子ファイル（マニフェスト：ＭＡＮＩＦＥＳＴ）を利用する。マニフェストファイルの定義は、ＰＡＳＳディスクの論理的な仕様（ＬＤＳ）で詳細に説明されている。
Ｒ／Ｐで特に説明する内容は以下の通りである：
（ａ）ＰＡＳＳで定義されたマニフェストファイルの位置を特定して解釈
（ｂ）アセットを個別に表示
（ｃ）ＰＡＳＳアルバムを再生
（ｄ）ＰＡＳＳを採用していないサービスについて利用されるアセットの位置を特定して選択
３．０．  Ｒ／Ｐシステムを構成するコンポーネント
Ｒ／ＰシステムにはＰＡＳＳデジタルボリュームを読み込む家庭用デバイスが利用される。Ｒ／Ｐシステムは多くの形態で実施することができる。例えば、ショップ、ＰＣ、ＤＶＤプレーヤー、携帯画像ビューワなどが挙げられる。このＲ／Ｐシステムの仕様書では、ＰＡＳＳデジタルボリュームを読み込んで表示することができるデバイスの機能を説明する。
３．１．  レシービングコンポーネント
レシービングコンポーネントの主な役割は、ＰＡＳＳインデックスマニフェストファイル（ＰＡＳＳＩＤＸ．ＰＶＭ）の位置を特定して読み込み、当該メディアへの書き込みがどのように行われたのか判断することにある。またＲ／Ｐは、ＰＡＳＳデジタルボリューム上のほかのマニフェストファイルすべてへのアクセスを有する。Ｒ／Ｐは、インデックスマニフェストファイル、デフォルトアルバムマニフェストファイルおよびカスタムアルバムマニフェストファイルを利用することによって、アセットおよび表示に関する情報へのアクセスを有する。レシービングシステムは以下の機能を担当する：
（ａ）  インデックスマニフェストファイルの位置を特定して解釈
（ｂ）  すべてのデフォルトマニフェストファイルの位置を特定して解釈
（ｃ）  存在する場合にカスタムマニフェストファイルの位置を特定して解釈
３．２．  再生コンポーネント
Ｒ／Ｐシステムに含まれる再生コンポーネントは、ＰＡＳＳデジタルボリュームを表示するように設定された家庭用電子システムの必要仕様に対応する。再生コンポーネントが担当する機能は以下の通りである：
（ａ）  ＰＡＳＳアセットファイルフォーマットに対応しているかどうか確認
（ｂ）  選択表示によって、ＰＡＳＳデジタルボリューム全体を選択して表示
（ｃ）  選択表示によって、各デフォルトアルバムまたはカスタムアルバムのＰＡＳＳアセットファイルを表示
（ｄ）  スライドショーによって、各デフォルトアルバムまたはカスタムアルバムのＰＡＳＳアセットファイルを表示
（ｅ）  ＰＡＳＳアセットファイルを個別に表示
（ｆ）  各ＰＡＳＳアセットファイルのメタデータを表示
３．３．  プリント画像選択コンポーネント
このコンポーネントはオプションであり、ユーザが静止ＰＡＳＳアセットファイルを選択してプリントを注文するための機能を提供する。
４．０．  ＰＡＳＳレシービングコンポーネントの機能に関する必要仕様
４．１．  インデックスマニフェストファイルの位置の特定と解釈
Ｒ／ＰはＰＡＳＳインデックスマニフェストファイル（ＰＡＳＳＩＤＸ．ＰＶＭ）を読み込んで解釈しなければならない。ＰＡＳＳインデックスマニフェストファイル（ＰＡＳＳＩＤＸ．ＰＶＭ）は、ＰＡＳＳデジタルボリュームのルートディレクトリにある。
【表１６６】
2008530717.tif 000239
４．２．  全てのデフォルト／カスタムマニフェストファイルの位置を特定して解釈
ＰＡＳＳインデックスマニフェストファイル（１）を見つけて特定すると、レシービングシステムはＰＡＳＳＩＤＸ．ＰＶＭの処理を開始する。インデックスマニフェストファイルは少なくとも１つのデフォルトアルバムマニフェストファイルおよびいくつかのカスタムアルバムマニフェストファイル（２）への参照を含んでいる。これらのマニフェストファイルは、オリジナルＰＡＳＳアセットファイルの表示、表示画面ディレクトリのファイルの表示、およびそのアセットロールディレクトリのサムネイルディレクトリの表示または共有アセットディレクトリのファイルの表示（３Ａ、３Ｂおよび３Ｃ）に必要な情報を含む。Ｆｉｇｕｒｅ２は、ＲＤＳで定義された構造におけるマニフェストファイル間の処理順序及び関係を示す。
【表１６７】
2008530717.tif 000240
５．０．  ＰＡＳＳ再生コンポーネントの機能に関する必要仕様
ＰＡＳＳ再生コンポーネントは、アセットファイルの位置を特定するべく、ＰＡＳＳデジタルボリュームのインデックスマニフェストファイル、デフォルトアルバムマニフェストファイルおよびカスタムアルバムマニフェストファイルを利用する。再生コンポーネントはまた、各アセット（単一および混合）をデコードする必要がある。
Ｆｉｇｕｒｅ３（下記参照）は、ＰＡＳＳデジタルボリュームをＲ／Ｐシステムに挿入した場合のユーザ選択表示フローの一例を示す図である。ユーザ選択が完了すると、インデックスアルバム、デフォルトアルバムまたはカスタムアルバムの画面が表示される。続いてユーザは特定のアセットの表示を選択するとしてもよい。デフォルトアルバムまたはカスタムアルバムが選択された場合、ユーザはスライドショーを再生することを選択するとしてもよい。
【表１６８】
2008530717.tif 000241
５．１．  ＰＡＳＳアセットファイルフォーマットを確認
マニフェストファイルを認識すると、再生コンポーネントはマニフェストが参照する各ＰＡＳＳアセットファイルの解釈を試みる。再生コンポーネントはまた、ユーザメッセージを表示することができるとしてもよい。例えば、再生コンポーネントがデコードできないアセットファイルについて「このファイルは表示できません」といったユーザメッセージを表示するとしてもよい。
ＰＡＳＳアセットのファイルフォーマットに関してさらに知りたい場合は、ＬＤＳのセクション４を参照されたい。
５．２．  最初のユーザ選択表示
再生コンポーネントは、インデックスマニフェストファイルを利用し、ＰＡＳＳデジタルボリュームにあるデフォルトアルバムおよび／またはカスタムアルバムに関する情報を表示する。表示される情報は、表示される項目に対応付けられたメタデータまたはアイコンを含むとしてもよい。
再生コンポーネントは最初のユーザ選択表示において、挿入されたＰＡＳＳデジタルボリュームのデフォルトアルバムおよびカスタムアルバムについて以下の項目を表示するとしてもよい。
【表１６９】
2008530717.tif 000242
使用されているフォーマットがＲＤＳフォーマットの場合、Ｒ／Ｐシステムは共有（ＳＨＡＲＥＤ）ディレクトリのサムネイル派生ファイルを提示するとしてもよい。
５．３．  デフォルト／カスタムアルバムの選択ディスプレイ
再生コンポーネントは、ユーザ選択表示で、各デフォルトアルバムおよびカスタムアルバムのすべてのＰＡＳＳアセットファイルを表示する。再生コンポーネントは、デフォルトアルバムおよびカスタムアルバムと対応づけられたマニフェストファイルを解釈し、各ＰＡＳＳオリジナルアセットファイルもしくはその派生ファイル（例えば画面ファイルまたはサムネイルファイル）について、ユーザ選択表示の参照として、＜ＬａｓｔＵＲＬ＞要素を認識する。
再生コンポーネントは、アセットを回転させる必要があるかどうか認識するべく、デフォルトアルバムマニフェストおよびカスタムアルバムマニフェストのアセット要素を解釈する。＜ｄｉｇ３５：ＲＯＬＬ＞要素はアセットの配向情報を含む（ＬＤＳのＴａｂｌｅ７を参照のこと）。
マニフェストが＜ＬａｓｔＵＲＬ＞要素を含み、その値が検索可能なファイルを参照していない場合、再生コンポーネントは「表示するファイルなし」といった内容のメッセージを表示する。
再生コンポーネントは、デフォルトアルバムおよびカスタムアルバムについて、ユーザ選択表示で、以下の項目を表示するとしてもよい。
【表１７０】
2008530717.tif 000243
以下の動作は定義されていない：
オリジナルファイル、画面ファイルおよびサムネイルファイル間でのアセットファイル検索の優先順位
背景色の表示／適合方法
デフォルトアルバムおよびカスタムアルバムの選択を表示するべく利用されるＲ／Ｐの機能を説明するために、以下に例を挙げる。
画面上の機能
アルバム選択表示へ戻る
機能の詳細
ユーザをアルバム選択表示に戻す。
画面上の機能
選択されたＰＡＳＳアセットファイルを個別に表示
機能の詳細
ユーザにＰＡＳＳアセットファイルを選択させ、選択されたＰＡＳＳアセットファイルを表示させる。セクション５．４．を参照のこと。
画面上の機能
スライドショーの再生開始
機能の詳細
ユーザをスライドショー再生機能に進ませる。セクション５．５を参照のこと。
画面上の機能
プリントを注文
機能の詳細
ユーザをプリント画像選択機能へと進ませて、選択されたＰＡＳＳアセットファイルを提示させる。セクション６を参照のこと。
５．４．  ＰＡＳＳアセットファイルを個別に表示
再生コンポーネントは、選択されたＰＡＳＳアセットファイルを順番に個別に表示するとしてもよい。デフォルトアルバムおよびカスタムアルバムのユーザ選択表示においてＰＡＳＳアセットファイルを選択することによって、ユーザを個別表示モードに進ませることができる。
再生コンポーネントは、デフォルトアルバムマニフェストファイルおよびカスタムアルバムマニフェストファイルを解釈して、各ＰＡＳＳオリジナルアセットファイルまたは画面ファイルまたはサムネイルファイルなどの派生ファイルの＜ＬａｓｔＵＲＬ＞を認識する。
再生コンポーネントは、ユーザ選択表示の要素への参照として、各デフォルトマニフェストもしくはカスタムマニフェストにおける各アセットの＜ＬａｓｔＵＲＬ＞を認識する。
再生コンポーネントは、デフォルトアルバムマニフェストおよびカスタムアルバムマニフェストのアセット要素を解釈して、アセットを回転させる必要があるかどうか認識する。＜ｄｉｇ３５：ＲＯＬＬ＞要素が、アセットの配向情報を含む（ＬＤＳのＴａｂｌｅ７を参照のこと）。
マニフェストが＜ＬａｓｔＵＲＬ＞要素を含み、その値が検索可能なファイルを参照していない場合、再生コンポーネントは「表示するファイルなし」といった内容のメッセージを表示する。
再生コンポーネントは、アセットと共にマニフェストファイルから得たアセットメタデータを表示するとしてもよい。アセットメタデータはＬＤＳにて定義されている。
以下の動作は定義されていない：
オリジナルアセットファイル、画面ファイルおよびサムネイルファイル間での派生ファイルの検索の優先順位
背景色の表示および選択モードへの適合
個別にアセットを表示するために利用されるＲ／Ｐの機能を説明することを目的として、以下に例を挙げる。
アセット個別表示での機能
ユーザ選択表示へ戻る
機能の詳細
ユーザをユーザ選択表示に戻す
アセット個別表示での機能
動画もしくは音声付静止画の音声を再生
機能の詳細
動画アセットまたは音声付静止画アセットが選択された場合に限って起動
再生されていない場合に、ユーザに動画もしくは音声付静止画の音声を再生させる
アセット個別表示での機能
動画もしくは音声付静止画の音声を停止
機能の詳細
動画アセットまたは音声付静止画アセットが選択された場合に起動
再生している場合に、ユーザに動画もしくは音声付静止画の音声を停止させる
５．５．  各アルバムのＰＡＳＳアセットファイルをスライドショーで表示
再生コンポーネントは、再生時間、移行エフェクト、ＢＧＭ等の表示情報に従ってアセットファイルのスライドショーを再生するべく、デフォルトアルバムマニフェストファイルおよびカスタムアルバムマニフェストファイルを解釈する。
スライドショーによってアルバムを提示するために必要な能力を以下に挙げる。
（Ａ）  制御メタデータを解釈
再生コンポーネントは、デフォルトアルバムマニフェストファイルおよびカスタムアルバムマニフェストファイルのｍｐｖｐＣｔｒｌメタデータを解釈する。
再生コンポーネントは、デフォルトアルバムマニフェストおよびカスタムアルバムマニフェストのアルバム要素を解釈し、回転が必要なスライドショーを正しく再生するべく＜ｍｐｖｐＣｔｒｌ：ＳｈｏｗＲｏｔａｔｅｄ＞（ＬＤＳのＴａｂｌｅ１１を参照のこと）だけを参照する。再生コンポーネントは、スライドショーを再生する場合は、＜ｄｉｇ３５：ＲＯＬＬ＞要素を無視する必要がある。
デフォルトアルバムマニフェストおよびカスタムアルバムマニフェストにおいてｍｐｖｐＣｔｒｌという名称のスペースの要素に何も入っていない場合にスライドショーを再生するための具体的な動作は定義されていない。
ビデオアセットまたは音声付静止アセットについて＜ｍｐｖｐＣｔｒｌ：Ｄｕｒ＞がない場合、Ｒ／Ｐは、ビデオアセットまたは音声付静止アセットを最後まで再生するとしてもよい。
静止アセットについて＜ｍｐｖｐＣｔｒｌ：Ｄｕｒ＞がない場合、Ｒ／Ｐは、スライド間隔と同じ長さだけ静止アセットを再生するとしてもよい。
（Ｂ）再生に関する推奨ルール
制御メタデータを解釈することによって、以下に示す再生ルールについていくばくかの融通がきくようになる。
再生優先順位
再生コンポーネントは、バックグラウンドよりもフォアグラウンドの再生を優先する。
（例１）  フォアグラウンドとバックグラウンドのアセットファイルが共に静止画である場合、再生コンポーネントはフォアグラウンドの表示をバックグラウンドの表示の上に重ねる。
（例２）  フォアグラウンドとバックグラウンドのアセットファイルが共に音声である場合、再生コンポーネントはフォアグラウンドの音声アセットファイルだけを再生する。
（例３）  フォアグラウンドとバックグラウンドのアセットファイルが共に動画である場合、再生コンポーネントはフォアグラウンドの動画アセットファイルだけを再生する。
再生時間
フォアグラウンドの再生時間の合計がバックグラウンドの再生時間の合計と等しくない場合、再生コンポーネントはフォアグラウンドの再生時間の合計を優先する。
（例４）  バックグラウンドのアセットファイルが音声である場合、再生コンポーネントはフォアグラウンドのアセットファイルの再生が終了すると音声の再生を停止する。
再生コンポーネントは、デフォルトアルバムおよびカスタムアルバムのスライドショー再生選択表示において以下の項目を表示するとしてもよい。
【表１７１】
2008530717.tif 000244
スライドショー表示中に表示されるＲ／Ｐの機能の例を以下に示す。
画面上の機能
ユーザ選択表示に戻る
機能の詳細
ユーザにスライドショーの再生を停止させユーザ選択表示に戻らせる
画面上の機能
前のＰＡＳＳアセットファイルに進む
機能の詳細
ユーザを前のＰＡＳＳアセットファイルの表示に進ませる
画面上の機能
スライドショー再生
機能の詳細
スライドショーが一時停止された場合に、選択されたスライドショーをユーザが再生させる
画面上の機能
スライドショーを一時停止
機能の詳細
スライドショーの再生中に、ユーザがスライドショーを一時停止させる
画面上の機能
次のＰＡＳＳアセットファイルに進む
機能の詳細
ユーザを次のＰＡＳＳアセットファイルの表示に進ませる
６．０．  プリント画像選択コンポーネントの機能に関する必要仕様
６．１．  ＰＡＳＳデジタルボリュームのアルバムのＰＡＳＳアセットファイルを表示
プリント画像選択コンポーネント（オプション）は、Ｒ／Ｐの再生コンポーネント（セクション５を参照のこと）と同一の機能を有していなければならない。このような機能を有することによって、当該プリント画像選択コンポーネントは、プリントするファイルを選択するという具体的な目的を持って、ユーザ選択表示として、ＰＡＳＳデジタルボリュームの各アルバムからＰＡＳＳアセットファイルを表示することができる。
プリント画像選択コンポーネントはさらに、実施された場合、セクション５．４（選択されたＰＡＳＳアセットファイルを個別に表示）で説明した機能を有している必要がある。
６．２．  プリントするＰＡＳＳアセットファイルを選択してプリント枚数を入力
プリント画像選択コンポーネントは、プリントするＰＡＳＳアセットファイルを選択して、選択された静止ＰＡＳＳアセットファイルのプリント枚数を入力するための機能を管理する。
【表１７２】
2008530717.tif 000245
添付書類Ａ  画面レイアウトの一例
Ｒ／Ｐシステムに関する、ＰＡＳＳデジタルボリュームの必要仕様に準拠している例を、一般的な参照例として以下に示す。
【表１７３】
2008530717.tif 000246
【表１７４】
2008530717.tif 000247
デフォルトアルバムおよびカスタムアルバムのスライドショー再生選択表示の一例を以下に示す。
【表１７５】
2008530717.tif 000248
各静止アセットのアセット表示の一例を以下に示す。
【表１７６】
2008530717.tif 000249
表示する時に回転させる必要がある静止アセットのアセット表示の一例を以下に示す。そのような静止アセットが表示された場合、再生コンポーネントはＰＡＳＳマニフェストファイルの＜ｄｉｇ３５：ＲＯＬＬ＞要素を認識し、当該アセットを正しく表示する。ＬＤＳのＴａｂｌｅ７を参照のこと。
【表１７７】
2008530717.tif 000250
ＦｉｇｕｒｅＡ．６．は、ビデオアセットの表示例を示す。ＰＡＳＳアセットファイルが動画の場合、モーションファイルの代表画像がユーザ選択表示で表示されるとしてもよい。別の例では、当該アセットをビデオとして特定するアイコンもしくはテキストが使用されるとしてもよい。
【表１７８】
2008530717.tif 000251
音声付静止画の表示例を以下に示す。別の例では、当該アセットを音声付静止画として特定するアイコンもしくはテキストが使用されるとしてもよい。
【表１７９】
2008530717.tif 000252
静止マルチショット表示画面の一例を以下に示す。別の例では、静止マルチショットを特定するアイコンもしくはテキストを表示するとしてもよい。
【表１８０】
2008530717.tif 000253
添付書類Ｂ  再生シナリオ
再生ルールの利用およびｍｐｖｐ：Ｃｔｒｌという名称のスペースの要素の解釈をより詳細に説明するべく、スライドショーの再生シナリオのバリエーションを以下に紹介する。
＜再生シナリオ１＞
フォアグラウンドファイル：静止画（静止アセットＡ、ＢおよびＣ）；静止アセットＢは表示の時に回転させる必要がある。
バックグラウンドファイル：音声（音声Ａ）
【表１８１】
2008530717.tif 000254
Ｒ／Ｐの再生コンポーネントは、デフォルトアルバムマニフェストファイルおよびカスタムアルバムマニフェストファイル内のバックグラウンド［色］、適合、およびＳｈｏｗＲｏｔａｔｅｄの要素を認識して、それらの要素に従って静止アセットＢを正しく表示する。
＜再生シナリオ２＞
フォアグラウンドファイル：静止画（静止アセットＡ、ＢおよびＣ）；静止アセットＢおよびＣのアスペクト比は表示領域のアスペクト比とは異なる。
バックグラウンドファイル：ファイルなし
【表１８２】
2008530717.tif 000255
Ｒ／Ｐの再生コンポーネントは、デフォルトアルバムマニフェストファイルおよびカスタムアルバムマニフェストファイル内のバックグラウンド［色］および適合の要素を認識して、それらのマニフェストの要素に従って静止アセットＢおよびＣを正しく表示する。
＜再生シナリオ３＞
フォアグラウンドファイル：静止画（静止アセットＡ、ＢおよびＣ）
バックグラウンドファイル：静止画（静止アセットａ）、静止アセットＡ、ＢおよびＣのフレームテンプレートとして利用される。
【表１８３】
2008530717.tif 000256
Ｒ／Ｐの再生コンポーネントは、デフォルトアルバムマニフェストファイルおよびカスタムアルバムマニフェストファイル内の余白（Ｍａｒｇｉｎ）の要素を認識して、静止アセットａをフレームとして静止アセットＡ、ＢおよびＣを正しく表示する。
＜再生シナリオ４＞
フォアグラウンドファイル：静止画（静止アセットＡおよびＣ）、音声付静止画（静止アセットＢおよび音声Ｂ）
バックグラウンドファイル：音声（音声Ａ）
【表１８４】
2008530717.tif 000257
Ｒ／Ｐの再生コンポーネントは、音声Ｂがフォアグラウンドで再生されている間、音声Ｂだけをフォアグラウンドとして再生し、バックグラウンドの音声Ａをミュートする。別の例としては、推奨はしないが、音声Ｂをフォアグラウンドとして音声Ａをバックグラウンドとして同時に再生する。
＜再生シナリオ５＞
フォアグラウンドファイル：静止画（静止アセットＡ）、動画（ビデオアセットＢおよびＣ）；ｍｐｖｐ：Ｔｒａｎｓの要素はデフォルトアルバムマニフェストファイルおよびカスタムアルバムマニフェストファイルに記述されている。
バックグラウンドファイル：ファイルなし
【表１８５】
2008530717.tif 000258
Ｒ／Ｐの再生コンポーネントは、デフォルトアルバムマニフェストファイルおよびカスタムアルバムマニフェストファイル内のｍｐｖｐ：Ｔｒａｎｓという名前のスペースの要素を認識して、それらのマニフェストの要素に従って静止アセットＡおよびビデオアセットＢおよびＣを正しく表示する。
＜再生シナリオ６＞
フォアグラウンドファイル：アセットＡ、ＢおよびＣ
バックグラウンドファイル：音声（音声Ａ）、音声Ａの再生時間の長さは、アセットＡ、ＢおよびＣの再生時間の合計よりも短い。
【表１８６】
2008530717.tif 000259
Ｒ／Ｐの再生コンポーネントは、フォアグラウンドとしてアセットＡ、ＢおよびＣの再生時間の合計の長さを認識し、バックグラウンドとして音声Ａの再生時間の長さを認識する。音声Ａの再生時間の長さがアセットＡ、ＢおよびＣの再生時間の長さの合計よりも短い場合、再生コンポーネントは再生が完了するまでバックグラウンドで音声Ａを繰り返すとしてもよい。
＜再生シナリオ７＞
フォアグラウンドファイル：アセットＡおよびＢ
バックグラウンドファイル：音声（音声Ａ）、アセットＡおよびＢの再生時間の長さの合計は音声Ａの再生時間の長さよりも短い。
【表１８７】
2008530717.tif 000260
Ｒ／Ｐ再生コンポーネントは、フォアグラウンドとしてアセットＡおよびＢの再生時間の長さの合計を認識し、バックグラウンドとして音声Ａの再生時間の長さを認識する。アセットＡおよびＢの再生時間の長さの合計が、音声Ａの再生時間の長さよりも短い場合、再生コンポーネントは、アセットＡおよびＢが完了すると音声Ａの再生を停止するとしてもよい。
＜再生シナリオ８＞
フォアグラウンドファイル：音声Ａ
バックグラウンドファイル：音声Ｂ
【表１８８】
2008530717.tif 000261
バックグラウンドファイルとフォアグラウンドファイルがともに音声である場合、Ｒ／Ｐの再生コンポーネントは、フォアグラウンドで音声Ａを再生し、バックグラウンドで音声Ｂをミュートする。
＜再生シナリオ９＞
フォアグラウンドファイル：動画Ａ
バックグラウンドファイル：動画Ｂ
【表１８９】
2008530717.tif 000262
フォアグラウンドファイルとバックグラウンドファイルがともに動画である場合、Ｒ／Ｐの再生コンポーネントはフォアグラウンドで動画Ａを再生し、バックグラウンドで動画Ｂをミュートする。
【図面の簡単な説明】
【００９６】
【図１】本発明の実施形態に係る画像利用システムの一例である画像利用システム１０の構成の一例を示す図である。
【００９７】
【図２】本発明の実施形態に係る記録媒体３０のディレクトリ構成及びファイル構成の一例を示す図である。
【００９８】
【図３】本発明の実施形態に係る画像記録装置２０の機能構成の一例を示すブロック図である。
【００９９】
【図４】本発明の実施形態に係る画像読み取り装置４０の機能構成の一例を示すブロック図である。
【０１００】
【図５】本発明の実施形態に係る画像記録装置２０を用いる画像記録方法における処理の流れの一例を示すフローチャートである。
【０１０１】
【図６】本発明の実施形態に係る画像読み取り装置４０を用いる画像読み取り方法における処理の流れの一例を示すフローチャートである。
【０１０２】
【図７】本発明の実施形態に係る画像記録装置２０を用いる画像記録方法における処理の流れの他の例を示すフローチャートである。
【０１０３】
【図８】本発明の実施形態に係る画像利用システムの他の例である画像利用システム５０の構成の一例を示す図である。
【０１０４】
【図９】本発明の実施形態に係る画像記録装置７０を用いる画像記録方法における処理の流れの一例を示すフローチャートである。
【図１】
2008530717.tif 000263
【図２】
2008530717.tif 000264
【図３】
2008530717.tif 000265
【図４】
2008530717.tif 000266
【図５】
2008530717.tif 000267
【図６】
2008530717.tif 000268
【図７】
2008530717.tif 000269
【図８】
2008530717.tif 000270
【図９】
2008530717.tif 000271
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
複数のデジタルアセットを、第１の複数のデジタルアセットを有する記録媒体に記録する画像記録装置であって、
複数のデジタルアセットを格納するアセットロールディレクトリを前記記録媒体中に作成し、前記画像記録装置を識別可能な装置識別子に基づいて、前記装置識別子毎に異なるディレクトリ名を決定するアセットロールディレクトリ作成部と、
第２の複数のデジタルアセットを、前記記録媒体における、情報が記録されていない領域に記録するアセット記録部と、
既に前記記録媒体に記録されているアルバムマニフェストファイルに、前記第２の複数のデジタルアセットが表示される場合の表示順序を更に格納させた、新たなアルバムマニフェストファイルを生成するアルバムマニフェスト生成部と、
既に前記記録媒体に記録されている前記アルバムマニフェストファイルを無効にすると共に、生成された前記新たなアルバムマニフェストファイルを、前記記録媒体における、未だ情報が記録されていない領域に記録するアルバムマニフェスト記録部と
を備え、
前記記録媒体は、
前記第１および第２の複数のデジタルアセットと、
前記第１および第２の複数のデジタルアセットが表示される場合の前記表示順序を格納している前記アルバムマニフェストファイルと
を有し、
前記記録媒体は、同一の領域に一度だけ情報を記録することができ、且つ、未だ情報が記録されていない領域に新たな情報を記録することのできるライトワンス型の記録媒体である画像記録装置。
【請求項２】
複数のデジタルアセットを、記録媒体に記録する画像記録装置であって、
前記複数のデジタルアセットを格納するアセットロールディレクトリを前記記録媒体中に作成し、前記画像記録装置を識別可能な装置識別子に基づいて、前記装置識別子毎に異なるディレクトリ名を決定するアセットロールディレクトリ作成部と、
前記複数のデジタルアセットのそれぞれへのパスを格納するアセットマニフェストファイルを生成するアセットマニフェスト生成部と、
前記複数のデジタルアセット、及び前記アセットマニフェストファイルを前記記録媒体に記録するアセット記録部と、
記録される前記アセットマニフェストファイルへのパス、及び前記複数のデジタルアセットが表示される場合の表示順序を格納するアルバムマニフェストファイルを生成するアルバムマニフェスト生成部と、
前記アルバムマニフェストファイルを前記記録媒体に記録するアルバムマニフェスト記録部と、
記録される前記アルバムマニフェストファイルへのパスを格納するインデックスマニフェストファイルを生成するインデックス生成部と、
生成された前記インデックスマニフェストファイルを、前記記録媒体毎に異なることのない、予め定められたパスに記録するインデックス記録部と
を備える画像記録装置。
【請求項３】
前記アルバムマニフェストファイルを格納するアルバムディレクトリを、前記アセットロールディレクトリの下位でない位置に作成するアルバムディレクトリ作成部
を更に備える請求項２に記載の画像記録装置。
【請求項４】
複数のデジタルアセットを、第１の複数のデジタルアセットを有する記録媒体に記録する画像記録方法であって、
複数のデジタルアセットを格納するアセットロールディレクトリを前記記録媒体中に作成し、前記記録媒体に複数のデジタルアセットを記録する画像記録装置を識別可能な装置識別子に基づいて、前記装置識別子毎に異なるディレクトリ名を決定するアセットロールディレクトリ作成段階と、
第２の複数のデジタルアセットを、前記記録媒体における、情報が記録されていない領域に記録するアセット記録段階と、
既に前記記録媒体に記録されているアルバムマニフェストファイルに、前記第２の複数のデジタルアセットが表示される場合の表示順序を更に格納させた、新たなアルバムマニフェストファイルを生成するアルバムマニフェスト生成段階と、
既に前記記録媒体に記録されている前記アルバムマニフェストファイルを無効にすると共に、生成された前記新たなアルバムマニフェストファイルを、前記記録媒体における、未だ情報が記録されていない領域に記録するアルバムマニフェスト記録段階と
を備え、
前記記録媒体は、
前記第１および第２の複数のデジタルアセットと、
前記第１および第２の複数のデジタルアセットが表示される場合の表示順序を格納している前記アルバムマニフェストファイルと
を有し、
前記記録媒体は、同一の領域に一度だけ情報を記録することができ、且つ、未だ情報が記録されていない領域に新たな情報を記録することのできるライトワンス型の記録媒体である画像記録方法。
【請求項５】
複数のデジタルアセットを、記録媒体に記録する画像記録方法であって、
複数のデジタルアセットを格納するアセットロールディレクトリを前記記録媒体中に作成し、前記記録媒体に複数のデジタルアセットを記録する画像記録装置を識別可能な装置識別子に基づいて、前記装置識別子毎に異なるディレクトリ名を決定するアセットロールディレクトリ作成段階と、
前記複数のデジタルアセットのそれぞれへのパスを格納するアセットマニフェストファイルを生成するアセットマニフェスト生成段階と、
前記複数のデジタルアセット、及び前記アセットマニフェストファイルを前記記録媒体に記録するアセット記録段階と、
記録される前記アセットマニフェストファイルへのパス、及び前記複数のデジタルアセットが表示される場合の表示順序を格納するアルバムマニフェストファイルを生成するアルバムマニフェスト生成段階と、
前記アルバムマニフェストファイルを前記記録媒体に記録するアルバムマニフェスト記録段階と、
記録される前記アルバムマニフェストファイルへのパスを格納するインデックスマニフェストファイルを生成するインデックス生成段階と、
生成された前記インデックスマニフェストファイルを、前記記録媒体毎に異なることのない、予め定められたパスに記録するインデックス記録段階と
を備える画像記録方法。
【請求項６】
前記アルバムマニフェストファイルを格納するアルバムディレクトリを、前記アセットロールディレクトリの下位でない位置に作成するアルバムディレクトリ作成段階と
を更に備える請求項５に記載の画像記録方法。
【請求項７】
撮像された複数のデジタルアセットが記録されている記録媒体であって、
前記複数のデジタルアセットのそれぞれへのパスを格納しているアセットマニフェストファイルと、
前記記録媒体に前記複数のデジタルアセットを記録した画像記録装置を識別可能な装置識別子に基づいて前記装置識別子毎に異なるように決定され、さらにアセットロールディレクトリが生成された日時に基づいて前記日時毎に異なるように決定されたディレクトリ名を有し、前記複数のデジタルアセットを格納するアセットロールディレクトリと、
前記アセットマニフェストファイルへのパス、及び前記複数のデジタルアセットが表示される場合の表示順序を格納しているアルバムマニフェストファイルと、
前記アルバムマニフェストファイルへのパスを格納しているインデックスマニフェストファイルと
を備え、
前記インデックスマニフェストファイルは、当該記録媒体毎に異なることのない、予め定められたパスに記録されている記録媒体。
【請求項８】
前記アセットロールディレクトリの下位でない位置に作成されている、前記アルバムマニフェストファイルを格納するアルバムディレクトリと
を更に備える請求項７に記載の記録媒体。
【請求項９】
複数のデジタルアセットを、第１の複数のデジタルアセットを有する記録媒体に記録する画像記録装置であって、
複数のデジタルアセットを格納するアセットロールディレクトリを前記記録媒体中に作成し、前記画像記録装置を識別可能な装置識別子に基づいて、前記装置識別子毎に異なるディレクトリ名を決定するアセットロールディレクトリ作成部と、
第２の複数のデジタルアセットを、前記記録媒体における、未だ情報が記録されていない領域に記録するアセット記録部と、
既に前記記録媒体に記録されているアルバムマニフェストファイルに、前記第２の複数のデジタルアセットが表示される場合の表示順序を更に格納させた、新たなアルバムマニフェストファイルを生成するアルバムマニフェスト生成部と、
必要に応じて更新されたインデックスマニフェストファイルを生成するインデックスマニフェスト生成部と、
既に前記記録媒体に記録されている前記アルバムマニフェストファイルを必要に応じて修正し、生成された前記新たなアルバムマニフェストファイルを、前記記録媒体における、未だ情報が記録されていない領域に記録するアルバムマニフェスト記録部と
を備え、
前記記録媒体は、
前記第１および第２の複数のデジタルアセットと、
前記第１および第２の複数のデジタルアセットが表示される場合の表示順序を格納しているアルバムマニフェストファイルと
を有し、
前記インデックスマニフェストファイルへのパスが維持されている画像記録装置。
【請求項１０】
前記第２の複数のデジタルアセットは、既存のアセットロールディレクトリに配置され、前記インデックスマニフェストファイルは変更されない請求項９に記載の画像記録装置。
【請求項１１】
前記第２の複数のデジタルアセットは、新たなアセットロールディレクトリに配置され、それに応じて新たなインデックスマニフェストファイルが作られる請求項９に記載の画像記録装置。
【請求項１２】
前記第２の複数のデジタルアセットは、新たなアセットロールディレクトリに配置され、それに応じて新たなアルバムマニフェストファイルが作られ、前記インデックスマニフェストファイルは変更されない請求項９に記載の画像記録装置。
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
第１の複数のデジタルアセットを有する記録媒体に第２の複数のデジタルアセットを記録する画像記録装置であって、
前記第２の複数のデジタルアセットを格納するアセットロールディレクトリを前記記録媒体中に作成し、同一のディレクトリ名が生成されることのない前記アセットロールディレクトリのディレクトリ名を、前記画像記録装置を識別可能な装置識別子に基づいて前記装置識別子毎に異なるように決定し、さらに前記アセットロールディレクトリを生成する日時に基づいて前記日時毎に異なるように決定するアセットロールディレクトリ作成部と、
前記第２の複数のデジタルアセットのそれぞれへのパスを格納するアセットマニフェストファイルを生成するアセットマニフェスト生成部と、
前記第２の複数のデジタルアセットおよび前記アセットマニフェストファイルを、前記記録媒体における、情報が記録されていない領域に記録するアセット記録部と、
既に前記記録媒体に記録されているアルバムマニフェストファイルに、前記第２の複数のデジタルアセットが表示される場合の表示順序をさらに格納させた、新たなアルバムマニフェストファイルを生成するアルバムマニフェスト生成部と、
既に前記記録媒体に記録されている前記アルバムマニフェストファイルを無効にすると共に、前記新たなアルバムマニフェストファイルを、既に前記記録媒体に記録されている前記アルバムマニフェストファイルと同じパスで、前記記録媒体における、未だ情報が記録されていない領域に記録するアルバムマニフェスト記録部と
を備え、
前記記録媒体は、同一の領域に一度だけ情報を記録することができ、且つ、未だ情報が記録されていない領域に新たな情報を記録することのできるライトワンス型の記録媒体である画像記録装置。
【請求項２】
前記第２の複数のデジタルアセットの解像度を下げることによって、複数の表示用画像を生成する表示用画像生成部と、
前記複数の表示用画像を格納する表示用画像ディレクトリを、前記アセットロールディレクトリの下位に作成する表示用画像ディレクトリ作成部と、
前記表示用画像生成部によって生成された前記複数の表示用画像を、前記表示用画像ディレクトリに格納すべく、前記記録媒体における、未だ情報が記録されていない領域に記録する表示用画像記録部と
をさらに備え、
前記アセットマニフェスト生成部は、前記複数の表示用画像のそれぞれへのパスをさらに格納する前記アセットマニフェストファイルを生成する請求項１に記載の画像記録装置。
【請求項３】
前記記録媒体毎に異なることのない予め定められたパスに既に記録されているインデックスマニフェストファイルを、前記記録媒体から読み取るインデックス読み取り部と、
前記インデックス読み取り部によって読み取られた前記インデックスマニフェストファイルに格納されているアセットマニフェストファイルへのパスを用いて、前記記録媒体から前記アセットマニフェストファイルを読み取るアルバムマニフェスト読み取り部と
をさらに備える請求項１または２に記載の画像記録装置。
【請求項４】
前記第２の複数のデジタルアセットは、既存のアセットロールディレクトリに配置され、前記インデックスマニフェストファイルは変更されない請求項３に記載の画像記録装置。
【請求項５】
前記第２の複数のデジタルアセットは、新たなアセットロールディレクトリに配置され、それに応じて新たなインデックスマニフェストファイルが作られる請求項３に記載の画像記録装置。
【請求項６】
前記第２の複数のデジタルアセットは、新たなアセットロールディレクトリに配置され、それに応じて前記新たなアルバムマニフェストファイルが作られ、前記インデックスマニフェストファイルは変更されない請求項３に記載の画像記録装置。
【請求項７】
第１の複数のデジタルアセットを有する記録媒体に第２の複数のデジタルアセットを記録する画像記録方法であって、
前記第２の複数のデジタルアセットを格納するアセットロールディレクトリを前記記録媒体中に作成し、同一のディレクトリ名が生成されることのない前記アセットロールディレクトリのディレクトリ名を、前記記録媒体に前記第２の複数のデジタルアセットを記録する画像記録装置を識別可能な装置識別子に基づいて前記装置識別子毎に異なるように決定し、さらに前記アセットロールディレクトリを生成する日時に基づいて前記日時毎に異なるように決定するアセットロールディレクトリ作成段階と、
第２の複数のデジタルアセットを、前記記録媒体における、情報が記録されていない領域に記録するアセット記録段階と、
前記第２の複数のデジタルアセットのそれぞれへのパスを格納するアセットマニフェストファイルを生成するアセットマニフェスト生成段階と、
前記第２の複数のデジタルアセットおよび前記アセットマニフェストファイルを、前記記録媒体における、情報が記録されていない領域に記録するアセット記録部と、
既に前記記録媒体に記録されているアルバムマニフェストファイルに、前記第２の複数のデジタルアセットが表示される場合の表示順序をさらに格納させた、新たなアルバムマニフェストファイルを生成するアルバムマニフェスト生成段階と、
既に前記記録媒体に記録されている前記アルバムマニフェストファイルを無効にすると共に、前記新たなアルバムマニフェストファイルを、既に前記記録媒体に記録されている前記アルバムマニフェストファイルと同じパスで、前記記録媒体における、未だ情報が記録されていない領域に記録するアルバムマニフェスト記録段階と
を備え、
前記記録媒体は、同一の領域に一度だけ情報を記録することができ、且つ、未だ情報が記録されていない領域に新たな情報を記録することのできるライトワンス型の記録媒体である画像記録方法。
【請求項８】
前記第２の複数のデジタルアセットの解像度を下げることによって、複数の表示用画像を生成する表示用画像生成段階と、
前記複数の表示用画像を格納する表示用画像ディレクトリを、前記アセットロールディレクトリの下位に作成する表示用画像ディレクトリ作成段階と、
前記表示用画像生成段階において生成された前記複数の表示用画像を、前記表示用画像ディレクトリに格納すべく、前記記録媒体における、未だ情報が記録されていない領域に記録する表示用画像記録段階と
をさらに備え、
前記アセットマニフェスト生成段階は、前記複数の表示用画像のそれぞれへのパスをさらに格納する前記アセットマニフェストファイルを生成する段階を有する請求項７に記載の画像記録方法。
【請求項９】
前記記録媒体毎に異なることのない予め定められたパスに既に記録されているインデックスマニフェストファイルを、前記記録媒体から読み取るインデックス読み取り段階と、
前記インデックス読み取り段階において読み取られた前記インデックスマニフェストファイルに格納されているアセットマニフェストファイルへのパスを用いて、前記記録媒体から前記アセットマニフェストファイルを読み取るアルバムマニフェスト読み取り段階と
をさらに備える請求項７または８に記載の画像記録方法。
【請求項１０】
前記第２の複数のデジタルアセットは、既存のアセットロールディレクトリに配置され、前記インデックスマニフェストファイルは変更されない請求項９に記載の画像記録方法。
【請求項１１】
前記第２の複数のデジタルアセットは、新たなアセットロールディレクトリに配置され、それに応じて新たなインデックスマニフェストファイルが作られる請求項９に記載の画像記録方法。
【請求項１２】
前記第２の複数のデジタルアセットは、新たなアセットロールディレクトリに配置され、それに応じて前記新たなアルバムマニフェストファイルが作られ、前記インデックスマニフェストファイルは変更されない請求項９に記載の画像記録方法。
【国際調査報告】
2008530717.tif 000272
2008530717.tif 000273
2008530717.tif 000274